(57)【特許請求の範囲】
【請求項１】
げっ歯動物の収容ケージにおいて識別子を検出するための方法であって、
底部と、第１の検出可能な識別子及び第２の検出可能な識別子と、を有するケージを、それぞれが検出器を有する、ラックの隣接した第１のケージ設置組立体及び第２のケージ設置組立体と係合させることを含み、前記第１の検出可能な識別子及び前記第２の検出可能な識別子は、前記ケージが前記第１のケージ設置組立体及び前記第２のケージ設置組立体と係合されたときに、前記第１のケージ設置組立体及び前記第２のケージ設置組立体において１又は複数の前記検出器によって検出される方法。
【請求項２】
前記ケージが更に蓋を具備する請求項１に記載の方法。
【請求項３】
前記第１のケージ設置組立体及び前記第２のケージ設置組立体が、レールガイドであって、前記ケージが前記第１のケージ設置組立体及び前記第２のケージ設置組立体へと摺動されたときに前記ケージの蓋に接触するレールガイドをそれぞれ具備する請求項２に記載の方法。
【請求項４】
前記蓋が前記第１の検出可能な識別子及び前記第２の検出可能な識別子を覆い、前記第１の検出可能な識別子及び前記第２の検出可能な識別子が前記蓋を通して検出される請求項２又は請求項３のいずれか１つに記載の方法。
【請求項５】
前記第１のケージ設置組立体における前記検出器及び前記第２のケージ設置組立体における前記検出器が、光学式読み取り器を具備し、前記第１の検出可能な識別子及び前記第２の検出可能な識別子が、光検出のために構成された請求項１から請求項４のいずれか１つに記載の方法。
【請求項６】
前記蓋が概して透過的である請求項５に記載の方法。
【請求項７】
前記第１の検出可能な識別子及び前記第２の検出可能な識別子が、バーコード、シリアル番号、無線周波数識別子、変色ポリマー、反射識別子、無反射識別子、電磁気識別子、記号コード、化学的検知識別子又はこれらの組合せで構成されるグループから選択された請求項１から請求項６のいずれか１つに記載の方法。
【請求項８】
前記第１の検出可能な識別子及び前記第２の検出可能な識別子が、刻時識別子、ケージ位置識別子、コンテンツ識別子又はこれらの組合せとして機能する請求項１から請求項７のいずれか１つに記載の方法。
【請求項９】
前記蓋が、いくつかの電磁放射に対して概して透過的であるが、全ての電磁放射に対して概して透過的ではない請求項２から請求項８のいずれか１つに記載の方法。
【請求項１０】
前記第１の検出可能な識別子及び前記第２の検出可能な識別子が同一線上に配置された、請求項１から請求項９のいずれか１つに記載の方法。
【請求項１１】
前記第１の検出可能な識別子及び前記第２の検出可能な識別子が重なる領域を有する、請求項１から請求項１０のいずれか１つに記載の方法。
【請求項１２】
前記第１の検出可能な識別子及び前記第２の検出可能な識別子が、前記ケージの蓋及び前記ケージの底部に配置された請求項２から請求項１１のいずれか１つに記載の方法。
【請求項１３】
前記蓋又は前記底部が、２以上の検出可能な識別子を有する請求項２から請求項１２のいずれか１つに記載の方法。
【請求項１４】
前記検出可能な識別子が、バーコードを具備する請求項１から請求項１３のいずれか１つに記載の方法。
【請求項１５】
前記ケージが前記第１のケージ設置組立体及び第２のケージ設置組立体と係合されたときに、前記第１の検出可能な識別子が、前記第１のケージ設置組立体において前記検出器によって検出され、前記第２の検出可能な識別子が、前記第２のケージ設置組立体において前記検出器によって検出される請求項１から請求項１４のいずれか１つに記載の方法。
【発明の詳細な説明】
【技術分野】
【０００１】
本出願は、「げっ歯動物収容ケージ監視装置及び方法」という名称で、Dee L. Congerらを発明者として挙げ、且つ、代理人文書番号ＩＮＯ−１００９−ＰＶ３が付与された、米国仮特許出願第６１／５４１８５９号（２０１１年９月３０日出願）の利益を主張する。また、本出願は、「げっ歯動物収容ケージ監視装置及び方法」という名称で、Dee L. Congerらを発明者として挙げ、かつ、代理人文書番号ＩＮＯ−１００９−ＰＶ２が付与された、米国仮特許出願第６１／４９５８５５号（２０１１年６月１０日出願）の利益も主張する。更に、本出願は、「げっ歯動物収容ケージ監視装置及び方法」という名称で、Dee L. Congerらを発明者として挙げ、かつ、代理人文書番号ＩＮＯ−１００９−ＰＶが付与された、米国仮特許出願第６１／３９１９７２号（２０１０年１０月１１日出願）の利益も主張する。
【０００２】
また、本出願は、「畜産用ラックシステム及び監視」という名称で、Dee L. Congerらを発明者として挙げ、かつ、代理人文書番号ＩＮＯ−１００８−ＰＶが付与された、米国仮特許出願第６１／１１２５８８号（２００８年１１月７日出願）にも関連し、該仮特許出願は、その全体が引用により本明細書中に組み込まれる。更に、本出願は、「畜産用の引出しケージシステム及び要素」という名称で、Dee L. Conger、Thomas M. Perazzo、Francesca McGuffie、及びMatthew D. d'Artenayを発明者として挙げ、かつ、代理人文書番号ＩＮＯ−１００５−ＰＶにより識別された、特許出願第６０／９１１２７１号（２００７年４月１１日出願）と、「畜産用引出しケージ」という名称で、Dee L. Conger及びThomas M. Perazzoを発明者として挙げ、かつ、代理人文書番号ＩＮＯ−１００５−ＰＶ２により識別された、米国仮特許出願第６０／９７９７２１号（２００７年１０月１２日出願）にも関連し、両者は、これらの全体が引用により本明細書中に組み込まれる。更にまた、本出願は、「動物収容システム及び要素」という名称で、Thomas Perazzo及びDee Congerを発明者として挙げ、かつ、代理人文書番号ＩＮＯ−１００１−ＰＶ、ＩＮＯ−１００１−ＰＶ２、及びＩＮＯ−１００１−ＰＶ３がそれぞれ付与された、米国仮特許出願第６０／６３５７５６号（２００４年１２月１３日出願）、同６０／６９０８１１号（２００５年６月１４日出願）、及び同６０／７１７８２６号（２００５年９月１６日出願）にも関連する。また、本出願は、「畜産用収容システム及び要素」という名称で、Thomas Perazzo及びDee Congerを発明者として挙げ、かつ、代理人文書番号ＩＮＯ−１００１−ＰＶ４、及びＩＮＯ−１００１−ＰＶ５がそれぞれ付与された、米国仮特許出願第６０／７３４２２９号及び同６０／７３４１８９号（それぞれ、２００５年１１月７日出願）にも関連する。更に、本出願は、「畜産用収容システム及び要素」という名称で、Dee Congerらを発明者として挙げ、かつ、代理人文書番号ＩＮＯ−１００１−ＰＶ６が付与された、米国仮特許出願第６０／８０４５５４号（２００６年６月１２日出願）にも関連する。更にまた、本出願は、「畜産用収容システム及び要素」という名称で、Dee Congerらを発明者として挙げ、かつ、代理人文書番号ＩＮＯ−１００１−ＰＶ７、及びＩＮＯ−１００１−ＰＶ８がそれぞれ付与された、米国仮特許出願第６０／８２２７５５号（２００６年８月１７日出願）及び同６０／８２２９１４号（２００６年８月１８日出願）にも関連する。また、本出願は、「畜産用収容システム及び要素」という名称で、Dee Congerらを発明者として挙げ、かつ、代理人文書番号ＩＮＯ−１００１−ＵＴ、ＩＮＯ−１００１−ＰＣ、ＩＮＯ−１００１−ＵＴ２、及びＩＮＯ−１００１−ＰＣ２がそれぞれ付与された、米国特許出願第１１／３００６６４号（２００５年１２月１３日出願）、国際特許出願第ＰＣＴ／ＵＳ２００５／０４４９７７号（２００５年１２月１３日出願）、米国特許出願第１１／４２３９４９号（２００６年６月１３日出願）、及び国際特許出願第ＰＣＴ／ＵＳ２００６／０２３０３８号、「畜産用収容システム及び要素」という名称で、Dee L. Conger、Thomas M. Perazzo、Matthew D. d'Artenay、及びFrancesca McGuffieを発明者として挙げ、かつ、代理人���書番号ＩＮＯ−１００１−ＰＣ３が付与された、国際特許出願第ＰＣＴ／ＵＳ２００７／０１８２５５号（２００７年８月１７日出願）にも関連する。
【０００３】
上述の特許出願はそれぞれ、その全体が、引用により本明細書中に組み込まれる。
【０００４】
本発明は、一部において、畜産分野、及び動物の収容に関する。
【背景技術】
【０００５】
動物収容システムは、動物の運搬、飼育、及び維持管理等の種々の用途に利用される。該システム内に収容される動物は、多くの場合、げっ歯動物等の実験動物であり、かかる動物は、動物施設に収容されることが多い。収容システムは、動物が収容される動物用ケージと、ケージが取り付けられたラックユニットと、を有してもよい。
【発明の概要】
【発明が解決しようとする課題】
【０００６】
こうしたシステム内に収容された動物は、複数のガス状汚染物質及び粒子状汚染物質を放出し、これらは、収容された動物と、システムを維持管理する作業員に対する健康上のリスクになる。概して、恒久的又は複数回使用されるケージは、複数回使用するために設計されており、例えば、特に優良試験所基準（ＧＬＰ）を実施する施設の動物収容施設において、ケージが２年以上の間、略毎週洗浄され、殺菌されることを必要とする。複数回使用ケージは、概して重く、比較的厚い壁を有し、要素は多くの場合、複数回の洗浄及び殺菌に耐え得る弾性材料から構成される。かかるケージは、動物をより効率的に収容するため、複数のケージを保持するラックに配置されてもよいが、洗浄及び他の保守作業を実施するために、かかるラックからケージを取り出すのが不便となり得る。従来の複数回使用動物収容システムのこれらの態様により、動物収容設備の大部分は、複数回使用する要素の洗浄及び殺菌が必要である。更に、複数回使用ケージの設計は、汚染された空気フィルターの取扱いの要求、又は、例えば、ケージが表面に衝突する場合（例えば、使用者によってケージが落とされるか、もしくは高所からケージが落下する等）における環境に対するケージ要素の露出等の、汚染に関する欠点を有するかもしれず、特に、高いバイオセーフティレベルの動物施設内の動物の取扱いに影響する。このため、定期的にケージを洗浄する必要のない、動物収容ケージ及び管理システムであって、収容された動物のために安全及び健康な環境を提供し、選択的に多数の動物を限られた空間において収容し保守するための効率的な手段を提供する動物収容ケージ及び管理システムが要求されてきている。
【課題を解決するための手段】
【０００７】
いくつかの実施形態において、提供されるのは、げっ歯動物の収容ケージシステムであって、第１の検出可能な識別子を備える第１のケージ要素と、第２の検出可能な識別子を備え、第１の検出可能な識別子を覆う第２のケージ要素と、第１の検出可能な識別子及び第２の検出可能な識別子を検出するように構成された検出器と、を備えるげっ歯動物の収容ケージシステムである。いくつかの実施形態において、第１のケージ要素、第２のケージ要素、又は、第１のケージ要素及び第２のケージ要素は、２以上の識別子を有する。ある実施形態において、識別子は、バーコード、シリアル番号、無線周波数識別子、変色ポリマー、反射識別子、無反射識別子、磁気識別子、記号コード、化学センサ識別子、赤外線波長識別子、光学的波長識別子又はこれらの組合せから構成されるグループから選択される。いくつかの実施形態において、識別子は、刻時識別子、ケージ位置識別子、コンテンツ識別子又はこれらの組合せとして機能する。検出器は、ラックと有効に接続されてもよい。検出器は、ラック内の棚に取り付け、第１のケージ要素及び第２のケージ要素は、棚に係合してもよい。ラックは、ケージの一部が摺動し得る溝を有する棚を具備してもよく、検出器は、溝近傍の棚に配置され、ケージが溝へと摺動され、第１の検出可能な識別子及び第２の検出可能な識別子が検出器を通過したときに、第１の検出可能な識別子及び第２の検出可能な識別子を検出するように構成される。検出器は、ラックにおいて棚の側部に取り付けられてもよく、第１のケージ要素及び第２のケージ要素は、それぞれ、フランジを有してもよく、これによって、第１のケージ要素及び第２のケージ要素のそれぞれのフランジの表面は、ケージ要素が係合されて、識別子がそれぞれのケージ要素のフランジに配置され、検出器が検出のためにケージ要素においてフランジ及び識別子と同一線上となったときに、互いに接触してもよい。検出器は、機械的検知要素、磁気的検知要素、光磁気的検知要素、光学的検知要素、自動的検知要素、化学的検知要素、蛍光的検知要素又はこれらの組合せから構成されたグループから選択された材料を用いてもよい。検出器は、携帯型装置内に配置されてもよい。検出器は、ケージ要素に配置されてもよい。ケージ要素は、ケージ蓋要素、ケージ底部要素、給気要素又は排気要素、給水要素、センサ要素、フィルター要素、バッフル要素又は給餌要素で構成されるグループから選択されてもよい。１又は複数の識別子は、ケージ要素の後部に配置されてもよく、ケージ要素の一方又は双方の側部に配置されてもよく、ケージ要素の上部に配置されてもよく、ケージ要素の１又は複数のフランジに配置されてもよく、ケージ以外の部品に配置されてもよく、ラック要素に配置されてもよく、別の識別子と並列して配置されてもよく、別の識別子と重ねて配置されてもよく、或いは、これらの組合せで配置されてもよい。識別子は、加熱、インクジェット、エンボス加工、レーザー刻印、ステッカー、接着剤、変色ポリマー、電磁波長吸収ポリマー添加剤、磁石又はファスナーで構成されるグループから選択された工程によって１又は複数のケージ要素に配置されてもよい。システムは、ディスプレイを更に具備してもよく、そのディスプレイがシステムのラックに配置されてもよく、そのディスプレイがラックから離間した位置に配置されてもよい。システムは、収容ケージシステムのラックにおいて１又は複数の指示器を更に具備してもよい。ここで使用される用語「棚」は、ケージ又はケージ要素（例えば、ケージマウント）を支持するために用いられる１又は複数のラック要素をいう。
【０００８】
更に、第１の検出可能な識別子及び第２の検出可能な識別子を有する１又は複数のケージ要素と、第１の検出可能な識別子又は第２の検出可能な識別子を検出するように構成された検出器と、を具備するげっ歯動物の収容ケージシステムが提供される。場合によっては、ケージ要素は蓋である。場合によっては、ケージ要素は、ケージ底部である。場合によっては、ケージ要素は、ケージ蓋及びケージ底部である。場合によっては、検出器は、ケージ設置組立体に取り付けられる。場合によっては、検出器は、ケージ設置組立体のフロントモジュールの一部である。
【０００９】
更に、げっ歯動物の収容ケージシステムは、第１の検出可能な識別子及び第２の検出可能な識別子を有する１又は複数のケージ要素と、第１の検出器及び第２の検出器と、を具備し、第１の検出器が第１の検出可能な識別子を検出するように構成され、第２の検出器が第２の検出可能な識別子を検出するように構成される。場合によっては、ケージ要素は、蓋である。場合によっては、ケージ要素は、ケージ底部である。場合によっては、ケージ要素は、ケージ蓋及びケージ底部である。場合によっては、第１の検出可能な識別子及び第２の検出可能な識別子は、ケージの長さに沿った対向する側部にある。場合によっては、第１の検出器及び第２の検出器は、ケージラックに取り付けられて隣接したケージ設置組立体にある。場合によっては、ケージがケージ設置組立体へと摺動されたときに、第１の検出器が、第１の検出可能な識別子を検出するように構成され、第２の検出器が第２の検出可能な識別子を検出するように構成される。
【００１０】
更に、検出可能な識別子を有するケージ要素と、前記識別子を検出するように構成された第１の検出器と、を具備するげっ歯動物の収容ケージシステムが提供される。場合によっては、ケージ要素は、ケージ蓋である。場合によっては、ケージ要素は、ケージ底部である。場合によっては、検出器は、ケージ設置組立体に取り付けられる。場合によっては、検出器は、ケージ設置組立体のフロントモジュールの一部である。場合によっては、検出器は、識別子を備えたケージ要素を有するケージがケージ設置組立体へと摺動されたときに、検出可能な識別子を検出するように構成される。
【００１１】
更にいくつかの実施形態において、第１の検出可能な識別子を有する底部と、底部に取り付けて第１の検出可能な識別子を覆う第２の検出可能な識別子を有した蓋と、を具備し、第２の検出可能な識別子が、第１の検出可能な識別子近傍に配置されたげっ歯動物の収容ケージが提供される。いくつかの実施形態において、検出器は、第１の検出可能な識別子及び第２の検出可能な識別子を検出するように構成される。ある実施形態において、底部又は蓋は、２以上の識別子を有する。いくつかの実施形態において、識別子は、バーコード、シリアル番号、無線周波数識別子、変色ポリマー、反射識別子、無反射識別子、磁気識別子、記号コード、化学センサ識別子又はこれらの組合せで構成されるグループから選択される。ある実施形態において、識別子は、刻時識別子、ケージ位置識別子、コンテンツ識別子又はこれらの組合せとして機能する。検出器は、ケージと有効に接続されてもよく、検出器は、ケージ要素に配置されてもよい。底部、蓋又はその双方は、概して透過的であってもよい。１又は複数の識別子は、底部又は蓋の後部に配置されてもよく、底部又は蓋の一方又は双方の側部に配置されてもよく、底部又は蓋の上部に配置されてもよく、底部又は蓋の１又は複数のフランジに配置されてもよく、別の識別子と並列して配置されてもよく、別の識別子と重ねて配置されてもよく、或いは、これらの組合せで配置されてもよい。識別子は、加熱、インクジェット、エンボス加工、レーザー刻印、ステッカー、接着剤、変色ポリマー、磁石又はファスナーで構成されるグループから選択された工程によって１又は複数のケージ要素に配置されてもよい。
【００１２】
更に、第１の検出可能な識別子及び第２の検出可能な識別子を有する１又は複数のケージ要素を具備するげっ歯動物の収容ケージが提供される。場合によっては、ケージ要素は、蓋である。場合によっては、ケージ要素は、ケージ底部である。場合によっては、ケージ要素は、ケージ蓋及びケージ底部である。場合によっては、第１の識別子及び第２の識別子は、ケージの長さに沿った対向する側部にある。場合によっては、第１の識別子及び第２の識別子は、同一のものである。場合によっては、第１の識別子及び第２の識別子は、異なるものである。場合によっては、第１及び第２の検出可能な識別子は、バーコードを具備する。
【００１３】
いくつかの実施形態において、１又は複数の識別子は、互いに重ならないように構成される。ある実施形態において、１又は複数の識別子は、２以上の識別子が重なるように構成される。重なる識別子を有するいくつかの実施形態において、識別子は互いにオフセットさせることができ、それによって、重ならない識別子の領域と重なる識別子の領域とを生じさせる。いくつかの実施形態において、重なる識別子は、同じ検出器によって検出され、ある実施形態において、重なる識別子は、異なる検出器によって検出される。ある実施形態において、重なる識別子の構成のそれぞれの識別子は、異なる検出器によって検出される。いくつかの実施形態において、それぞれのケージ要素は、２以上、３以上、４以上、又は５以上の独立して検出可能な識別子を有し、ある実施形態において、独立して検出可能な識別子の一部又は全部は、様々な組合せにおいて検出されることができる。２以上の識別子（例えば、重なる識別子又は重ならない識別子）を有するいくつかの実施形態において、識別子の部分又は全部は、重複してもよい。いくつかの実施形態において、検出器は、ラックの棚に接続されてもよい。
【００１４】
更に、検出可能な識別子を備えた要素を具備するげっ歯動物の収容ケージが提供される。
【００１５】
更に、いくつかの実施形態において、げっ歯動物の収容ケージにおいて識別子を検出する方法であって、第１の検出可能な識別子を備える底部及び第２の検出可能な識別子を備える蓋を有するケージを、検出器を有する、ラックの棚と係合させることと、ケージを棚へと摺動させることと、を含み、ケージが棚へと摺動されて検出器を通過したときに、第１の検出可能な識別子及び第２の検出可能な識別子が、検出器によって検出される。いくつかの実施形態において、蓋は第１の検出可能な識別子を覆い、第１の検出可能な識別子は、蓋を通して検出される。ある実施形態において、検出器は光学式読み取り器であり、第１の検出可能な識別子及び第２の検出可能な識別子は光検出のために構成され、蓋は概して透過的である。いくつかの実施形態において、第１の検出可能な識別子及び第２の検出可能な識別子は、同一線上に配置される。ある実施形態において、蓋又は底部は、２以上の検出可能な識別子を有する。検出可能な識別子は、バーコード、シリアル番号、無線周波数識別子、変色ポリマー、反射識別子、無反射識別子、磁気識別子、記号コード、化学センサ識別子又はこれらの組合せで構成されるグループから選択されてもよい。検出可能な識別子は、刻時識別子、ケージ位置識別子、コンテンツ識別子又はこれらの組合せとして機能してもよい。棚が溝を更に具備し、ケージが溝と係合することによって棚へと摺動してもよい。
【００１６】
更に、げっ歯動物の収容ケージにおいて識別子を検出するための方法であって、第１の検出可能な識別子及び第２の検出可能な識別子を有するケージを、レールガイドであって、検出器をそれぞれ有する、ラックの隣接した第１のケージ設置組立体及び第２のケージ設置組立体におけるレールガイドと係合させることと、ケージをケージ設置組立体へと摺動させることと、を含み、これによって、ケージ蓋を第１のケージ設置組立体及び第２のケージ設置組立体のレールガイドと接触させ、ケージが第１のケージ設置組立体及び第２のケージ設置組立体へと摺動されてそれぞれの識別子がそれぞれの検出器を通過したときに、第１の検出可能な識別子が、第１のケージ設置組立体において検出器によって検出され、第２の検出可能な識別子が、第２のケージ設置組立体において検出器によって検出される方法が提供される。場合によっては、検出可能な識別子は、バーコードを具備する。
【００１７】
更に、げっ歯動物の収容ケージにおいて識別子を検出するための方法であって、検出可能な識別子を有するケージを、検出器を有する、ラックのケージ設置組立体におけるレールガイドと係合させることと、ケージをケージ設置組立体へと摺動させることと、を含み、これによって、ケージ蓋をケージ設置組立体のレールガイドと接触させ、ケージがケージ設置組立体へと摺動されて識別子が検出器を通過したときに、検出可能な識別子が、ケージ設置組立体において検出器によって検出される方法が提供される。
【００１８】
いくつかの実施形態において、１又は複数の識別子は、１又は複数の検出手段（例えば、電磁放射）に対して透過性があり、或いは、透過性がない。概して、対象物によって放出され又は吸収された電磁放射は、対象物の電磁スペクトルの特徴を有し、電磁スペクトルは、大抵検出され得る。電磁放射は、大抵の場合、電磁周波数及び／又は電磁波などの特徴を含み、電磁スペクトルは、時として、実質的にすべて容易に検出可能な電磁放射を含む。１又は複数の電磁気の特徴に対する透過性及び／又は不透過性は、様々な検出可能な材料及び検出器の使用によって、予め決定されてもよい。場合によっては、検出可能な材料は、ここで示されたケージ要素を生成するために利用される、材料内に含まれた部分、或いは、材料上に積層された部分である。いくつかの実施形態において、ケージ要素は、いくつかの波長に対して透過的であり、全ての電磁波長に対して透過的ではなくてもよい（例えば、いくつかの波長に対して透過性がない）。いくつかの実施形態において、１又は複数のケージ要素が、電波、マイクロ波の波長、赤外線波長、可視光波長、紫外線波長、軟Ｘ線、同等のもの又はこれらの組合せから選択された１又は複数の形式の電磁放射に対して透過的であってもよい。いくつかの実施形態において、１又は複数のケージ要素が、電波、マイクロ波の波長、赤外線波長、可視光波長、紫外線波長、軟Ｘ線、同等のもの又はこれらの組合せから選択された１又は複数の形式の電磁放射に対して不透過的であってもよい。電磁放射に関して「不透過的な（ｏｐａｑｕｅ）」という語は、電磁的特性の５％又はそれより小さな伝搬を可能とするケージ要素及び／又は識別子を示す。
【００１９】
更に、ある実施形態において、げっ歯動物の収容ケージシステムであって、ケージを有するラックであって、ケージが、第１の検出可能な識別子を備える底部と第２の検出可能な識別子を備える蓋とケージ内容情報を備え、蓋及び／又は底部と関連した第３の検出可能な識別子とを有するラックと、ラックに接続され且つケージと関連した棚であって、第１の検出可能な識別子と第２の検出可能な識別子と第３の検出可能な識別子とを検出するように構成された検出器を有する棚と、ケージ内容情報を第１の検出可能な識別子及び第２の検出可能な識別子と関連させ、検出器と有効に通信するプロセッサと、を具備するげっ歯動物の収容ケージシステムが提供される。いくつかの実施形態において、プロセッサと有効に通信し、プロセッサから関連付け情報を受信するように構成されたコントローラを更に具備する。ある実施形態において、指示器は、コントローラと有効に通信し、指示器は、ケージ内容情報又はこの一部と関連付けられた１又は複数のケージ要素を識別するように構成される。いくつかの実施形態において、指示器は、視覚的指示器、聴覚的指示器、触覚的指示器又はこれらの組合せによって１又は複数のケージ要素を識別する。指示器は、可視光ディスプレイであってもよく、指示器は、ＬＥＤディスプレイであってもよい。指示器は、検出器に一体化されてもよく、いくつかの実施形態において、指示器は、ラックに一体化されてもよい。ケージ及び／又は蓋は、ケージ内容情報を備えるカードと関連付けられてもよい。蓋は、第１の検出可能な識別子を覆ってもよく、第１の検出可能な識別子は、蓋を通じて検出されてもよい。第１の検出可能な識別子及び第２の検出可能な識別子は、互いに重なるように同一線上に配置される。第２の検出可能な識別子及び第３の検出可能な識別子は、互いに重なるように同一線上に配置される。いくつかの実施形態において、第１の検出可能な識別子及び第３の検出可能な識別子は、互いに重なるように同一線上に配置される。ケージ内容情報を備えるカードを更に備えてもよい。コントローラは、ラック上の位置及び／又はラックから離れた位置に配置されてもよい。
【００２０】
更に、いくつかの実施形態において、げっ歯動物収容システムにおいてケージ内容情報を１又は複数のケージ要素と関連付けるための方法であって、ケージ底部と関連した第１の検出可能な識別子、ケージ蓋と関連した第２の検出可能な識別子、及び、ケージ内容情報を有する蓋及び／又は底部と関連付けられた第３の検出可能な識別子を、ラックに接続された棚と関連付けられた検出器によって検出することと、第１の検出可能な識別子、第２の検出可能な識別子、及び、第３の検出可能な識別子に、プロセッサであって、第３の検出可能な識別子のケージ内容情報を第１の検出可能な識別子及び／又は第２の検出可能な識別子に関連付けるように構成されたプロセッサへと送信させることと、を含む方法が提供される。いくつかの実施形態において、プロセッサによって、第３の検出可能な識別子のケージ内容情報を第１の検出可能な識別子及び／又は第２の検出可能な識別子と関連付けることを更に含み、これによって関連付けを生成する方法を更に有する。ある実施形態において、方法は、プロセッサからコントローラに関連付けを送信することを更に含む。いくつかの実施形態において、方法は、関連付けをコントローラから指示器へと送信することと、ケージ内容情報又はこの一部と関連付けられた１又は複数のケージ要素を識別することと、を更に含む。
【００２１】
更に、ある実施形態において、げっ歯動物の収容ケージシステムの部分を関連付けるための方法であって、検出可能な識別子から得られたケージ要素情報を受信することと、ケージ内容情報を受信することと、ケージ要素情報を対応するケージ内容情報と関連付けることと、を含み、これによって関連付けを生成する方法が提供される。いくつかの実施形態において、ケージ要素情報は、検出器によって検出された識別子からのものである。ある実施形態において、ケージ内容情報は、検出可能な識別子及び／又は手動入力からのものである。いくつかの実施形態において、方法は、ケージ状態情報を受信することと、ケージ状態情報を対応するケージ内容情報及び／又はケージ要素情報と関連付けることと、を更に含み、これによって関連付けを生成する。ケージ状態情報が、検出可能な識別子及び／又は手動入力からのものであってもよい。いくつかの実施形態において、方法は、ケージ使用者情報を受信することと、ケージ使用者情報を対応するケージ内容情報、対応するケージ要素情報及び／又は対応するケージ状態情報と関連付けることと、を更に含み、これによって、関連付けを生成する。ケージ使用者情報が、検出可能な識別子、及び／又は手動入力からのものであってもよい。ある実施形態において、関連付けを報告することを更に含む。関連付けに、ケージ要素情報と対応するケージ内容情報との間の関連付けが含まれてもよい。関連付けに、ケージ状態情報と、対応するケージ内容情報及び／又は対応するケージ要素情報との間の関連付けが含まれてもよい。関連付けに、ケージ使用者情報と、対応するケージ内容情報、対応するケージ状態情報、及び／又は対応するケージ要素情報との間の関連付けが含まれてもよい。いくつかの実施形態において、報告が使用者定義によるものであってもよく、いくつかの実施形態において、報告が予めプログラムされる。報告が、ケージ指示器、グラフ、在庫報告、安全報告、及び生産性報告で構成されるグループから選択されてもよい。ケージ状態情報が、餌の交換、水の交換、投与される薬剤、敷材の交換、フィルターの交換、使用されるシリンジ、使用されるグローブ、及びこれらの組合せで構成されるグループから選択されてもよい。ケージ状態情報が受信される場合、該ケージ状態情報に、タイムスタンプ／日付スタンプが付されてもよい。ケージ使用者情報が、ケージにアクセスした人、ケージにアクセスした時間、ケージにアクセスした日付、ケージにアクセスした目的、及びこれらの組合せで構成されるグループから選択されてもよい。ケージ要素が、ケージ蓋要素、ケージ底部要素、給気要素、排気要素、給水要素、センサ要素、フィルター要素、バッフル要素、フィーダ、及びこれらの組合せで構成されるグループから選択されてもよい。ケージ内容情報が、ケージ内の動物の数及びケージ内の動物の種類、動物識別子、ケージの所有者、動物の年齢、動物の性別、動物の血統、動物の実験手順、ケージ使用者による観察、並びにこれらの組合せで構成されるグループから選択されてもよい。検出器が、システムのラック中の棚に接続されてもよい。
【００２２】
また、いくつかの実施形態において、組み込まれたコンピュータ可読プログラムコードを有したコンピュータ使用可能媒体を具備するコンピュータプログラムプロダクトであって、コンピュータ可読プログラムコードが、げっ歯動物の収容ケージシステムの部分を関連付けるための方法を実現するために実行されるように構成され、方法が、検出可能な識別子から得られたケージ要素情報を受信することと、ケージ内容情報を受信することと、ケージ要素情報を対応するケージ内容情報と関連付けることと、を含み、これによって関連付けを生成するコンピュータプログラムプロダクトが提供される。ケージ要素情報が、検出器によって検出された識別子からのものであってもよい。ケージ内容情報が、検出可能な識別子、及び／又は手動入力からのものであってもよい。プログラムプロダクトは、ケージ状態情報を受信することと、ケージ状態情報を対応するケージ内容情報及び／又はケージ要素情報と関連付けることと、を更に含んでもよく、これによって関連付けを生成する。ケージ状態情報が、検出可能な識別子、及び／又は手動入力からのものであってもよい。プログラムプロダクトが、ケージ使用者情報を受信することと、ケージ使用者情報を対応するケージ内容情報、対応するケージ要素情報及び／又は対応するケージ状態情報と関連付けることと、を更に含み、これによって関連付けを生成してもよい。ケージ使用者情報が、検出可能な識別子、及び／又は手動入力からのものであってもよい。プログラムプロダクトが、関連付けを報告することを更に含んでもよい。関連付けに、ケージ要素情報と対応するケージ内容情報との間の関連付けが含まれてもよい。関連付けに、ケージ状態情報と、対応するケージ内容情報、及び／又は対応するケージ要素情報との間の関連付けが含まれてもよい。関連付けに、ケージ使用者情報と、対応するケージ内容情報、対応するケージ状態情報、及び／又は対応するケージ要素情報との間の関連付けが含まれてもよい。報告が使用者定義であってもよい。報告が予めプログラムされてもよい。報告が、ケージ指示器、グラフ、在庫報告、安全報告、及び生産性報告で構成されるグループから選択されてもよい。ケージ状態情報が、餌の交換、水の交換、投与される薬剤、敷材の交換、フィルターの交換、使用されるシリンジ、使用されるグローブ、及びこれらの組合せで構成されるグループから選択されてもよい。ケージ状態情報が受信される場合、ケージ状態情報に、タイムスタンプ／日付スタンプが付されてもよい。ケージ使用者情報が、ケージにアクセスした人、ケージにアクセスした時間、ケージにアクセスした日付、ケージにアクセスした目的、及びこれらの組合せで構成されるグループから選択されてもよい。ケージ要素が、ケージ蓋要素、ケージ底部要素、給気要素、排気要素、給水要素、センサ要素、フィルター要素、バッフル要素、給餌要素、及びこれらの組合せで構成されるグループから選択されてもよい。ケージ内容情報が、ケージ内の動物の数、ケージ内の動物の種類、動物識別子、ケージの所有者、動物の年齢、動物の性別、動物の血統、動物の実験手順、ケージ使用者による観察、及びこれらの組合せで構成されるグループから選択されてもよい。検出器が、システムのラック中の棚に接続されてもよい。コンピュータプログラムプロダクトが、フロッピー（登録商標）ディスク、ハードディスク、磁気テープ、ＣＤ−ＲＯＭディスク、ＤＶＤディスク、光磁気ディスク、又はＵＳＢドライブで構成されるグループから選択された、リムーバブルストレージデバイスに保存されてもよい。更に、ある実施形態において、組み込まれたコンピュータ可読プログラムコードを有したコンピュータ使用可能媒体を具備するコンピュータプログラムプロダクトであって、コンピュータ可読プログラムコードが、別個のソフトウェアモジュールであって、げっ歯動物の収容ケージのための部分を関連付けるための方法を実現するために実行されるように構成された別個のソフトウェアモジュールを有し、方法が、受信モジュールによって検出可能な識別子から得られたケージ要素情報を受信することと、受信モジュールによってケージ内容情報を受信することと、ケージ要素情報を対応するケージ内容情報と関連付けることと、を含み、これによって関連付けモジュールにより関連付けを生成するコンピュータプログラムプロダクトが提供される。ケージ要素情報が、検出器によって検出された識別子からものであってもよい。ケージ内容情報は検出可能な識別子、及び／又は手動入力からのものである。プログラムプロダクトは、ケージ状態情報を受信することと、ケージ状態情報を対応するケージ内容情報及び／又はケージ要素情報と関連付けることと、を更に具備し、これによって関連付けを生成する。ケージ状態情報が、検出可能な識別子、及び／又は手動入力からのものであってもよい。プログラムプロダクトは、ケージ使用者情報を受信することと、ケージ使用者情報を対応する前記ケージ内容情報、対応するケージ要素情報及び／又は対応するケージ状態情報と関連付けることと、を更に含んでもよく、これによって関連付けを生成する。ケージ使用者情報が、検出可能な識別子、及び／又は手動入力からのものであってもよい。プログラムプロダクトは、１又は複数のケージ要素情報の、対応するケージ内容情報との関連付けを、報告モジュールによって報告することを更に含んでもよい。関連付けは、ケージ要素情報と、対応するケージ内容情報と、の間の関連付けを含んでもよい。関連付けは、ケージ状態情報と、対応するケージ内容情報及び／又は対応するケージ要素情報と、の間の関連付けを含んでもよい。関連付けが、ケージ使用者情報と、対応するケージ内容情報、対応するケージ状態情報及び／又は対応するケージ要素情報と、の間の関連付けを含んでもよい。報告が使用者定義によるものであってもよい。報告が予めプログラムされてもよい。報告モジュールによる報告が、ケージ指示器、グラフ、在庫報告、安全報告及び生産性報告で構成されるグループから選択されてもよい。ケージ状態情報が、餌の交換、水の交換、投与される薬剤、敷材の交換、フィルターの交換、使用されるシリンジ又は使用されるグローブで構成されるグループから選択されてもよい。ケージ状態情報は、ケージ状態情報が実行されたときにタイムスタンプ／日付スタンプが付与されてもよい。ケージ使用者情報が、ケージにアクセスした人、ケージにアクセスした時間、ケージにアクセスした日付、又はケージにアクセスした目的で構成されるグループから選択されてもよい。ケージ要素が、ケージ蓋要素、ケージ底部要素、給気要素、排気要素、給水要素、センサ要素、フィルター要素、バッフル要素、又は給餌要素で構成されるグループから選択されてもよい。ケージ内容情報が、ケージ内の動物の数及び種類、ケージの所有者、動物の年齢、動物の性別、動物の血統、動物の実験手順、又はケージ使用者による観察で構成されるグループから選択されてもよい。検出器が、システムのラックにおいて棚に接続されてもよい。コンピュータプログラムプロダクトが、フロッピー（登録商標）ディスク、ハードディスク、磁気テープ、ＣＤ−ＲＯＭディスク、ＤＶＤディスク、光磁気ディスク、又はＵＳＢドライブで構成されるグループから選択されたリムーバブルストレージデバイスに保存されてもよい。
【００２３】
更に、ある実施形態において、プログラム可能なプロセッサを有するげっ歯動物収容システムにおいて、ケージ内容情報をケージ要素情報と関連付けるシステムであって、ここに示されたコンピュータプログラムプロダクトを実行するプロセッサを具備するシステムが提供される。ケージ要素情報は、検出器によって検出された識別子からのものであってもよい。ケージ内容情報は、検出可能な識別子、及び／又は手動入力からのものであってもよい。システムは、ケージ状態情報を受信することと、ケージ状態情報を対応するケージ内容情報及び／又はケージ要素情報と関連付けることと、を更に含み、これによって関連付けを生成する。ケージ状態情報が、検出可能な識別子、及び／又は手動入力からのものであってもよい。システムは、ケージ使用者情報を受信することと、ケージ使用者情報を、対応するケージ内容情報、対応するケージ要素情報及び／又は対応するケージ状態情報と関連付けることと、を更に含んでもよく、これによって関連付けを生成する。ケージ使用者情報は、検出可能な識別子及び／又は手動入力からのものであってもよい。システムは、関連付けを報告することを更に含んでもよい。関連付けは、ケージ要素情報と、対応するケージ内容情報と、の間の関連付けを含んでもよい。関連付けは、ケージ状態情報と、対応するケージ内容情報及び／又は対応するケージ要素情報との間の関連付けを有してもよい。関連付けは、ケージ使用者情報と、対応するケージ内容情報、対応するケージ状態情報及び／又は対応するケージ要素情報との間の関連付けを有してもよい。報告が使用者定義によるものであってもよく、いくつかの実施形態において、報告が予めプログラムされてもよい。報告が、ケージ指示器、グラフ、在庫報告、安全報告及び生産性報告で構成されるグループから選択されてもよい。ケージ状態情報が、餌の交換、水の交換、投与される薬剤、敷材の交換、フィルターの交換、使用されるシリンジ、使用されるグローブ及びこれらの組合せで構成されるグループから選択されてもよい。ケージ状態情報は、ケージ状態情報が受信されるときに、タイムスタンプ及び／又は日付スタンプが付されてもよい。ケージ使用者情報が、ケージにアクセスした人、ケージにアクセスした時間、ケージにアクセスした日付、ケージにアクセスした目的、及びこれらの組合せで構成されるグループから選択されてもよい。ケージ要素が、ケージ蓋要素、ケージ底部要素、給気要素、排気要素、給水要素、センサ要素、フィルター要素、バッフル要素、給餌要素及びこれらの組合せで構成されるグループから選択されてもよい。ケージ内容情報が、ケージ内の動物の数、ケージ内の動物の種類、動物識別子、ケージの所有者、動物の年齢、動物の性別、動物の血統、動物の実験手順、ケージ使用者による観察及びこれらの組合せで構成されるグループから選択されてもよい。システムは、ケージ要素情報、ケージ内容情報、ケージ状態情報及び／又はケージ使用者情報と関連付けられた識別子を検出し、ラックと関連付けられた検出器を更に具備してもよい。システムは、コントローラを更に具備し、コントローラがシステムのラックに配置されてもよく、且つ、ラックから離間した位置に配置されてもよい。ラックにおいて１又は複数の指示器を更に具備してもよい。
【００２４】
ここで、げっ歯動物の収容ケージラックであって、第１の側部部材と第２の側部部材との間にそれぞれ配置され接続された複数のケージマウント支持部材を備え、それぞれの支持部材は、支持部材の長さに略延在する第１の支持部材プレナム及び第２の支持部材プレナムを有する１又は複数の壁を具備し、それぞれの支持部材は、支持部材の底面の１又は複数の壁におけるケージ接続開口部の第１の組及びケージ接続開口部の第２の組を具備し、ケージ接続開口部の第１の組のそれぞれの開口部は、第１の支持部材プレナムに接続され、ケージ接続開口部の第２の組のそれぞれの開口部は、第２の支持部材プレナムに接続され、それぞれの支持部材は、第１の支持部材プレナムに接続された支持部材端部開口部の第１の組と、第２の支持部材プレナムに接続された支持部材端部開口部の第２の組と、を具備し、それぞれの端部開口部は、側部部材に接続するそれぞれの支持部材の端部にあり、それぞれの側部部材は、側部部材の長さに略延在する第１の側部部材プレナム及び第２の側部部材プレナムを有する１又は複数の壁を具備し、それぞれの側部部材は、側部部材の１又は複数の壁の側部部材開口部の第１の組及び側部部材開口部の第２の組を具備し、側部部材開口部の第１の組の１又は複数の開口部は、第１の側部部材プレナムに接続され、支持部材端部開口部の第１の組の１又は複数の開口部に有効に接続され、側部部材開口部の第２の組の１又は複数の開口部は、第２の側部部材プレナムに接続され、支持部材端部開口部の第２の組の１又は複数の開口部と有効に接続されるげっ歯動物の収容ケージラックが提供される。第１の支持部材プレナムのそれぞれは第１の側部部材プレナムのそれぞれと有効に接続され、第２の支持部材プレナムのそれぞれは第２の側部部材プレナムのそれぞれと有効に接続されてもよい。支持部材開口部は、支持部材の横方向軸線に亘り規則的に配置されてもよい。げっ歯動物の収容ケージラックは、支持部材内のそれぞれの開口部においてノズルを備えてもよい。
【００２５】
げっ歯動物の収容ケージラックは、それぞれの支持部材の底面において複数のケージマウントを更に備えてもよい。げっ歯動物の収容ケージラックは、側部部材の第１の側部部材プレナムの上部端における開口部と有効に接続された開口部を有する第１の空気結合板と、対向する側部部材の第２の側部部材プレナムの上部端における開口部と有効に接続された開口部を有する第２の空気結合板と、を具備する。
【００２６】
本明細書では、第１の側部部材及び第２の側部部材との間に各々配置され接続され、通信媒体を収容する複数のケージマウント支持部材と、通信媒体を収容する第１の側部部材及び第２の側部部材とを備えるげっ歯動物の収容ケージラックが提供される。場合によっては、支持部材における通信媒体は、側部部材における通信媒体と有効に通信する。
【００２７】
ここで、第１の側部部材と第２の側部部材との間にそれぞれ配置され接続された複数のケージマウント支持部材を具備し、それぞれの支持部材は、１又は複数の通信媒体を収容するように構成された溝を有し、それぞれの支持部材は、該支持部材が側部部材に接続するそれぞれの端部において端部開口部を有し、それぞれの側部部材が、１又は複数の通信媒体を収容するように構成された溝を有するげっ歯動物の収容ケージラックが提供される。場合によっては、溝は、１又は複数の通信媒体を含む。場合によっては、側部部材及び支持部材は、ガスケット中間部材を介して直接及び／又は間接的に（例えば事実上）接続される。
【００２８】
ここで、げっ歯動物の収容ケージラックであって、第１の側部部材と第２の側部部材との間にそれぞれ配置されて接続された複数のケージマウント支持部材を具備し、それぞれの支持部材は、支持部材の長さに略延在する第１の支持部材プレナム及び第２の支持部材プレナムを備える１又は複数の壁を有し、それぞれの支持部材は、支持部材の底面の１又は複数の壁におけるケージ接続開口部の第１の組及びケージ接続開口部の第２の組を有し、ケージ接続開口部の第１の組のそれぞれの開口部は、第１の支持部材プレナムと接続され、ケージ接続開口部の第２の組のそれぞれの開口部は、第２の支持部材プレナムと接続され、それぞれの支持部材は、第１の支持部材プレナムと接続された支持部材端部開口部の第１の組と、第２の支持部材プレナムと接続された支持部材端部開口部の第２の組と、を有し、端部開口部のそれぞれは、側部部材に接続するそれぞれの支持部材の端部にあり、それぞれの側部部材は、側部部材の長さに略延在する第１の側部部材プレナム及び第２の側部部材プレナムを備える１又は複数の壁を有し、それぞれの側部部材は、側部部材の１又は複数の壁における側部部材開口部の第１の組及び側部部材開口部の第２の組を有し、側部部材開口部の第１の組の１又は複数の開口部は、第１の側部部材プレナムと接続され、支持部材端部開口部の第１の組の１又は複数の開口部と有効に接続され、側部部材開口部の第２の組の１又は複数の開口部は、第２の側部部材プレナムと接続され、支持部材端部開口部の第２の組の１又は複数の開口部と有効に接続され、それぞれの支持部材及びそれぞれの側部部材は、通信媒体を受容するように構成された溝を備えるげっ歯動物の収容ケージラックが提供される。場合によっては、溝は、１又は複数の通信媒体を備える。
【００２９】
更に、げっ歯動物の収容ケージラックであって、第１の側部部材と第２の側部部材との間にそれぞれ配置されて接続された複数のケージマウント支持部材を具備し、それぞれの支持部材は、支持部材の長さに略延在する第１の支持部材プレナム及び第２の支持部材プレナムを備える１又は複数の壁を有し、それぞれの支持部材は、支持部材の底面の１又は複数の壁におけるケージ接続開口部の第１の組及びケージ接続開口部の第２の組を有し、ケージ接続開口部の第１の組のそれぞれの開口部は、第１の支持部材プレナムと接続され、ケージ接続開口部の第２の組のそれぞれの開口部は、第２の支持部材プレナムと接続され、それぞれの支持部材は、第１の支持部材プレナムと接続する支持部材端部開口部の第１の組と、第２の支持部材プレナムと接続された支持部材端部開口部の第２の組と、を有し、端部開口部のそれぞれは、側部部材に接続するそれぞれの支持部材の端部にあり、それぞれの側部部材は、側部部材の長さに略延在する第１の側部部材プレナム及び第２の側部部材プレナムを備える１又は複数の壁を有し、それぞれの側部部材は、側部部材の又は複数の壁において側部部材開口部の第１の組及び側部部材開口部の第２の組を有し、側部部材開口部の第１の組の１又は複数の開口部は、第１の側部部材プレナムと接続され、支持部材端部開口部の第１の組の１又は複数の開口部と有効に接続され、側部部材開口部の第２の組の１又は複数の開口部は、第２の側部部材プレナムと接続され、支持部材端部開口部の第２の組の１又は複数の開口部と有効に接続され、それぞれの支持部材及びそれぞれの側部部材は、通信媒体を有するげっ歯動物の収容ケージラックが提供される。場合によっては、１又は複数の通信媒体は、それぞれの支持部材及びそれぞれの側部部材における溝に収容される。場合によっては、それぞれの支持部材における溝は、第１の支持部材プレナムと第２の支持部材プレナムとの間に配置される。場合によっては、それぞれの側部部材における溝は、第１の側部部材プレナムと第２の側部部材プレナムとの間に配置される。場合によっては、側部部材における通信媒体は、支持部材における通信媒体と有効に接続される。
【００３０】
場合によっては、ラックは、それぞれの支持部材の底面において複数のケージマウントを備える。場合によっては、各ケージマウントは、通信媒体を収容するように構成された溝を有する。
【００３１】
場合によっては、支持部材内の１以上の通信媒体は、ケージマウント内の通信媒体と通信する。
【００３２】
更に、げっ歯動物の収容ケージラックであって、第１の側部部材と第２の側部部材との間にそれぞれ配置されて接続された複数のケージマウント支持部材を具備し、それぞれの支持部材は、支持部材の長さに略延在する第１の支持部材プレナム及び第２の支持部材プレナムを備える１又は複数の壁を有し、それぞれの支持部材は、支持部材の底面の１又は複数の壁におけるケージ接続開口部の第１の組及びケージ接続開口部の第２の組を有し、ケージ接続開口部の第１の組のそれぞれの開口部は、第１の支持部材プレナムと接続され、ケージ接続開口部の第２の組のそれぞれの開口部は、第２の支持部材プレナムと接続され、それぞれの支持部材は、第１の支持部材プレナムと接続された支持部材端部開口部の第１の組と、第２の支持部材プレナムと接続された支持部材端部開口部の第２の組と、を有し、それぞれの端部開口部は、側部部材と接続するそれぞれの支持部材の端部にあり、それぞれの側部部材は、側部部材の長さに略延在する第１の側部部材プレナム及び第２の側部部材プレナムを備える１又は複数の壁を有し、それぞれの側部部材は、側部部材の１又は複数の壁における側部部材開口部の第１の組及び側部部材開口部の第２の組を有し、側部部材開口部の第１の組の１又は複数の開口部は、第１の側部部材プレナムと接続され、支持部材端部開口部の第１の組の１又は複数の開口部と有効に接続され、側部部材開口部の第２の組の１又は複数の開口部は、第２の側部部材プレナムと接続され、支持部材端部開口部の第２の組の１又は複数の開口部と有効に接続され、ラックは、正の空気圧が側部部材の第１の側部部材プレナムへと供給されたときに、空気を、側部部材の第１の側部部材プレナムから側部部材の側部部材開口部の第１の組へと案内し、支持部材端部開口部の組へと案内し、第１の支持部材プレナムへと案内し、且つ、ケージ接続開口部の第１の組を通して案内するように構成されたげっ歯動物の収容ケージラックが提供される。
【００３３】
更に、第１の側部部材と第２の側部部材との間にそれぞれ配置されて接続された複数のケージマウント支持部材を具備し、それぞれの支持部材は、支持部材の長さに略延在する第１の支持部材プレナム及び第２の支持部材プレナムを備える１又は複数の壁を有し、それぞれの支持部材は、支持部材の底面の１又は複数の壁においてケージ接続開口部の第１の組及びケージ接続開口部の第２の組を有し、ケージ接続開口部の第１の組のそれぞれの開口部は、第１の支持部材プレナムと接続され、ケージ接続開口部の第２の組のそれぞれの開口部は、第２の支持部材プレナムと接続され、それぞれの支持部材は、第１の支持部材プレナムと接続された支持部材端部開口部の第１の組と、第２の支持部材プレナムと接続された支持部材端部開口部の第２の組と、を有し、それぞれの端部開口部は、側部部材と接続するそれぞれの支持部材の端部にあり、それぞれの側部部材は、側部部材の長さに略延在する第１の側部部材プレナム及び第２の側部部材プレナムを備える１又は複数の壁を有し、それぞれの側部部材は、側部部材の１又は複数の壁における側部部材開口部の第１の組及び側部部材開口部の第２の組を有し、側部部材開口部の第１の組の１又は複数の開口部は、第１の側部部材プレナムと接続され、支持部材端部開口部の第１の組の１又は複数の開口部と有効に接続され、側部部材開口部の第２の組の１又は複数の開口部は、第２の側部部材プレナムと接続され、支持部材端部開口部の第２の組の１又は複数の開口部と有効に接続され、ラックは、負の空気圧が側部部材の第２の側部部材プレナムへと供給されたときに、空気を、ケージ接続開口部の第２の組を通して案内し、第２の支持部材プレナムへと案内し、支持部材端部開口部の第２の組へと案内し、側部部材の側部部材開口部の第２の組へと案内し、側部部材の第２の側部部材プレナムへと案内するように構成されたげっ歯動物の収容ケージラックが提供される。
【００３４】
更に、げっ歯動物の収容ケージラックであって、第１の側部部材と第２の側部部材との間にそれぞれ配置されて接続された複数のケージマウント支持部材を具備し、それぞれの支持部材は、支持部材の長さに略延在する第１の支持部材プレナム及び第２の支持部材プレナムを備える１又は複数の壁を有し、それぞれの支持部材は、支持部材の底面の１又は複数の壁においてケージ接続開口部の第１の組及びケージ接続開口部の第２の組を有し、ケージ接続開口部の第１の組のそれぞれの開口部は、第１の支持部材プレナムと接続され、ケージ接続開口部の第２の組のそれぞれの開口部は、第２の支持部材プレナムと接続され、それぞれの支持部材は、第１の支持部材プレナムと接続された支持部材端部開口部の第１の組と、第２の支持部材プレナムと接続された支持部材端部開口部の第２の組と、を有し、それぞれの端部開口部は、側部部材と接続するそれぞれの支持部材の端部にあり、それぞれの側部部材は、側部部材の長さに略延在する第１の側部部材プレナム及び第２の側部部材プレナムを備える１又は複数の壁を有し、それぞれの側部部材は、側部部材の１又は複数の壁における側部部材開口部の第１の組及び側部部材開口部の第２の組を有し、側部部材開口部の第１の組の１又は複数の開口部は、第１の側部部材プレナムと接続され、支持部材端部開口部の第１の組の１又は複数の開口部と有効に接続され、側部部材開口部の第２の組の１又は複数の開口部は、第２の側部部材プレナムと接続され、支持部材端部開口部の第２の組の１又は複数の開口部と有効に接続され、ラックは、正の空気圧が側部部材の第１の側部部材プレナムへと供給されたときに、空気を、側部部材の第１の側部部材プレナムから側部部材の側部部材開口部の第１の組へと案内し、支持部材端部開口部の第１の組へと案内し、第１の支持部材プレナムへと案内し且つケージ接続開口部の第１の組を通して案内するように構成され、且つ、ラックは、負の空気圧が側部部材の第２の側部部材プレナムへと供給されたときに、空気を、ケージ接続開口部の第２の組を通して案内し、第２の支持部材プレナムへと案内し、支持部材端部開口部の第２の組へと案内し、側部部材の側部部材開口部の第２の組へと案内し、側部部材の第２の側部部材プレナムへと案内するように構成されたげっ歯動物の収容ケージラックが提供される。場合によっては、側部部材及び支持部材は、ガスケット中間部材を介して直接及び／又は間接的に（例えば有効に）接続される。場合によっては、送風機は、ラックと有効に接続され、正の空気圧を提供する。場合によっては、場合によっては、送風機は、ラックと有効に接続され、負の空気圧を提供する。場合によっては、送風器は、側部部材、第２の側部部材又は第１の側部部材及び第２の側部部材の上部における開口部と有効に接続される。場合によっては、第１の支持部材プレナムに亘る空気圧は、５％未満で変化する。場合によっては、ラックが、ケージ接続開口部と有効に接続されたノズルをそれぞれ有するケージ突起接続部組立体を具備し、空気圧が、ケージ突起接続部組立体において測定される。場合によっては、１又は複数のケージを備える。場合によっては、空気が、ケージ接続開口部の第１の組の開口部を通してそれぞれのケージに効率よく入り、ケージ接続開口部の第２の組の開口部を通してケージを効率よく出る。場合によっては、１又は複数のケージが、ケージ接続開口部の第１の組及びケージ接続開口部の第２の組と有効に接続されたケージ突起接続部組立体と係合される。場合によっては、第１の支持部材プレナム及び第２の支持部材プレナムにおける空気の流れが、１又は複数のケージの底部に亘る空気の流れを横断する。
【００３５】
更に、独立したモジュールを具備するモジュール送風器システムであって、モジュールが、吸気ユニット又は排気ユニットと、ファンユニットと、フィルターユニットとを有し、連続して積層されたモジュール送風器システムが提供される。場合によっては、モジュールは、鉛直に積層される。場合によっては、モジュールは、水平に積層される。場合によっては、吸気ユニットは、プレフィルター及びバッフルを備える。場合によっては、積層されたユニットの縁部は、連続している。
【００３６】
場合によっては、ユニットの側壁は、接触している。場合によっては、送風器は、排気ユニットを備える。場合によっては、排気ユニットは、側壁に取り付けられた排気口構造を備える。場合によっては、排気口構造は、排気ユニットの側壁に対して垂直である。
【００３７】
場合によっては、吸気部は、ファンユニットに接続され、ファンユニットは、フィルターユニットに接続される。場合によっては、フィルターユニットは、ＨＥＰＡフィルターを備える。場合によっては、排気ユニットがファンユニットに接続され、ファンユニットがフィルターユニットに接続される。場合によっては、フィルターユニットは、ＨＥＰＡフィルターを備える。場合によっては、フィルターユニットは、ＨＥＰＡフィルターの上流にプレフィルターを備える。場合によっては、モジュール送風器は、底部を更に備える。場合によっては、モジュール送風器は、げっ歯動物の収容ケージラックに取り付けられる。
【００３８】
更に、独立したモジュールを具備するモジュール送風器システムであって、モジュールが、ファンユニットと、フィルターユニットと、を有し、且つ連続して積層されたモジュール送風器システムが提供される。場合によっては、モジュールは、鉛直に積層される。場合によっては、モジュールは、水平に積層される。場合によっては、独立したモジュールを備えるモジュール送風器システムは、振動減衰要素（例えば、ガスケット）を利用したラックシステムに有効に接続される。
【００３９】
更に、げっ歯動物の収容ラックに取り付けられたモジュール送風器システムに取り付けられた送風器制御盤であって、電力のための１又は複数のコネクター又はレシーバー、及び／又は、１又は複数の通信媒体と、ラックに取り付けられた回路基板との機能的結合のためのコネクターと、ラックに取り付けられたケージ及び送風器のための識別子と、を具備する送風器制御盤を提供する。時として、識別子は、ラックにおけるケージのケージ構成のためのものであり、時として、識別子は、モジュール送風器システムによって生じられた差圧を監視するためのものであり、時として、識別子は、ラックに取り付けられたモジュール送風器システムにおける動作不能の要素を識別するためのものである。時として、レシーバーは、１以上の通信媒体のためのものであり、コネクターは、制御ユニットのためのものであり、レシーバーは、電力のためのものである。
【００４０】
更に、電力のためのコネクター又はレシーバーを有するげっ歯動物の収容ラックに取り付けられたラックに取り付けられた回路基板ハブと、ラックに取り付けられたケージのための１又は複数の通信媒体及び識別子と、が提供される。時として、識別子は、ラックにおけるケージのケージ構成のためのものであり、レシーバーは、１又は複数の通信媒体のためのものであり、コネクターは、制御ユニットのためのものであって、レシーバーは、電力のためのものである。
【００４１】
また、電力のための１以上のコネクター又はレシーバー及び／又は１以上の無線通信媒体（例えばＷｉ−ｆｉインタフェース）を含む通信媒体と、（ｉ）ラックに取り付けられたケージ、（ｉｉ）ラックに取り付けられた送風器、及び（ｉｉｉ）ラックにおける空気圧のための識別子とを備える、げっ歯動物の収容ラックに取り付けられたラックコントローラを提供する。時として、ラックにおける圧を、（ｉ）及び（ｉｉ）からのデータを含む計算によって決定する。時として、識別子は、ラックにおけるケージのケージ構成のためのものであり、時として、識別子は、モジュール送風器システムによって生じられた差圧を監視するためのものであり、時として、識別子は、ラックに取り付けられたモジュール送風器システムにおける動作不能の要素を識別するためのものである。時として、レシーバーは、１以上の通信媒体のためのものであり、コネクターは、制御ユニット（例えば、回路基板及び／又は制御盤）のためのものであり、レシーバーは、電力のためのものである。
【００４２】
また、ケージ接続開口部の第１の組のそれぞれ及びケージ接続開口部の第２の組のそれぞれが、ケージ突起部接続組立体と有効に接続されるげっ歯動物の収容ケージラックが提供される。場合によっては、ケージ突起部接続組立体は、本体と本体内の開口部とを備える突起部接続部を備える。場合によっては、ケージ突起部接続組立体は、本体の第１の側部において１又は複数のファスナーを備える。場合によっては、ケージ突起接続部組立体は、本体の第２の側部における開口部の一部の周囲に配置された突起表面を備える。場合によっては、１又は複数のファスナーは、開口部の周囲に配置された２以上のファスナーである。場合によっては、突起面は、ケージ突起部の一部に接するように構成される。突起表面は、レールガイド内にケージを配置するように構成される。場合によっては、本体の第１の側部から延在するピンを備える。
【００４３】
場合によっては、ケージ突起部接続部組立体は、突起接続部の本体とシール接続された突起接続部ガスケットを備える。場合によっては、突起接続部ガスケットは、突起接続部内の開口部と同心の突起接続部ガスケット開口部と、突起接続部ガスケットの第１の表面上の突起接続部ガスケット開口部の周囲の環状フランジと、突起接続部ガスケットの第２の表面上の１又は複数の溝と、突起接続部の１又は複数のファスナーを受容するように構成された１又は複数の溝と、を備える。場合によっては、突起接続部ガスケットは、ピンを受容するように構成された孔を備える。場合によっては、環状フランジは、ケージ突起部の表面とシールして係合するように構成された表面を備える。場合によっては、ケージ突起部は、ケージ蓋から延在する。
【００４４】
場合によっては、ケージ突起部接続組立体は、突起接続部ガスケットとシール接続されたノズルを備える。ノズルは概して、１又は複数の開口部（例えば、場合によっては２以上の開口部）を備える。場合によっては、ノズルは、突起部接続部ガスケット内の開口部と同心のノズル開口部と、ある実施形態において突起接続部ガスケットの１又は複数の溝内に静止するように構成された１又は複数のタブと、を備える。場合によっては、ノズルは、突起接続部本体の第１の側部に対向するノズルの第１の側部のノズル開口部の周りに配置された環状フランジを備える。場合によっては、ノズルは、２以上のノズル開口部を備え、ある実施形態において、ノズルは、開口部外周の一部又は全部を概して画成する円筒状突起を備える。いくつかの実施形態において、ノズルは、ノズル表面から突出するリブ、又は、開口部近傍の円筒状突起部を備える。ある実施形態において、リブは、半円形状を有し、場合によっては、リブの縁部は、開口部外周の一部と同等に延在し、場合によっては、リブは、開口部外周の一部と外接する。場合によっては、ノズルは、ノズル開口部内に配置されたブッシングを備える。
【００４５】
場合によっては、ケージ突起接続部組立体は、ノズルとシール接続されたノズルガスケットを備える。場合によっては、ノズルガスケットは、ピンを受容するように構成された孔を備える。場合によっては、ケージ突起部接続組立体は、ケージ接続開口部の各々と有効に接続された支持部材の壁の表面に接続される。場合によっては、ケージ突起接続部本体の第１の側部における１又は複数のファスナーは、支持部材の壁上又は壁内のファスナーに固定される。
【００４６】
特定の実施態様は、次に示す説明、実施例、特許請求の範囲、及び図面で更に説明される。
【００４７】
図面は、本発明の実施態様を示し、限定されない。実例の明確性及び容易性のために、図面は拡大縮小されず、一部の事例において、種々の態様は、特定の実施態様についての理解を容易にするために、誇張又は拡大して示す場合がある。
【図面の簡単な説明】
【００４８】
【図１】ケージ蓋の上面図である。
【図２】ケージ底部の上面図である。
【図３】ケージ底部の上にあるケージ蓋の上面図である。
【図４Ａ】読み取り器を有するラックに挿入されているケージの上面図である。
【図４Ｂ】読み取り器を有するラックに挿入されているケージの斜視図である。
【図４Ｃ】読み取り器を有するラックに挿入されているケージの正面図である。
【図４Ｄ】読み取り器を有するラックに挿入されているケージの側面図である。
【図５Ａ】種々の状態を表す種々のＬＥＤ照明を備えるケージラックに挿入されたケージの読み取り器の詳細な挿入を含む正面図である。
【図５Ｂ】種々の状態を表す種々のＬＥＤ照明を備えるケージラックに挿入されたケージの読み取り器の詳細な挿入を含む正面図である。
【図５Ｃ】種々の状態を表す種々のＬＥＤ照明を備えるケージラックに挿入されたケージの読み取り器の詳細な挿入を含む正面図である。
【図６Ａ】ラック組立体の棚に取り付けられた、２つの隣接する読み取り器の斜視図である。
【図６Ｂ】ラック組立体の棚に取り付けられた、２つの隣接する読み取り器の斜視図である。
【図６Ｃ】ラック組立体の棚に取り付けられた、２つの隣接する読み取り器の斜視図である。
【図７】ケージカードを備えたケージの正面図である。
【図８】モジュール方式ラックシステムによる使用に適した、ケージ組立体の実施態様の斜視図である。
【図９】ラックシステムの実施態様の斜視図である。
【図１０】操作的ラックシステムのためのアーキテクチャシステムの実施態様である。
【図１１】ケージカード情報を示す、コントローラの実施態様の概略的な画面である。
【図１２】ケージ探知器のクエリ機能を示す、コントローラの実施態様の概略的な画面である。
【図１３】ケージ交換スケジュールを示す、コントローラの実施態様の概略的な画面である。
【図１４】選択肢の選択を示す、コントローラの実施態様の概略的な画面である。
【図１５】棒グラフフォーマットでの餌の在庫を示す、コントローラの実施態様の概略的な画面である。
【図１６】ケージ要素の関連付けを示す、コントローラの実施態様の概略的な画面である。
【図１７】在庫の概要を示す、コントローラの実施態様の概略的な画面である。
【図１８】リスト形式での気流データを示す、コントローラの実施態様の概略的な画面である。
【図１９】データの関連付けのための操作手順の実施態様である。
【図２０】使用者の基準に基づいて、特定のケージを探知するための操作手順の実施態様である。
【図２１】図６Ａから６Ｃの棚組立体の底面図である。
【図２２Ａ】読み取り器を有するラックの実施態様に挿入されているケージの上面図を示す。
【図２２Ｂ】読み取り器を有するラックの実施態様に挿入されているケージの斜視図を示す。
【図２２Ｃ】読み取り器を有するラックの実施態様に挿入されているケージの正面図を示す。
【図２２Ｄ】読み取り器を有するラックの実施態様に挿入されているケージの側面図を示す。
【図２３Ａ】種々の状態を表す種々のＬＥＤ照明を備えるラックの実施態様に挿入されたケージの、読み取り器の詳細な挿入を含む、正面図を示す。
【図２３Ｂ】種々の状態を表す種々のＬＥＤ照明を備えるラックの実施態様に挿入されたケージの、読み取り器の詳細な挿入を含む、正面図を示す。
【図２３Ｃ】種々の状態を表す種々のＬＥＤ照明を備えるラックの実施態様に挿入されたケージの、読み取り器の詳細な挿入を含む、正面図を示す。
【図２４】モジュール送風器システム付属物がなく、かつ、挿入ケージがない、ダブルユニットラックの実施態様の斜視図を示す。
【図２５】モジュール送風器システム付属物がなく、かつ、挿入ケージがない、シングルユニットラックの実施態様の斜視図を示す。
【図２６】モジュール送風器システム付属物、及び挿入ケージを備える、ダブルユニットラックの実施態様の斜視図を示す。
【図２７】モジュール送風器システム付属物、及び挿入ケージを備える、シングルユニットラックの実施態様の斜視図を示す。
【図２８】モジュール送風器システム付属物を備え、挿入ケージがない、ダブルユニットラックの実施態様の斜視図を示す。
【図２９】モジュール送風器付属物、及び挿入ケージを備える、ラックの実施態様の正面図を示す。
【図３０】モジュール送風器付属物を備え、挿入ケージがない、ラックの実施態様の正面図を示す。
【図３１】支持部材の実施態様の底面図を示す。更に、第１及び第２のケージ接続開口部の組と、支持部材の通信媒体路（ｃｏｍｍｕｎｉｃａｔｉｏｎ  ｍｅｄｉｕｍ  ｃｈａｎｎｅｌ）も示す。
【図３２】支持部材の実施態様の断面又は側面を示す。
【図３３】側部部材の実施態様の上面図を示す。
【図３４】側部部材の実施態様の内面の正面図を示す。支持部材プレナム及び支持部材の通信媒体路と有効に接続した、側部部材の開口部及び側部部材の通信開口部が示される。
【図３５】トロリシステムの種々の要素、及び、ガイドレール組立体とケージ突起部接続組立体とを有する支持部材の底面を示す、ラックの実施態様の底面図である。更に、支持部材の通信媒体溝も示す。
【図３６】本明細書に説明する一部のケージラックの実施態様に収容される通信媒体の配線図の実施態様の概略図である。
【図３７】本明細書に説明するダブルユニットケージラックの実施態様のための電力システム及び配線の実施態様の概略図である。電源から排気送風器、及び排気送風器から給気送風器につながる配線を示す。
【図３８】支持部材及び側部部材と有効に接続した、給気送風器の実施態様の部分断面斜視図斜視図である。給気送風器は、ラックに取り付けられたエアコネクター板を介して、支持部材及び側部部材と有効に接続される。ラックの実施態様を通して空気を分散させる、支持部材プレナム、及び側部部材プレナムを示す。
【図３９】排気送風器の実施態様の斜視図である。
【図４０】給気送風器の吸気ユニットの実施態様の上面図及び斜視図を示す。
【図４１】排気送風器の排気ユニットの実施態様の上面図及び斜視図を示す。
【図４２】ファンユニットの上面図及び斜視図を示し、本明細書に説明するモジュール方式給気送風器又はモジュール方式排気送風器の実施態様に使用され得る。
【図４３】フィルターユニットの上面図を示し、そのフィルターユニットは、本明細書に説明するモジュール方式給気送風器又はモジュール方式排気送風器の実施態様に使用され得る。図４３と図４４との間の相違は、図に示すように、排気口チャネル（ａｉｒ  ｏｕｔｌｅｔ  ｃｈａｎｎｅｌ）の方向である。
【図４４】フィルターユニットの斜視図を示し、本明細書に説明するモジュール方式給気送風器又はモジュール方式排気送風器の実施態様に使用され得る。
【図４５】送風器底部ユニット（ｂｌｏｗｅｒ  ｂａｓｅ  ｕｎｉｔ）の実施態様の上面図を示し、本明細書に説明するモジュール方式給気送風器又はモジュール方式排気送風器の実施態様に使用され得る。送風器底部ユニットに取り付けられた送風器制御盤を示す。図４５と図４６との間の相違は、図に示すように、排気口チャネルの方向と送風器制御盤の配置である。
【図４６】送風器底部ユニット（ｂｌｏｗｅｒ  ｂａｓｅ  ｕｎｉｔ）の実施態様の斜視図を示し、本明細書に説明するモジュール方式給気送風器又はモジュール方式排気送風器の実施態様に使用され得る。送風器底部ユニットに取り付けられた送風器制御盤を示す。
【図４７】ラックに取り付けられた回路基板ハブの実施態様の上面図及び斜視図を示す。
【図４８】エアコネクター板の実施態様の上面図及び斜視図を示し、モジュール方式給気送風器又はモジュール方式排気送風器の実施態様を、本明細書に説明するケージラックの実施態様に接続することができる。図４８と図４９との間の相違は、図に示すように、排気口チャネルの方向である。
【図４９】エアコネクター板の実施態様の斜視図を示し、モジュール方式給気送風器又はモジュール方式排気送風器の実施態様を、本明細書に説明するケージラックの実施態様に接続することができる。図４８と図４９との間の相違は、図に示すように、排気口チャネルの方向である。
【図５０】支持部材及び側部部材と有効に接続した、エアコネクター板の実施態様の上面図及び底面斜視図を示す。また、本明細書に説明する回路基板の実施態様も図５０に示す。
【図５１】支持部材及び側部部材と有効に接続した、エアコネクター板の実施態様の上面斜視図を示す。また、本明細書に説明する回路基板の実施態様も図５１に示す。
【図５２Ａ】ケージ突起接続部組立体の実施態様の斜視図を示す。単一の開口部ケージ突起部接続組立体の実施態様を示す。
【図５２Ｂ】ケージ突起接続部組立体の実施態様の斜視図を示す。二重の開口部ケージ突起接続部組立体の実施態様を示す。
【図５３Ａ】ケージ突起接続部組立体の実施態様の分解斜視図を示す。単一の開口部ケージ突起接続部組立体の実施態様の分解図を示す。
【図５３Ｂ】ケージ突起接続部組立体の実施態様の分解斜視図を示す。二重の開口部ケージ突起接続部組立体の実施態様の分解図を示す。
【図５４Ａ】ケージ突起接続部組立体の実施態様と有効に接続された、ケージの実施態様の概略的斜視図を示す。ケージ突起部と有効に接続された、単一の開口部ケージ突起接続部組立体の実施態様を示す。
【図５４Ｂ】ケージ突起接続部組立体の実施態様と有効に接続された、ケージの実施態様の概略的斜視図を示す。ケージ突起部と有効に接続された、二重の開口部ケージ突起接続部組立体の実施態様を示す。
【図５５Ａ】単一の開口部ケージ突起接続部組立体の実施態様と有効に接続した、ケージ突起部を有する、ケージの実施態様の、詳細な拡大図を含む、正面図を示す。
【図５５Ｂ】単一の開口部ケージ突起接続部組立体の実施態様と有効に接続した、ケージ突起部を有する、ケージの実施態様の、詳細な拡大図を含む、側面図を示す。
【図５５Ｃ】単一の開口部ケージ突起接続部組立体の実施態様と有効に接続した、ケージ突起部を有する、ケージの実施態様の、詳細な拡大図を含む、背面図、を示す。
【図５５Ｄ】単一の開口部ケージ突起接続部組立体の実施態様と有効に接続した、ケージ突起部を有する、ケージの実施態様の、詳細な拡大図を含む、側面図を示す。
【図５Ｅ】二重の開口部ケージ突起接続部組立体の実施態様と有効に接続した、ケージ突起部を有する、ケージの実施態様の、詳細な拡大図を含む、正面図を示す。ケージ突起部接続組立体は断面図として示す。
【図５Ｆ】二重の開口部ケージ突起接続部組立体の実施態様と有効に接続した、ケージ突起部を有する、ケージの実施態様の、詳細な拡大図を含む、側面図を示す。ケージ突起接続部組立体は断面図として示す。
【図５Ｇ】二重の開口部ケージ突起接続部組立体の実施態様と有効に接続した、ケージ突起部を有する、ケージの実施態様の、詳細な拡大図を含む、背面図を示す。ケージ突起接続部組立体は断面図として示す。
【図５Ｈ】二重の開口部ケージ突起接続部組立体の実施態様と有効に接続した、ケージ突起部を有する、ケージの実施態様の、詳細な拡大図を含む、側面図を示す。ケージ突起接続部組立体は断面図として示す。
【図５６】ケージ取り付けフロントモジュールを含むケージ設置組立体と有効に接続した、支持部材の外形図又は部分側面図を示す。
【図５７】ケージ取り付けフロントモジュールプラグの実施態様を含むケージ設置組立体の実施態様と有効に接続した、支持部材の実施態様の部分断面斜視図を示す。プレナム上面の一部を除去して、支持部材の実施態様に備えられた通信媒体溝を視覚化した。
【図５８】２つのケージ設置組立体の実施態様の間で保持された、支持部材の実施態様と有効に接続した、ケージの実施態様の部分断面斜視図を示す。
【図５９】２つのケージ設置組立体の実施態様の間で保持された、支持部材の実施態様と有効に接続した、ケージの実施態様の正面図を示す。図５９に示す図は、本明細書に説明するラックの実施態様の単一のケージスロットに搭載された単一のケージのみを示す。
【図６０Ａ】支持部材の実施態様へのケージの取付けのための２つの隣接する位置の概略的斜視図を示す。また、ケージ取り付けガイド組立体、及び、状態報告のためのＬＥＤを有する、ケージ取り付けフロントモジュール読み取り器も概略的に示す。ケージ取り付けフロントモジュールレセプタクルに挿入されている、ケージ取り付けフロントモジュール読み取り器を示す。
【図６０Ｂ】支持部材の実施態様へのケージの取付けのための２つの隣接する位置の概略的斜視図を示す。また、ケージ取り付けガイド組立体、及び、状態報告のためのＬＥＤを有する、ケージ取り付けフロントモジュール読み取り器も概略的に示す。ケージ取り付けフロントモジュールレセプタクルに挿入されている、ケージ取り付けフロントモジュール読み取り器を示す。
【図６０Ｃ】支持部材の実施態様へのケージの取付けのための２つの隣接する位置の概略的斜視図を示す。また、ケージ取り付けガイド組立体、及び、状態報告のためのＬＥＤを有する、ケージ取り付けフロントモジュール読み取り器も概略的に示す。ケージ取り付けフロントモジュールレセプタクルに挿入されている、ケージ取り付けフロントモジュール読み取り器を示す。
【図６１Ａ】ケージ設置組立体と、ケージ突起部接続組立体とを含む、支持部材の実施態様における、単一のケージ位置を表す底面図である。単一の開口部ケージ突起部接続組立体の実施態様を示す。
【図６１Ｂ】ケージ設置組立体と、ケージ突起部接続組立体とを含む、支持部材の実施態様における、単一のケージ位置を表す底面図である。二重の開口部ケージ突起部接続組立体の実施態様を示す。
【図６２】ケージ取り付けフロントモジュール読み取り器の斜視図を示す。
【図６３】ケージ取り付けフロントモジュールプラグの斜視図を示す。
【図６４Ａ】本明細書に説明するノズルの実施態様の非限定的な底面斜視図を示す。中心に配置された単一の開口部ノズルを示す。本明細書に説明するように、ノズル開口部は、本明細書に説明するケージラックの実施態様全体にわたる空気分布に好都合で適切な位置に配置することができる。
【図６４Ｂ】本明細書に説明するノズルの実施態様の非限定的な底面斜視図を示す。中心点から等距離で配置された開口部を有する、二重の開口部ノズルを示す。本明細書に説明するように、ノズル開口部は、本明細書に説明するケージラックの実施態様全体にわたる空気分布に好都合で適切な位置に配置することができる。
【図６５】２つのケージ識別子を有するケージ蓋の上面図である。
【図６６】２つのケージ識別子を有するケージ底部の上面図である。
【図６７】２つのケージ識別子を有するケージ底部の上にあるケージ蓋の上面図である。
【図６８Ａ】２つのケージ識別子を有するケージの、上面図を示し、該ケージは、実質的に密閉された透光性カバーを有した読み取り器を有するラックの実施態様に挿入されている。
【図６８Ｂ】２つのケージ識別子を有するケージの、斜視図を示し、該ケージは、実質的に密閉された透光性カバーを有した読み取り器を有するラックの実施態様に挿入されている。
【図６８Ｃ】２つのケージ識別子を有するケージの、正面図を示し、該ケージは、実質的に密閉された透光性カバーを有した読み取り器を有するラックの実施態様に挿入されている。
【図６８Ｄ】２つのケージ識別子を有するケージの、側面図を示し、該ケージは、実質的に密閉された透光性カバーを有した読み取り器を有するラックの実施態様に挿入されている。
【図６９Ａ】読み取り器の詳細な挿入を含む、ラックの実施態様に挿入されたケージの正面図を示し、各読み取り器は、実質的に密閉された透光性カバーと、種々の状態を表す種々のＬＥＤ照明とを有する。
【図６９Ｂ】読み取り器の詳細な挿入を含む、ラックの実施態様に挿入されたケージの正面図を示し、各読み取り器は、実質的に密閉された透光性カバーと、種々の状態を表す種々のＬＥＤ照明とを有する。
【図６９Ｃ】読み取り器の詳細な挿入を含む、ラックの実施態様に挿入されたケージの正面図を示し、各読み取り器は、実質的に密閉された透光性カバーと、種々の状態を表す種々のＬＥＤ照明とを有する。
【図７０】モジュール送風器システム付属物がなく、かつ、挿入ケージがない、ダブルユニットラックの実施態様の斜視図を示す。図７０に示すラックの実施態様は、別の送風器取付け板を示す。
【図７１】モジュール送風器システム付属物がなく、かつ、挿入ケージがない、シングルユニットラックの実施態様の斜視図を示す。図７１に示すラックの実施態様は、別の送風器取付け板を示す。
【図７２】支持部材の実施態様の断面図又は側面図を示す。
【図７３】トロリシステムの種々の要素、及び、ガイドレール組立体とケージ突起部接続組立体とを有する支持部材の底面を示す、ラックの実施態様の底面図である。また、支持部材の通信媒体溝も図３５に示す。図７３と図３５に示す実施態様の間の相違には、ガイドレール組立体及びケージ突起部接続組立体の形態が含まれる。
【図７４】排気送風器の実施態様の斜視図である。図７４と図３９に示す実施態様の間の相違には、送風器の底部の形態が含まれる。図７４に示す送風器は、参照符号７２２として図３９中にある、接続ボス又は周り止めを欠く。
【図７５】送風器底部ユニットの実施態様の上面図及び斜視図を示し、該底部ユニットは、本明細書に説明するモジュール方式給気送風器又はモジュール方式排気送風器の実施態様に使用することができる。送風器底部ユニットに取り付けられた送風器制御盤を示す。図７５と図７６との間の相違には、排気口チャネルの方向と送風器制御盤の配置が含まれる。図７５、図７６と図４５、図４６に示す実施態様の間の相違には、送風器の底部の形態が含まれる。図７５、図７６に示す送風器の底部は、参照符号６２２／７２２として図４５、図４６中にある、接続ボス又は周り止めを欠く。
【図７６】送風器底部ユニットの実施態様の上面図及び斜視図を示し、該底部ユニットは、本明細書に説明するモジュール方式給気送風器又はモジュール方式排気送風器の実施態様に使用することができる。送風器底部ユニットに取り付けられた送風器制御盤を示す。図７５と図７６との間の相違には、排気口チャネルの方向と送風器制御盤の配置が含まれる。図７５、図７６と図４５、図４６に示す実施態様の間の相違には、送風器の底部の形態が含まれる。図７５、図７６に示す送風器の底部は、参照符号６２２／７２２として図４５、図４６中にある、接続ボス又は周り止めを欠く。
【図７７】別のラックに取り付けられた回路基板ハブの実施態様の上面図及び斜視図を示す。図７７と図４７とに示す実施態様の間の相違は、図７７に示すラックに取り付けられた回路基板ハブ９００’が、図４７に示す回路基板９００に含まれる、ｅＳＡＴＡポート９１２とドイチェ・レセプタクル９０６とを欠くことにある。
【図７８】エアコネクター板の実施態様の上面図及び斜視図を示し、そのエアコネクター板は、モジュール方式給気送風器又はモジュール方式排気送風器の実施態様を、本明細書に説明するケージラックの実施態様に接続するために用いられることができる。図７８と図７９に示す実施態様の間の相違には、排気口チャネルの方向が含まれる。図７８、図７９と図４８、図４９に示す実施態様の間の相違には、エアコネクター板嵌合ピン及び送風器支持突起部の形態が含まれる。図７８及び図７９は、図４８及び図４９に示す送風器支持突起部５９０を有さず、別のエアコネクター板嵌合ピン５８８’を有する。
【図７９】エアコネクター板の実施態様の上面図及び斜視図を示し、そのエアコネクター板は、モジュール方式給気送風器又はモジュール方式排気送風器の実施態様を、本明細書に説明するケージラックの実施態様に接続するために用いられることができる。図７８と図７９に示す実施態様の間の相違には、排気口チャネルの方向が含まれる。図７８、図７９と図４８、図４９に示す実施態様の間の相違には、エアコネクター板嵌合ピン及び送風器支持突起部の形態が含まれる。図７８及び図７９は、図４８及び図４９に示す送風器支持突起部５９０を有さず、別のエアコネクター板嵌合ピン５８８’を有する。
【図８０】支持部材及び側部部材と有効に接続した、エアコネクター板の実施態様の上面斜視図及び底面斜視図を示す。また、本明細書に説明する回路基板の実施態様も示す。図８０と図５０とに示す実施態様の間の相違には、エアコネクター板嵌合ピン５８８、５８８’及び回路基板の実施態様９００、９００’の形態が含まれる。また、図８０は、図５０に示す送風器支持突起部５９０も有しない。
【図８１】支持部材及び側部部材と有効に接続した、エアコネクター板の実施態様の上面斜視図を示す。また、本明細書に説明する回路基板の実施態様も示す。図８１と図５１に示す実施態様の間の相違には、エアコネクター板嵌合ピン５８８、５８８’及び回路基板の実施態様９００、９００’の形態が含まれる。また、図８１は、図５１に示す送風器支持突起部５９０も有しない。
【図８２Ａ】単一の開口部ケージ突起部接続組立体の実施態様と有効に接続した、ケージ突起部を有する、ケージの実施態様の、詳細な拡大を含む、正面図を示す。ケージ突起部接続組立体を断面図として示す。図８２ＡからＨと図５５ＡからＨに示す実施態様の間の相違には、ケージ突起部組立体の形態が含まれる。図８２ＡからＨに示すケージ突起部接続組立体は、突起面８１２を有さず、該突起面は、図５５ＡからＨに示すように、円錐ガイドストップ面として使用される。突起面８１２の機能は、別のケージ設置組立体５３０’に配置された、ケージ取り付けガイドレール栓５５３に取ってかわる。
【図８２Ｂ】単一の開口部ケージ突起部接続組立体の実施態様と有効に接続した、ケージ突起部を有する、ケージの実施態様の、詳細な拡大を含む、側面図を示す。ケージ突起部接続組立体を断面図として示す。図８２ＡからＨと図５５ＡからＨに示す実施態様の間の相違には、ケージ突起部組立体の形態が含まれる。図８２ＡからＨに示すケージ突起部接続組立体は、突起面８１２を有さず、該突起面は、図５５ＡからＨに示すように、円錐ガイドストップ面として使用される。突起面８１２の機能は、別のケージ設置組立体５３０’に配置された、ケージ取り付けガイドレール栓５５３に取ってかわる。
【図８２Ｃ】単一の開口部ケージ突起部接続組立体の実施態様と有効に接続した、ケージ突起部を有する、ケージの実施態様の、詳細な拡大を含む、背面図を示す。ケージ突起部接続組立体を断面図として示す。図８２ＡからＨと図５５ＡからＨに示す実施態様の間の相違には、ケージ突起部組立体の形態が含まれる。図８２ＡからＨに示すケージ突起部接続組立体は、突起面８１２を有さず、該突起面は、図５５ＡからＨに示すように、円錐ガイドストップ面として使用される。突起面８１２の機能は、別のケージ設置組立体５３０’に配置された、ケージ取り付けガイドレール栓５５３に取ってかわる。
【図８２Ｄ】単一の開口部ケージ突起部接続組立体の実施態様と有効に接続した、ケージ突起部を有する、ケージの実施態様の、詳細な拡大を含む、側面図を示す。ケージ突起部接続組立体を断面図として示す。図８２ＡからＨと図５５ＡからＨに示す実施態様の間の相違には、ケージ突起部組立体の形態が含まれる。図８２ＡからＨに示すケージ突起部接続組立体は、突起面８１２を有さず、該突起面は、図５５ＡからＨに示すように、円錐ガイドストップ面として使用される。突起面８１２の機能は、別のケージ設置組立体５３０’に配置された、ケージ取り付けガイドレール栓５５３に取ってかわる。
【図８２Ｅ】二重の開口部ケージ突起部接続組立体の実施態様と有効に接続した、ケージ突起部を有する、ケージの実施態様の、詳細な拡大を含む、正面図を示す。ケージ突起部接続組立体を断面図として示す。図８２ＡからＨと図５５ＡからＨに示す実施態様の間の相違には、ケージ突起部組立体の形態が含まれる。図８２ＡからＨに示すケージ突起部接続組立体は、突起面８１２を有さず、該突起面は、図５５ＡからＨに示すように、円錐ガイドストップ面として使用される。突起面８１２の機能は、別のケージ設置組立体５３０’に配置された、ケージ取り付けガイドレール栓５５３に取ってかわる。
【図８２Ｆ】二重の開口部ケージ突起部接続組立体の実施態様と有効に接続した、ケージ突起部を有する、ケージの実施態様の、詳細な拡大を含む、側面図を示す。ケージ突起部接続組立体を断面図として示す。図８２ＡからＨと図５５ＡからＨに示す実施態様の間の相違には、ケージ突起部組立体の形態が含まれる。図８２ＡからＨに示すケージ突起部接続組立体は、突起面８１２を有さず、該突起面は、図５５ＡからＨに示すように、円錐ガイドストップ面として使用される。突起面８１２の機能は、別のケージ設置組立体５３０’に配置された、ケージ取り付けガイドレール栓５５３に取ってかわる。
【図８２Ｇ】二重の開口部ケージ突起部接続組立体の実施態様と有効に接続した、ケージ突起部を有する、ケージの実施態様の、詳細な拡大を含む、背面図を示す。ケージ突起部接続組立体を断面図として示す。図８２ＡからＨと図５５ＡからＨに示す実施態様の間の相違には、ケージ突起部組立体の形態が含まれる。図８２ＡからＨに示すケージ突起部接続組立体は、突起面８１２を有さず、該突起面は、図５５ＡからＨに示すように、円錐ガイドストップ面として使用される。突起面８１２の機能は、別のケージ設置組立体５３０’に配置された、ケージ取り付けガイドレール栓５５３に取ってかわる。
【図８２Ｈ】二重の開口部ケージ突起部接続組立体の実施態様と有効に接続した、ケージ突起部を有する、ケージの実施態様の、詳細な拡大を含む、側面図を示す。ケージ突起部接続組立体を断面図として示す。図８２ＡからＨと図５５ＡからＨに示す実施態様の間の相違には、ケージ突起部組立体の形態が含まれる。図８２ＡからＨに示すケージ突起部接続組立体は、突起面８１２を有さず、該突起面は、図５５ＡからＨに示すように、円錐ガイドストップ面として使用される。突起面８１２の機能は、別のケージ設置組立体５３０’に配置された、ケージ取り付けガイドレール栓５５３に取ってかわる。
【図８３】ケージ取り付けフロントモジュールプラグの実施態様を含むケージ設置組立体の実施態様と有効に接続した、支持部材の実施態様の部分断面斜視図を示す。プレナム上面の一部を除去して、支持部材の実施態様に備えられた通信媒体溝を視覚化した。図８３と図５７に示す実施態様の間の相違には、ケージ設置組立体の形態が含まれる。図８３に示すように、別のケージ設置組立体５３０’には、ケージ取り付けガイドレール栓５５３が含まれる。図５７に示すケージ設置組立体５３０にケージ取り付けガイドレール栓５５３が含まれない。
【図８４】２つのケージ設置組立体の実施態様の間で保持された、支持部材の実施態様と有効に接続した、ケージの実施態様の部分断面斜視図を示す。図８４と図５８に示す実施態様の間の相違には、ケージ設置組立体及びケージ取り付けフロントモジュール（例えば、プラグ５６６、読み取り器５６４、５６４’）の形態が含まれる。別のケージ設置組立体５３０’には、図８４に示すように、ケージ取り付けガイドレール栓５５３が含まれる。図５８に示すケージ設置組立体５３０には、ケージ取り付けガイドレール栓５５３が含まれない。いくつかの実施態様において、ケージ取り付けフロントモジュール（例えば、図６１ＡからＢ中の参照符号５６２）は、ケージ取り付けフロントモジュール読み取り器５６４’であり、また、特定の実施態様において、ケージ取り付けフロントモジュールは、ケージ取り付けフロントモジュールプラグ５６６である。図５８に示すケージ取り付けフロントモジュールは、ケージ取り付けフロントモジュールプラグ５６６である。
【図８５】２つのケージ設置組立体の実施態様の間で保持された、支持部材の実施態様と有効に接続した、ケージの実施態様の正面図を示す。図８５に示す図は、本明細書に説明するラックの実施態様の単一のケージスロットに搭載された単一のケージのみを示す。図８５と図５９に示す実施態様の間の相違には、ケージ設置組立体及びケージ取り付けフロントモジュールの形態が含まれる。図８５に示す別のケージ設置組立体には、ケージ取り付けガイドレール栓５５３が含まれる。図５９に示すケージ設置組立体には、ケージ取り付けガイドレール栓５５３が含まれない。いくつかの実施態様において、ケージ取り付けフロントモジュール（例えば、図６１ＡからＢ中の参照符号５６２）は、いくつかの実施態様におけるケージ取り付けフロントモジュール読み取り器５６４’であり、特定の実施態様において、ケージ取り付けフロントモジュールは、ケージ取り付けフロントモジュールプラグ５６６である。図５９に示すケージ取り付けフロントモジュールは、ケージ取り付けフロントモジュールプラグ５６６である。
【図８６Ａ】支持部材の実施態様へのケージの取付けのための２つの隣接する位置の概略的斜視図を示す。また、ケージ取り付けガイド組立体、及び、状態報告のためのＬＥＤを有する、ケージ取り付けフロントモジュール読み取り器も概略的に示す。ケージ取り付けフロントモジュール読み取り器は、ケージ取り付けフロントモジュールレセプタクルに挿入されて示される。図８６ＡからＣと図６０ＡからＣに示す実施態様の間の相違には、ケージ設置組立体及びケージ取り付けフロントモジュールの形態（図６１ＡからＢ中の参照符号５６２）が含まれる。図８６ＡからＣに示す別のケージ設置組立体には、ケージ取り付けガイドレール栓５５３が含まれる。図６０ＡからＣに示すケージ設置組立体には、ケージ取り付けガイドレール栓５５３が含まれない。いくつかの実施態様において、ケージ取り付けフロントモジュールは、いくつかの実施態様におけるケージ取り付けフロントモジュール読み取り器５６４’であり、特定の実施態様において、ケージ取り付けフロントモジュールは、ケージ取り付けフロントモジュールプラグ５６６である。図６０ＡからＣに示すケージ取り付けフロントモジュールは、ケージ取り付けフロントモジュール読み取り器５６４である。
【図８６Ｂ】支持部材の実施態様へのケージの取付けのための２つの隣接する位置の概略的斜視図を示す。また、ケージ取り付けガイド組立体、及び、状態報告のためのＬＥＤを有する、ケージ取り付けフロントモジュール読み取り器も概略的に示す。ケージ取り付けフロントモジュール読み取り器は、ケージ取り付けフロントモジュールレセプタクルに挿入されて示される。図８６ＡからＣと図６０ＡからＣに示す実施態様の間の相違には、ケージ設置組立体及びケージ取り付けフロントモジュールの形態（図６１ＡからＢ中の参照符号５６２）が含まれる。図８６ＡからＣに示す別のケージ設置組立体には、ケージ取り付けガイドレール栓５５３が含まれる。図６０ＡからＣに示すケージ設置組立体には、ケージ取り付けガイドレール栓５５３が含まれない。いくつかの実施態様において、ケージ取り付けフロントモジュールは、いくつかの実施態様におけるケージ取り付けフロントモジュール読み取り器５６４’であり、特定の実施態様において、ケージ取り付けフロントモジュールは、ケージ取り付けフロントモジュールプラグ５６６である。図６０ＡからＣに示すケージ取り付けフロントモジュールは、ケージ取り付けフロントモジュール読み取り器５６４である。
【図８６Ｃ】支持部材の実施態様へのケージの取付けのための２つの隣接する位置の概略的斜視図を示す。また、ケージ取り付けガイド組立体、及び、状態報告のためのＬＥＤを有する、ケージ取り付けフロントモジュール読み取り器も概略的に示す。ケージ取り付けフロントモジュール読み取り器は、ケージ取り付けフロントモジュールレセプタクルに挿入されて示される。図８６ＡからＣと図６０ＡからＣに示す実施態様の間の相違には、ケージ設置組立体及びケージ取り付けフロントモジュールの形態（図６１ＡからＢ中の参照符号５６２）が含まれる。図８６ＡからＣに示す別のケージ設置組立体には、ケージ取り付けガイドレール栓５５３が含まれる。図６０ＡからＣに示すケージ設置組立体には、ケージ取り付けガイドレール栓５５３が含まれない。いくつかの実施態様において、ケージ取り付けフロントモジュールは、いくつかの実施態様におけるケージ取り付けフロントモジュール読み取り器５６４’であり、特定の実施態様において、ケージ取り付けフロントモジュールは、ケージ取り付けフロントモジュールプラグ５６６である。図６０ＡからＣに示すケージ取り付けフロントモジュールは、ケージ取り付けフロントモジュール読み取り器５６４である。
【図８７Ａ】ケージ設置組立体とケージ突起部接続組立体とを含む、支持部材の実施態様における単一ケージの位置を表す底面図である。単一の開口部ケージ突起部接続組立体の実施態様を示す。図８７ＡからＢと図６１ＡからＢに示す実施態様の間の相違には、ケージ設置組立体及びケージ突起部組立体の形態が含まれる。図８７ＡからＢに示す別のケージ設置組立体５３０’には、ケージ取り付けガイドレール栓５５３が含まれる。図６１ＡからＢに示すケージ設置組立体５３０には、ケージ取り付けガイドレール栓５５３が含まれない。更に、図８７ＡからＢに示すケージ突起部接続組立体８００’は、図６１ＡからＢに示し、円錐ガイドストップ面として使用されることがある、突起面８１２を有しない。ケージ設置組立体とケージ突起部接続組立体とを含む、支持部材の実施態様における単一ケージの位置を表す底面図である。二重の開口部ケージ突起部接続組立体の実施態様を示す。図８７ＡからＢと図６１ＡからＢに示す実施態様の間の相違には、ケージ設置組立体及びケージ突起部組立体の形態が含まれる。図８７ＡからＢに示す別のケージ設置組立体５３０’には、ケージ取り付けガイドレール栓５５３が含まれる。図６１ＡからＢに示すケージ設置組立体５３０には、ケージ取り付けガイドレール栓５５３が含まれない。更に、図８７ＡからＢに示すケージ突起部接続組立体８００’は、図６１ＡからＢに示し、円錐ガイドストップ面として使用されることがある、突起面８１２を有しない。
【図８７Ｂ】ケージ設置組立体とケージ突起部接続組立体とを含む、支持部材の実施態様における単一ケージの位置を表す底面図である。単一の開口部ケージ突起部接続組立体の実施態様を示す。図８７ＡからＢと図６１ＡからＢに示す実施態様の間の相違には、ケージ設置組立体及びケージ突起部組立体の形態が含まれる。図８７ＡからＢに示す別のケージ設置組立体５３０’には、ケージ取り付けガイドレール栓５５３が含まれる。図６１ＡからＢに示すケージ設置組立体５３０には、ケージ取り付けガイドレール栓５５３が含まれない。更に、図８７ＡからＢに示すケージ突起部接続組立体８００’は、図６１ＡからＢに示し、円錐ガイドストップ面として使用されることがある、突起面８１２を有しない。ケージ設置組立体とケージ突起部接続組立体とを含む、支持部材の実施態様における単一ケージの位置を表す底面図である。二重の開口部ケージ突起部接続組立体の実施態様を示す。図８７ＡからＢと図６１ＡからＢに示す実施態様の間の相違には、ケージ設置組立体及びケージ突起部組立体の形態が含まれる。図８７ＡからＢに示す別のケージ設置組立体５３０’には、ケージ取り付けガイドレール栓５５３が含まれる。図６１ＡからＢに示すケージ設置組立体５３０には、ケージ取り付けガイドレール栓５５３が含まれない。更に、図８７ＡからＢに示すケージ突起部接続組立体８００’は、図６１ＡからＢに示し、円錐ガイドストップ面として使用されることがある、突起面８１２を有しない。
【図８８】ケージ取り付けフロントモジュール読み取り器の斜視図を示す。図８８と図６２に示す実施態様の間の相違には、ケージフロントモジュール読み取り器の形態が含まれる。図８４に示すケージ取り付けフロントモジュール読み取り器５６４’は、密閉された（例えば、水密）透光性カバーを有する。いくつかの実施態様において、透光性カバーはレキサンから製造される。
【発明を実施するための形態】
【００４９】
いくつかの実施形態において、分類、トラッキング、識別、検証、認証、管理、在庫、メンテナンスのために、又は他の目的のために、動物、要素又はデータを識別するために、識別子、識別子の製造方法、及び１以上の品目（動物ケージカード、動物ケージ又はラック、又は大物又は小物など）を一意的にラベル付け又は識別するための識別子の使用法を提供する。この種の識別技術は、機械及び／又は人がケージ要素、動物及び／又は関連するデータを識別し、かつ情報を把握するのを支援するのに有用である。このような識別は、人間のオペレーターによる手動対話（例えば、携帯型装置によって識別子を走査する、又は識別子に関係するコード又は情報をコンピュータ読み取り器及び／又はコントローラに手動で入力する）を含んでもよく、機械及び／又は装置によってデータを自動的に記録する場合の自動データ収集を大抵の場合含む。
【００５０】
このような識別子は、例えば、１以上のバーコード、シリアル番号、英数字の識別子、テキスト、グラフ、透かし、ホログラフ、電子マイクロチップ／トランスポンダ、無線自動識別（ＲＦＩＤ）、反射識別子、無反射識別子、磁気識別子、記号コード、化学的識別子、磁気タグ／ストライプ／インク文字認識、スマートカード、光学式文字認識、光学式マーク読み取り、及び螢光（又は他の光学的テクニック）又はその組合せを含んでもよい。識別子は、物理的コード、物理的画像又は物理的実体であってもよいし、データ又は情報の描写又は物理構造の描写であり得る。識別子は、他の識別子から得られた情報から取得され、又は該情報によって判定され、又は該情報から計算されてもよい。例えば、ケージ蓋上に配置された実際のバーコードを参照してケージ蓋識別子を用いてもよいし、又は、いくつかの実施形態において、対応する物体及び／又は動物の数に対するケージ蓋の使用経歴又はケージ蓋の関連付けなどの非現実の情報を参照して識別子を用いることができる。１以上の識別子を有するいくつかの実施形態において、識別子は、時として同じ情報を含み、識別子は、時として異なる情報を有する。特定の実施形態において、異なるケージ要素上の識別子は、異なる情報を含み、いくつかの実施形態において、異なるケージ要素上の識別子は、実質的に同一の情報を含む。
【００５１】
バーコードは、利用可能な情報にスキャナによって読み取ることができる及び／又はコンピュータによって復号することできる、容器又は製品などにおいて印刷された、幅が変化する一連の線であってもよい。シリアル番号は、識別のために割り当てられた番号、通常は一連のうちの１つ、であってもよい。シリアル番号は、不変離散的整数値によってその後者又は前者によって異なる識別のために割り当てられたユニーク番号であってもよい。英数字の識別子は、アルファベット及び数値の（英数字ともいう）の組合せであってもよいし、西洋の多く社会によって用いられるラテン語の文字及びアラビアの数字の集合を記述するために用いることができる。３６文字（大文字・小文字を区別しない）又は６２文字（大文字・小文字を区別する）の英数字文字セットを利用してもよい。英数字文字セットは、大抵の場合、数字０〜９及び文字Ａ〜Ｚから構成される。テキストは、全体としてまとまった、特に１以上の文から構成された、書かれたもの又は印刷されたすべてのものの実際の表現又は関連のある言葉又は記述の単位であってもよい。例えば、グラフは、図面、シンボル又は印刷のような、グラフィックアートの製品であってもよい。例えば、グラフは、概して、図面、絵画及び版画製作を含んでもよい。
【００５２】
無線自動識別（Ｒａｄｉｏ−ｆｒｅｑｕｅｎｃｙ  ｉｄｅｎｔｉｔｙ又は（ｉｄｅｎｔｉｆｉｃａｔｉｏｎ））（ＲＦＩＤ）は、距離をおいて品目を追跡するために小型のコンピュータチップを用いる技術である。無線自動識別（ＲＦＩＤ）は、電波を用いて識別及び追跡の目的のために、製品、動物又は人間に対して適用又は組み込まれるオブジェクト（典型的にはＲＦＩＤタグ）の使用法である。数メートル離れたところから、及び読み取り器の見通し線を越えて、いくつかのタグを読み取ることができる。無線自動識別は、質問器（又は読み取り器）とタグ（又はラベル）とを含む。ＲＦＩＤタグは、２つの要素を含んでもよい。１つめの要素は、情報を格納及び処理するための、無線周波数（ＲＦ）信号を変調及び復調するための、及び他の特定の機能のための集積回路であってもよい。第２の要素は、信号を受信／送信ためのアンテナであってもよい。一般に、３つのタイプのＲＦＩＤタグがあり、バッテリを含み、信号を自律的に送信することができるアクティブ型ＲＦＩＤタグと、バッテリを有せず、信号送信を誘発するように外部電源に要求するパッシブ型ＲＦＩＤタグと、外部電源にアクティブになるように要求し、広い信号範囲を有するバッテリ付きパッシブ型（ＢＡＰ）ＲＦＩＤタグと、がある。
【００５３】
反射識別子は、粒子状物質（例えば、光、熱、音、電磁放射など）をキャストバックすることができる任意のタイプの識別子であってもよい。このような識別子は、例えば、光、画像又は音波を反射することができる。無反射識別子は、粒子状物質をキャストバックすることができない任意のタイプの識別子であってもよい。
【００５４】
いくつかの実施形態において、１以上の識別子は、１以上の検出手段（例えば電磁放射）に対して透過的又は不透過的である。一般に、対象物により放出又は吸収された電磁放射は、対象物の電磁スペクトルの特性を示し、その電磁スペクトルを、大抵の場合検出することができる。電磁放射は、大抵の場合、電磁周波数及び／又は電磁波などの特徴を含み、電磁スペクトルは、時として、実質的にすべて容易に検出可能な電磁放射を含む。１以上の電磁気の特徴に対する透過性及び／又は不透過性を、様々な検出可能な材料及び検出器の使用によって、予め決めてもよい。検出可能な材料は、時として、本明細書に記載したケージ要素を生成するために利用される材料内に含まれる、又は該材料上に積層された部分である。いくつかの実施形態において、ケージ要素は、すべての電磁波ではなく、いくつかの波長に対して透過的（例えば、いくつかの波長に対して不透過的）であってもよい。いくつかの実施形態において、１以上のケージ要素が、電波、マイクロ波の波長、赤外線波長、可視光波長、紫外線波長、軟Ｘ線、前述のようなもの又はこれらの組合せから選択された１以上の型の電磁放射に対して透過的であってもよい。いくつかの実施形態において、１以上のケージ要素が、電波、マイクロ波の波長、赤外線波長、可視光波長、紫外線波長、軟Ｘ線、前述のようなもの又はこれらの組合せから選択された１以上の型の電磁放射に対して不透過的であってもよい。電磁放射に関連した用語「不透過的な（ｏｐａｑｕｅ）」は、磁気特徴の５％又はそれ以下の伝達を可能にするケージ要素及び／又は識別子を表す。
【００５５】
磁気識別子、磁気タグ／ストライプ、磁気インク文字、及び／又はスマートカードは、磁石の特性を有する任意のタイプの識別子であってもよい。磁性材料を用いるシステムの一例は、国際公開特許第９３／１４４７４号にあり、それは、識別子データを受信し、格納し、送信する個別のトランスポンダ装置に対して電磁界を生成するシステムを記述する。なお、識別子データは、その後、受信器によって受信される。上記文献の全体は、参照によって本明細書に組み込まれる。磁性材料を用いるシステムの別の例は、米国特許第４０７５６１８号明細書内にあり、それは、タグの存在によって生じられた高次高調波によって別の磁界をもたらす質問ゾーンにおいて検出される盗難防止磁気タグを記述し、上記文献の全体は、参照によって本明細書に組み込まれる。タグは、この部分の対向する端部において中心部及び磁束コンセントレーター部を含む非対称に形作られた１片の低保磁力強磁性体を有する。磁性材料を用いるシステムの別の例は、米国特許第６１４４３００号明細書内にあり、それは、光学バーコード読み取り器システムの磁気類似体を開示し、上記文献の全体は、参照によって本明細書に組み込まれる。軟磁性素子が、リニアアレイに配置され、アレイに沿ってコイルを機械的に走査することによって読み取られる。そのコイルはアレイの素子が応用場に反応することを可能にする磁場ヌルを生成する。リニアアレイにおける素子の空間的配置は、バーコードと類似したコードを定義する。
【００５６】
記号コード又は識別子は、任意のタイプの識別又は認識を伝える任意のタイプの記号であってもよい。記号は、他のもの、大抵の場合は実体のないエンブレム、トークン又はサインを表わす有形物を表わすために用いられ、又はそのように見なされてもよい。記号は、字、図又は他の文字、又はマーク、又はものを示すために用いられる字などの組合せ、例えば、金のための代数記号ｘ又は化学記号Ａｕなどであってもよい。記号は、更に、関連する意味の集合体を有し、記号化されるものの一部であるように、かつ記号化されるものから分離可能な本質的な値を有し、記号化されるものを意味する又は表現するその正常機能を行なうように理解され、通常それが表示される構成から主としてその意味を導き出すように理解され、一般にサインから区別された、語、語句、画像などであってもよい。記号は、例えば、スマイリー・フェイスなどのように一般に知られているかもしれないし、又は、不明瞭かもしれないし、認識不可能かもしれないし、目新しいかもしれない。
【００５７】
化学物質の存在を示すために任意のタイプの化学的識別子を用いてもよい。任意のタイプのセンサの代わりに、又はそのセンサと協働して、化学的識別子を用いてもよい。更に、化学的識別子は、例えば、湿気の存在によって、熱及び／又は圧の存在によって、又は水分の存在によって、及び／又はアンモニウムなどの別の化学物質によって、例えば自己触媒化学反応により触発されてもよい。識別のために用いられるポリマー内で化学変化がある場合、化学的識別子を更に変色ポリマーと呼んでもよい。
【００５８】
任意のタイプの光学的識別子を用いてもよい。光学的識別子は、光学基板を含む、又は多くの光学的に読み取り可能なコードを有することができる、光学的識別素子、光学式文字認識、光学式マーク読み取りによってコード化されてもよい。光学基板又は素子を、シリカ又は他のガラス繊維などのガラス材により作ってもよいし、又は、プラスチック又はポリマー、又はそこに配置された格子を有することができる他の材料で作ってもよい。
【００５９】
任意のタイプの蛍光識別子を用いてもよい。蛍光識別子は、例えば、光又はＸ線、又は光学式読み取り器などの光学発光の他の光源などの外部放射に対する露出の間の、照射又は可視光線もしくは発光の放射を含んでもよい。
【００６０】
ホログラフィック識別子を用いてもよいし、又はレーザーからのような、干渉パターンから再現された、又は照射の分離可干渉ビームによって生じられた、任意のタイプの２次元、３次元又は４次元イメージを用いてもよい。ホログラフは、カメラ又はレンズを伴わないで、可干渉光の光線に配置されるときのレーザーからのような、対象物の真の３次元画像を形成するモノクロの可干渉光によって照らされた対象物近くのホログラムによって生じられた画像であってもよい。そのホログラムは、高解像度写真乾板の露出により生じられた陰画である。
【００６１】
ケージラックシステムにとって、識別子は、例えば、ケージコンテンツ識別子、ケージ要素識別子、ケージ状況識別子及びケージ使用者識別子であり得る。識別子は、更に、同じ触知可能な物体及び／又はデジタル情報を識別する、ケージコンテンツデータ、ケージ要素情報、ケージ状況データ、及びケージ使用者情報に関するデータに関連付けられてもよい。例えば、ケージ蓋識別子は、蓋上の識別子コード、蓋自体、蓋の履歴、蓋の位置、及びその他同種のものを表してもよい。
【００６２】
識別子は、ケージ挿入の任意の適切な速度において検出器によって検出されることができる。いくつかの実施形態において、比較的遅い挿入速度において識別子を検出することができ、いくつかの実施形態において、比較的速い挿入速度において識別子を検出することができる。いくつかの実施形態において、ケージ挿入速度のレートの変化（例えば、ケージ挿入の速度を増加させる、ケージ挿入の速度を減少させる、ケージ挿入の速度を増加させ減少させる、ケージ挿入の速度を減少させ増加させる、同様もの又は上記のものの組合せ）は、識別子を正確に検出するための検出器の能力を果たさない。
【００６３】
識別子の位置。１以上の識別子は、例えば、動物ケージカード上、ケージ要素の裏、ケージ要素の片側又は両側上、ケージ要素の最上部上、ケージ要素フランジ上、ラックモジュール又はラックモジュール要素上、ラック側部部材又は支持部材内、１以上の他のケージ又はラックの品目／要素上、非ケージ品目（例えば、職員認識票、薬剤、薬剤投与、及び研究者カード、獣医記録、など）上、又はその組合せなどの任意の位置に配置されてもよい。１以上のケージ要素（例えば、蓋、ベース、給気要素、排気要素、給水要素、センサ要素、フィルター要素、バッフル要素、フィーダ、など）上の識別子は、別の識別子の近く、別の識別子に隣接して、別の識別子に重複して、別の識別子の最上部上に、又は識別子からのデータを取り込む又はアクセスできるところの任意の位置に配置されてもよい。識別子は、また、互いに一列に、又は別の要素とともに一列であってもよい。本明細書で用いられる用語「一列に（ｉｎ−ｌｉｎｅ）」は、連続して一線に又は別の識別子の後ろに１つの識別子など、それにより直線を形成するような結びつけられた一連の配置に関する。
【００６４】
識別子の位置は、ケージ使用者にとって可視であってもよいし、又は非可視であってもよい。識別子の位置を、例えば、光学式読み取り器などの識別子読み取り器によって判定してもよい。識別子読み取り器によって、例えばＲＦＩＤ読み取り器を用いることによって、指定された位置内の識別子の在庫を判定してもよい。
【００６５】
図１〜図３、図７、図２２、図５４、及び図６５〜図６８に、識別子の位置の非限定的な例を示す。図１及び図６５は、フィルター素子１３５、２つのノズル６６、６８、圧入ポストカプラー１３８、及び蓋識別子４００を有するケージ蓋１３２の上面斜視図を示す。図６５は、２つの識別子４００を有する蓋の実施形態を示す。蓋識別子４００は、蓋１３２のフランジ上にあってもよい。識別子４００は、フランジの底面上、又はカバー及び／又はベースのフランジの最上面上にあってもよい。図２及び図６６は、底部識別子又はベース識別子４０２を有する、ケージ底部１３０の上面斜視図を示す。図６６は、２つの識別子を有するケージ底部の実施形態を示す。底部識別子４０２は、ベース１３０のフランジの最上部又は底部上にあってもよい。識別子４０２は、フランジの底面、又はフランジの最上面上にあってもよい。図３及び図６７は、透明なケージ蓋１３２を通して底部識別子４０２を見てとれることができる、ケージ底部１３０の最上部上のケージ蓋１３２の上面斜視図を示す。図３及び図６７に示すように、識別子４００、４０２は、フランジと一列であり、互いに一列である。図６７は、ケージ蓋及びケージ底部の両方が２つの識別子を有する、ケージ底部の最上部上のケージ蓋の１つの実施形態を示す。一列の識別子の配置は、例えば、読み取り器によって識別子の迅速な走査又は識別を支援することができる。１以上の他の識別子は、第３の識別子又はより多くの識別子が読み取り器によって走査又は読み取られるように、蓋識別子４００及び底部識別子４０２とともに一列に配置されてもよい。図７は、ケージカード４１０もつケージ２０及び７つの分離したケージカード識別子４１２の前部斜視図を示す。図２２Ａ−Ｂ及び図６８Ａ−Ｂは、ケージ２０のどちらかの側面上にケージ識別子４００をもつケージ２０の上面図及び斜視図を示す。図５４Ａ及び５４ｂは、ケージ２０のどちらかの側面上にケージ識別子４００をもつケージ２０のアイソメトリック図を示す。１つの実施形態において、ケージカード識別子又はケージコンテンツ識別子４１２は、２つの識別子を含んでもよい。２つの識別子のうち、１つ目は記号（スマイリー・フェイス）であり、２つ目は読み取り器によって検出できるバーコード／シリアルコードである。個別のケージのための各異なるケージカード識別子４１２は、すべてのケージカード識別子が一意的なように、互いに異なる記号とバーコード／シリアルコード識別子とを有してもよい。例えば、１つのケージカード識別子は、スマイリー・フェイス記号を有してもよいし、別のケージカード識別子は星記号を有してもよいし、別のケージカード識別子は雲の記号などを有してもよい。ケージカード識別子は、ケージカード識別子上の２つの識別子の一方又は両方が、もう１つのケージカード識別子と同一であるように、１以上の同一の識別子を有してもよい。穿孔／粘着性ケージカード識別子４１２のうちの１つは、読み取り器によって３つの識別子がすべて読み取られるように、底部識別子４０２及び蓋識別子４００と一列に配置されてもよい。他の穿孔／粘着性ケージカード識別子４１２を、ケージカード識別子４１２が取り付けられる又は属する動物ケージの識別子又は居住者に関連又は対応する物体上に配置してもよい。
【００６６】
いくつかの実施形態において、ケージ蓋、ケージ底部又はケージ蓋とケージ底部の両方の上に、１以上の識別子を配置することができる。いくつかの実施形態において、ケージ蓋、ケージ底部又はケージ蓋とケージ底部の両方の上に、２以上の識別子を配置することができる。いくつかの実施形態において、第１及び第２の識別子は、ケージの長さに沿った両側上にある。識別子は、同じであり得るし、又は異なり得る。同一である識別子は、重複情報をコード化する。図２３Ａ〜図Ｃ及び図６９Ａ〜図６９Ｃに示すように、読み取り器をケージ上に配置することができるし、ケージ蓋もしくはケージ底部又はその両方の上の識別子は、ケージがケージ設置組立体のケージ取り付けガイドレールに沿って接して移動するときに、読み取り器がそれらの識別子を検出することができるように配置される。いくつかの実施形態において、識別子が、図２２Ａ〜図２２Ｄ、図５４、図５８、及び図６５〜図６８Ａ〜Ｂに示すようなケージ底部に取り付けられるケージ蓋の反対側の長辺上にあってもよい。いくつかの実施形態において、識別子はバーコードである。ケージ設置組立体の中にケージを摺動して識別子が装置を通過するときに、隣接するケージ設置組立体の前面上に配置されたケージ読み取り器などの装置によって、ケージ蓋の両側上の識別子を同時に読み取る。
【００６７】
いくつかの実施形態において、互いに重複しないように１以上の識別子を構成する。いくつかの実施形態において、２以上の識別子が重なるように１以上の識別子を構成する。重なる識別子を有するいくつかの実施形態において、識別子を互いにずらすことができ、それによって、重複しない識別子の部分と重なる識別子の部分とを生成する。いくつかの実施形態において、重なる識別子は、同じ検出器によって検出され、いくつかの実施形態において、重なる識別子は、異なる検出器によって検出される。いくつかの実施形態において、異なる検出器は、重なる識別子構成内の各識別子を検出する。いくつかの実施形態において、各ケージ要素は、２以上、３つ以上、４つ以上、又は５つ以上の、独立して検出可能な識別子を有し、いくつかの実施形態においては、一部又は独立して検出可能な識別子のすべてを、様々な組合せにおいて検出することができる。２以上の識別子（例えば、重複又は非重複）を有するいくつかの実施形態において、識別子の一部又は全部は、余分であるかもしれない。
【００６８】
識別子の製造。１以上の識別子を貼るための技術は、印刷（例えば、インパクト、インクジェット、レーザー、熱転写印刷、フレキソ印刷、輪転グラビア印刷、オフセット又は回転式スクリーン、など）、刻印づけ、エンボス加工、モールディング、ラミネート、加熱、スプレー、ローリング、シルクスクリーニング、塗装、固着、接着剤による接着、又は本明細書に記述されるような識別子を貼るために適した他の技術を含んでもよいが、但し限定されない。用いるインク又はマーキングは、可視スペクトルにおいて着色又は無色であってもよい。データを格納し送信することができる導電性インクによって識別子を作ってもよいし、及び／又は一部の電磁放射の下で蛍光性になるように識別子を作ってもよい。伝導性、絶縁性、又は半導体性質をもつ任意の様々な電子インクを用いてもよく、プラスチック基板又はポリマーフィルムなどの任意の材料上の単一又は連続層に印刷することができる。電子インクは、また、不透過的であってもよいし、又は透過的であって、人間の目で検出できなくてもよい。有機材料及び／又は生分解性材料で識別子を作ってもよい。識別子は、チップレスであってもよいし、又はポリマー系タグ上に作ってもよい。別個の多くのコードを可能にするように、曲げやすい又は曲げることができるように、及び／又は過酷な環境に耐えるように、識別子を製造してもよい。
【００６９】
識別子は、サイズ、形状、色、質感などにおいて変化してもよい。識別子は、比較的小型の超小型素子、微粒子、小型の用途（約１〜１０００ミクロン）のためにコード化された粒子状物質、又は大型の用途（例えば１０〜１０００ｃｍ以上）のための比較的大きなマクロ要素であってもよい。また、大型の基板、素子、又は物体内又はその一部に、識別子を組み込んでもよい。識別子は、また、材料に組み入れることができるスレッド、ファイバ、又はフィラメントの形状であってもよい。また、単数又は複数の粒子状物質又はフィラメントをその中に有する粘着性フィルム、コーティング、又はテープであってもよいフィルム又はコーティング内に、識別子を組み込んでもよい。例えば、コード化された接着テープのロールをラベルづけ用の品目に取り付けてもよい。基板及び／又は面の内部に（例えば、面上、又は面の近くに）組み込まれた識別子は、比較的過酷な（例えば、侵食性の強い化学物質、温度、圧、電磁気、などにさらされた）環境においても動作することができる、永久的な取り外しできない識別子であってもよい。
【００７０】
識別子は、識別子を所持する基板及び／又は面内のスポット的な欠陥、引っかき傷、ひび割れ、又は裂け目によって影響を受けてもよいし、影響を受けなくてもよい。コードが失われないが、その代りに各部において複製されないように、識別子の分割又はスライスが同じコードをもつ多くの素子を軸方向に製造する場合、それらが空間的に変化しないように、識別子を製造してもよい。
【００７１】
また、塗料、保護コーティングなどによって、識別子をコーティングしてもよい。互いに重なる２以上の識別子の組合せが一意的なコードを表わすように、識別子を、互いの上に積層してもよいし、又は互いに重複してもよい。識別子は、他の物体を通じて認識され、識別され、及び／又はデータを送信してもよい（例えば、識別子は、蓋要素を通じて（例えば、蓋のフランジを通じて）検出され、情報を送信してもよい）。時として、識別子は、用いられる検出の方法に基づいて異なる情報を送信する。いくつかの実施形態において、１以上の識別子において１以上のタイプの情報を積層してもよいし、いくつかの実施形態において、１以上の検出器は、異なるタイプの情報を検出してもよい。いくつかの実施形態において、積層される情報は、重複しない識別子部分に存在してもよい。いくつかの実施形態において、積層される情報は、重なる識別子部分に存在してもよい。いくつかの実施形態において、積層される情報は、重複しない識別子部分、及び重なる識別子部分に存在してもよい。例えば、いくつかの電磁波に対して透過的で、かつ他の電磁波に対して不透過的な識別子は、時として、検出のために用いられる検出器のタイプに基づいて異なる情報の検出を可能にする。識別子に存在する積層情報に関して用いられる用語「異なる情報（ｄｉｆｆｅｒｅｎｔ  ｉｎｆｏｒｍａｔｉｏｎ）」は、識別子においてコード化することができる１以上のタイプの情報を表す。その情報は、時として、他の検出条件ではなく一部の検出条件下で検出され得る（例えば、他の電磁波ではなく一部の電磁波により検出され得る）。
【００７２】
また、ケージ要素を製造する材料に追加された１以上の添加剤によって、識別子及び／又は識別子の検出を改善してもよい。いくつかの実施形態において、本明細書に記述されたケージ要素を製造するために用いられるポリマーに追加された１以上の添加剤は、１以上の識別子を検出するために用いられる各種の電磁放射に対するケージ要素の透過性又は不透過性を変更することができる。
【００７３】
検出器及び読み取り器。識別子は、使用者によって視覚的に読み取られてもよいし、又は、機械によって（例えば自動検出）読み取られてもよい。識別子を検出、走査、及び／又は識別する機械を、本明細書において「読み取り器（ｒｅａｄｅｒｓ）」又は「検出器（ｄｅｔｅｃｔｏｒｓ）」と呼ぶ。いくつかの識別子は、読み取り器を使用しないで、検出、走査、及び／又は識別され、いくつかの識別子は、読み取り器を使用して、検出、走査、及び／又は識別される。読み取り器は、力学的な機械であってもよいし、いくつかの実施形態において、読み取り器は、１以上の光磁気要素を有する。読み取り器は、ケージシステム要素（例えば、自動読み取り構成内のラック）に取り付けられてもよいし、及び／又はいくつかの実施形態において携帯型装置であってもよい。いくつかの実施形態において、読み取り器への又は読み取り器からの出力、入力、又は信号を、コントローラ、コンピュータ、メインサーバ、ローカルサーバ、データベース、別の読み取り器、又は指示器などの表示装置を有する装置によって、方向づけて受信することができる。いくつかの実施形態において、読み取り器は、書き込み可能である。すなわち、いくつかの実施形態において、読み取り器は、ケージ要素識別子を変更する（例えば、ケージ要素識別子に加える、ケージ要素識別子から取り除く、又はケージ要素識別子を取り換える）ことにより、ケージ要素上のコード化された情報量を変更することができる。
【００７４】
１以上の指示器の任意の便利な構成を利用することができる。指示器は、例えば、イエス又はノー、オープン又はクローズなどの２つ状態を示すことができる赤及び青信号を有する装置のように、比較的簡易であってもよい。指示器は、例えば、聴覚信号、触覚信号、又は嗅覚信号など視覚信号以外の信号によって識別子又は識別子の位置の識別に対して反応してもよい。指示器は、１以上のラックシステムのグラフィックディスプレイであり得るし、いくつかの実施形態において１以上の基準（例えば、使用者定義の基準又はプリプログラムされた基準）に関連付けられたケージ位置を示すことができる。視覚信号、聴覚信号、触覚信号、又は嗅覚信号を生成することにより、読み取り器が識別子又は識別子の位置の識別に対して反応することができるように、読み取り器を指示器と統合してもよい。したがって、読み取り器は、指示器と同義であってもよい。
【００７５】
読み取り器は、識別子を検出し、コントローラに電気信号を配信する検出器を備えてもよく、後者は、例えば識別子及び／又は識別子の位置に関する／によって記録された情報の視覚的な表示又はデータを生成するために検出器ｉによって送信された電気信号を処理する。読み取り器は、コントローラ及び／又はコンピュータプロセッサと無線通信状態にあてもよいし、又は直接接続されてもよい。読み取り器は、モバイル機器に動作可能に連結されたスキャナをもつモバイル機器であってもよい。いくつかの実施形態において、スキャナは、光源、レンズ、光学的インパルスを電気的インパルスに変換する光導電体、出力ポートなどを含んでもよい。いくつかの実施形態において、読み取り器は、また、識別子の画像を分析するデコーダ回路を含んでもよい。
【００７６】
本明細書を記載する識別子を検出することができる装置などの、任意の様々な読み取り器を、識別子を検出するために利用してもよい。読み取り器の非限定的な例は、ペン型読み取り器、レーザスキャナ、ＣＣＤ読み取り器、カメラ系読み取り器、及びその他同種のものを含む。いくつかの実施形態において、識別子は、相対的に定置型の読み取り器を通過し、読み取り器は、読み取り器と検出可能に近接した識別子の前／間／又は後の識別子を検出する。いくつかの実施形態において、読み取り器は、相対的に定置型の識別子を通過し、読み取り器は、識別子と検出可能に近接した読み取り器の前／間／又は後の識別子を検出する。識別子及び読み取り器は、使用者によって、又は自動変換装置などによって（例えば、ロボットは、ケージ要素又は読み取り器を通過するように要素を移動する、又はケージ要素を通過するように移動可能な読み取り器を移動してもよい）、好適又は便利な方式で相手を通過（例えば、相手上を通過し、相手の近くを通過）してもよい。読み取り器は、いくつかの実施形態における識別子から発せられた信号を検出してもよく、時として、読み取り器は、読み取り器によって最初に生成され、その後識別子から読み取り器に返送される（例えば、識別子によって反射される）信号を検出することができる。識別子から読み取り器に送信された信号は、いくつかの実施形態における読み取り器によって処理又は復号されてもよいし、処理された信号は、システムの別の部分（例えば、コントローラ及び／又はプロセッサ）に転送されてもよい。いくつかの実施形態において、信号は、２以上の信号（例えば、２以上の信号、３つ以上の信号、４つ以上の信号、又は５つ以上の信号）である。いくつかの実施形態において、各信号は、同じ信号であり、いくつかの実施形態において、各信号は異なる信号である。２以上の異なる信号を有する実施形態において、各信号は、同じ検出器によって検出されてもよいし、又は、１以上の信号が、異なる検出器によって検出されてもよい。識別子から読み取り器に送信された信号は、処理又はデコードをせずに、いくつかの実施形態におけるシステムの別の部分（例えば、プロセッサ及び／又はコントローラ）に直接転送されてもよい。後者の実施形態において、システムの別の部分は、読み取り器によって検出された識別子信号を処理及び／又はデコードしてもよい。利用することができる読み取り器の一部の特定の型を、以降に記載する。
【００７７】
ペン型読み取り器は、いくつかの実施形態において、ペン、棒、又は突出型の装置の先端に互いに隣接して配置された光源及びフォトダイオードを含むことができる。識別子を読み取るために、ペン又は装置の先端は、大抵の場合、定常運動で識別子のバーを横切る動作をする。フォトダイオードは、光源から反射された光の強度を測定し、識別子にいけるバー及び空間の幅を測定するのに使用する波形を生成する。識別子における黒っぽいバーは、光を吸収し、白い空間は、光を反射する。その結果、フォトダイオードによって生成された電圧波形が、識別子におけるバー及び空間のパターンを表現したものになる。この波形は、モールス符号ドット及びダッシュがデコードされる方法と同様の方式で、スキャナによってデコードされる。
【００７８】
レーザスキャナは、以下の点を除いて、ペン型読み取り器と同様である。すなわち、レーザスキャナは、光源のようなレーザビームを用いてもよいし、識別子を横切るレーザビームを前後に走査するために往復運動するミラー又は回転プリズムを用いてもよい。ペン型読み取り器と同様に、フォトダイオードは、識別子から反射された光の強度を測定するために使用される。ペン読み取り器及びレーザスキャナにおいて、読み取り器によって発せられた光は、大抵の場合、特定の周波数に調整され、フォトダイオードは、同じ周波数の調光を検出するように設計されている。
【００７９】
ＣＣＤ読み取り器（ＬＥＤスキャナとも呼ばれる）は、読み取り器の上部に一列に並んだ、一連の小型の光センサ（例えば、何百もの）を用いる。各センサは、その前の光の強さを直接測定する単一のフォトダイオードとして機能することができる。ＣＣＤ読み取り器内の各個別の光センサは、大抵の場合小さい。そして、一列に並んだ複数個のセンサがあるので、バーコードにおけるパターンと同一の電圧パターンは、一列に並んだ各検出器を横切る電圧を連続して測定することによって読み取り器において生成される。ＣＣＤ読み取り器とペン又はレーザスキャナとの間の差分は、時として、以下の通りである。すなわち、ＣＣＤ読み取り器は、識別子から発せられた周辺光を測定していて、ペン又はレーザスキャナは、スキャナ自体から生じる特定周波数の反射された光を測定している。
【００８０】
カメラ系読み取り器又は２Ｄ画像処理スキャナを、使用してもよい。このような装置は、大抵の場合、識別子の画像を取り込むことができる小型のビデオカメラを利用する。読み取り器は、その後、識別子をデコードするためにデジタル画像処理法を利用してもよい。ビデオカメラは、単列のセンサを有する代わりに、ビデオカメラが画像を生成することができるように２次元アレイに配置された数百列のセンサを有する以外は、ＣＣＤ識別子読み取り器のものと同じＣＣＤ技術を用いる。
【００８１】
例えば、読み取り器は、ラック上、棚上、ケージ設置組立体上、動物ケージ上、コントローラ上、コンピュータ上、又は携帯端末上などの装置上の任意の適当又は便利な位置に配置されてもよい。異なるタイプの読み取り器を一緒に使用してもよい。又は、１つの特定の型の読み取り器のみを使用してもよい。いくつかの実施形態において、読み取り器は、読み取り器を取り外す必要なしに、ラックを洗浄することを可能にする水封シールとともに構成されてもよい。いくつかの実施形態において、半透明の表面板又はカバーは、読み取り器内の指示器として時として使用されるＬＥＤを封止するために、使用される。いくつかの実施形態において、半透明の表面板又はカバーは、プラスチックで作られ。いくつかの実施形態において、そのプラスチックは、レキサン（商標）である。いくつかの実施形態において、読み取り器は、防水シールとともにケージマウントフロントモジュールレセプタクルの中に適合するように構成される。
【００８２】
読み取り器構成の非限定的の実施形態は、図４〜図６、図２２〜図２３、図６０、図６２、図６８Ａ〜図６９Ｃ、図８３〜図８６Ｃ、及び図８８に示される。ケージ設置組立体のレセプタクルプラグの非限定的な例は、図５６〜図５９、及び図６３に示される。図４Ａ〜図４Ｄは、読み取り器４０４を有するラック棚３００の中に挿入されているケージ２０の上面図、アイソメトリック図、前部図、及び側面斜視図をそれぞれ示す。この棚３００は、サイドフレーム要素２８６を有し、ラック上の左端位置にある。ケージ２０は、識別子４００を有する蓋１３２と、識別子４０２を有する底部又はベース１３０とを有する。図４Ａ及び図４Ｂは、識別子４００、４０２と一列になった読み取り器４０４を示す。図４Ｄは、ラックの棚３００に係合されているが、また挿入されていないケージ２０を示す。ケージ２０が棚３００の中に挿入されるとき、識別子４００、４０２は、読み取り器が各識別子を検出することができるように、読み取り器４０４の下で一列に通過する。図６８Ａ〜図６８Ｄは、読み取り器５６４’を有するラック支持部材５０２の中に挿入されているケージ２０の上面図、アイソメトリック図、前部図、及び側面斜視図をそれぞれ示す。ラック支持部材５０２は、ケージステーションの各側面上に配置されたケージ取り付けガイドレール５５２を有し、いくつかの実施形態において、読み取り器５６４、５６４’は、各ガイドレールの前方に配置される。ケージ２０は、図６８Ａ〜図６８Ｄに示すように、識別子４００及び識別子４０２をあらわになる。図６８Ａ〜図６８Ｂは、識別子４００、４０２と一列になった読み取り器５６４’を示す。図６８Ｄは、ラック支持部材５０２に係合されているが、また挿入されていないケージ２０を示す。ケージ２０がラック支持部材５０２の中に挿入されるとき、識別子４００、４０２は、読み取り器が各識別子を検出することができるように、読み取り器５６４’の下で一列に通過する。
【００８３】
図５Ａ〜図５Ｃは、読み取り器４０４と、異なる状態を表わす異なるＬＥＤ照明とともにケージラックの中に挿入された前部１３０を有するケージ２０とを含むシステムの正面図を示す。ＬＥＤ４０５は、読み取り器の内部の指示器の例である。図５Ａ〜図５Ｃにおける円形の拡大において見てとれるように、ＬＥＤ照射は、３つの状態を有する。その状態は、明るい（図５Ａ）、ぼかし（図５Ｂ）、黒っぽい（図５Ｃ）である。
【００８４】
図６９Ａ〜図６９Ｃは、読み取り器５６４’と、異なる状態を表わす異なるＬＥＤ照明とともにケージラックの中に挿入されたケージ２０とを含むシステムの正面図を示す。ＬＥＤ５６５は、読み取り器の内部の指示器の例である。図６９Ａ〜図６９Ｃにおける円形の拡大において見てとれるように、ＬＥＤ照射は、３つの状態を有する。その状態は、明るい（図６９Ａ）、ぼかし（図６９Ｂ）、黒っぽい（図６９Ｃ）である。図６９Ａ〜図６９Ｃに示した状態は、非限定的な例である。いくつかの実施形態において、状態（例えば、ケージの状況）は、異なる色のＬＥＤによって示すことができ、いくつかの実施形態において、本明細書に記載されない付加的な状態は、読み取り器内部のＬＥＤ指示器によって示すことができる。
【００８５】
図６Ａ〜図６Ｃは、ラック組立体の棚３００の上に取り付けられた２つの隣接する読み取り器４０４のアイソメトリック斜視図を示す。更に、読み取り器４０４を保持し、かつ読み取り器（図示せず）から延びるリボンケーブルを保護することができるバーシールド又はバー配線用ハーネスシールド４０６を示す。同じ横の列の棚上の読み取り器からのケーブルは、バーシールドを通じてラック組立体の側面に進んでもよい。ラック組立体の側面に、複数の横の列からのケーブルは、互いに接してもよいし、それらを電源及び／又はコントローラに配線することができる場合にラック組立体の最上部に垂直に進むことができる。いくつかの実施形態において、読み取り器４０４は、コントローラ及び／又はローカルサーバと無線通信状態にある。更に、各棚３００の前方における読み取り器の棚マウント４０８を示す。読み取り器の棚マウント４０８は、読み取り器４０４が各棚３００の上に取り付けられ得る場所である。いくつかの実施形態において、ラック組立体内の各棚３００に対する読み取り器の棚マウント４０８及び読み取り器４０４がある。
【００８６】
いくつかの実施形態において、１以上のケージ要素は、第１の検出可能な識別子と第２の識別子とを有する。いくつかの実施形態において、ケージ蓋は、第１及び第２の検出可能な識別子を有することができるし、又は、ケージ底部は、第１及び第２の検出可能な識別子を有することができるし、又は、ケージ蓋は、第１の検出可能な識別子を有することができ、かつケージ底部は、第２の検出可能な識別子を有することができる。検出器又は読み取り器は、第１又は第２の検出可能な識別子を検出するように構成されることができる。検出器は、ケージ設置組立体に取り付けられることができる、又はその一部である。いくつかの実施形態において、検出器は、ケージ設置組立体のフロントモジュールの一部である。別の実施形態において、第１及び第２の検出器が存在し得る。そして、第１の検出器は、第１の検出可能な識別子を検出するように構成され、第２の検出器は、第２の検出可能な識別子を検出するように構成される。ケージは、ケージの長さに沿った両側上に第１及び第２の検出可能な識別子を有することができる。第１及び第２の検出器は、ケージラックに取り付けられた隣接するケージマウント組立体上にあり得る。いくつかの実施形態において、検出器は、ケージ設置組立体のフロントモジュールの一部であり得る。ケージがケージ設置組立体の中に摺動され、第１の検出可能な識別子が第１の検出器を通過し、第２の検出可能な識別子が第２の検出器を通過するときに、第１の検出器は、第１の検出可能な識別子を検出するように構成されることができ、第２の検出器は、第２の検出可能な識別子を検出するように構成されることができる。
【００８７】
いくつかの実施形態において、ケージシステムは、検出可能な識別子を有するケージ要素と、識別子を検出するように構成された第１の検出器とを含む。検出可能な識別子は、ケージ蓋又はケージ底部の一部であり得る。検出器は、ケージ設置組立体に取り付けられることができる。いくつかの実施形態において、検出器は、ケージ設置組立体のフロントモジュールの一部である。検出器は、検出可能な識別子をもつケージとともにケージがケージ設置組立体の中に摺動され、かつ検出可能な識別子が検出器を通過するときに、検出可能な識別子を検出するように構成されることができる。
【００８８】
図２２〜図２３、図６０、図６２、図６８Ａ〜図６８Ｄ、図６９Ａ〜図６９Ｃ、図８３〜図８６Ｃ、及び図８８は、本明細書に記載するケージラック５００とともに使用するのに適した別の読み取り器構成を示す。図２２Ａ〜図２２Ｄ及び図６８Ａ〜図６８Ｄは、読み取り器５６４、５６４’を含む、ケージラック５００のケージ設置組立体５３０の中に挿入されたケージ２０の上面図、アイソメトリック図、前面図、及び側面斜視図をそれぞれ示す。読み取り器５６４、５６４’は、ケージ２０の蓋１３２上に配置されたケージ識別子４００を読み取る際のケージ挿入状況を示すＬＥＤ５６５を含む。読み取り器５６４’は、ＬＥＤの５６５にわたり実質的に封止する透光性カバーを含む。支持部材５０２の各端部に位置する端部ケージ設置組立体を除いて、読み取り器５６４、５６４’は、２つの独立したケージと事実上接し、ＬＥＤの５６５により各ケージの状況を示す。各ケージ２０は、いくつかの実施形態において、２つの独立した読み取り器５６４、５６４’によって読み取られる。蓋１３２と動作可能に接触する各読み取り器は、蓋１３２上に配置された２つの独立した識別子４００、４０２のケージ２０の１つを読み出す。各ケージのための挿入状況を報告する２つの読み取り器を用いることは、ケージ２０の適切な配列及び配置を支援する。
【００８９】
図２３Ａ〜図２３Ｃ及び図６９Ａ〜図６９Ｃは、読み取り器５６４、５６４’のＬＥＤの５６５を介して可能な、異なるステータス報告の非限定的な例を示す。図２３Ａ〜図２３Ｃ及び図６９Ａ〜図６９Ｃは、ケージ読み取り器５６４、５６４’を含むケージ設置組立体５３０、５３０’に係合されたケージ２０の正面図をそれぞれ示す。図２３Ａ〜図２３Ｃ及び図６９Ａ〜図６９Ｃに示すＬＥＤ状況は、図５Ａ〜図５Ｃに示したＬＥＤ状況に対応する。図６０及び図８６は、ケージ読み取り器組立体５３０、５３０’をもつ支持部材５０２を示す部分切り取りアイソメトリック図である。更に、ケージ設置組立体５３０の読み取り器レセプタクル５６９の前面に挿入された読み取り器５６４、５６４’を、図６０及び図８６に示す。更に、ケージ取り付けガイドレール栓５５３を、図８６に示す。図６２は、ＬＥＤ５６５、通信プラグ５５９、ケージ取り付けガイドレール軸５５４、ケージ取り付けガイドレール交差突出部５５６、及びケージマウントフロントモジュール傾斜口縁５６８を示す読み取り器５６４のアイソメトリック図である。図８８は、封止された透光性カバー（もしＬＥＤが動作中でなければ視界からＬＥＤ５６５を隠す）、通信プラグ５５９、ケージ取り付けガイドレール軸５５４、ケージ取り付けガイドレール交差突出部５５６、及びケージマウントフロントモジュール傾斜口縁５６８を示す読み取り器５６４’のアイソメトリック図である。通信プラグ５５９は、いくつかの実施形態における通信媒体５３６、５３８のｅＳＡＴＡレセプタクル９１２の中に挿入される。
【００９０】
識別子の使用及び機能。分類、追跡、識別、検証、認証、在庫、請求、管理、盗難防止／偽造防止、セキュリティ／抗テロリズム、討論学、及び／又は他の目的のために、ケージ要素、ケージコンテンツ（例えば動物）、ケージ状態、及びケージ使用者情報などの品目を一意的にラベル付け又は識別することは、大抵の場合好ましい。ラックシステムにより支持されるケージ内に含まれるラックシステム及び動物のメンテナンスに関する１つの問題は、各ケージの内部事情に関する情報を、研究所職員に対して効率的かつ正確に収集、処理、及び表示することに関係する。実験動物を収容する複数の収容ケージを含むシステム又は研究の保存取扱に関する多くの状況において、ケージは、優良実験室規範によって規定され、かつ獣医の専門家の入力を更に含むことができる通常のスケジュールで、洗浄、変更、又は、さもなければメンテナンスされる。その周囲と動物との干渉の複雑な性質のために、メンテナンススケジュールは、大抵の場合、１つグループのケージにとっての最悪のシナリオに基づいて、算定又は判定されてもよい。より具体的には、各ケージを個々に監視するために費やす時間が多すぎるので、すべてのケージのためのメンテナンススケジュールを、最も高い細菌汚染をもつケージによって判定してもよい。このような配置のために、直接メンテナンスを要求しないケージは、どうしてもそれを受け入れ、その結果、より低い細菌汚染又はその他同種のものを有するいくつかのケージの実験室資源の非効率的な使用及び不必要なメンテナンスをもたらす。更に、データを監視するケージが実験室職員にとって遠隔から使用可能であっても、ケージの多くの監視を伴う仕事が実験室職員に課される場合、ケージデータをすべて処理することは更に厄介かもしれない。
【００９１】
識別子は、任意の適当又は便利な目的の役割を果たすことができる。例えば、識別子は、刻時識別子、ケージ位置識別子又は場所識別子、コンテンツ識別子、使用者識別子、ケージ要素識別子、ケージ状況識別子、又はその組合せであってもよい。刻時識別子は、識別子が読み取られた時間及び／又は速度を測定し記録してもよい。刻時識別子は、更に、識別子がどのように読み取られたか、又はデータがどのように取得されたかに関する、速度、カバーされた距離、又は他の定量的機能を、測定及び記録するためのメータ、スピードメータ、又はタクシメータとして機能してもよい。
【００９２】
１つの識別子からの情報は、いくつかの実施形態において、別の識別子からの情報と関連付けられてもよい。識別子からの情報を、例えば、使用者又は機械（例えば、ケージカード情報、ケージコンテンツ情報、ケージ使用者情報、使用者によってラックコントローラの中に入られた情報）によって入力又は読み取られた情報などの識別子から生成されない情報に関連付けることができる。
【００９３】
いくつかの実施形態において、ケージ位置識別子又は場所識別子は、その場所を開示するために１以上の他の指示器、読み取り器、識別子、システム、センサ、又は要素と協力して機能してもよい。ケージ位置識別子又は場所識別子は、いくつかの実施形態において、他の識別子又は他のケージ要素又は他の相対的な位置（例えばＧＰＳ位置）に関連してその位置に関する位置情報を格納してもよい。いくつかの実施形態において、ケージ位置識別子又は場所識別子は、識別子が様々なアクションによって移動される、汚される、又はアクティブにされるときの位置を表示するためにデジタルスクリーンを有する読み取り器、コントローラ又はコンピュータに対して無線ＧＰＳ信号を送信してもよい。
【００９４】
いくつかの実施形態において、ケージコンテンツ識別子は、ケージ内の動物の数及びタイプ、ケージの所有者、動物の年齢、動物の性別、動物の血統、動物用に計画された実験手順、ケージ使用者などによる観察／記録、又は同種のものなどの動物ケージの居住者に関する情報を含んでもよい。ケージ使用者識別子は、ケージにアクセスする職員、ケージにアクセスした時間、ケージにアクセスした日付、ケージにアクセスした目的、又は同種のものなどのラックシステム又は１以上のケージの使用者に関する情報を含んでもよい。
【００９５】
いくつかの実施形態において、ケージ要素識別子は、例えば、ケージ蓋要素、ケージ底部要素、給気要素、排気要素、給水要素、センサ要素、フィルター要素、バッフル要素、敷きわら要素又はフィーダ、又はその他同種のものの上に識別子が配置されるところの物体をラベル付け又は識別してもよい。
【００９６】
いくつかの実施形態において、ケージ状況識別子は、食品交換、水交換、ケージの居住者に投与された薬、敷きわら材料交換、フィルターの交換、１以上の動物に対して投与された注射器、ケージを洗浄する職員によって使用されたグローブ、ケージを洗浄するために使用されたクリーニング用品、又は同種のものなどの、ケージ自体の内部又は外部に対してなされたあらゆるコンディション的な交換又はケージのメンテナンスで使用されたあらゆる材料に関する情報を含んでもよい。ケージ状況識別子は、また、ケージのために非ケージ材料がいつ使用されたか、又はケージがいつメンテナンスされたかについての時刻印／日付印を含んでもよい。いくつかの実施形態において、ケージ状況識別子は、敷きわら要素を備え、いくつかの実施形態において、敷きわら要素識別子は、化学センサ、ＲＦＩＤセンサ、温度センサ、湿度センサ、同種のもの、及び前述のものの組合せから選択されたセンサを備える。
【００９７】
図７は、一列に並んだケージカード４１０及びいくつかのケージカード識別子又はケージコンテンツ識別子４１２をもつケージ２０の前面斜視図を示す。図７は、日付、研究番号、及び研究者などの表示情報とともに、ケージ底部１３０の前面上に取り付けられたケージカード４１０を示す。７つのケージカード識別子４１２は、使用者が各識別子をケージカードから別々に切り離す又は取り外してもよいように穿孔された側面を有して、互いに隣接して水平に並んでいる。ケージカード識別子４１２は、また、それらが他の面に張りつくように、接着剤つき裏面を有してもよい。各識別子は、記号及びバーコード又はシリアルコードを有する。識別子４１２上の記号は、スマイリー・フェイスである。使い捨ての動物ケージをメンテナンスする際に、はケージ底部１３０及び／又はケージ蓋１３２を置換してもよい。ケージ底部１３０の置換に際して、ケージカード４１０は、古いケージ底部を外して、新しいケージ底部に取り付けられ得る。いくつかの実施形態において、特定のケージ又はケージカード４１０に関連付けられる、ケージ蓋又はケージの底部などのケージ要素を、追跡などのために同じ識別子４１２に配置することができる。図４Ａ〜図４Ｄに示すように、読み取り器がケージ上に配置されれば、ケージが棚ラック組立体の中に挿入されるときに読み取り器がそれらを検出することができるように、ケージ要素の識別子及びケージコンテンツ識別子４１２をすべて一列に配置してもよい。古いケージ底部を新しいケージ底部に変える職員は、読み取り器４００が相互に３つの識別子を識別することができ、かつそれによりそれらを相互に関連付けるように、ケージカード４１０から１つのケージカード識別子４１２を穿孔し、ケージ蓋１３２又はケージ底部１３０のいずれかのフランジ上に識別子４００及び４０２とともに一列にそれを配置してもよい。ケージ底部１３０を交換した後、新しいケージ底部は、新しいケージ底部識別子４０２を有し、適正な／対応するケージコンテンツ識別子４１２及びケージ蓋識別子４００に関連付けられる。古いケージ底部及び新しいケージ底部は、同じ識別子コードを有してもよい。古いケージ底部及び新しいケージ底部は、異なる識別子コードを有してもよい。同じ座標での識別子の位置は、それらを相互に関連付けてもよい。同じ時刻／日付の識別子の検出は、それらを相互に関連付けてもよい。同じ読み取り器による識別子の検出は、それらを相互に関連付けてもよい。など。
【００９８】
識別子からの情報の検出及び処理によって、本明細書に記載されたシステム及び方法は、ラックシステムにより支持された個別のケージの内部状況を、便利かつ効率的に表示されたケージステータス情報とともに、研究所職員が確実に便利に監視することを可能にすることができる。また、本明細書に提供されたシステム及び方法は、ケージ要素の在庫及び製造業者又は卸売業者からのケージ要素の発注を追跡することを可能にすることができる。本明細書に提供されたシステム及び方法は、一部の状況を共用するケージ状況の追跡及びケージの識別（例えばケージの中に配置された食物及び／又は水の量、及び、各量がケージ内に配置されたときのケージ内の特定の動物に対して管理される薬剤の種類及び量及びこのような管理の日時）を可能にすることができる。本明細書におけるシステム及び方法は、また、動物施設職員に関連付けられた一部の作業の追跡を可能にし、それによって効率及びセキュリティの判定を提供することができる（例えば、職員が操作した特定のケージは何か、一部の職員がいつケージを操作したか、一部の職員はどのくらい頻繁にケージを操作したか）。これらの機能のうちのいくつかは、本明細書において「プロセッサ、コントローラ及びサーバ」と題された部分において、更に記載される。
【００９９】
図９に示すいくつかの実施形態において、ラックシステム２１０は、送風器組立体２２４、２２６及び１以上のセンサ（図示せず）に連結することができるコントローラ２３０を含む。センサは、ラックシステム２１０により支持された個別のケージ２０内の状況を監視するのに使用してもよい様々な構成又は種類のうちのいずれかを含む。センサ、識別子又は他のソースからコントローラ２３０によって取得されたデータは、プロセッサ及びデータストレージ装置を含むことができるシステムにおいてコントローラ、メインサーバ、ローカルサーバ、又は他の適当な位置に配置され、その後、便利な視覚的な表示形式においてグラフィック使用者インターフェース上に表示されるコンピューティングシステムによって処理されてもよい。
【０１００】
図２６に示すいくつかの実施形態において、ケージラックシステム５００は、送風器組立体６００、７００及び１以上のセンサ（図示せず）に連結することができるコントローラ５８０を含む。コントローラを、側部部材５０４、５０６の最上部上に、又は側部部材の片面上に取り付けることができる。１つの実施形態において、コントローラをコントローラサイドマウント５８２上に取り付けることができる。センサは、ケージラック５００により支持された個別のケージ２０内の状況を監視するのに使用してもよい様々な構成又は種類のうちのいずれかを含む。センサ、識別子又は他のソースからコントローラ５８０によって取得されたデータは、プロセッサ及びデータストレージ装置を含むことができるシステムにおいてコントローラ、メインサーバ、ローカルサーバ、又は他の適当な位置に配置され、その後、便利な視覚的な表示形式においてグラフィック使用者インターフェース上に表示されるコンピューティングシステムによって処理されてもよい。いくつかの実施形態において、コントローラは、送風器組立体６００、７００及び１以上センスと無線で通信することができる。
【０１０１】
ケージ。いくつかの動物収容ケージの実施形態は、収容ケージのベース部材、カバー又は蓋材、及びオプションの挿入部材又は装置を含んでもよい。動物ケージ底部は、時として、蓋とは別々に提供され、蓋は、大抵の場合ケージ底部に取り付けられてもよく、蓋は、ベースから容易に取り外し可能であってもよい。げっ歯動物などの動物及び／又はオプションの挿入部材は、蓋が取り付けられる前にケージ底部内に配置されてもよい。様々な動物を、本明細書に記載されたケージの実施形態に収納してもよい。げっ歯動物は、マウス、ネズミ、ハムスター、アレチネズミ、モルモット、チンチラ、及びラビットを含むが限定されないで、このようなユニット内に大抵の場合収納される。動物は、遺伝子組み換え、免疫不全、同系交配であり、１以上の機能遺伝子（例えばノックアウト動物）を欠き、及び／又は１以上の異種移植片を含むことができる。免疫不全のマウスの例は、ヌードマウス及び重症複合免疫不全症（ＳＣＩＤ）マウスを含む。培養細胞株からの細胞、培養初代細胞からの細胞、又は別の動物又は組織（例えば生検材料）から直接の細胞は、異種移植片（例えば人間からの癌細胞）に利用されてもよい。本明細書に記載されたケージ及びシステム内に収納される動物は、例えば、癌及び他の疾病の研究、可能性のある医薬品のパラメータ（例えば、毒性、効果、最大耐用投与量、有効量、及び他の薬物動態パラメータ）の評価、抗体の生成及び分離、ハイブリドーマの前処理のための有用な細胞の生成及び分離を含むが限定されずに、様々な方式において利用することができる。
【０１０２】
ケージ底部実施形態は、動物を収容するために適した、例えば、円柱状、実質的に円柱状、円錐形、長方形、正方形、立方体、菱形などの任意の形状であってもよい。ケージ底部実施形態は、複数の面又は側壁部材（例えば４つの側壁部材）を支持する底部部材を含んでもよい。一方の側壁部材を「前面側壁部材」と呼んでもよく、対向する側壁部材を「背面側壁部材」と呼んでもよい。対向する側壁部材は、時として、平行、実質的に平行、平行でない、長斜方形、実質的に菱形、又はその組合せである。いくつかの実施形態において、対向する側壁は、平行でなく、底部に対して垂直でない、又は直立していない。このような実施形態において、側壁、及び時としてすべての側壁は、底部に対して、例えば、約９１度から約１０５度の間の角度、約９２度から約９８度の角度、又は約９５度の角度など、９０度でない角度である。（底部に対する）このような角度の側壁構成は、（以降、より詳細に記載される）ケージ底部の入れ子構成を促進することができる。
【０１０３】
いくつかの実施形態において、ガイド部材及び／又は支持部材は、ベースの底部部材及び／又は両方のケージ側壁部材（例えば、正面側壁及び背面側壁に隣接する側壁部材）の外表面上に配置されたフランジ、突出部、リブ、又は溝であり、大抵の場合側壁部材の上端と平行であってもよい。このようなガイド部材及び支持部材は、時として側壁部材の先端から延在し、時として側壁部材の後方端まで延在し、時として側壁部材のポイントから先端からの距離に達し、時として側壁部材のポイントまで後方端からの距離に達する。このような部材は、時として側壁部材の上下長の中間半ばに配置され、時として上下長の中間に配置される。いくつかの実施形態において、ガイドは、低背型で、時としてケージ底部の入れ子と実質的に干渉しない溝又はくぼみである。
【０１０４】
いくつかのケージ底部の実施形態は、約１週間以上の期間にわたって、小齧歯類などの動物を収容するために適している任意の材料から製造されてもよい。材料は、剛性であし、大抵の場合半剛性又は軟質材料である。ケージ底部は、時として、半透明又は透明材料から、全体に又は部分的に構成される。材料は、時として各種の電磁放射に対するケージ底部の透過性又は不透過性を変更する添加剤を含む。本明細書で論じられる任意のケージ底部又は蓋の実施形態の製造に利用されてもよい材料の例は、ポリプロピレン（ＰＥ）、高密度ポリエチレン、低密度ポリエチレン、ポリエチレンｔｅｒａｐｈｔｈａｌａｔｅ（ＰＥＴ）、ポリ塩化ビニル（ＰＶＣ）、ポリエチレンフルオロエチレン（ＰＥＦＥ）、ポリスチレン（ＰＳ）、高密度ｐｏｌｙｓｔｒｙｒｅｎｅ、ａｃｒｙｌｎｉｔｒｉｌｅブタジエンスチレンコポリマー及びその他同種のものを含が、但し限定的ではない。いくつかの実施形態において、ケージは、ＰＥＴ又はＰＳ（例えば高密度ＰＳ）から構成される。本明細書で論じられる実施形態のうちのいずれかのために、埋め立て地及び他の廃棄物管理所上での使い捨て式ケージ組立体の使用の影響を低減するために、光分解性材料又は生分解性材料を用いることが好ましいかもしれない。このような１つの材料は、ミネソタ州のアドバンスド・エクストルージョン社からのＢｉｏＬａｎｄによる生分解性ＰＥＴなどの、生分解性ＰＥＴを含んでもよい。このような生分解性ＰＥＴ材料は、ポリエチレンテレフタレート、及び微生物に対して極めて魅力的なポリマー鎖の延長部分を生成する有機添加物を含んでもよい。材料の耐力、剛性、耐衝撃性、耐磨耗性、気体遮断性、又は移動性向を劣化しない、いくつかのこのような添加剤を使用してもよい。いくつかの生分解性ＰＥＴ材料は、約８，５００ポンド毎平方インチに対して約１．３グラム毎平方センチの比重と、約７，０００ポンド毎平方インチの引張り強度を有してもよい。
【０１０５】
カバー又は蓋は、ケージ底部とは別々に設けられてもよく、多くの場合ケージ底部に可逆的に嵌合し、時として封止取り付けされ、摺動取り付けを含むベースの実施形態用の接続機構を可能にする任意の適当な形状であってもよい。いくつかの蓋の実施形態は、直接嵌合する１以上の部材と、ベースの１以上の部材をもつシールを含んでもよく、時として、側壁部材を有しないし、時として、平面的、又は実質的に平面的である。いくつかの蓋の実施形態は、約１週間以上にわたって動物収容を可能にする任意の材料から構成されてもよい。蓋を構成するための材料は、時として、ケージ底部に対する封止又は部分的に封止取り付けを可能にするために選択される。蓋の実施形態を構成してもよい材料の例は、ケージ底部の実施形態用に以上に記載されたものを含む。ケージ底部の実施形態の透過性又は不透過性を変更する添加剤を、蓋の実施形態においても使用してもよい。ケージ要素の透過性又は不透過性を変更する添加剤の非限定的な例は、ケージ要素を通過する電磁放射の吸収又は伝送を変更する化学添加物、金属添加物、微粒子添加剤、フィルム、インク、色素、及び他の添加剤を含む。時として、蓋及びベースは、同じ材料から構成され、時として対応するベースの厚さと同様の又は同じ厚さである。
【０１０６】
いくつかの蓋の実施形態は、軟質又は半剛性であってもよいし、実質的に平面の領域及びフランジ部分を含んでもよい。実質的に平面の領域は、本明細書に記載された１以上の要素を含んでもよい。蓋の実施形態のフランジ部分は、時として浮き彫りにされてもよいし、隆起されてもよいし、口縁（本明細書において「口縁（ｌｉｐ）」と呼ぶ）として下方へ延在する部分を含んでもよい。フランジ及びオプションの口縁部分は、蓋の実施形態の外周の周囲に連続的に延在してもよい。フランジ及びオプションの口縁の輪郭は、大抵の場合ケージ底部上のフランジ及びオプションの口縁に対応し、いくつかのベースの実施形態とともに蓋を封止する又は部分的に封止することを可能にしてもよい。フランジ及びオプションの口縁は、対応するベース実施形態を取り付ける任意の適当な形状を含んでもよいし、時として例えば、Ｓ字形で、Ｖ字形で、Ｊ字形で、Ｕ字型で、上に向かって、又は反転してもよい。
【０１０７】
いくつかの実施形態において、蓋は、給気又は排気要素又は、給水要素（例えばノズル又はノズルレセプタクル）を受け入れるのに適した１以上のコネクターを含む。コネクターは、給気、排気、又は給水要素から対応するコネクターを受け入れるために任意の形状であり得る。ケージ蓋コネクターは、大抵の場合封止取り付けによって、及び大抵の場合可逆的な接続によって、給気、排気、又は給水コネクターと嵌合し、コネクターは、任意の適当な種類である。例えば、その接続は、例えば、円柱状、正方形、長方形、又は円錐形の側面形状、及び最上部又は底部のためのフラット、円形、先端、又はポイント形状によって規定されてもよい。蓋内の接続部材は、それぞれ対応する嵌合空隙又は突起部を受け入れる突起部又は空隙（例えば、それぞれ凹面又は凸面）であってもよい。
【０１０８】
１以上のケージがラックモジュール上に又はラックモジュール内に格納されてもよいし、ケージを格納するための任意の便利な構成を利用することもできる。ケージは、時としてラックモジュールの表面上に配置され、一時的に格納される。ケージは、大抵の場合ラックに接続された棚又はレール上に存在する。ラックモジュールは、時として、ラックモジュール内に又はラックモジュール上に、１以上のケージを格納するために有用な１以上のマウント部材を含む。対応するマウント部材は、時としてケージの１以上の外表面上に配置され、ラックモジュール上に配置されたマウント部材と接続するのに適している。いくつかの実施形態において、マウント部材は、ラックモジュールの１以上の表面上の溝又はフランジであり、ケージ上又はケージ内の対応するフランジ又は溝を受け入れる、時として摺動可能に受け入れるのに適している。このような実施形態においてケージの外への気流を可能にするために、取り付けられたケージの最上部とケージ上に配置したラックモジュールの下部面との間に十分な距離があってもよい。
【０１０９】
上で論じたように、本明細書で論じられるケージシステムの実施形態又はベース１３０及び蓋１３２を含むその要素のいずれかのために、埋め立て地及び他の廃棄物管理所上での使い捨て式ケージ組立体の使用の影響を低減するために、光分解性材料又は生分解性材料を用いることが好ましいかもしれない。このような１つの材料は、ＢｉｏＬａｎｄ社によって製造された生分解性ＰＥＴなどの、生分解性ＰＥＴを含んでもよい。このような生分解性ＰＥＴ材料は、ポリエチレンテレフタレート、及び微生物に対して極めて魅力的なポリマー鎖の延長部分を生成する有機添加物を含んでもよい。材料の耐力、剛性、耐衝撃性、耐磨耗性、気体遮断性、又は移動性向を劣化しない、いくつかのこのような添加剤を使用してもよい。いくつかの生分解性ＰＥＴ材料は、約８，５００ポンド毎平方インチに対して約１．３グラム毎平方センチの比重と、約７，０００ポンド毎平方インチの引張り強度を有してもよい。
【０１１０】
図８は、モジュール方式のラックシステムを使用するのに適したケージ２０組立体の１つの実施形態の斜視図を示す。ケージは、蓋１３２と、底部１３０と、２つのノズル容器６６、６８と、４つのポストカプラー１３８と、ベント構造１３６と、ベース１３０のリムに対するスナップ嵌合によって嵌合するように構成され、蓋の外周の周囲でも連続的に延在する蓋１３２の外周上の溝１３４と、棚組立体の固定されたノズルに対してケージ組立体２０の円錐形のレセプタクル６６、６８のいくつかの移動及び調整を可能にするように横方向又は水平方向に実質的に隙間嵌めを有するように構成されてもよいケージ組立体２０のフランジ部分８２と、遠隔センサ１４０とを有する。
【０１１１】
図４Ａ〜図４Ｄに表現したように、ケージ２０は、ケージの一部が摺動することができる溝を棚が含むように、ラックシステムの棚３００内に挿入されてもよい。溝は、何でも通過するレール、溝又は畝溝、フルート、経路、又は通路であってもよい。図２１は、図６の棚３００組立体の底面図を示す。図２１のセンサ３４０は、棚３００の外周の周囲を延在するリム又は口縁部分３０８を示す。読み取り器の棚マウント４０８は、リム３０８上に固定される。更に、センサ３４０、レール２７６をもつ棚３００のフレーム部材２７８を示す。
【０１１２】
図６８Ａ〜図４Ｄに表現したように、ケージ２０は、ケージの一部が摺動することができる溝を棚が含むように、ラックシステムのラック支持部材５０２内に挿入されてもよい。溝は、物体が通過するレール、溝又は畝溝、フルート、経路、又は通路であってもよい。図６８Ａ〜図６８Ｄに示すケージ設置組立体は、ケージ取り付けガイドレール５５２と、ケージ取り付けガイドレール軸５５４と、ケージ取り付けガイドレール栓５５３と、ケージ取り付けフロントモジュール傾斜口縁５６８と、ケージ取り付けガイドレール交差突出部５５６、５５７（５５７は図６８Ａ〜図６８Ｄには図示せず）とを含む。図６１Ａ〜図６１Ｂ及び図８７Ａ〜図８７Ｂは、図６０Ａ〜図６０Ｃ及び図８６Ａ〜図８６Ｃのラック支持部材５０２の底面図を示す。読み取り器５６４、５６４’は、フロントモジュールレセプタクル５６９を介して、ケージ設置組立体５３０、５３０’の前方端に取り付けられる。
【０１１３】
ラック。ラックユニット又はラックシステムは、本明細書において「ケージ取り付けプラットホーム」、「ケージ取り付けシステム」又は「げっ歯動物の収容ケージラック」と呼ばれるかもしれない。ラックユニットは、概して、側部部材が、大抵の場合平行又は実質的に平行であり、ケージマウント支持部材が、大抵の場合平行又は実質的に並列である、２つの側部部材に取り付けられた１以上のケージマウント支持部材を含む。ラックユニットの実施形態は、任意の適当な材料から構成されてもよい。ラックユニットを構成するために使用される材料の非限定的な例は、合金（例えば薄板金）、ポリマー、同様なもの、及び前述のものの組合せを含む。ラックユニットは、以降に記載されるプレナム、開口部、及びコネクターなどの、大抵の場合内部に配置される、気流要素を大抵の場合備える。ラックユニットは、時として、追加要素を含み、追加要素の非限定的な例は、１以上の送風器ユニットと、電源と、コントローラユニットと、通信媒体と、ケージ読み取り器と、他の所望の装置とを含む。
【０１１４】
いくつかの実施形態において、ラックユニットはトロリ組立体上に取り付けられる。時として、トロリ組立体は、１以上のラックユニット、及び単数のラックユニット又は複数のラックユニットの輸送のためのベースとして構成される。トロリ組立体は、いくつかの実施形態において、ラックユニットが取り付けられるトロリフレーム管及びトロリ板マウントを含む。いくつかの実施形態において、トロリ組立体は、側部部材を取り付けるために各端部に取り付けられた２つのトロリ板マウントを有する。いくつかの実施形態において、トロリ組立体は、コースター又は車輪を含む。いくつかの実施形態において、トロリ組立体は、１以上のラックユニットを収容するために各端部に取り付けられた１セット以上のトロリ板マウントを有する。いくつかの実施形態において、２つのラックユニットが、トロリマウントに、時として背中合わせに、時として横方向に取り付けられる。トロリ組立体は、任意の適当な材料から構成することができ、それら材料の非限定的な例は、金属（例えば薄板金）、ポリマー、同種のもの、又は前述のものの組合せを含む。
【０１１５】
いくつかの実施形態において、ラックユニットは、小型のげっ歯動物（例えばマウス）とともに使用するように構成され、いくつかの実施形態において、ラックユニットは、大型のげっ歯動物（例えばネズミ）とともに使用するように構成される。ラックユニットは、げっ歯動物の所望の種類及び／又はサイズとともに使用するのに適したいくつかのケージステーションとともに形成されることができる。いくつかの実施形態において、小型のげっ歯動物とともに使用するように構成されたとき、単一のラックユニットは、９６個までのケージステーションとともに形成され、いくつかの実施形態において、ケージステーションは、８列×１２行で構成される。いくつかの実施形態において、小型のげっ歯動物とともに使用するように構成された２つのラックユニットを、１９２までのケージとともに２層のラックユニットを生成するように接続することができる。いくつかの実施形態において、大型のげっ歯動物とともに使用するように構成されたとき、単一のラックユニットは、４０個までのケージステーションとともに形成され、いくつかの実施形態において、ケージステーションは、５列×８０行で構成される。いくつかの実施形態において、大型のげっ歯動物とともに使用するように構成された２つのラックユニットを、８０までのケージとともに２層のラックユニットを生成するように接続することができる。
【０１１６】
ケージマウント支持部材。ケージマウント支持部材は、概して、側部部材間に配置され、側部部材に接続される。いくつかの実施形態において、ケージマウント支持部材は、ラックシステムを通じた空気の移動のためのプレナムを含み、ケージの係合のためのドッキング位置を含む。いくつかの実施形態において、ケージマウント支持部材は、２つの側部部材間に配置され、側部部材及びケージマウント支持部材に対して実質的に垂直であり、実質的に互いに平行である。ラックユニットは、概して、１以上のケージ支持部材を有し、時として１〜２０個の支持部材（例えば２、３、４、５、６、７、８、９、１０、１１、１２、１３、１４、１５、１６、１７、１８、又は１９個の支持部材）を有する。いくつかの実施形態において、ラックユニットは、１２個のケージ支持部材を有する。いくつかの実施形態において、ラックユニットは、８つのケージ支持部材を有する。
【０１１７】
一般に、ケージマウント支持部材の長さは、ラックユニットの所望の又は前もって定義した幅、又はケージマウント支持部材に対して取り付けることができるケージの数に依存する。一般に、ケージマウント支持部材に取り付けることができるケージ数は、１〜２０個のケージ（例えば２、３、４、５、６、７、８、９、１０、１２、１３、１４、１５、１６、１７、１８、又は１９個のケージ）である。いくつかの実施形態において、ケージマウント支持部材に取り付けることができるケージの数は、８である。いくつかの実施形態において、ケージマウント支持部材に取り付けることができるケージの数は、５である。
【０１１８】
ケージマウント支持部材は、概して、上部面及び下部面、及び１以上の溝又はプレナムを含む。ケージマウント支持部材は、任意の適当な輪郭を有することができ、非限定的な例は、円柱状、楕円、及び矩形を含む。ケージマウント支持部材の上部及び下部面は、概して平面的また曲線状であり、時として、それらの面は、相互に（例えば直接又は間接的に）接合される、及び／又は連続している。いくつかの実施形態において、ケージマウント支持部材は、下部面に対して凸面の上部面により、及び上部面と下部面との間の円形の接合により、楕円又は半楕円である。いくつかの実施形態において、ケージマウント支持部材及びプレナム内部は、単一の構造である。
【０１１９】
ケージマウント支持部材の溝又はプレナムは、概して、プレナム間の実質的な空気の疎通を伴わずに、独立している。プレナムは、いくつかの実施形態において、実質的にケージ支持部材の長さに達する。いくつかの実施形態において、ケージマウント支持部材の１以上の壁（例えば、連続的に又は互いに取り付けられた部分）は、実質的にケージマウント支持部材の長さに達する第１の支持部材プレナム及び第２の支持部材プレナムを含む。プレナムは、概して、管状であり、任意の適当な輪郭を有することができ、それら輪郭の非限定的な例は、矩形、円柱状、楕円を含む。ケージマウント支持部材内部の、又はラック内の様々なケージマウント支持部材の中のプレナムは、同じ又は異なる輪郭を有することができる。いくつかの実施形態において、ケージマウント支持部材内の２つのプレナムの輪郭は、概して楕円である。プレナムは、任意の適当な数の壁を含むことができ、時として、ケージマウント支持部材の１以上の壁及び／又は同じケージマウント支持部材内の別のプレナムをもつ１以上の壁を共有する（例えば、隔壁を共有する）ことができる。いくつかの実施形態において、ケージマウント支持部材は、互いに分離され、かつ隔壁を共用しない２つのプレナムを含む。
【０１２０】
いくつかの実施形態におけるケージマウント支持部材は、側部部材に直接接することができる、又はコネクター（例えばスリーブ）を介して接続することができる。いくつかの実施形態において、ケージマウント支持部材と側部部材との交点に実質的に気密性のシールを設けるために、ケージマウント支持部材と側部部材との間にガスケットがある。ガスケットは、任意の適当な材料から製造することができ、いくつかの実施形態において、ガスケットは、シリコンゴムから製造することができる（ガスケット材の他の非限定的な例は、本明細書に記載される）。ケージマウント支持部材は、任意の適当な接続又はコネクターによって側部部材に固定又は取り付けられてもよく、非限定的な例は、ねじ切りされたコネクター（例えばスクリュー）、ピン、溶接部又は溶接部群、接着剤、又は摩擦によるものを含む。いくつかの実施形態において、１以上のスクリュー又はボルト（例えば、２、３、４、又は５個、又はそれ以上のスクリュー又はボルト）は、ケージマウント支持部材内の円柱状突起又は凹みに側部部材を通じて挿入される。
【０１２１】
ケージ支持部材は、概して、下部面の壁また壁群において１以上のケージ接続開口部のセットを有する。各ケージ接続開口部は、概して単一プレナムと接続する。いくつかの実施形態において、ケージ支持部材は、第１の支持部材プレナムと接続する第１のケージ接続開口部のセットと、第２の支持部材プレナムと接続する第２のケージ接続開口部のセットとを含む。ケージ接続開口部は、任意の適当な構成であり得る。いくつかの実施形態において、ケージ接続開口部は、ケージマウント支持部材の長辺（すなわち横軸）を横切って規則的に配置される。時として、第１のケージ支持体開口部のセットは、第２のケージ支持体開口部のセット配列される第２の軸と平行な軸に沿って配置される。いくつかの実施形態において、第１のケージ支持体開口部のセットは、第２のケージ接続開口部のセットが配列される第２の軸と平行な軸上に配置され、第１の開口部のセット内の開口部の各々は、第２の開口部のセット内の開口部からずらされる。概して、ケージ接続開口部の構成は、ケージカバーにおける突起部の構成と一致する。そのケージカバーもずらされる。その結果、ケージがラックの中に挿入されるとき、第１及び第の２ケージ接続開口部のセットと接触するケージ突起部接続組立体は、ケージカバーにおける突起部上に位置されて、その突起に接することができる。ケージマウント支持部材は、時として、約２〜約５０（例えば、４、６、８、１０、１２、１４、１６、１８、２０、２２、２４、２６、２８、３０、３２、３４、３６、３８、４０、４２、４４、４６、４８）個のケージ接続開口部を含む。いくつかの実施形態において、ケージ接続開口部のセットは、約４〜約１４個の開口部（例えば約８個の開口部）を含む。概して、ケージ接続開口部は、採用されたレートの空気の流れをケージ内に及びケージの外に供給するのに十分な任意の適当な形状及びサイズを有し、大抵の場合、断面において円形又は楕円形である。
【０１２２】
ケージマウント支持部材は、概して各プレナムのための端部開口部を含み、その端部開口部が側部部材に接続する場合、端部開口部はケージマウント支持部材の端部にある。いくつかの実施形態において、ケージ支持部材は、第１のプレナムと接続する第１の支持部材端部開口部のセットと、第２のプレナムと接続する第２の支持部材端部開口部のセットとを有する。支持部材端部開口部は、任意の適当な輪郭を有することができる。いくつかの実施形態において、支持部材端部開口部は、それが接続されるプレナムと同じ輪郭（例えば、楕円）を有する。時として、開口部は、プレナムの断面よりも小さく（例えば、プレナムの端部は壁を含み、端部開口部が壁内にある）、時として、プレナムの断面と実質的に同一の広がりをもつ（例えば、端部をカバーする壁はない）。
【０１２３】
いくつかの実施形態において、ケージマウント支持部材端部開口部は、各第１の支持部材プレナムが各第１の側部部材プレナムと有効に接続し、各第２の支持部材プレナムが各第２の側部部材プレナムと有効に接続するように、側部部材端部開口部と事実上接触する、又は空気の疎通をする。
【０１２４】
時として、ケージマウント支持部材は、溝を含み、時として、１以上の溝がプレナム間に配置される。溝は、任意の適当な輪郭を有することができる。いくつかの実施形態において、溝は、輪郭において実質的に長方形であって、２つのプレナムの壁の間にあり、通信媒体を収納することができる。いくつかの実施形態において、カバーは溝上にはまる。
【０１２５】
側部部材。側部部材は、概して１以上のケージマウント支持部材に接続される。いくつかの実施形態において、側部部材は、ラックシステムを通じて、及びラックシステム内に、及びラックシステムから外に空気を移動するためのプレナムを含み、側部部材は、概してケージマウント支持部材のための支持体を提供する。いくつかの実施形態において、２以上のケージマウント支持部材に対して実質的に垂直で、ケージマウント支持部材に接続された２つの側部部材がある。いくつかの実施形態において、側部部材及び支持部材は、ガスケット中間部材を介して直接及び／又は間接的に（例えば事実上）接続される。
【０１２６】
側部部材は、任意の適当な輪郭を有してもよく、それらの非限定的な例は、矩形、円柱状、楕円を含む。いくつかの実施形態において、側部部材の面は、実質的に矩形である。いくつかの実施形態において、側部部材は、１以上のケージ支持部材に接する水平内側表面と、円形の外部表面（例えば、外部表面は、内側表面に対して凸面である）とを含む。
【０１２７】
側部部材の高さは、大抵の場合、接続され得るケージマウント支持部材の数によって決定される（例えば列）。概して、約２〜約２０列（例えば２、３、４、５、６、７、８、９、１０、１１、１２、１３、１４、１５、１６、１７、１８、又は１９列）がある。いくつかの実施形態において、ラックユニット内に約１２列がある。いくつかの実施形態において、ラックユニット内に約８列がある。
【０１２８】
側部部材は、概して１以上の溝又はプレナムを含む。側部部材の溝又はプレナムは、概して、プレナム間の実質的な空気の疎通を伴わずに、独立している。プレナムは、大抵の場合、実質的に側部部材の全長に達する。いくつかの実施形態において、側部部材の１以上の壁（例えば、連続的に又は互いに取り付けられた部分）は、実質的に側部部材の長さに達する第１の側部部材プレナム及び第２の側部部材プレナムを含む。プレナムは、概して、管状であり、任意の適当な輪郭を有することができ、それら輪郭の非限定的な例は、矩形、円柱状、楕円を含む。１つの側部部材内又はラック内の側部部材中のプレナムは、同じ又は異なる輪郭を有してもよい。いくつかの実施形態において、側部部材内の２つのプレナムの断面は、実質的に矩形である。概して、側部部材内の第１の側部部材プレナム及び第２の側部部材プレナムは、端部開口部を有する。側部部材端部開口部は、任意の適当な輪郭を有することができる。いくつかの実施形態において、側部部材端部開口部は、それが接続され、かつ実質的に矩形であるプレナムと同じ輪郭を有する。時として、開口部は、プレナムの断面よりも小さく（例えば、プレナムの端部は、実質的に壁を含み、端部開口部は壁内にある）、時として、開口部は、プレナムの断面と実質的に同一の広がりをもつ（例えば、壁をカバーする端部はない）。
【０１２９】
側部部材は、概して、内側表面の壁また壁群の１以上の側部部材開口部のセットを有する。側部部材開口部は、大抵の場合、単一の側部部材プレナムと接続する。いくつかの実施形態において、各側部部材は、第１の側部部材開口部のセット及び第２の側部部材開口部のセットを含む。第１の側部部材開口部のセットの１以上の開口部は、大抵の場合、第１の側部部材プレナムと接続し、第１の支持部材端部開口部のセットの１以上の開口部と有効に接続する（例えば、空気の疎通をする）。第２の側部部材開口部のセットの１以上の開口部は、大抵の場合、第２の側部部材プレナムと接続し、第２の支持部材端部開口部のセットの１以上の開口部と有効に接続する（例えば、空気の疎通をする）。概して、側部部材開口部のセットは、約１〜２０個の開口部（例えば、２、３、４、５、６、７、８、９、１０、１１、１２、１３、１４、１５、１６、１７、１８、又は１９個の開口部）を含む。いくつかの実施形態において、側部部材開口部のセットは、１２個の開口部である。いくつかの実施形態において、側部部材開口部のセットは、８個の開口部である。いくつかの実施形態において、第１及び第２の側部部材開口部のセットは、互いに隣接し、側部部材の長さに沿って規則的に配置される。
【０１３０】
側部部材開口部は、任意の適当な輪郭を有することができる。いくつかの実施形態において、側部部材開口部は、それが接続される支持部材端部開口部と同じ輪郭を有する。いくつかの実施形態において、側部部材開口部は、楕円の輪郭を有する。
【０１３１】
側部部材は、時として、１以上の溝を含み、いくつかの実施形態において、１以上の溝は、プレナム間に配置される。溝は、任意の輪郭を有することができる。いくつかの実施形態において、溝は、実質的に矩形の輪郭を有し、２つのプレナムの壁の間にあり、通信媒体を収納するように適当に構成される。いくつかの実施形態において、側部部材は、溝と有効に接続する通信開口部を含む。概して、通信開口部は、第１の側部部材開口部と第２の側部部材開口部との間に配置される。通信開口部は、任意の適当な輪郭を有してもよい。いくつかの実施形態において、通信開口部は、実質的に矩形の輪郭を有する。通信開口部は、大抵の場合、ケージマウント支持部材内のプレナム間の溝と有効に接続する。
【０１３２】
いくつかの実施形態において、各側部部材は、側部部材の最上部にてエアコネクター板を含む。いくつかの実施形態において、エアコネクター板は、側部部材の上部面において端部開口部のうちの１つと有効に接続することができる開口部を有する。いくつかの実施形態において、側部部材に取り付けられたエアコネクター板は、側部部材の第１のプレナム（給気プレナム）の上部端上の開口部と有効に接続する開口部を有し、反対側の部材に取り付けられたエアコネクター板は、側部部材の第２のプレナム（排気プレナム）の上部端上の開口部と有効に接続する開口部を有する。エアコネクター板は、概して、接続する開口部を有しない側部部材内のプレナムを通じて事実上空気の流れをブロックする。すなわち、給気コネクター板は、それが取り付けられる面内の第２の側部部材プレナムを実質的に塞ぎ、排気コネクター板の側部部材板は、それが取り付けられる面内の第１の側部部材プレナムを実質的に塞ぐ。概して、給気コネクター板及び排気コネクター板は、逆向にある開口部を有する。いくつかの実施形態において、エアコネクター板は、モジュール送風器ユニット用のマウントとして機能する。いくつかの実施形態において、給気コネクター板、及び時として排気コネクター板は、以下に記載されるような回路基板ハブを含む。いくつかの実施形態において、エアコネクター板は、ガスケット中間部材を通じて側部部材の最上部に事実上（例えば、物理的及び／又は機能的に）接続される。いくつかの実施形態において、ガスケット中間部材（例えば、支持部材と側部部材との間、空気プレートコネクターと側部部材と間、同種のもの）は、シリコンフォームゴムを備える。及び、いくつかの実施形態において、シリコンフォームゴムは、３０ショアＡ等級を有する。いくつかの実施形態において、ガスケットのために使用されるシリコンフォームラバー材料は、約０．１００インチ〜約０．１５０インチの範囲、＋／−約０．０２０インチにある。いくつかの実施形態において、シリコンフォームラバーガスケット材料は、約０．１２５インチ、＋／−０．０２０インチである。
【０１３３】
いくつかの実施形態において、側部部材は、ケージ支持部材に接する側部部材の表面反対側の側部部材の外表面上にオプションのカバーを有する。概して、カバーは、実質的に側部部材の全長に達する。カバーは、ラックユニットを構成するのに適した任意の材料から製造することができる。ラックユニットを構成するために使用される材料の非限定的な例は、合金（例えば薄板金）、ポリマー、同様なもの、及び前述のものの組合せを含む。カバーは、側部部材内の溝内に収納される任意の通信媒体をカバーするために機能し、大抵の場合、化粧用の装備としての役割を果たす。
【０１３４】
いくつかの実施形態において、各側部部材は、ガスケット（例えばガスケット中間部材）と接する。ガスケットは、大抵の場合、第１及び第２のプレナムの形状と一致し、大抵の場合、それが接触する側部部材とトロリフレーム管との間の側部部材の底部に配置される。ガスケットは、概して、ラックシステムから空気が供給され排出されるときに、ラックシステムを封止するように機能する。ガスケットを、封止するのに適した任意の材料で作ることができ、非限定的な例は、シリコンゴムである（ガスケット材の他の非限定的な例は、本明細書に記載される）。
【０１３５】
ケージ設置組立体。１以上のケージが、ラックユニット上又はラックユニット内部に格納されてもよいし、ケージを格納するための任意の便利な構成を利用することもできる。ケージは、時として、ラックの表面上に配置され、一時的に格納される。ラックユニットは、時として、ラックユニットモジュール内に又はラック上に、１以上のケージを格納するために有用な１以上のケージ設置組立体を含む。
【０１３６】
ケージ設置組立体は、典型的にはケージマウント支持部材の下部面上に置かれる。ケージ設置組立体は、ケージマウント支持部材に関する任意の適当な方法で構成することができる。概して、ケージ設置組立体は、ケージを係合するのに適した任意の材料から構成されてもよく、非限定的な例は、プラスチックである。硬質プラスチックの非限定的な例は、ナイロン３０％のガラスを含み、軟質プラスチックの非限定的な例は、シリコンゴム及びシリコンゴム発泡体を含む。いくつかの実施形態において、ケージ設置組立体は、ケージマウント支持部材の下部面にケージ設置組立体の上部面を取り付けるように構成される。いくつかの実施形態において、ケージ設置組立体は、ケージ設置組立体の長辺が、それが取り付けられるケージマウント支持部材の長辺に対して垂直であるように、構成される。いくつかの実施形態において、ケージ設置組立体は、ケージマウント支持部材の横軸を横切って規則的に配置される。ケージ設置組立体は、任意の適当な接続又はコネクターによってケージマウント支持部材に固定又は取り付けられてもよいし、非限定的な例は、ねじ切りされたコネクター（例えばスクリュー）、ピン、接着剤、又は摩擦によるものを含んでもよい。いくつかの実施形態において、２つのねじ切り形成スクリューは、各ケージ設置組立体を通じてケージマウント支持部材に挿入される。
【０１３７】
ケージマウント支持部材を、概して１以上のケージ設置組立体、時として、約２〜約２０個のケージ設置組立体（例えば、約２、３、４、５、６、７、８、９、１０、１１、１２、１３、１４、１５、１６、１７、１８、又は１９個のケージ設置組立体）に取り付けることができる。いくつかの実施形態において、ケージマウント支持部材は、取り付けられた９つのケージ設置組立体を有する。
【０１３８】
対応するマウント部材は、時として、ケージの１以上の外表面上に配置され、ラックユニット上に配置されたケージ設置組立体と接続するのに適している。いくつかの実施形態において、ケージ設置組立体は、ケージ上又はケージ内の対応するフランジ又は溝を受け入れる、時として摺動可能に受け入れるのに適したガイドレールを備える。いくつかの実施形態において、ケージ設置組立体は、ケージ設置組立体の下部面上に置かれたガイドレールを含む。ガイドレールは、大抵の場合、軸と、ガイドレール軸の１つの側面上の第１の交差突出部と、ガイドレール軸の他の側面上の第２の交差突出部とを含む。交差突出部は、時として、断面において互いに斜めになり（すなわち、それらは断面において互いにずらされる）、時として、交差突出部は、連続している（すなわち、ずらされない）。交差突出部は、大抵の場合、ガイドレールの長さに達し、大抵の場合、ガイドレール軸に対して実質的に垂直である。いくつかの実施形態において、ケージの側面上のケージ底部口縁（例えばフランジ）は、第１のケージ設置組立体のガイドレールの第１の交差突出部に係合し、ケージの他の側面上のケージ底部口縁（例えばフランジ）は、第１のケージ設置組立体に隣接した第２のケージ設置組立体のガイドレールの交差突出部に係合し、その実施形態においては、２つの連続のガイドレールが単一のケージに係合する。いくつかの実施形態において、ケージは、ガイドレールからぶら下がり、ケージマウント支持部材の下で吊るされる。いくつかの実施形態において、ケージ下部フランジが隣接するケージ設置組立体のガイドレールの交差突出部と実質的に接触し、その上で静止しているとき、ケージは、ガイドレール上に適切に置かれる。
【０１３９】
ケージ設置組立体は、大抵の場合、通信媒体を収容する１以上の溝を含む。溝は、大抵の場合、実質的にケージ設置組立体の長さに達し、いくつかの実施形態において、溝は、ケージ設置組立体の端部にて端部開口部を有する。いくつかの実施形態において、溝は、通信媒体を収納する。いくつかの実施形態において、溝は、ＳＡＴＡケーブルを収納し、ＳＡＴＡケーブルを固定するレセプタクルを含む。
【０１４０】
ケージ設置組立体は、時として、ケージ設置組立体の前方端に取り付けられるリムーバブルなフロントモジュールを含む。概して、フロントモジュールの下方部は、ケージ設置組立体のガイドレールに接し、上方部分は、ケージ設置組立体の溝の開口部に接する。いくつかの実施形態において、フロントモジュールは、ケージ設置組立体のガイドレールとケージを係合するのを支援する傾斜状及び／又は曲線状の口縁を含む（例えば、口縁は、ケージがガイドレールと摺動可能に係合するのを容易にするための引き込み面として機能することができる）。フロントモジュールは、プラグであり得るし、又は、装置と、装置のために必要になる電子要素とを含むことができる。いくつかの実施形態において、フロントモジュール内の電子要素は、ケージ設置組立体内の通信媒体と接続する。いくつかの実施形態において、フロントモジュールは、ケージ読み取り器を含む。
【０１４１】
いくつかの実施形態を、図２２〜図３０、図５０、図５７〜図５８、図６０〜図６１、図６８〜図７１、図８０、図８３〜図８４、及び図８６〜図８７に示す。げっ歯動物の収容ケージラック５００は、いくつかの実施形態において、第１の側部部材５０４と第２の側部部材５０６との間に各々配置されて接続された複数のケージマウント支持部材５０２を含む。支持部材５０２は、いくつかの実施形態において、支持部材５０２の長さに実質的に達する第１の支持部材プレナム５０８及び第２の支持部材プレナム５１０を収納する壁また壁群５５０を含む。支持部材５０２は、また、いくつかの実施形態において、支持部材５０２の下部面５１６の壁また壁群内の第１のケージ接続開口部５１２のセット及び第２のケージ接続開口部５１４のセットを含む。いくつかの実施形態において、第１のケージ接続開口部５１２のセットの各開口部は、第１の支持部材プレナム５０８と接続し、第２のケージ接続開口部５１４のセットの各開口部は、第２の支持部材プレナム５１０と接続する。支持部材ケージ接続開口部５１２、５１４（図３１を参照）は、いくつかの実施形態において、支持部材５０２の横軸を横切って規則的に配置される。そして、いくつかの実施形態において、各開口部５１２、５１４は、ケージ突起部接続組立体８００、８００’内のノズル８３４を含む（図２２〜図２３、図３０、図３５、図５２〜図５４、図５９〜図６１、図６８〜図６９、図７３、及び図８５〜図８７を参照）。
【０１４２】
いくつかの実施形態において、支持部材５０２は、また、第１の支持部材プレナム５０８に接続する第１の支持部材端部開口部のセット５１８と、第２の支持部材プレナム５１０と接続する第２の支持部材端部開口部のセット５２０とを含み、端部開口部５１８、５２０の各々は、側部部材５０４、５０６に接続するそれぞれの支持部材５０２の端部にある。
【０１４３】
各側部部材５０４及び５０６は、いくつかの実施形態において、側部部材５０４、５０６の長さに実質的に達する第１の側部部材プレナム５２２及び第２の側部部材プレナム５２４を収納する壁また壁群５５１を含む。各側部部材５０４、５０６は、いくつかの実施形態において、側部部材５０４、５０６の壁また壁群内の第１の側部部材開口部のセット５２６及び第２の側部部材開口部のセット５２８を含む。第１の側部部材開口部のセット５２６の１以上の開口部は、第１の側部部材プレナム５２２と接続し、第１の支持部材端部開口部のセット５１８の１以上の開口部と有効に接続する。そして、第２の側部部材開口部のセット５２８の１以上の開口部は、第２の側部部材プレナム５２４と接続し、いくつかの実施形態において、第２の支持部材端部開口部のセット５２０の１以上の開口部と有効に接続する。
【０１４４】
いくつかの実施形態において、各第１の支持部材プレナム５０８は、各第１の側部部材プレナム５２２と有効に接続し、各第２の支持部材プレナム５１０は、各第２の側部部材プレナム５２４と有効に接続する。
【０１４５】
通信媒体。ケージラックユニットは、ラック内の情報形状位置を情報装置に送信するための１以上の通信媒体を含むことができる。情報装置は、情報を取得、処理、制御、送信、表示する、又はその任意の組合せの、任意の装置であり得る。情報装置の非限定的な例は、検出器、コントローラ、チップ、及びプリント回路を含む。通信媒体は、情報装置を接続するために使用される任意の媒体であり得る。通信媒体の非限定的な例は、ワイヤ、ケーブル、光ファイバ、及び無線通信媒体（例えば、ｗｉ−ｆｉ、ブルートゥース、任意の適当な８０２．１１通信規格、同種のもの、及びその組合せ）を含む。
【０１４６】
図２２〜図３０、図３５〜図３６、図５０、図５７〜図５８、図６８Ａ〜図６８Ｄ、図７２〜図７３、図８０、図８３〜図８４、及び図８６〜図８７を参照すると、それぞれの支持部材５０２は、いくつかの実施形態において、通信媒体５３６を収納するのに適した溝５４０を含む。支持部材５０２の溝５４０は、いくつかの実施形態において、第１の支持部材プレナム５０８と第２の支持部材プレナム５１０との間に配置される。各側部部材は、いくつかの実施形態において、通信媒体５３８を収納するのに適した溝５４２を含む。側部部材５０４、５０６溝の５４２は、いくつかの実施形態において、第１の側部部材プレナム５２２と第２の側部部材プレナム５２４との間に配置される。支持部材５０２及び側部部材５０４、５０６は、いくつかの実施形態において、１以上の通信媒体５３６、５３８を各々含む。溝５４０、５４２は、いくつかの実施形態において、通信媒体５３６、５３８をそれぞれ収納する。各側部部材５０４及び５０６は、また、いくつかの実施形態において、複数の側部部材通信開口部５４３（図３４を参照）を含む。支持部材の通信媒体５３６は、いくつかの実施形態において、側部部材の通信媒体５３８と有効に通信する。側部部材５０４、５０６から側部部材の通信開口部５４３を通じて支持部材通信溝５４０までの通信媒体５３８の経路は、支持部材の通信媒体５３６と側部部材の通信媒体５３８との間の事実上の接続及び／又は通信を可能にする。
【０１４７】
いくつかの実施形態において、通信媒体５３６、５３８は、両端のメスレセプタクルとともに、長さ１６インチ（１６”）の外部シリアルアドバンストテクノロジーアタッチメント（例えばｅＳＡＴＡ）ケーブルを含む。通信媒体５３６、５３８は、また、いくつかの実施形態において、出力ケージ読み取り機器に使用される。側部部材５０４、５０６の最上部に配置された回路基板ハブ９００によって、回路基板ｅＳＡＴＡケーブルレセプタクル９１２に電力を供給する。最初の通信媒体５３８は、回路基板ハブ９００内のｅＳＡＴＡケーブルレセプタクル９１２に接続され、側部部材５０４、５０６の溝５４２に配置される。最初の通信媒体５３８の第２のｅＳＡＴＡレセプタクル９１２は、ラック回路基板ハブ９００の直下の最上部支持部材５０２内の第１のケージ設置組立体５３０に固定される。電力は、支持部材５０２内の溝５４０に配置され、かつケージ設置組立体５３０に固定された通信媒体５３６、５３８の事実上の接続を介して、列にわたって分散される。２つの独立した通信媒体５３６、５３８からの１つのレセプタクルは、各ケージ設置組立体５３０に固定される。動力は、隣接する側部部材５０４、５０６内の溝５４０、５４２に配置されて、かつ１つの支持部材５０２の端部に固定された通信媒体５３８の１つのレセプタクルをもつケージラック５００を通じて分散され、同じ通信媒体５３６、５３８の第２のレセプタクルは、支持部材５０２内のケージ設置組立体５３０直下に固定される。最後のレセプタクル９１２が底部支持部材５０２における最終のケージガイド組立体に固定されるまで、通信媒体５３６、５３８は、同じ方式で、ケージラック５００の支持部材５０２及び側部部材５０４、５０６を通じて分散される。本明細書で言及したように、ケージ読み取り器５６４と回路ボードハブ９００と間の通信、ラックマウント方式コントローラ及び回路ボードハブ９００、及び回路ボードハブ及びモジュール送風器システムは、また、いくつかの実施形態において、有線又は無線通信媒体又はシステムを利用することを達成し得る。無線通信媒体を利用するケージラック５００の実施形態において、有線通信媒体５３６、５３８は、ケージラック製造の間に、必要に応じて取り外される、又は、備え付けられない。
【０１４８】
図２２〜図３０、図３５、図５０、図５７〜図５８、図６０〜図６１、図６８〜図６９、図７３、及び図８３〜図８７を参照すると、げっ歯動物の収容ケージラック５００は、また、いくつかの実施形態において、それぞれの支持部材５０２の底面５１６上の複数のケージ設置組立体５３０、５３０’を含む。図２２〜図２３、図３５〜図３６、図５６〜図６１、図６８〜図６９、図７３、及び図８３〜図８７を参照すると、げっ歯動物の収容ケージラック５００は、また、それぞれの支持部材５０２の底部又は下部面５１６上の複数のケージ設置組立体５３０、５３０’を含む。いくつかの実施形態において、ケージ設置組立体５３０、５３０’は、ケージ取り付けガイドレール５５２、ケージ取り付けガイドレール軸５５４、ケージ取り付けガイドレール交差突出部５５６、５５７、通信媒体のためのケージマウント溝５５８、ケージ設置組立体上部面５６０、ケージ設置組立体フロントモジュール５６２（例えば、ケージマウントフロントモジュールのケージ読み取り器５６４、ケージマウントフロントモジュールプラグ５６６）、ケージマウントフロントモジュール傾斜口縁５６８、及び／又はケージマウントフロントモジュールレセプタクル５６９を更に含む。更に、ケージ設置組立体５３０’は、ケージ取り付けガイドレール栓５５３を含む。各ケージ設置組立体５３０、５３０’は、通信媒体５３６、５３８を収納するのに適した溝５５８を有する。支持部材５０２内の通信媒体５３６、５３８は、ケージ設置組立体５３０、５３０’内の通信媒体５３６、５３８と通信する。
【０１４９】
図２４〜図３０、図３５、及び図７０〜図７１を参照すると、げっ歯動物の収容ケージラック５００は、トロリ組立体５７０を更に含み、そのトロリ組立体は、トロリフレーム管５７２と、トロリ板マウント５７４と、キャスタ（例えば、回転スピンドルと接続する車輪又は車輪群）５７６とを更に含む。ケージラック５００は、また、コントローラサイドマウント５８２を含み、いくつかの実施形態において、また、上部搭載コントローラ５８０を含む。いくつかの実施形態において、ケージラックは、図２５及び図２７に示すような単一ユニット、又は図２４、図２６、及び図２８に示すような２ラックユニットであり得る。
【０１５０】
図２２Ａ〜図２２Ｄ及び図６８Ａ〜図６８Ｄに表現するように、ケージ２０は、ケージラック５００のケージ設置組立体５３０、５３０’の中に挿入されてもよい。その結果、ケージガイド組立体は、ケージマウントガイド（例えば、レール軸５５４、交差突出部５５６、５５７）を含み、ケージの一部は、ラックの中に挿入されるように接する。ケージ設置組立体５３０’において、ケージが、ラックの中に十分に挿入されるケージの中に十分に挿入されるとき、ケージの一部は、ケージマウントガイド栓５５３に接する。図６１図Ａ〜図６１Ｂ及び図８７Ａ〜図８７Ｂは、支持部材５０２の下部面５１６と事実上接触するケージマウントガイド組立体５３０、５３０’と、支持部材の通信媒体溝５４０と、ケージ取り付けレールガイド交差突出部５５６、５５７と、ケージ取り付けフロントモジュール５６２（例えば、ケージマウントフロントモジュール読み取り器５６４、ケージマウントフロントモジュールプラグ５６６）と、ケージ突起部接続組立体８００、８００’とを含む支持部材５０２の底面図を示す。読み取り器５６４、５６４’又はモジュールプラグ５６６は、通信媒体５３６、５３８（例えば読み取り器５６４）に機能的に接続するために、又はオープンケージガイド取り付け組立体５３０、５３０’の前面を閉じるために、フロントモジュールレセプタクル５６９に挿入される。
【０１５１】
通信媒体５３６、５３８を伴わない、いくつかのケージラックの実施形態において、ケージ読み取り器プラグ５６６は、フロントモジュールレセプタクル５６９をカバーするのに使用されてもよい。図５６〜図５９及び図６３は、ケージ読み取り器プラグ５６６を示す。図５６及び図５７は、フロントモジュールレセプタクル５６９の中に挿入されるケージ読み取り器プラグ５６６を示す。図５６は、支持部材５０２の下部面と事実上に接続するケージ設置組立体５３０を示す、部分断面輪郭図である。図５７は、プレナム５０８の付加的な断面図とともに、支持部材５０２のアイソメトリック断面図である。図５８及び図５９は、ケージ設置組立体５２０に係合されたケージ２０の透視部分断面図及び断面部分輪郭図であって、更に、フロントモジュールレセプタクル５６９に係合されたケージ読み取り器プラグを示す。図６３は、読み取り器プラグ５６６のアイソメトリック図である。ケージ読み取り器プラグ５６６は、ケージ取り付けガイドレール軸５５４と、ケージ取り付けガイドレール交差突出部５５６、５５７と、ケージマウントフロントモジュール傾斜口縁５６８とを含む。
【０１５２】
図６０Ａ〜図６０Ｃ及び図８６Ａ〜図８６Ｃは、ガイドレール軸５５４及びガイドレール交差突出部５５６、５５７を介してケージ設置組立体に係合された２つの独立したケージ２０の状況を知らせることができる、３つの隣接する読み取り器５６４、５６４’を含む支持部材５２０の部分断面アイソメトリック斜視図を示す。図８６Ａ〜図８６Ｃに示された実施形態は、ケージ２０がどのくらいまでラック５００の中に挿入され得るのかについて限界を定めるように機能するケージ取り付けガイドレール栓５５３を示す。また、支持部材５０２内の通信媒体５３６、５３８を収納する通信媒体溝５４０が示される。ケージ設置組立体上部面は、フロントモジュールレセプタクル５５９までの通信媒体５３８、５３８の経路のための溝５５８（図示せず）を含む。支持部材５０２及び側部部材５０４、５０６を通じた通信媒体５３６及び５３８の経路が、本明細書に記載される。図６０Ａ〜図６０Ｃ及び図８６Ａ〜図８６Ｃは、フロントモジュールレセプタクル５５９の中に挿入されるケージ読み取り器５６４、５６４’を図示する。
【０１５３】
ケージマウントフロントモジュールケージ読み取り器５６４、５６４’は、フロントモジュールレセプタクル５６９への挿入を介して、通信媒体５３６、５３８と有効に接続するとき、ケージラック５００を通じて連続通信媒体を形成する２つの通信プラグ５５９（図６２及び図８８を参照）を含む。ケージマウントフロントモジュールケージ読み取り器５６４、５６４’は、また、ケージの挿入状況を示すための読み取り器発光ダイオード（例えばＬＥＤの）５６５を含む。ＬＥＤ５６５は、読み取り器の実施形態５６４’において、実質的に封止する透光性カバーによってカバーされる。
【０１５４】
モジュール送風器システム。モジュール送風器システムは、概して、給気システム又は排気システムのいずれかである。いくつかの実施形態において、モジュール送風器システムは、１つのモジュールから別のモジュールに空気を連続して移動することができるように、直列に積層又は接続された、２以上の独立した組立体を含む。いくつかの実施形態において、モジュール送風器システムは、１つのモジュールから別のモジュールに空気を連続して移動することができるように、直列に積層又は接続された、３つ以上の独立した組立体（すなわち、独立したモジュール）を含む。モジュール及び組立体は、垂直又は水平に積層されてもよい。送風器のモジュールが積層されるとき、２以上又はすべてのモジュールの側壁は、大抵の場合連続している。送風器のモジュールが積層されるとき、２以上又はすべてのモジュールの縁部は、大抵の場合連続している。
【０１５５】
いくつかの実施形態において、送風器システムは、例えば、１以上の吸気ユニット、１以上の排気ユニット、１以上のフィルターユニット、及び／又は１以上のファンユニットなどの１ユニット以上の同一の形式を各々含む１以上のモジュールを含むことができる。モジュールは、任意の適当な数のユニットを有することができ、いくつかの実施形態において、モジュールは、適当な組合せにおける約１〜約２０個のユニット（例えば、２、３、４、５、６、７、８、９、１０、１１、１２、１３、１４、１５、１６、１７、１８、又は１９個のユニット）を備えることができる。モジュールが２ユニット以上の特定のユニット型（例えばファンユニット）を含んでいる場合には、特定の型のユニットに互いに直接接続することができるし、及び／又は特定の型のユニット間に配置された１以上の他の型のユニットがあり得る。いくつかの実施形態において、特定の型の複合ユニットは、モジュール内に並列又は直列で配置されることができる。いくつかの実施形態において、モジュールは、２以上のフィルターユニットに取り付けられた２以上のファンユニットを含むことができる。いくつかの実施形態において、モジュールは、直列又は並列の２以上（例えば、２、３、４、５、６、７、８、９、１０）のファンユニット及び／又は直列又は並列の２以上（例えば、２、３、４、５、６、７、８、９、１０）のフィルターユニットを含むことができる。いくつかの実施形態において、送風器内の複数のモジュールは、１以上の型のユニットを含むことができる。例えば、２つのモジュールの各々は、ファンユニット及びフィルターユニットを含むことができ、モジュールは、送風器においてユニットを、以下の順序のように組み立てることができる。すなわち、ファンユニット〜フィルターユニット〜ファンユニット〜フィルターユニットである。
【０１５６】
いくつかの実施形態において、モジュール送風器システムは、吸気又は排気ユニットと、ファンユニットと、フィルターユニットとを含むモジュールを含む。いくつかの実施形態において、モジュール送風器は、ファンユニットとフィルターユニットとを含むモジュールを含む。吸気ユニットは、概して１以上のプレフィルターを含む。プレフィルターは、概して、大気中の大粒子を取り込むことができる任意の材料で作ることができ、非限定的な例は、連続気泡発泡体である。いくつかの実施形態において、プレフィルターは、吸気ユニットの最上部にある。いくつかの実施形態において、吸気ユニットは、ファンユニットによって発せられた音を低減するためのバッフルとして機能するように構成された任意の適当な材料を含むことができる。バッフル材料の非限定的な例は、ＡＢＳプラスチックである。
【０１５７】
排気ユニットは、モジュール送風器システムの外に空気を方向づける。いくつかの実施形態において、排気ユニットは、空気が排気ユニットを通じて出ることができる排気ユニットと気流接続する排気口構造を含む。排気口構造は、排気ユニットの外に排気を方向づけるのに適した任意の形状であり得る。排気口構造は、概して、管状であり、任意の適当な輪郭を有することができ、それら輪郭の非限定的な例は、矩形、円柱状、楕円を含む。いくつかの実施形態において、排気口構造は、排気ユニットの側壁に接続される。いくつかの実施形態において、排気口構造は、ユニットの側壁に対して垂直である。いくつかの実施形態において、排気が直近の周囲に入らないように、排気口構造は、真空システムに取り付けられる。いくつかの実施形態において、真空システムは、ＨＶＡＣシステムである。いくつかの実施形態において、排気ユニットは、ファンユニットによって発せられた音を低減するためのバッフルとして機能するように構成された任意の適当な材料を含むことができる。
【０１５８】
ファンユニットは、概して、１以上のファンを含む。いくつかの実施形態において、ファンの１以上は逆回転である。いくつかの実施形態において、各ファンは、ラックシステムにおける給気プレナムを通じて高気圧にて空気を送り出す。いくつかの実施形態において、各ファンは、システム（給気）内に空気を送風するように配置され、又は、各ファンは、システム（排気）から外へ空気を吸い込むように逆向きに配置される。いくつかの実施形態において、ファンユニットの底部とファンユニットが接続されるユニットとの間にガスケットがある。ファンユニットが接続されるユニットは、典型的にはフィルターユニットである。
【０１５９】
フィルターユニットは、概して任意の型のエアフイルタを含むことができ、非限定的な例は、ＨＥＰＡフィルター及びチャコールフィルタを含む。いくつかの実施形態において、フィルターは、ＨＥＰＡフィルターである。いくつかの実施形態において、フィルターは、ＨＥＰＡフィルターと、典型的にはＨＥＰＡの上流のプレフィルターとを含む（排気は、まずプレフィルターに接し、その後ＨＥＰＡフィルターに接する）。いくつかの実施形態において、フィルターユニットは、側部部材内の第１のプレナム又は第２のプレナムの中に空気の流れを方向づける空気溝を含む。いくつかの実施形態において、フィルターユニットは、送風器圧力制御ボード（ｐｃｂ）と機能的に結合するためにユニットの底に圧力センサポートを含む。
【０１６０】
いくつかの実施形態において、フィルターユニットは、送風器ベースに取り付けられる。送風器ベースは、概して、送風器モジュールのための支持体を備え、ファン又はファン群が有効に通信する送風器圧力制御ボードを収容する。一般に、圧力制御ボードは、圧力センサを含む。圧力センサは、典型的には、ＨＥＰＡフィルターの下流のシステムと雰囲気圧と間の差圧を測定する。雰囲気圧は、典型的には送風器ベース内においてポートから測定される。いくつかの実施形態において、送風器ベースは、送風器制御回路ボード（例えば、送風器制御盤又は送風器コントローラ）に事実上及び／又は物理的に接続する。
【０１６１】
いくつかの実施形態において、モジュール送風器システムは、取入れ口ユニットと、ファンユニットと、フィルターユニットとを含む給気システムである。いくつかの実施形態において、環境空気は、まず取入れ口ユニットに入り、プレフィルターを通過し、ファンユニットまで移動し、その後フィルターユニットを通過し、モジュール送風器システムを抜け出る。いくつかの実施形態において、空気は、垂直に配置された組立体内の取入れ口ユニットの最上部に入る。いくつかの実施形態において、モジュール送風器システムは、ラックシステムと接続し、モジュール送風器システムを抜け出た空気は、第１の側部部材プレナム又は給気プレナムに入る。いくつかの実施形態において、モジュール送風器システムは、側部部材の最上部上のラックシステムに取り付けられる。いくつかの実施形態において、モジュール送風器システムは、ラックユニットに取り付けられた給気コネクター板に取り付けられた送風器ベースによって、ラックシステムに取り付けられる。
【０１６２】
いくつかの実施形態において、モジュール送風器システムは、排気システムであって、排気ユニットと、ファンユニットと、フィルターユニットとを含む。いくつかの実施形態において、空気は、まずフィルターユニットに入と、ファンユニットを通過し、その後モジュール送風器システムを抜け出るために排気ユニットを通過する。いくつかの実施形態において、フィルターユニットは、ＨＥＰＡフィルターとプレフィルターとを含む。いくつかの実施形態において、モジュール送風器システムは、ラックシステムと接続し、空気は、第２の側部部材プレナム（排気プレナム）からフィルターユニットの中へとモジュール送風器システムに入る。いくつかの実施形態において、モジュール送風器システムは、側部部材の最上部上のラックシステムに取り付けられる。いくつかの実施形態において、モジュール送風器システムは、ラックユニットに取り付けられた排気コネクター板に取り付けられた送風器ベースによって、ラックシステムに取り付けられる。
【０１６３】
いくつかの実施形態において、給気モジュール送風器システム及び排気モジュール送風器システムは、ラックシステムに取り付けられ、給気モジュール送風器システムは、側部部材の最上部上に取り付けられ、排気モジュール送風器システムは、反対側の部材の最上部上に取り付けられる。
【０１６４】
いくつかの実施形態において、モジュール送風器システムは、付加的なファンユニット及びフィルターユニットを含む、いくつかの追加された追加モジュールを有することができる。一般に、これらモジュール方式は、モジュールの終了セットに、任意の順序で追加することができる。
【０１６５】
給気送風器システムは、互いに実質的に鏡像である左右の向きに構成されることができる。吸気ユニット及びファンユニットは、同一である。フィルターユニット、ベース、及びエアコネクター板は、左右の向きを有する。排気送風器システムは、互いに実質的に鏡像である左右の向きに構成されることができる。排気ユニット及びファンユニットは、同一である。フィルターユニット、ベース、及びエアコネクター板は、左右の向きを有する。一般に、取り付けられた送風器システムを有する単一のラックユニットに対して、右向きの給気送風器システムは、一方の側部部材上に配置され、反対側の部材上に配置された右向きの排気送風器。典型的には、取り付けられた送風器システムを有するトロリ組立体に取り付けられた２つのラックユニットに対して、右向きの給気送風器システムは、第１のラックユニットの一方の側部部材上に配置され、左向きの給気送風器は、第２のラックユニットの隣接する側部部材上に配置される。２つのラックの反対側の部材は、第１のラックユニット上に配置された右向き排気送風器と、第２のラックユニット上に配置された左向き排気送風器とを有する。
【０１６６】
いくつかの実施形態において、モジュール送風器は、電源に接続される。いくつかの実施形態において、電力は、電源から第１のモジュール送風器ユニットに、第１のモジュール送風器ユニットから第２のモジュール送風器ユニットに配給される。第１のモジュール送風器ユニットは、排気ユニット又は給気ユニットであり得る。いくつかの実施形態において、２つのラックシステムに対して、電力は、各ラックシステム上の電源から第１のモジュール送風器ユニットに、その後、各ラックシステム上の第１のモジュール送風器ユニットから同じラックシステム上の第２のモジュール送風器に配給される。第１のモジュール送風器ユニットは、排気ユニット又は給気ユニットであり得る。いくつかの実施形態において、第１のモジュール送風器ユニットは、排気送風器ユニットであり、第２のモジュール送風器ユニットは、給気送風器ユニットである。
【０１６７】
各送風器ユニットは、排気、気流、及びフィルターの作用を可能にする適当な形状である。送風器ユニット本体の非限定的な例は、平行な面、１以上の斜面、勾配及び／又は薄片を備える管状構成を含む。送風器ユニット本体の断面の非限定的な例は、円形、楕円形、矩形、正方形、菱形、矩形の変形、斜面を有する正方形及び菱形の形状、湾曲縁、曲線状の隅角部、及び斜面、同種のもの、及び前述のものの組合せを含む。各送風器ユニットは、１以上の適当な材料から構成され、その非限定的な例は、ポリマー（例えば、ポリプロピレン（ＰＰ）、ポリエチレン（ＰＥ）、高密度ポリエチレン、低密度ポリエチレン、ポリエチレンｔｅｒａｐｈｔｈａｌａｔｅ（ＰＥＴ）、ポリ塩化ビニル（ＰＶＣ）、ポリエチレンフルオロエチレン（ＰＥＦＥ）、ポリスチレン（ＰＳ）、高密度ｐｏｌｙｓｔｒｙｒｅｎｅ、ａｃｒｙｌｎｉｔｒｉｌｅブタジエンスチレン（ＡＢＳ）共重合体、及び同種のもの、及びその適用可能で再利用可能な種類）、金属（例えば、鋼材、アルミニウム、他の金属又は合金）、及び同様のもの、及びその組合せを含む。いくつかの実施形態において、各ユニットは、時として、ファスナーを伴わないで（例えば、実質的にルーズな嵌合又は摩擦嵌合によって）、ハーネス、又は１以上のファスナーによって隣接するユニットに接続される。ファスナーの非限定的な例は、可逆的なもの、非可逆的なもの、ねじ切りされたもの、ねじ切りされていないもの、曲がるもの、曲がらないもの、締りばめ、及び雌雄ファスナー、その他同種のもの、及び前述のものの組合せを含む。ファスナーは、送風器ユニットの任意の適当な表面の内又は上に配置されてもよく、内部又は外表面の上又は内に配置されてもよい。送風器組立体は、隣接ユニットの１以上セット間の１以上のコネクターを含んでもよい。いくつかの実施形態におけるコネクターは、軟質、半軟質、実質的に軟質、変形可能、なかば変形可能、実質的に変形可能、剛性、実質的に剛性、又は半剛性であり得る。いくつかの実施形態において、コネクターは、隣接ユニット間のシールとして機能してもよい。コネクターは、時として、１つのユニットの１以上の縁部をカバーするスリーブである。いくつかの実施形態において、コネクターは、ガスケットである。
【０１６８】
いくつかの実施形態において、送風器ユニットを、ラックユニットから取り外すことができ、再び取り付けることができる。例えば、ラックユニットが、洗浄又はオートクレーブ滅菌される場合、送風器ユニットは、洗浄又はオートクレーブ滅菌前に取り外され、その後、再び取り付けられてもよい。
【０１６９】
いくつかの実施形態を図２６〜図３０、図３７〜図４６、及び図７４に示す。モジュール送風器システム６００、７００は、いくつかの実施形態において、独立したモジュールを含み、それらのモジュールは、吸気ユニット６０２又は排気ユニット７０２と、ファンユニット６０４、７０４と、フィルターユニット６０６、６０７、７０６、７０７とを含む。給気フィルターユニット６０６、６０７は、空気溝６２３、６２４の向きの点で異なる。排気フィルターユニット７０６、７０７は、空気溝７２３、７２４の向きの点で異なる。
【０１７０】
いくつかの実施形態において、モジュールは、直列に積層される。いくつかの実施形態において、モジュールは、垂直に積層され（図２６〜図３０、図３７〜図３９、及び図７４を参照）、いくつかの実施形態において、モジュールは、水平に積層される（図示せず）。いくつかの実施形態において、ユニットが積層されるとき、モジュール方式の給気送風器６００の縁部６０８は、大抵の場合連続しており、いくつかの実施形態において、モジュールユニットが積層されるとき、給気送風器の側壁６１０は、大抵の場合連続している。いくつかの実施形態において、ユニットが積層されるとき、モジュール方式の排気送風器７００の縁部７０８は、大抵の場合連続しており、いくつかの実施形態において、モジュールユニットが積層されるとき、排気送風器の側壁７１０は、大抵の場合連続している。
【０１７１】
モジュール方式の給気送風器６００は、いくつかの実施形態において、吸気ユニット６０２を含み、いくつかの実施形態において、吸気ユニット６０２は、プレフィルター６１２及びバッフル６０３を含む。吸気ユニット６０２は、ファンユニット６０４に接続され、ファンユニット６０４は、いくつかの実施形態において、フィルターユニット６０６、６０７に接続される。フィルターユニット６０６、６０７は、いくつかの実施形態において、高性能微粒子の空気（例えばＨＥＰＡ）フィルター６１４を含む。
【０１７２】
モジュール方式の排気送風器７００は、いくつかの実施形態において、排気ユニット７０２を含み、ある実施形態において、排気ユニット７０２は、送風器７００の側壁７１０に取り付けられた排気口コネクター（例えば、排気口構成）７１２を含む。いくつかの実施形態において、排気口コネクター７１２は、排気ユニット７０２の側壁７１０に対して垂直である。いくつかの実施形態において、排気ユニット７０２は、ファンユニット７０４に接続され、ファンユニット７０４は、フィルターユニット７０６、７０７に接続される。フィルターユニット７０６、７０７は、いくつかの実施形態において、ＨＥＰＡフィルター７１４及び圧力センサポート６１６、７１６を含む。いくつかの実施形態において、フィルターユニット７０６、７０７は、ＨＥＰＡフィルター７１４の上流にプレフィルター７２６（図示せず）を含む。
【０１７３】
モジュール送風器システム６００、７００は、ベース６２０、６２１（給気）及び７２０、７２１（排気）を含む。ベース６２０、６２１、７２０、７２１は、フィルターユニット６０６、６０７、７０６、７０７を摺動的に係合するようにそれぞれ構成され、いくつかの実施形態において、空気溝口の配置及び圧の監視のための電子機器の配置の点で互いに異なる。いくつかの実施形態において、ベース６２０、６２１、７２０、７２１は、また、積層支持突起部６２２、７２２を含み。積層支持突起部６２２、７２２は、摺動的にエアコネクター板５８４、５８６を介してケージラック５００に送風器６００、７００を取り付け固定するエアコネクター板を送風器支持体の円柱状突起５９０に係合するように構成される。いくつかの実施形態において、ベース７２０、７２１は、また、安定化コネクター７２７を含む。安定化コネクター７２７は、ラック５００上の１以上のコネクターと機能的に関連するように構成され、それによって送風器７００を固定及び安定化する。いくつかの実施形態において、安定化コネクター７２７は、どれが送風器のスタンド取付金具をブラッケットで支えるために２つのくぼみを含む。いくつかの実施形態において、安定化コネクター７２７は、振動を低減又は除去することを支援し、いくつかの実施形態において、安定化コネクター７２７は、ガスケット中間部材の振動を低減又は除去することを支援する。理論に限定されずに、安定化コネクター７２７は、送風器の動作の間の横への運動を最小限にすることにより、振動を低減又は除去することを支援してもよい。
【０１７４】
送風器６００、７００上のモジュール送風器ユニット６０２、７０２、６０４、７０４、６０６、６０７、７０６、７０７は、４つの長ビスを用いて接合される。ねじ頭は、吸気ユニット６０２及び／又は排気ユニット７０２内に保持される。スクリューは、ファンユニット６０４，７０４を通過し、フィルターユニット６０６、６０７、７０６、７０７、及びベース６２０、６２１、７２０、７２１内の真鍮でねじ切りされたインサートの中に固定される。ガスケットは、各モジュール送風器ユニット間で利用され、組み立てられたユニット間の気密性のシールを生成するためにスクリューをきつく締めると、そのガスケットが圧縮される。送風器ベース６２０、６２１、７２０、７２１は、４つのスクリューによって、ＨＥＰＡフィルターフィルターユニット６１４、７１４の底部上に固定される。モジュール送風器システム６００、７００は、エアコネクター板５８４、５８６の前面上に配置された２つの金属エアコネクター板の装着ピン５８８と、エアコネクター板５８４、５８６の裏にある大型のプラスチック円柱状突起又は突起部５９０とを用いて、ケージラック５００の最上部上でケージの電子機器と嵌合するために適切に整列する。ピン５８８及び円柱状突起５９０は、エアコネクター板５８４、５８６の一部として含まれ、エアコネクター板５８４、５８６は、ラックに取り付けられる。いくつかの実施形態において、モジュール送風器システム７００は、エアコネクター板５８４、５８６の前面上に配置された２つの金属エアコネクター板装着ピン５８８’（図７４を参照）を用いて、ケージラック５００の最上部上でケージの電子機器に嵌合するために適切に配列される。装着ピンは、いくつかの実施形態において、金属又は他の適当な材料であり得る。金属エアコネクター板装着ピン５８８’を備える実施形態は、時として、エアコネクター板５８４、５８６の裏に配置されたプラスチックの円柱状突起や突起部５９０を含まない。いくつかの実施形態において、ピン５８８’は、エアコネクター板５８４、５８６の一部として含まれ、エアコネクター板５８４、５８６は、ラックに取り付けられる。
【０１７５】
ピン５８８’及び／又はピン５８８及び円柱状突起又は突起部５９０を利用する送風器６００、７００の配列は、送風器（図示せず）上のブラインドメイトコネクターの係合に先立ってケージラック５００のエアコネクター板５８４、５８６に対する送風器６００、７００の適切な取り付けを可能にし、送風器６００、７００は、ラックマウント方式回路基板ハブ９００上のブラインドメイトコネクター９０８と接触するようになる。送風器６００、７００及びエアコネクター板５８４、５８６の適切な配列は、係合されたときにコネクターに損害を与えないように保証する。
【０１７６】
ピン５８８’、５８８は、また、送風器６００、７００用のロック機能として機能する。送風器６００、７００が、ピン５８８’、５８８上に引き下げられるとき、バネ荷重コネクター６１８、７１８自身が湾曲しない位置に戻って、ピン５８８の刻み目を係合するとき、ピンは、所定の位置に送風器を固定する１セットのスプリングプランジャ（例えば、バネ荷重コネクター）６１８、７１８を湾曲させる。スプリングプランジャ６１８、７１８は、ＨＥＰＡフィルターフィルターユニット６１４、７１４内に収容される。ピン５８８’は、同一でないことによって適切な配向を可能にするように構成され、それにより、ピンがモジュール送風器システムベースの適正な取り付け穴に沿って配列される場合、嵌合のみが生じ得る。
【０１７７】
図２６〜図３０、及び図３７を参照すると、モジュール送風器システム６００、７００は、電源７４０によって電力を供給される。概略接続図を図３７に示す。電源供給ケーブル７４２は、いくつかの実施形態において、電源７４０から排気送風器７００と有効に接続する回路基板ハブ９００に、及び排気送風器７００と有効に接続する回路基板ハブ９００から給気送風器６００と有効に接続する回路基板ハブ９００に、経路を選択される。図３７は、２重ラック用の接続を概略的に図示する。単一ラック用の接続は、第２の送風器のセットに対するケーブル７４２を省く。各電源供給ケーブルは、電力のための４つの１６ゲージ（例えば１６ＧＡ）ワイヤと、通信のための２つの２２ＧＡのワイヤを含む。電源供給ケーブル７４２は、ラック５００の末端の２つの送風器に動力を供給する。これらのケーブルは、ラック５００の回路基板ハブ９００上の電源供給ボックスからドイチェ・レセプタクル９０６に経路選択される。電力は、最上部の支持体部材５０２の溝５４０内に配置される２つの１４ＧＡの１セットのワイヤを通じてケージラック５００の他方の端部の送風器７００から送風器６００に対して配給される。いくつかの実施形態において、ケーブル７４２は、耐熱性及び／又は動作（例えば、オートクレーブ滅菌することができる、高温で使用することができる、及び同種のもの）用に構成され、いくつかの実施形態において、ケーブル７４２は、耐熱性及び／又は動作用には構成されない。ケーブルがオートクレーブ滅菌されるように構成されるいくつかの実施形態において、電子機器、ワイヤリング又は電子機器、及びワイヤリングは、湿気暴露を最小限に又は省くために、封止又は密閉される。いくつかの実施形態において、側面及び／又は支持部材内の通信溝は、湿気に対する通信媒体の露出を最小限に又は省くように構成される。いくつかの実施形態において、２２ＧＡの通信線は、１４ＧＡのワイヤと同じ溝を用いて延長される。
【０１７８】
空気の流れ。概して、空気は、ラックシステムを通じて給気送風器から側部部材内の第１のプレナム及びケージ支持部材内の第１のプレナムまで、第１のケージ接続開口部のセットに接続されたケージ突起部接続組立体の開口部を通じて、及びケージ蓋の第１のケージ突起部のセットの開口部の中に及びケージの中に流れる。概して、空気はケージ蓋内の第２のケージ突起部のセットを通じてケージから外へ、第２のケージ接続開口部のセットに接続されたケージ突起部接続組立体の開口部を通じて、ケージ支持部材の第２のプレナムを通じて排気送風器に接続された側部部材の第２のプレナムに、及びラックから外へ吸い込まれる。空気は、概して、ケージを通じてラックの給気部分からラックの排気部分までの回路内を流れる。
【０１７９】
いくつかの実施形態において、正の気圧が側部部材の第１のプレナムに対して供給されるとき、ラックは、側部部材の第１のプレナムから側部部材の第１の側部部材開口部のセットに対して、支持部材端部開口部のセットに対して、第１の支持部材プレナムに対して、及び第１のケージ接続開口部のセットを通じて、空気を方向づけるように構成される。
【０１８０】
いくつかの実施形態において、負の気圧が側部部材の第２のプレナムに供給されるとき、ラックは、第２のケージ接続開口部のセットを通じて第２の支持部材プレナムに対して、第２の支持部材端部開口部のセットに対して、側部部材の第２の側部部材開口部のセットに対して、及び側部部材の第２のプレナムに対して、空気を方向づけるように構成される。
【０１８１】
いくつかの実施形態において、送風器は、第１の側部部材の最上部の開口部と、第２の側部部材の最上部の開口部と、又は第１の側部部材及び第２の側部部材の最上部の開口部と有効に接続する。概して、給気送風器は、側部部材内の２つのプレナムのうちの１つのみと有効に接続する。給気送風器と有効に接続するプレナムは、典型的には給気プレナムとして指定される。その側部部材上の他方のプレナムは、典型的には排気プレナムとして指定される。いくつかの実施形態において、排気送風器は、他方の側部部材内の２つのプレナムのうちの１つのみと有効に接続する。排気送風器と有効に接続するプレナムは、典型的には排気プレナムとして示される。その側部部材上の他方のプレナムは、典型的には給気プレナムとして示される。概して、給気及び排気のプレナムは、実質的に空気が２つのプレナム間で直接交換されないように、実質的に互いに分離される。側部部材の各給気プレナムは、概して、給気プレナムとして指定されたケージ支持部材内のプレナムの１つのセットのみと有効に接続する。側部部材の各排気プレナムは、概して、排気プレナムとして指定されたケージ支持部材内のプレナムの１つのセットのみと有効に接続する。このような実施形態において、空気がケージの内及び外に通過するとき、給気プレナム及び排気プレナムは、流体又は空気と有効に接続する。各ケージマウント支持体の給気プレナムは、給気ケージ突起部接続組立体に接続される第１のケージ接続開口部を通じてケージとともに流体又は空気と有効に接続する。各ケージマウント支持体の排気プレナムは、排気ケージ突起部接続組立体に接続される第２のケージ接続開口部を通じてケージとともに流体又は空気と有効に接続する。
【０１８２】
いくつかの実施形態において、第１の支持部材プレナムにかかる圧は、約５％未満変動する。概して、空気圧は、ケージ突起部接続組立体にて測定される。理論によって限定されずに、ケージ支持部材プレナムの両面上の側部部材プレナム内の空気の流れを可能にする給気プレナムの構成は、この等圧力を実現することに寄与してもよい。
【０１８３】
いくつかの実施形態において、第１の支持部材プレナム及び第２の支持部材プレナム内の空気の流れは、１以上のケージの底部にわたる空気の流れに対して横切る。概して、空気は、支持部材の全長に実質的に達する支持部材プレナムを通じて流れる。ケージは、概して、ケージが取り付けられる支持部材の長辺に対してケージの長辺が実質的に垂直であるように、ラックユニット内に挿入される。概して、空気は、（ケージの前面に向かって配置された）ケージ蓋内の第１のケージ突起部に係合される第１の支持部材プレナム（給気プレナム）からケージ接続ボス部組立体を通ってケージに入る。給気は、概して、ケージの背面に向かって配置されたケージ蓋内の第２のケージ突起部を通して、ケージの底部を下方へ横切って、及びケージの上方へ外に流れる。排気は、概して、ケージ蓋内の第２のケージ突起部に係合されるケージ接続ボス部組立体を通って、第２の支持部材プレナム（排気プレナム）の中に、及び支持部材の長さに沿った第２の支持部材プレナムを通って、流れる。排気プレナムは、大抵の場合、実質的に支持部材の全長に達する。
【０１８４】
いくつかの実施形態を図２６〜図３０、図３７〜図４６及び図３７〜図４６に示す。正の気圧が側部部材５０４の第１の側部部材プレナム５２２に対して供給されるとき、げっ歯動物の収容ケージラック５００は、時として、側部部材５０４の第１の側部部材プレナム５２２から側部部材５０４の第１の側部部材開口部のセット５２６に対して、支持部材端部開口部のセット５１８に対して、第１の支持部材プレナム５０８に対して、及び第１のケージ接続開口部５１２のセットを通じて、空気を方向づけるように構成される。負の気圧が側部部材５０６の第２の側部部材プレナム５２４に対して供給されるとき、ケージラック５００もまた、時として、第２のケージ接続開口部５１４のセットを通じて第２の支持部材プレナム５１０に対して、側部部材５０６の第２の側部部材開口部のセット５２８に対して、第２の支持部材端部開口部のセット５２０に対して、及び側部部材５０６の第２の側部部材プレナム５２４に対して、空気を方向づけるように構成される。
【０１８５】
正の気圧は、いくつかの実施形態において、ケージラック５００と有効に接続するモジュール方式の給気送風器システム６００によって備えられる。負の気圧は、いくつかの実施形態において、ケージラック５００と有効に接続するモジュール方式の排気送風器システム７００によって備えられる。いくつかの実施形態において、ラック５００は、モジュール方式の給気送風器システム６００とモジュール方式の排気送風器システム７００とを含む。送風器６００、７００は、第１の側部部材の上部開口部５３２、第２の側部部材の上部開口部５３４、又は第１の側部部材の上部開口部５３２及び第２の側部部材の上部開口部５３４に有効に接続する。
【０１８６】
図２２〜図２３、図３０、図３５、図５２〜図５４、図５９〜図６１を参照すると、ラック５００は、また、ケージ突起部接続組立体８００’、８００を含み、各組立体は、ケージ接続開口部５１２、５１４と有効に接続するノズル８３４を含む。いくつかの実施形態において、ケージラック５００は、ケージ２０を含む。いくつかの実施形態において、空気は、第１のケージ接続開口部５１２のセット５１２の開口部を通じて各ケージ２０に事実上入り、第２のケージ接続開口部５１４のセットの開口部を通ってケージ２０を事実上抜け出る。ケージ２０は、いくつかの実施形態において、第１のケージ接続開口部５１２のセット及び第２のケージ接続開口部５１４のセットと事実上に接続するケージ突起部接続組立体８００’、８００に係合される。第１の支持部材プレナム５０８及び第２の支持部材プレナム５１０内の空気の流れは、概して、ケージ２０の底部にわたる空気の流れに対して横切る。
【０１８７】
いくつかの実施形態における図２６、図２７、図３８、及び図４８〜図５１を参照して、送風器６００は、給気コネクター板５８４を介してラック５００と有効に接続する。いくつかの実施形態において、送風器７００は、排気コネクター板５８６を介してラック５００と有効に接続する。いくつかの実施形態において、ケージラック５００は、また、側部部材５０４の第１の側部部材プレナム５２２の上部端部開口部５３２と有効に接続する開口部５８５を含む第１のエアコネクター板５８４を含み、また、反対側の部材５０６の第２の側部部材プレナム５２４の上部端部開口部５３４と有効に接続する開口部５８７を含む第２のエアコネクター板５８６を含む。エアコネクター板５８４、５８６は、また、エアコネクター板嵌合ピン５８８’、５８８を含み、いくつかの実施形態において、送風器支持体突起部５９０及び電源支持体溝５９２を含む。いくつかの実施形態において、送風器支持体突起部５９０のエアコネクター板嵌合ピン５８８は、ケージラック５００上の送風器６００、７００を固定・支持し、また、側部部材の上部開口部５３２、５３４と送風器６００、７００の適切な配列を可能にする。いくつかの実施形態において、エアコネクター板嵌合ピン５８８’は、ケージラック５００上の送風器６００、７００を固定・支持し、また、側部部材の上部開口部５３２、５３４と送風器６００、７００の適切な配列を可能にする。電源支持体溝５９２は、送風器７００に隣接した電源７４０を固定・支持する（図４８〜図４９、及び図５１を参照）。エアコネクター板５８４及び５８６は、いくつかの実施形態において、ラック５００に永続的に固定され、いくつかの実施形態において、エアコネクター板５８４、５８６は、ガスケット中間部材を介してラック５００に永続的に固定される。
【０１８８】
ケージ接続組立体。ケージマウント支持部材内のケージ接続開口部は、大抵の場合、ケージとラック部材との間の気流を促進するケージ接続組立体と有効に接続する。いくつかの実施形態において、各ケージ接続開口部は、１つのケージ接続組立体と有効に接続する。ケージ接続組立体は、いくつかの実施形態において、ケージ接続開口部に直接接続することができる。いくつかの実施形態において、ケージ接続組立体は、時として、ケージ接続開口部と間接的に接続され、関連付けられ、大抵の場合、ケージ接続開口部に近接するケージマウント支持部材に接続される。いくつかの実施形態において、ケージは、１以上の突起部（例えば、ケージの蓋において上向きに延在する突起部）を含み、各突起部は、ケージの中への又はケージからの空気の流れを可能にする開口部を含む。後者の実施形態において、ラック内のケージ接続組立体を「ケージ突起部接続組立体」と呼ぶことができる。
【０１８９】
ケージ接続組立体は、ラック部材とケージとの間の気流の促進のために適した任意の構成であり得る。いくつかの実施形態において、ケージ接続組立体は、ケージ接続要素、ノズル、及び１以上のシール（例えばガスケット）を含む。いくつかの実施形態におけるケージ接続要素は、本体と本体内の開口部とを含む。ケージ接続要素は、任意のケージ部材（例えばケージ突起部）との相互作用に適した形状であり得るし、本体の表面又は断面の非限定的な例は、円形、楕円形、矩形、正方形、菱形、矩形の変形、斜面を有する正方形及び菱形の形状、湾曲状の縁部及び／又は曲線状の隅角部、同種のもの、及び前述のものの組合せを含む。開口部は、任意の適当な形状であり得るし、それらの非限定的な例は、円形及び楕円形である。円形の又は実質的に円形の開口部は、任意の適当な半径によって規定され得る。半径は、大抵の場合、ケージ接続組立体がケージ部材と相互に作用することを可能にするために選択される。開口部を、ケージ接続組立体内部の中に円錐形の一部又はすべてを挿入することを可能にする半径によって規定することができる。いくつかの実施形態において、ケージ接続要素開口部の半径は、約０．０５インチ〜約０．７０インチ（例えば、約０．０６、０．０７、０．０８、０．０９、０．１０、０．２０、０．３２５、０．３５０、０．３７５、０．４０、０．５０、又は０．６０インチ）である。いくつかの実施形態におけるケージ突起部は、その頂点にて開口部を備える円錐形の突起部、又は勾配及び開口部を備える他の突起部である。
【０１９０】
ケージ接続組立体のケージ接続要素は、１以上の適当な材料から製造することができる。ケージ接続要素は、時として、１以上のポリマー（例えば、本明細書に記載される）から製造され、大抵の場合、剛性又は実質的に剛性であり、それによって、ケージ接続要素の殻構造又は貝殻様構造物に寄与する。いくつかの実施形態において、ケージ接続要素は、ナイロンから製造され、約１０％〜約５０％のガラス充填（例えば、約１５％、２０％、２５％、３０％、３５％、４０％、又は４５％のガラス充填）である。ケージ接続要素は、大抵の場合、洗浄及び／又は加圧滅菌状況（例えば、熱、湿気、スプレー及び／又はすすぎに繰り返しさらされること）に耐えることができる材料から製造される。
【０１９１】
いくつかの実施形態において、ケージ接続組立体は、本体の第１の面から延在する１以上のファスナーを含む。１以上のファスナーは、大抵の場合、１以上の他の組立構成品（例えば、ガスケット又はガスケット群）のファスナー相当物を係合するように構成され、２以上のファスナーを含む実施形態において、ファスナーは、時として、開口部の周囲及び／又は本体外周の周囲に配置される。任意の適当なファスナーを利用することができ、その非限定的な例は、可逆的なもの、非可逆的なもの、ねじ切りされたもの、ねじ切りされていないもの、曲がるもの、曲がらないもの、締りばめ、及び雌雄ファスナー、その他同種のもの、及び前述のものの組合せを含む。いくつかの実施形態において、ファスナーは、必要に応じて曲げることができる有刺ファスナーである。ファスナーは、概して、１以上の組立構成品を固定するように構成され、時として、ケージマウント支持部材にケージ接続組立体を係合するように構成される。
【０１９２】
いくつかの実施形態において、ケージ接続要素は、ケージ接続組立体の他の要素を整列する部材を含む。任意の適当な配列部材を利用することができ、それらの非限定的な例は、タブ、ピン、及びロッドを含む。
【０１９３】
ケージ接続要素は、いくつかの実施形態におけるケージの一部を直接係合せず、いくつかの実施形態において、ケージ接続要素の一部は、ケージの一部を直接係合する（例えば、ケージがその行き先に移動される、又はラック内で使用する位置に連結されたとき）。いくつかの実施形態において、ケージ接続要素は、ケージをラック内に配置するように構成される。このようなケージ接続要素は、大抵の場合、他のラック部材（例えば、ガイドレール）に合せてラック内にケージを配置し、時として、１以上のケージ接続要素は、主としてラック内にケージを配置する（例えば、ケージの後方への移動を制限する）役割を担う。
【０１９４】
ケージ接続要素は、時として、ケージの一部に接するケージ係合部材を含む。ケージがケージ接続組立体と相互に作用する突起部を含んでいる場合、ケージ係合部材は、時として「ケージ突起部係合部材」と呼ばれる。ケージ係合部材は、大抵の場合、ケージ（例えばケージ突起部）の表面に一致し、かつ可逆的に嵌合する（例えば、支えられ、又は接触する）表面、時として突起面を含み、ケージ接続要素内のこのような表面は、時として、ラック内にケージを配置するように構成される。ケージ係合部材の形状は、大抵の場合、ケージ係合部材が相互に作用するケージ部材に対応する形状によって決定される。ケージ係合部材の形状及び／又は表面の非限定的な例は、水平、先細り、曲線状、漏斗形、ｆｒｕｓｔｒｕｍ、円錐形、同様なもの、及びその組合せ及び部分を含む。非限定的な例において、ケージ接続要素と相互に作用するケージ突起部は、実質的に円錐形であり、ケージ接続従属要素内のケージ係合表面の対応面（例えば突起面）は、それが接触するケージの円錐形の突起部の対応面と実質的に同じ又は実質的に同一の半径及び勾配で湾曲される。いくつかの実施形態において、ケージ接続要素のケージ係合部材（例えば突起面）は、要素の第１の側面の反対側のケージ接続要素の第２の面から延在し、第２の側面の表面からの任意の適当な最大長に達することができる（例えば、約０．０１〜約３インチ（例えば、約０．０５、０．１、０．５、０．６、０．７、０．８、０．９、１、１．１、１．２、１．３、１．４、１．５、又は２インチ、又は約０．０９４、又は約０．０９５インチ））。ケージ部材（例えばケージ突起部）とケージ接続組立体の表面（例えば突起面）との相互作用を、以降、より詳細に記載する。
【０１９５】
ケージ接続組立体は、いくつかの実施形態において、概して、コネクターガスケット（例えば、ケージ突起部コネクターガスケット）を備える。コネクターガスケットは、概して、ケージ接続要素と封止接続するように構成され、任意の適当な形状であり得る。任意の適当な形状の非限定的な例は、円形、楕円形、矩形、正方形、菱形、矩形の変形、斜面を有する正方形及び菱形の形状、湾曲状の縁部及び／又は曲線状の隅角部、同種のもの、及び前述のものの組合せを含む。いくつかの実施形態において、本明細書で用いられる用語「封止接続（ｓｅａｌｉｎｇ  ｃｏｎｎｅｃｔｉｏｎ）」は、２つの構成間の気密性のシール又は実質的に気密性のシールを表す。
【０１９６】
コネクターガスケットは、適当な材料から製造することができ、その材料は、大抵の場合、軟質、半軟質、実質的に軟質、変形可能、半変形可能及び／又は実質的に変形可能である。コネクターガスケットに有することができる１以上の材料の非限定的な例は、プラスチック、加熱可塑性物、エラストマー、熱可塑性エラストマー（ＴＰＥ）、熱可塑性加硫物（ＴＰＶ、ＳＡＮＴＯＰＲＥＮＥ  ＴＰＶ）、熱可塑性ポリウレタン樹脂（ＴＰＵ）、熱可塑性のオレフィン（ＴＰＯ）、多硫化物系ゴム、エチレン−プロピレン共重合体（例えば、ＥＰＭ、エチレン及びプロピレン共重合体）、エチレンプロピレンジエンゴム（例えばＥＰＤＭ、エチレンターポリマー、プロピレン及びジエン成分）、エピクロロヒドリンゴム（ＥＣＯ）、ポリアクリル酸ゴム（ＡＣＭ（ＡＢＲ））、シリコンゴム（ＳＩ、Ｑ、ＶＭＱ）、フロロシリコンゴム（ＦＶＭＱ）、フッ素ゴム（例えば、ＦＫＭ及びＦＥＰＭ、ＶＩＴＯＮ、ＴＥＣＮＯＦＬＯＮ、ＦＬＵＯＲＥＬ、ＡＦＬＡＳ及びＤＡＩ−ＥＬ）パーフロロエラストマー（例えば、ＦＦＫＭ、ＴＥＣＮＯＦＬＯＮ  ＰＦＲ、ＫＡＬＲＥＺ、ＣＨＥＭＲＡＺ、ＰＥＲＬＡＳＴ）、ポリエーテルブロックアミド（ＰＥＢＡ）、クロロスルホン化ポリエチレン（ＣＳＭ（例えばＨＹＰＡＬＯＮ））、エチレンビニルアセテート（ＥＶＡ）、合成ポリイソプレン（ＩＲ）、ブチルゴム（イソブチレン及びイソプレン共重合体、ＭＲ）、ハロゲン化ブチルゴム（クロロブチルゴム（ＣＮＲ）、臭素ブチルゴム（ＢＵＲ））、ポリブタジエン（ＢＲ）、スチレン−ブタジエンゴムゴム（ポリスチレン及びポリブタジエン共重合体、ＳＢＲ）、ニトリルゴム（ポリブタジエン及びアクリロニトリル共重合体、ＮＢＲ（ブナＮゴム））、水素化ニトリルゴム（ＨＮＢＲ、ＴＨＥＲＢＡＮ及びＺＥＴＰＯＬ）、クロロプレンゴム（ＣＲ、ポリクロロプレン、ＮＥＯＰＲＥＮＥ、ＢＡＹＰＲＥＮ）、及び同種のものを含む。ＴＰＥの非限定的な例は、スチレンブロックコポリマー、ポリオレフィン混合物、エラストマー系合金、熱可塑性ポリウレタン樹脂、熱可塑性コポリエステル、及び熱可塑性ポリアミドを含む。ブロックコポリマー群に由来するＴＰＥ製品の例は、ＳＴＹＲＯＦＬＥＸ（ＢＡＳＦ社）、ＫＲＡＴＯＮ（シェルケミカルズ社）、ＰＥＬＬＥＴＨＡＮＥ（ダウケミカル社）、ＰＥＢＡＸ、ＡＲＮＩＴＥＬ（ＤＳＭ）、ＨＹＴＲＥＬ（デュポン社）、その他である。市販のエラストマー系合金の非限定的な例は、ＳＡＮＴＯＰＲＥＮＥ（インシトゥー架橋ポリプロピレン及びＥＰＤＭゴム（モンサント社））、ＧＥＯＬＡＳＴ（モンサント社）、及びＡＬＣＲＹＮ（デュポン社）を含む。コネクターガスケットは、大抵の場合、洗浄及び／又は加圧滅菌状況（例えば、熱、湿気、スプレー及び／又はすすぎに繰り返しさらされること）に耐えることができる材料から製造される。
【０１９７】
コネクターガスケットは、ケージ接続組立体に対するケージ部材（例えばケージ突起部）の封止係合を可能にする適当な厚さである。コネクターガスケットは、約０．０１インチ〜１．０インチ（例えば、約０．０２、０．３、０．０４、０．０５、０．０６、０．０７、０．０８、０．０９．０．１、０．２、０．３、０．４、０．５、０．６、０．７、０．８、０．９インチ厚）の公称厚さ、平均厚さ、中間厚さ、最大厚さ、又は最小厚さを有することができる。いくつかの実施形態において、コネクターガスケットは、約０．０２インチ〜約０．０７インチの最小厚さ（例えば、約０．０３、０．０４、０．０５、又は０．０６インチ、又は約０．０４７インチ）と、約０．１〜約０．２インチの最大厚さ（例えば、０．１１、０．１２、０．１３、０．１４、０．１５、０．１６、０．１７、０．１８、又は０．１９インチ、又は約０．１５６インチ）を有する。コネクターガスケットは、概して、ケージ接続要素内の開口部と大抵の場合同心である開口部を含む。コネクターガスケット内の開口部は、任意の適当な形状であり得る。その形状の非限定的な例は、円形及び楕円形である。円形の又は実質的に円形の開口部は、任意の適当な半径によって規定され得る。半径は、大抵の場合、コネクターガスケットがケージ部材と封止係合することを可能にするために選択される。例えば、ケージ部材が円錐形の突起部である実施形態において、コネクターガスケット内の開口部は、ケージ接続組立体内部の中に円錐形の突起部の一部又はすべてを挿入することを可能にし、円錐形の突起部に対するコネクターガスケットの封止接続を可能にする半径によって規定されることができる。いくつかの実施形態において、ガスケット開口部の半径は、約０．２０〜約０．２５インチ（例えば、約０．２１、０．２２、０．２３、又は０．２４インチ、又は約０．２２７インチ）である。コネクターガスケットは、ケージ部材（例えば、突出部をケージに入れる）に対するガスケットの封止取り付けを可能にするように構成されたガスケット開口部の周囲に配置された環状フランジを含んでもよい。環状フランジは、ケージ部材に対するガスケットの封止取り付けを可能にする形状及び表面を有することができ、その表面の非限定的な例は、水平、先細り、曲線状、漏斗形、ｆｒｕｓｔｒｕｍ、円錐形、同様なもの、及びその組合せ及び部分を含む。コネクターガスケットリフィスは、いくつかの実施形態において、開口部の周囲に配置された環状ベベルを含んでもよい。
【０１９８】
コネクターガスケットは、ケージ接続要素（例えば、ケージ接続要素においてピンを受け入れるように構成された孔）とともにガスケットの配列を可能にする整列機能を含んでもよい。コネクターガスケットは、いくつかの実施形態において、ケージ接続要素内の１以上のファスナーに対して固定するのに適した１以上のファスナーを含んでもよい（ファスナーの非限定的な例は、ケージ接続要素に関して以上に記載した）。いくつかの実施形態において、コネクターガスケット内のファスナーは、組立体のケージ接続要素内のファスナーを受け入れるように構成されたガスケット開口部の近く又は周囲に配置された１以上のスロット又は溝である。いくつかの実施形態において、コネクターガスケットは、ケージ接続組立体のノズル要素用の１以上の整列機能を含み、それらの非限定的な例は、溝、開口部、ピン、タブ、同様なもの、及びその組合せを含む。
【０１９９】
コネクターガスケットは、いくつかの実施形態において、ケージ接続組立体のノズル要素とともに封止接続する。ノズルは、ラックからケージに及び／又はケージからラックに対する空気の流れを可能にするのに適当な任意の形状であり、ノズル本体の形状の非限定的な例は、例えば、円形、楕円形、矩形、正方形又は菱形の断面、及び平行、先細り又は漏斗形の壁また壁群を有する実質的に筒状の構造又は他の構成を含み、斜面、湾曲縁部、勾配、薄片、及び同種のものを必要に応じて含む。ノズルは、概して、ケージからラック又はラックからケージに対して空気が流れてもよい１以上の開口部を含む。ノズルは、任意の適当な数の開口部（例えば、約１、２、３、４、５、６、７、８、９、１０、１１、１２、１３、１４、１５、１６、１７、１８、１９、又は２０、又はより多くの開口部）を含むことができる。ノズルが１つの開口部を含む実施形態において、開口部は、大抵の場合、コネクターガスケットの開口部及び組立体のケージ接続要素と同心である。ノズルが２以上の開口部を含んでいる場合には、ケージとラックとの間の空気の流れを可能にするために、開口部は、任意の適当な構成において配置されてもよい。いくつかの実施形態において、２以上の開口部は、ノズル表面上で規則的に配置され（例えば、開口部の中点は、実質的に互いに等距離である）、時として、ノズル表面の中央点の周囲に規則的に配置される（例えば、ノズル表面中央点までの各開口部中点間の距離は、ノズル内の開口部の２以上又はすべてに対して実質的に同一である）、及び／又は時としてノズル表面の外周の周囲に規則的に配置される。
【０２００】
ノズル開口部は、開口部の周囲に配置された環状フランジを含んでもよく、そのフランジは、大抵の場合、コネクターガスケット及びケージ接続要素に向かって延在する。ノズル開口部は、いくつかの実施形態において軸受と共同してもよい。軸受は、任意の適当な材料から製造することができ、それら材料の非限定的な例は、金属（例えば薄板金）、又はポリマー、同種のもの、又は前述のものの組合せを含む。軸受は、いくつかの実施形態において、ノズルに埋め込まれるタイプであってもよいし、いくつかの実施形態において、ノズルは、一体型の軸受と鋳造されてもよい（例えば、ノズルのポリマーが軸受をカバーしてもよい）。ノズル開口部（例えば、軸受の有無に関わらず、）の有効半径は、ラックからケージ又はケージからラックまでの適当な空気の流れ及び／又は空気圧を可能にするために選択される。いくつかの実施形態において、ノズルの半径は、約０．００５〜約０．５０インチ（例えば、約０．０１、０．０２、０．０３、０．０４、０．０５、０．０６、０．０７、０．０８、０．０９、０．１、０．２、０．３、又は０．４、又は約０．３４４インチ）である。及び、軸受開口部の半径は、時として、約０．００５インチ〜約０．１インチ（例えば、約０．０１、０．０２、０．０３、０．０４、０．０５、０．０６、０．０７、０．０８、０．０９、又は約０．０７９インチ）である。
【０２０１】
ノズルは、ノズルの最上部及び／又は底面において、環状の面取り面、又は半径によって規定された環状曲面を含んでもよい。いくつかの実施形態において、面取り面又は曲面の縁部は、開口部外周の一部又は全部を実質的に規定する円筒状突起部によって阻止されてもよい（例えば、開口部がノズル表面の外側の外周に向かって配置される場合）。いくつかの実施形態内の円筒状突起部は、断面において実質的に円形である。その断面は、時として、円形又は楕円形である。円筒状突起部の側面は、時として、実質的に平行であるか、又は斜面、薄片、又は勾配を含む又はから構成される。後者の実施形態において、円筒状突起部は、縁部を含むことができ、縁部は、ノズルの外部上の隅角部における斜面の別の縁部と接することができる。円筒状突起部は、また、いくつかの実施形態において、ノズルの内表面から突き出てもよいし、このような円筒状突起部は、円筒状突起部のすべて又は一部から突き出るリブを備えてもよい。
【０２０２】
開口部外周は、いくつかの実施形態において（ｉ）開口部によって貫通されたノズル表面又は表面、（ｉｉ）円筒状突起部、又は（ｉｉｉ）（ｉ）と（ｉｉ）の組合せから突き出るリブに近接してもよい。リブは、いくつかの実施形態において、リブが延在するノズル表面における流れの分断をもたらす任意のサイズ及び形状であってもよい。リブは、任意の適当な輪郭（例えば縁部）であってもよく、その輪郭は、時として、線形、湾曲、千鳥形、Ｓ字形、Ｊ字形、又はＴ字形である。リブ輪郭（例えば縁部）は、時として半円形であり、時として開口部に対面するリブの内壁の半径は、開口部の半径と実質的に同一であり（例えば、リブの内壁は、開口部外周に対して実質的に同一の広がりをもつ）、時として、開口部に対面するリブの内壁の半径は、開口部の半径よりも大きい（例えば、リブの内壁は開口部外周からずらされる）。リブが開口部外周と実質的に同一の広がりをもつ、又は開口部外周からずらされるか、いずれにしても、リブは、いくつかの実施形態において、開口部外周の約１０％〜約１００％までを（例えば、開口部外周の約２０％、３０％、４０％、４５％、５０％、５５％、６０％、７０％、８０％、又は９０％）囲むことができる。リブは、任意の適当な距離においてノズル表面又は突出した円柱接合部から突き出ることができ、その距離は、一定であってもよいし、変動してもよい（例えば、リブ高さを段階的又は漸進的に増減させる）。リブは、いくつかの実施形態において、約０．００５インチ〜約０．５インチの最大距離（例えば、約０．００６、０．００７、０．００８、０．００９、０．０１、０．０２、０．０３、０．０４、０．０５、０．０６、０．０７、０．０８、０．０９、０．１、０．１５、０．２０、０．２５、０．３０、０．４０、又は０．４５インチの最大リブ高）でノズル表面又は突出した円柱接合部から突き出ることができる。ノズルが（例えば、ノズル外部及びノズル内部上の）各々又は２つのノズル表面又は突出した円柱接合部から突き出るリブを含む実施形態において、リブは、ノズル表面から及び／又は突出した円柱接合部から同じ又は異なる最大距離で突き出ることができる。
【０２０３】
ノズルは、任意の適当な材料から製造することができ、その材料の非限定的な例は、必要に応じて別の材料に対して浸透、混合、又はコーティングされてもよい（例えば、約１０％〜約５０％のガラス充填されたナイロン）リジッド及び実質的に硬質なポリマー（例えばナイロン）を含む。以上に記載されたように、ノズルは、コネクターガスケットとの配列を促進する１以上の整列機能（例えば、タブ、又は他の整列機能）を含んでもよい。
【０２０４】
ケージ接続組立体は、また、ケージマウント支持部材に対するケージ接続組立体の封止接続を可能にする取り付けシール又は取り付けガスケット（本明細書では「ノズルガスケット」とも呼ばれる）を含んでもよい。取り付けガスケットは、このような封止接続を可能にする適当な形状であり得る。その形状の非限定的な例は、円形、楕円形、矩形、正方形、菱形、矩形の変形、斜面を有する正方形及び菱形の形状、湾曲状の縁部及び／又は曲線状の隅角部、同種のもの、及び前述のものの組合せを含む。取り付けガスケットは、ケージマウント支持部材に対するケージ接続組立体の封止係合を可能にする適当な厚さである。コネクターガスケットは、約０．０１インチ〜０．１インチ（例えば、約０．０２、０．０３、０．０４、０．０５、０．０６、０．０７、０．０８、０．０９インチ厚）の公称厚さ、平均厚さ、中間厚さ、最大厚さ、又は最小厚さを有することができる。いくつかの実施形態において、コネクターガスケットの最大厚さは、約０．０６３インチである。取り付けガスケットは、適当な材料から製造され、それら材料の例は、コネクターガスケットに関して以上に規定されている。取り付けガスケットは、ケージ接続要素（例えば、ケージ接続要素においてピンを受け入れるように構成された孔）とともにガスケットの配列を可能にする整列機能を含んでもよい。取り付けガスケットは、概して、ケージ接続要素、コネクターガスケット及び／又はノズルにおいて開口部と大抵の場合同心の開口部を含む。取り付けガスケットにおける開口部は、任意の適当な形状であり得る。その形状の非限定的な例は、円形及び楕円形である。いくつかの実施形態において、取り付けガスケットの開口部の半径は、約０．１インチ〜約１．０インチ（例えば、約０．２、０．３、０．４、０．５、０．６、０．７、０．８、又は０．９インチ）である。取り付けガスケットの開口部の内側表面は、大抵の場合、ケージ接続組立体におけるノズルの表面と接する（例えば、封止接触する）。
【０２０５】
取り付けガスケットがケージ接続組立体において配置するとき、取り付けガスケットにおける開口部の外周は、１以上のファスナーが、組立体における取り付けガスケットを位置決め及び／又は固定することを可能にする向きのケージ接続要素の１以上のファスナーに対して並置されてもよい。いくつかの実施形態において、ケージ接続要素の１以上のファスナーは、１以上の同じファスナーがケージマウント支持部材に対するケージ接続組立体の接続（例えば、ケージマウント支持部材内の機械加工されたスロット又は穴部を介して接続される）を促進することができるように、取り付けガスケットの近位表面を越えて延在する。いくつかの実施形態において、ケージ接続要素の１以上のファスナー以外の１以上のファスナーを、ケージマウント支持部材に対してケージ接続組立体を取り付けるために利用することができる。ケージ接続組立体は、いくつかの実施形態において、ケージマウント支持部材の壁面に取り付けられてもよいし、いくつかの実施形態において、ケージ接続組立体は、ケージマウント支持部材において壁溝又は円柱状突起内に取り付けられてもよい。ケージマウント支持部材に対して取り付けられたとき、ノズルの開口部（例えば、事実上開口部（例えば軸受開口部）は、ケージマウント支持体におけるケージ接続要素開口部に対して有効に接続する（例えば、近接して、空気を疎通して）又は直接接続することができる。ラックは、ラック内のケージの連結位置のための１つ、２つの、３つ、又は４つ以上のケージ接続組立体を含んでもよい（すなわち、１つのケージは、各ケージの連結位置におけるラックに接続することができる）。
【０２０６】
ケージ接続組立体は、大抵の場合（ｉ）ラックに対するケージの係合を部分的に促進するように、（ｉｉ）ラック内にケージを部分的に位置決めするように、及び（ｉｉｉ）ラックからケージ又はケージからラックへの空気の流れを促進するように構成される。いくつかの実施形態において、レールガイド引き込み部材は、使用者によってケージフランジにより係合され、ケージは、レール面上のラックの裏面に向かって、使用者によって平行移動させられる。この平行移動の間に、ケージの最上部から突き出るケージ突起部の側面は、ケージ突起部接続組立体におけるケージ突起部接続要素の引き込み面に係合することができる。ラックの裏面に向かってケージの引き続きの平行移動は、大抵の場合、ケージ突起部を下方に平行移動させて（例えば、下方に曲げて）、ケージの蓋を屈曲させる。ラックの裏面に向かってケージのさらなる平行移動は、ケージ突起部の接続要素の開口部縁部をケージ突起部側面の上端に移動させ、ケージ突起部は、上方に向かって平行移動することができる。いくつかの実施形態において、ケージ突起部は、上方へはね返り、ケージ蓋は屈曲する。ケージ突起部の係合は、大抵の場合、ケージ突起部接続組立体内部に挿入されるケージ突起部の一部において生じる。いくつかの実施形態において、ケージ突起部は、上方へ平行移動し、その一部がケージ突起部接続組立体内部にある後に、ケージ突起部コネクターガスケットの一部は、ケージ突起部側面の一部と封止接続にある。
【０２０７】
ケージ突起部コネクターガスケットのケージ突起部の一部との接触は、ラック内にケージを配置するのに十分であり、ラックとケージとの間の空気の流れを促進することができる。いくつかの実施形態において、ケージ突起部接続組立体の部材は、ケージ突起部表面の一部に接し、かつラックの裏面に向かってケージのさらなる平行移動により干渉する表面を含む。いくつかの実施形態において、ケージ突起部接続要素は、ケージ突起部表面の一部に対して静止し、かつラックの裏面に向かうケージのさらなる平行移動によって干渉することによりポジティブな栓として機能する突起面を含む。いくつかの実施形態において、ケージ突起部接続組立体におけるこのようなポジティブな栓は、ラックの裏面に向かうケージのさらなる平行移動により干渉する唯一の栓として機能する（例えば、ケージの後方への平行移動により干渉するラック上のケージガイドレールには、栓がない）。ラックにおけるケージ接続組立体のうちのいくつか又は全部は、いくつかの実施形態において、ポジティブな栓を備える。
【０２０８】
ケージ突出部がその行き先内で係合される、又はラック内に使用するための位置に連結された後、ケージは、以上に記載した係合処理を反転させることにより、切り離されてもよい。ケージは、ラック内で使用するためのその行き先内で、複数回係合され、切り離されることができる。
【０２０９】
図２２〜図２３、図３０、図３５、図５２〜図５６、及び図５９〜図６１に示したようないくつかの実施形態において、げっ歯動物の収容ケージラック５００は、第１のケージ接続開口部５１２のセット及び第２のケージ接続開口部５１４のセットを含み、その各々は、いくつかの実施形態において、ケージ突起部接続組立体８００’、８００と有効に接続する。ケージ突起部接続組立体８００’、８００は、いくつかの実施形態において、本体８０２’、８０２と、本体８０２’、８０２内の開口部８０４’、８０４と、本体８０２’、８０２の第１の側面８０６’、８０６上の１以上のファスナー８０８’、８０８と、本体８０２’、８０２の第２の側面８１０’、８１０上の開口部８０４’、８０４の一部の周囲に配置された突起面８１２’、８１２とを含むケージ突起部コネクターを含む。いくつかの実施形態において、１つ、２つ、又はそれ以上ファスナー８０８’、８０８は、開口部８０４’、８０４の周囲に配置される。突起面８１２’、８１２は、いくつかの実施形態において、ケージ突起部８６０’、８６０の一部に接するように構成される。突起面８１２’、８１２は、また、いくつかの実施形態においてレールガイド５５２内のケージ２０に位置づけされるように構成される。ピン８１４’、８１４は、いくつかの実施形態において、本体８０２’、８０２の第１の側面８０６’、８０６から延在する。
【０２１０】
ケージ突起部接続組立体８００’、８００は、いくつかの実施形態において、突起部接続組立体８００’、８００の本体８０２’、８０２と封止接続する突起部コネクターガスケット’８１６及び８１６を含む。突起部コネクターガスケット８１６’、８１６は、いくつかの実施形態において、突起部コネクター８００、８００’内の開口部８０４’、８０４と同心の突起部コネクターガスケットリフィス８１８’、８１８と、突起部コネクターガスケット８２２’、８２２の第１の面上の突起部コネクターガスケットリフィス８１８’、８１８の周囲の環状フランジ８２０’、８２０と、突起部コネクターガスケット８１６’、８１６の第２の面８２４’、８２４上の１以上の溝８２６’、８２６と、突起部接続組立体８００’、８００の１以上のファスナー８０８’、８０８を受け入れるように構成された１以上の溝８２８’、８２８と、を含む。いくつかの実施形態において、突起部コネクターガスケット８１６’、８１６は、ピン８１４’、８１４を受け入れるように構成された孔８３０’、８３０を含む。環状フランジ８２０’、８２０は、いくつかの実施形態において、ケージ突起部８６０’、８６０の表面８６４’、８６４に封止的に係合するように構成された表面８３２’、８３２を含む。
【０２１１】
ケージ突起部８６０’、８６０は、いくつかの実施形態において、ケージ２０の蓋から延在する。ケージ突起部接続組立体８００’、８００は、いくつかの実施形態において、突起部コネクターガスケット８１８’、８１８と封止接続するノズル８３４’、８３４を含む。ノズル８３４は、いくつかの実施形態において、突起部コネクターガスケット８１６における開口部８１８と同心のノズル開口部８３６と、突起部コネクターガスケット８１６の１以上の溝８２６内に静止するように構成された１つ又はそれ以上のタブ８３８とを含む。ノズル８３４は、また、いくつかの実施形態において、曲線状又は円形状の縁部８４３を含む。ノズル８３４は、いくつかの実施形態において、突起部コネクター本体８０２の第１の側面８０６の反対側のノズル８３４の第１の側面８４２上のノズル開口部８３６の周囲に配置されたノズル環状フランジ８４０を含む。ノズル８３４は、いくつかの実施形態において、ノズル８３４の第１の側面８４２に対向するノズル８３４の第２の側面８４６上のノズル開口部８３６の周囲に配置された軸受８４４を含む。単一の開口部ノズル８３４の下側を、図６４Ａに示す。
【０２１２】
ノズル８３４’は、円筒状突起部８４１ａと同心の２以上のノズル開口部８３７を含む。各円筒状突起部８４１ａは、円筒状突起部縁部８４１ｂと曲線状又は円形状の縁部８４３との交点に形成された、円筒状突起部縁部８４１ｂ及び隅角部８４１ｃを含む。突起部コネクターガスケット８１６’における本体開口部８１８’及び１以上のタブ８３８’は、いくつかの実施形態において、突起部コネクターガスケット８１６’の１以上の溝８２６’内に静止するように構成される。ノズル８３４’は、また、いくつかの実施形態において、傾斜面又は曲面８４９を含む。ノズル８３４は、いくつかの実施形態において、突起部コネクター本体８０２の第１の側面８０６の反対側のノズル８３４の第１の側面８４２上のノズル開口部８３７の周囲に配置されたノズル環状フランジ８４０を含む。ノズル８３４’は、いくつかの実施形態において、ノズル８３４’の第１の側面８４２’に対向するノズル８３４’の第２の側面８４７上の１以上のノズル開口部８３７の周囲に配置された１以上の軸受８４５を含む。２以上のノズル開口部８３７を含むいくつかの実施形態において、ノズル８３４’は、開口部外周の一部又は全部を実質的に規定する円筒状突起部又は突起部８４１を含む。ノズル８３４’は、また、いくつかの実施形態において、開口部８３７に近接してノズル表面８４７又は円筒状突起部８４１から突き出るノズルリブ８３９を含む。いくつかの実施形態において、リブ８３９は、半円形の輪郭を有する。いくつかの実施形態において、リブ８３９の縁部８４１ｂは、開口部８３７の外周の一部と同一の広がりをもつ。いくつかの実施形態において、リブ８３９は、開口部外周の一部を囲む。２重の開口部ノズル８３４’の下側を図６４Ｂに示す。
【０２１３】
ケージ突起部接続組立体８００’、８００は、いくつかの実施形態において、ノズル８３４’、８３４と封止接続するノズルガスケット８４８’、８４８を含み、いくつかの実施形態において、ノズルガスケット８４８’、８４８は、ピン８１４’、８１４を受け入れるように構成された孔８５０’、８５０を含む。いくつかの実施形態において、突起部コネクターガスケット８１８はオプションの環状ベベル８５２’、８５２を含む。
【０２１４】
ケージ突起部接続組立体８００’、８００は、いくつかの実施形態において、ケージ接続開口部５１２、５１４の各々と有効に接続する支持部材５０２の下部面５１６に接続される。ケージ突起部コネクター本体８０２’、８０２の第１の側面８０６’、８０６上の１以上のファスナー８０８’、８０８は、いくつかの実施形態において、ファスナーに対して支持部材５０２の壁の上又は内に固定される。
【０２１５】
制御盤。ケージラック制御盤は、一般に、配電、気流、及び／又はケージの形態に、情報を提供し、種々のケージラック要素間の通信のための管路を備え、いくつかの実施態様において、所定形態のケージラックの操作に関する情報の入力のための使用者インターフェースを提供する。いくつかの実施態様において、ケージラックには、適切な数の制御盤及び／又は回路基板ハブが含まれ得る。また、特定の実施態様において、ケージラックには、適切な組合せのあらゆる数の制御盤及び／又は回路基板ハブ（例えば、マスタコントローラに含まれる、３、４、５、６、７、８、９、１０以上の回路基板ハブ及び／又は制御盤）に機能的に関連する、マスタラックコントローラが含まれる。本明細書に説明するケージラックは、多くの場合、ケージラックと有効に連通した、各モジュール送風器システムにつき、１つの送風器制御盤を有する。本明細書に説明するケージラックには、一般に、ケージラックと有効に接続した、各モジュール送風器システムにつき、回路基板ハブを搭載した最大１つのラックが含まれる。本明細書に説明するケージラックには、一般に、ラックコントローラ（例えば、携帯型コントローラ、ラック搭載型コントローラ、マスタコントローラ、使用者コントローラインターフェース）が含まれ、該ラックコントローラは、送風器制御盤及び回路基板ハブに操作可能に接続され、（ｉ）データ、ファン曲線（ｆａｎ  ｃｕｒｖｅ）、使用者入力情報の送信及び／又は受信、（ｉｉ）他の制御盤／回路基板、及び／又は使用者入力から受信したデータの解明、（ｉｉｉ）ラックの形態、周囲圧力等に関する情報の保存、（ｉｖ）その他のこれらと同様のもの、及びこれらの組合せの機能を果たす。いくつかの実施態様において、ケージラックは、各エアコネクター板と機能的に関連した、回路基板ハブを搭載したラックを有する。特定の実施態様において、ケージラックは、各モジュール送風器システムと機能的に関連した、送風器制御盤を有する。いくつかの実施態様において、送風器制御盤は、回路基板ハブと機能的に及び／又は物理的に関連する。
【０２１６】
特定の実施態様において、ケージラック制御盤には、１以上の機能を有する独立した回路基板が含まれ、また、いくつかの実施態様において、ケージラック制御盤には、他の機能的に関連する回路基板の機能を制御する、マスタ制御盤が含まれる。特定の実施態様において、回路基板には、１以上の他の制御盤、又はマスタラックコントローラと機能的に関連する、回路基板ハブが含まれる。特定の実施態様において、ラックコントローラは、１以上の送風器コントローラ、１以上の回路基板ハブ、又は１以上の送風器コントローラ、及び１以上の回路基板ハブと機能的に関連する。いくつかの実施態様において、種々の制御盤間の通信は、有線通信媒体により、また、特定の実施態様において、１以上の制御盤間の通信は、無線通信（例えば、Ｗｉ−ｆｉ、Ｂｌｕｅｔｏｏｔｈ（登録商標）等）による。
【０２１７】
回路基板ハブ。回路基板ハブには、一般に、１以上の電力用のレシーバー又は接続部と、１以上の通信媒体及び識別子とが含まれ得る。識別子は、ラック及びケージに関する情報をコード化することができる。特定の実施態様において、識別子は、ラックのケージの形態、及び／又はトロリにおけるラックの数（例えば、単一のケージラックの実施態様、二重のケージラックの実施態様）に関する情報をコード化する。かかる情報は、ファンユニットに伝達することができ、このため、ファンユニットが調節される。いくつかの実施態様において、回路基板ハブは、ラックユニットと有効に接続している。特定の実施態様において、回路基板ハブには、ラックのケージの形態、及び／又はトロリにおけるラックの数のための識別子、電力用のレシーバー、通信媒体用のレシーバー、並びに制御用のコネクターが含まれる。
【０２１８】
図２４から図２７、図３６から図３７、図４７、図５０から図５１、図５６から図５７、図６０、図７０から図７１、図７７、及び図８０から図８１に関して、いくつかの実施態様において、げっ歯動物収容ケージ５００に取り付けられた回路基板ハブ９００、９００’には、ラック５００におけるケージ２０のケージ形態のための識別子が含まれる。特定の実施態様において、識別子には、回路基板９０２が含まれる。また、回路基板ハブ９００には、ラックからの配線用のレシーバー、制御ユニット用のコネクター、及び電力用のレシーバーも含まれる。いくつかの実施態様において、ラックからの配線用のレシーバーには、通信媒体レセプタクル９１２が含まれ、また、特定の実施態様において、通信媒体レセプタクル９１２は、ｅＳＡＴＡレセプタクルである。図７０から図７１、及び図７７に示す実施態様において、ｅＳＡＴＡ通信媒体レセプタクルは存在するが、図７０から図７１、及び図７７では見えない。いくつかの実施態様において、制御ユニット用のコネクターには、制御ポート９１０が含まれ、また、特定の実施態様において、コントローラポート９１０は、カテゴリー５ツイストペア高速信号配線（例えば、ＣＡＴ５もしくはＣＡＴ−５）ケーブルレシーバー又はポートである。いくつかの実施態様において、電力用のレシーバーには、ドイチェ・レセプタクル９０６が含まれる。特定の実施態様（例えば、９００’として示す実施態様）において、ドイチェ・レセプタクル９０６は含まれない。また、回路基板ハブ９００には、エアコネクター板５８４、５８６への取付けのための孔９０４と、ブラインドメイトコネクター９０８も含まれる。
【０２１９】
回路基板ハブ９００、９００’は、（ｉ）電源供給線７４２を介する電源７４０からの配電、並びに、（ｉｉ）種々のセンサ又は制御盤（例えば、送風器制御盤９２０、他の回路基板ハブ９００、９００’、マスタ制御盤９３０、及び前述したものの組合せを）からの信号及び情報の分散の機能を果たす。情報は、通信推奨基準４８５（例えば、ＲＳ−４８５）ブリッジを用いて、種々の制御盤間に分散させる。また、回路基板ハブ９００、９００’には、ケージ取り付けフロントモジュール読み取り器５６４に電力を供給する、１２ボルト（１２Ｖ）の電力入力及び３．３Ｖバックモードのスイッチング電源（図示せず）、並びに、ケージ取り付けフロントモジュール読み取り器５６４と通信する、３．３Ｖのロジックレベルシリアルバス（ＴＴＬ）インターフェースも含まれる。
【０２２０】
送風器制御盤。送風器制御盤には、一般に、１以上の電力用のレシーバー又は接続部と、１以上の通信媒体及び識別子とが含まれ得る。識別子は、ラック及びケージに関する情報をコード化することができる。特定の実施態様において、識別子は、ラックのケージの形態、トロリにおけるラックの数（例えば、単一のケージラックの実施態様、二重のケージラックの実施態様）、及び／又は、ラックと有効に接続する送風器の数に関する情報をコード化する。かかる情報は、ファンユニットに伝達することができ、このため、ファンユニットが調節される。いくつかの実施態様において、送風器制御盤は、モジュール送風器システムと有効に接続し、そして、ラックユニットと有効に接続している。
【０２２１】
図４５、図４６、及び図７４から図７６に関して、送風器制御盤９２０には、コネクター９２２が含まれ、該コネクターは、送風器制御盤９２０及び回路基板ハブ９００、９００’を機能的及び物理的に接続する機能を果たす。また、送風器制御盤９２０には、モジュール送風器システム６００、７００、底部６２０、６２１、７２０、７２１の送風器制御盤９２０に、圧力センサポート６１６、７１６（図４３及び図４４参照）を機能的及び操作可能に接続する、コネクターも含まれる（図示せず）。送風器制御盤９２０は、モジュール送風器システムの給気送風器６００及び排気送風器７００のファンユニット６０４、７０４で生じた圧力差を監視することによって、ケージラック５００に、及び該ラックからの空気の流れを制御する機能を果たす。ファン６０４、７０４（図４２参照）の速度は、圧力差設定点にファンの速度を一致させることによって、比例／積分サーボ・ソフトウェア・アルゴリズムによって調節される。いくつかの実施態様において、ファンの速度曲線は、送風器制御盤９２０に保存され、また、特定の実施態様において、ファンの速度曲線は、ラックコントローラ９３０に保存される。
【０２２２】
送風器制御盤９２０には、情報交換用米国標準符号（例えば、ＡＳＣＩＩ）Ｍｏｄｂｕｓによる通信を許容する、１２Ｖの電力入力及びＲＳ−４８５通信ブリッジが含まれる。ＡＳＣＩＩ  ｍｏｄｂｕｓは、同じネットワーク内の電気要素間の通信を可能にする、多く利用されるシリアル通信プロトコルである。また、送風器制御盤９２０は、ファン回転計を監視して、動かなくなったファンロータを感知することによって、ファン６０４、７０４の機能的状態も決定する。問題の送風器が１つのファンしかない場合、更に、ラック制御盤９３０にエラーメッセージを伝達する場合、動かなくなったファンロータの識別によって、動作不能のファン及び／又はすべてのモジュール送風器システムの操作が停止する。
【０２２３】
ラック制御盤。ラック制御盤には、一般に、１以上の電力用のレシーバー又は接続部と、１以上の通信媒体及び識別子とが含まれ得る。識別子は、ラック及びケージに関する情報をコード化することができる。特定の実施態様において、識別子は、ラックのケージの形態、トロリにおけるラックの数（例えば、単一のケージラックの実施態様、二重のケージラックの実施態様）、及び／又は、ラックと有効に接続する送風器の数に関する情報をコード化する。かかる情報は、ファンユニットに伝達することができ、このため、ファンユニットが調節される。いくつかの実施態様において、送風器制御盤は、（ｉ）１以上の（ｏｎ  ｏｒ  ｍｏｒｅ）回路基板ハブ、（ｉｉ）１以上のモジュール送風器システムと有効に接続し、そして、ラックユニット、（ｉｉｉ）１以上のケージ取り付けフロントモジュール読み取り器、及び（ｉｖ）電源と有効に接続している。
【０２２４】
図２６から図３０に関して、ラックコントローラ９３０の機能は、ケージラック５００に含まれるすべてのシステム（例えば、ケージＩＤ読み取り器、モジュール送風器システム、配電、通信、その他のこれらと同様のもの、及びこれらの組合せ）のマスタコントローラである。ラックコントローラ９３０には、使用者によって利用されたグラフィカル使用者インターフェースに電力を供給して、ラックの状態及び／又は入力情報を監視する、１２Ｖの電力入力が含まれる。また、ラックコントローラ９３０には、有線通信及び無線通信機能（それぞれ、例えば、ＲＳ−４８５、Ｗｉ−ｆｉ）と、ＵＳＢホストポートも含まれる。
【０２２５】
ラックコントローラ９３０は、使用者流れ及び異なる設定点から各送風器制御盤の適切な圧力差を算出する機能を果たす。いくつかの実施態様において、ラックコントローラ９３０は、使用者入力情報を保存することができ、また、特定の実施態様において、実際の気流、圧力値、エラーアラーム又はメッセージを含むが、これらに限定されない、ケージラック５００の種々の操作パラメータも記録する。ラックコントローラ９３０は、ラックの操作に用いる計算のための種々の識別子から得られた情報を使用することができる。いくつかの実施態様において、識別子は、ケージラックの気圧等のケージ状態を監視することができる。特定の実施態様において、識別子は、他の識別子からのデータを使用して、決定してもよく、また、いくつかの実施態様において、識別子は、他の識別子（例えば、気圧差の測定に基づくファン速度の変更）から得られたか、又は決定されたデータに基づいて、ケージ状態の変化を発生させるのに使用することができる。
【０２２６】
センサ。センサには、種々の形態又は種類のものが含まれ、これらは、ラックシステムに支持された個々のケージ内の状態を監視するために、使用することができる。リモートセンサ又は他の手段によって、各ケージ内部で監視することができるケージ状態のパラメータのうちの一部には、ウイルスもしくは細菌の存在又はレベル、熱、雑音、アンモニア濃度、二酸化炭素濃度、一酸化炭素濃度、湿度レベル、気圧レベル等が含まれ得る。センサは、視覚的な移動、嗅覚の変化、触覚の変化、更に、聴覚のレベルを監視することができる。監視することができる他のパラメータには、各ケージ内の全動物の体重、各ケージ内の動物の身体活動及び／又は体温、又は他の動物の挙動、又は各ケージ内の動力学が含まれ得る。したがって、センサは、ビデオカメラ、熱センサ、計量器等の形態であってもよい。いくつかの実施態様において、上述のパラメータの１以上を決定するセンサは、各ケージ内に配設されるだけでなく、棚組立体、又は、該棚組立体に隣接するプレナムの管路内に配設されてもよい。特定の実施態様において、ラックには、気流又は気圧センサが含まれる。センサは、１以上のチューブ、管路、及び／又は測定ノズルに接続する場合がある。所望のセンサ又はセンサは、プレナムの給気通路及び排気通路内に、棚組立体の管路内に、ケージ組立体の内部容積内に、又は、ラック組立体内の他の適切な位置に配設されてもよい。
【０２２７】
また、センサはそれぞれ、コントローラに対するセンサの読取りを伝達するために、コントローラに操作可能に接続することもでき、このため、その後、センサのデータが処理され、グラフィック使用者インターフェース上に示すことができる。センサから受信した情報、及び識別子から受信した情報は、ケージを探知し、又は、保守担当者に報告／状態等をもたらすために、コントローラによって、共に使用されてもよい。
【０２２８】
センサの例は、図８及び図２１で理解することができる。図８は、モジュール方式ラックシステム２１０による使用に適した、ケージ２０組立体の実施態様の斜視図を示す。センサ１４０は、ケージ内部を監視するリモートセンサである。図２１は、図６の棚３００組立体の底面図を示す。センサ３４０は、ラック組立体及び監視気流の給気通路及び排気通路内に配設される。これらのセンサは、コントローラに直接接続され得る。また、図２１は、棚部３００の周囲付近で延びる、リム又は縁部３０８も示す。読み取り器棚マウント４０８は、リム３０８上に固定される。更に、レール２７６を備えた棚部３００のフレーム部材２７８も示す。いくつかの実施態様において、センサは、ラックの実施態様５００の給気通路及び排気通路（例えば、支持部材プレナム５０８、５１０、側部部材プレナム５２２、５２４、又は支持部材プレナム、及び側部部材プレナム内）内に配設することができる。
【０２２９】
リモートセンサ又は他の手段によって、各ケージ内部で監視することができるケージ状態のパラメータのうちの一部には、ウイルスもしくは細菌の存在又はレベル、アンモニア濃度、二酸化炭素濃度、一酸化炭素濃度、湿度レベル、気圧レベル等が含まれ得る。また、ケージ内容物識別子データも、ケージに収容された動物の監視、並びにケージ環境を支援する。センサ及び／又は識別子によって監視することができる他のパラメータには、各ケージ内の全動物の体重、各ケージ内の動物の身体活動、又は他の動物の挙動、又は各ケージ内の動力学が含まれ得る。
【０２３０】
プロセッサ、コントローラ、及びサーバ。動物収容システムには、本明細書に説明する機能を実行するために、好都合で適切な組合せ及び形態の１以上のプロセッサと、コントローラと、サーバ（例えば、メインサーバ、ローカルサーバ、又はリモートサーバ）とが含まれ得る。本明細書に説明するシステムは、研究所員が、ラックシステムに支持された個々のケージの内部状態と、都合よく効果的に示されたケージ状況の情報とを確実に都合よく監視する能力を有することを可能にする。
【０２３１】
いくつかの実施態様において、ラックシステムには、コントローラ及び／又はメイン／ローカルサーバが含まれ、該コントローラ及び／又はメイン／ローカルサーバは、該システム内の複数のケージを管理、維持、追跡、及び監視するために、識別子と関連付けられている、送風器組立体、１以上のセンサ、１以上の読み取り器、及び１以上の指示器と接続されるか、又は無線通信によって接続され得る。識別子は、ケージの内容物に関するデータ、動物に関するデータ、維持管理に使用される非ケージ物品の在庫、ケージ要素、使用者及び／又は保守担当者、ケージの位置等を提供する。センサには、種々の形態又は種類のいずれかが含まれ、これらは、ラックシステムに支持された個々のケージ内の状態を監視するために、使用することができる（例えば、本明細書において、「センサ」という表題の節に説明するもの）。識別子、センサ、及び／又は他のソースから、コントローラによって得られたデータは、コントローラ内に、又は、プロセッサとデータストレージデバイスとが含まれ得る、システムの他の適切な位置に配設された計算システムによって処理し、使用者に示すことができる。ディスプレイは、指示器（例えば、本明細書に説明するもの）によるものであり、及び／又は、都合のよい視覚ディスプレイフォーマットのグラフィック使用者インターフェース上のものであり得る。
【０２３２】
いくつかの実施態様において、グラフィック使用者インターフェースは、所定のラックシステムに支持された各収容ケージのためのアイコン等を同時に示してもよい。いくつかの実施態様において、グラフィック使用者インターフェース上に示されたアイコンは、ラックシステムの実際のケージの形態に対応する形態において、画面に配置されてもよい。換言すると、実際のラックシステム側面の正面図の複製は、グラフィック使用者インターフェースの画面上に示されてもよく、このため、研究所員は、ラックシステムのケージのうちのいずれかの状態を迅速かつ直観的に評価することができる。早急な対応を必要とするケージの物理的な位置は、各ケージの棚部に、又は各ケージの周辺に位置する指示器／読み取り器によって、研究所員に識別され得る。いくつかの実施態様において、グラフィック使用者インターフェースの指示器及び／又はケージのアイコンは、色分けされたディスプレイを使用して、効果的にかつ迅速に、ケージ状況の情報を研究所員に伝えることができる。例えば、使い捨てケージを新しい未使用のケージに交換する、適切な時間の決定に関する、パラメータが監視され処理される場合、指示器によって示された種々の色、又はグラフィックケージアイコンを使用して、必要な交換の接近を示してもよい。指示器、及び／又はグラフィックケージアイコンの色が、緑色である場合、交換が必要でなく、色が黄色である場合、交換がすぐに必要であり、また、赤色は、即時のケージ交換の必要性を示すのに使用され得る。グラフィック使用者インターフェース上のディスプレイにおけるケージ、及び／又はケージのアイコン付近の指示器の色分けが、ケージ交換状況の情報に関するものである場合、研究所員は、これらのパラメータのうちのいずれか又は両方を選択し、指示器及び／又はアイコンを直ちに見て、赤色の指示器、及び／又はディスプレイ上のアイコンの存在に基づき、ケージ交換がすぐに必要か否かについて、決定することができる。同様のスキームは、アンモニア濃度等の他のパラメータに用いてもよい。試験技術者がアンモニア濃度状態を選択する場合、指示器／アイコンの色分けを切り替えて、種々の色に基づいて、アンモニア濃度が、低いか、高いか、又は中程度であるか否かについて示すことができる。いくつかの実施態様において、色分けを用いて、獣医学専門家による注意の必要性を示してもよい。
【０２３３】
また、コントローラは、イントラネットもしくはインターネット、又は他の無線デバイスへの無線アクセス等の機能を有していてもよい。コントローラは、報告書、試験の概要、文書、在庫リスト、請求書、スプレッドシート等の印刷のためにプリンタに直接的又は間接的に接続することができる。コントローラは、ビデオ及びオーディオ機能、並びに、緊急事態、警告、注意、もしくは催促に応じて、又は、毎月の請求、在庫の明細、試験の概要、動物の健康状態等のために、例えば、指定された電話又は電子メール、ファクス等に、自動音声メッセージ又は添付書類を送信する、自動機能を支援することができる。コントローラにアクセスする人、時間、使用時間、及び行われた操作の電子記録、並びに、識別子及び／又はセンサによって監視された情報は、コントローラのデータストレージに保存されてもよい。また、ディスプレイは、タッチスクリーンと共に、デバイスの一部として、画面又は手動キーボード上に示されるバーチャルキーボード、及び音声認識／入力のためのスピーカを有していてもよい。更に、各ラックのコントローラは、ラックサーバに直接接続されるか、又は無線接続されてもよい。ラックサーバ及び／又は管理ソフトウェアシステムは、ラック内のすべてのケージのスケジュールを調整し、維持管理し、識別子及びセンサをすべて監視し、個々のコントローラのものに類似する使用者フレンドリーなディスプレイによって、情報をすべて効率的に処理することができる。いくつかの実施態様において、ラックサーバ及び／又は管理ソフトウェアシステムは、ラックシステムの１以上のケージに情報を追加することができ、追加情報は、ケージ要素の情報に関する管理ソフトウェアに追加されるか、又は、読み取り器／書き込み可能な識別子によって、ケージに直接追加される。
【０２３４】
各識別子からのデータは、読み取り器又はデバイスによって手動で記録され、及び／又は検出され、センサはそれぞれ、コントローラによって受け入れられるか、又は該コントローラに接続され、処理され、グラフィック使用者インターフェース上に示され得る。
【０２３５】
本明細書に使用する、ソフトウェア又はソフトウェアモジュールとは、プロセッサによって実行される場合、コンピュータ操作を実行する、コンピュータに読み取り可能なプログラム命令をいう。一般に、ソフトウェアは、フロッピー（登録商標）ディスク、ハードディスク、及び磁気テープを含む磁気媒体；並びに、ＣＤ−ＲＯＭディスク、ＤＶＤディスク、光磁気ディスク、及び、プログラム命令を記録することができる、他のかかる媒体を含んだ光学媒体を含むが、これらに限定されない、コンピュータに読み取り可能な記憶媒体に記録されたプログラム命令を含むプログラム製品において提供される。ソフトウェアは、コンピュータの操作を命令するのに用いられるコンピュータプログラムであってもよい。ソフトウェアは、ハードウェアではないが、ハードウェアと共に使用されるものであってもよい。ソフトウェアは、ダウンロード可能で、携帯可能で、インストールでき、及び／又は、インターネット／無線接続を介してアクセスすることができる。
【０２３６】
ソフトウェア及び／又はメモリに格納されたアルゴリズムは、適切な型であり得る。数学、コンピュータ科学、及び関連の主題において、アルゴリズムは、命令の有限数列を用いて、問題を解決する有効な方法であり得る。アルゴリズムは、計算、データ処理、及び他の多くの領域に用いられる。アルゴリズムはそれぞれ、タスクを完了するのに十分に定義された命令のリストであり得る。初期状態から開始して、命令は、十分に定義された一連の連続状態によって進行し、最終的に最終状態を完了する計算を説明し得る。ある状態から次の状態への転移は、必ずしも決定論的ではなく、例えば、一部のアルゴリズムは、無作為性を組み込む。例として、アルゴリズムは、探索アルゴリズム、ソートアルゴリズム、マージアルゴリズム、数値アルゴリズム、グラフアルゴリズム、文字列アルゴリズム、モデリングアルゴリズム、計算幾何アルゴリズム、組合せアルゴリズム、機械学習、暗号理論、データ圧縮アルゴリズム、及び構文解析等であり得るが、これらに限定されない。アルゴリズムには、組合せにより機能する１以上のアルゴリズムが含まれ得る。アルゴリズムは、適切な複雑性クラス及び／又はパラメータ化複雑性からなり得る。アルゴリズムは、計算もしくはデータ処理に用いるか、又は、いくつかの実施態様における方法への決定論、確率論／予測アプローチに用いることができる。アルゴリズムによる使用等によって、データ処理は、Ｃ、Ｃ＋＋、Ｊａｖａ（登録商標）、Ｐｅｒｌ、Ｐｙｔｈｏｎ、Ｆｏｒｔｒａｎ等のプログラミング言語の使用によって、計算環境で利用することができる。アルゴリズムは、許容誤差、統計分析、統計的有意性、並びに他の情報の比較又はデータセット（例えば、ニューラルネットもしくはクラスタリングアルゴリズムに使用）を含めるために、改良することができる。
【０２３７】
ソフトウェア及び／又はメモリに格納されたデータベースは、適切な型であり得る。データベースは、好都合な即時アクセスのために組織化されたか、又は、これに都合よく即時にアクセスするように操作される、関連するデータの包括的で組織的な集合であり得る。また、データベースは、データを更新し、クエリするソフトウェアに通常関連した、１以上の大規模な構造化した一組の永続的データでもあり得る。単純なデータベースは、多くの記録を含む単一のファイルであり、この各々は、領域がそれぞれ一定の固定幅である領域の同じ一組を含む。また、データベースは、管理されたノードの集合でもあり、１つの場所に蓄積され、同じサーバを介してすべてアクセス可能であってもよい。この外部のリンクは「外部に」あり、また、内部のものは「内部に」あり得る。データベースは、あらゆる方法でアクセスされ、蓄積され、例えば、ダウンロード可能で、携帯可能で、インストールでき、及び／又は、インターネット／無線接続を介してアクセスすることができる。１以上のデータベースは、別々に、及び他のものと共に、使用されてもよい。データベースは、あらゆる量の情報又はデータを蓄積する、あらゆるサイズであってもよい。データベースは、数キロバイトの情報、又は最大数千テラバイトのデータを蓄積することができる。データベースは、データベース管理システムの１つの要素であってもよい。あらゆる型のデータベースを使用することができ、例えば、分析データベース、操作データベース、階層型データベース、ネットワーク型データベース、リレーショナル型データベース、及びその他のこれらと同様のもの、並びにこれらの組合せを使用することができる。
【０２３８】
本明細書に論ずる、システム、マシン又はハードウェアには、例えば、ネットワークサーバ、ラップトップシステム、デスクトップ型システム、携帯型システム、携帯情報端末、コンピューティングキオスク（ｃｏｍｐｕｔｉｎｇ  ｋｉｏｓｋ）等の、コンピュータシステムの一般的な要素が含まれ得る。ハードウェアは、動作可能性のあるようにする理論及び設計と通常識別され、動作を導くために必要な機械設備であり得る。コンピュータシステムにおいて、ハードウェアには、機械デバイス、磁気デバイス、及び／又は電子デバイスが含まれ、これらは、ＣＰＵ、ディスクドライブ、キーボード、スピーカ、プリンタ、及び画面／モニター等のコンピュータシステムを備える。コンピュータシステムには、キーボード、タッチスクリーン、マウス、コンセプトキーボード、ライトペン、トラックボール、ジョイスティック、グラフィックタブレット、スキャナ、デジタルカメラ、ビデオデジタイザ、及び音声認識デバイス、又は使用者が該システムにデータを入力することを可能にする他の手段等の、１以上の入力手段が含まれ得る。該システムには、ＣＲＴもしくはＬＣＤディスプレイ画面、スピーカ、ＦＡＸマシン、インパクトプリンタ、インクジェットプリンタ、白黒もしくはカラーレーザープリンタ、又は、情報の視覚的出力、聴覚的出力、もしくはハードコピー出力を提供する他の手段等の、１以上の出力手段が更に含まれ得る。コントローラ、及び／又はメインサーバもしくはローカルサーバに、命令／データを提供し、又は、コントローラ／メイン／ローカルサーバからの保存／移動を提供するのに使用することができる、電子記憶媒体は、例えば、リムーバブルストレージデバイス、ＣＤ−ＲＯＭ、ハードディスクドライブにインストールされるハードディスク、信号、磁気テープ、ＤＶＤ、光ディスク、フラッシュドライブ、ＲＡＭ、又はフロッピー（登録商標）ディスク等であってもよい。
【０２３９】
入出力手段は、中央処理装置に接続されてもよく、該中央処理装置は、他の要素、プログラム命令実行用のマイクロプロセッサ、並びにプログラムコード及びデータ格納用のメモリを備え得る。いくつかの実施態様において、該方法は、単一の地理的所在地に位置するシングル使用者システムとして、実施されてもよい。別の実施態様において、該方法は、マルチ使用者システムとして実施されてもよい。マルチ使用者による実施の場合、複数の中央処理装置がネットワークによって接続されてもよい。ネットワークは、局所的であり、建造物の一部、すべての建造物における単一の領域を有し、複数の建造物に及び、地域に及び、全国に及び、又は、世界中に広げられてもよい。ネットワークは、私的であり、プロバイダによって所有され支配され得るか、又は、使用者が、ウエブページにアクセスして、情報を入力し検索する、インターネットベースのサービスとして実施されてもよい。
【０２４０】
本方法は、ハードウェア、ソフトウェア、又はこれらの組合せを用いて、実施され、コンピュータシステム又は他の処理システムで実施されてもよい。コンピュータシステムの例には、１以上のプロセッサが含まれ得る。プロセッサは、通信バスに接続することができる。コンピュータシステムには、メインメモリ（好ましくは、ランダムアクセスメモリ（ＲＡＭ））が含まれ、更に補助メモリも含まれ得る。補助メモリには、例えば、ハードディスクドライブ、及び／又は、フロッピー（登録商標）ディスクドライブ、磁気テープドライブ、光ディスクドライブ、メモリカード等を代表する、リムーバブルストレージドライブが含まれ得る。リムーバブルストレージドライブは、周知の方法でリムーバブルストレージユニットから読み取り、及び／又はこれに書き込む。リムーバブルストレージユニットには、例えばリムーバブルストレージドライブによって読み取られ、書き込まれる、フロッピー（登録商標）ディスク、磁気テープ、光ディスク等が含まれるが、これらに限定されない。認識されるように、リムーバブルストレージユニットには、コンピュータソフトウェア及び／又はデータを格納した、コンピュータに使用可能な記憶媒体が含まれる。
【０２４１】
また、コンピュータシステムには、通信インターフェースも含まれ得る。通信インターフェースは、ソフトウェア及びデータが、コンピュータシステムと外部デバイスの間で移動することを可能にする。通信インターフェースの例には、モデム、ネットワークインターフェイス（イーサネット（登録商標）カード等）、通信ポート、ＰＣＭＣＩＡスロット及びカード、無線デジタルコントローラ等が含まれ得る。通信インターフェース経由で移動されたソフトウェア及びデータは、信号の形態であり、これは、通信インターフェースによって受信可能な電子信号、電磁気信号、光学信号、又は他の信号であり得る。これらの信号は、チャンネルを介して、通信インターフェースに提供される。このチャンネルは、信号を伝え、ワイヤ又はケーブル、光ファイバ、電話線、携帯電話リンク、ＲＦリンク、ＩＲリンク、及び他の通信チャンネルを使用して実施することができる。したがって、一例において、通信インターフェースは、信号検出モジュールによって検出される信号情報を受信するために、使用することができる。
【０２４２】
図１０は、収容ケージの状態に関する情報を維持するコントローラ２３０の実施態様のシステムアーキテクチャを示す。ラック、ローカルサーバ及びメインサーバの３つのレベルのサーバはそれぞれ、単独で、又は相互に組み合わせて、機能することができる。図１０は、自身のラックサーバ（ＲＳ）と、コントローラ２３０と、１以上のケージ組立体とをそれぞれ有する、２つのラックシステムの例を示す。ラックシステムは、ハードウェア又は無線接続（図１０に示す）のいずれかによって、１以上のローカルサーバ（ＬＳ）に接続されてもよい。ローカルサーバ（ＬＳ）は、複数の機能に有用であるか、又は、付加的な機能を有するようにプログラム可能であり得る。ローカルサーバは、フラッシュインターフェース等のあらゆる型の使用者インターフェースをホストし、１以上のラックシステムと通信し、メインサーバから最新版を検索し、警告（例えば、部屋によるアラーム、型によるアラーム、位置によるアラーム、管理上の通信（例えば、記録、テキスト、電子メール））を送信し、又は発し、メインサーバに一般的な状態を報告し、ウエブサーバ及びローカルデータベースとして機能し、個々のラックサーバにバックアップを提供し、コントローラに余剰メモリを提供し、管理ソフトウェアシステムをホストすることができる。また、ローカルサーバは、携帯型であり、ラックシステム内のケージ上に維持されつつ、使用者によって容易にアクセスすることができる、スマートフォン又はタブレット型パソコン等の使用者フレンドリーな携帯機器に、直接接続されるか、又は無線接続されてもよい。かかる機能は、サービスの記録、及び／又はケージごとの費用又はデータベースへの最新情報を維持するために、容易な使用を提供する。ローカルサーバは、プログラム可能なプロセッサを有し、これは、ラックの設定、並びに記録の維持を監視し、例えば、視覚デバイス、デジタルコントローラ、スマートフォン、又はタブレット型ＰＣ上で見ることができる、棒グラフ等のグラフィカルディスプレイに、情報をエクスポートすることができる。メインサーバ（例えば、イノビーブ・サーバ−ＩＳ）は、最新版を送信し、又はプログラムを維持し、又は各サーバに対して機能するために、ローカルサーバへの通信において無線であってもよい。また、メインサーバは、種々の位置におけるサイトワイドステータス（ｓｉｔｅ  ｗｉｄｅ  ｓｔａｔｕｓ）を収集し、ホストネットワーク及び管理ソフトウェアシステムを提供することもできる。更に、メインサーバは、ウエブサーバとしても機能し、必要が生ずる場合、カスタマーサポートを提供し、バックアップデータベース及び／又は余剰メモリ空間を維持する。ラックシステムは、ローカルサーバ又はメインサーバを使用する必要がないが、自足する必要がある。別の実施態様において、１以上のラック組立体は、１つのローカルサーバを使用するだけでよい。更に別の実施態様において、ラックシステムは、ローカルサーバのないメインサーバを使用するだけでよい。システムアーキテクチャのあらゆる組合せが可能である。
【０２４３】
管理ソフトウェア。ケージシステムの維持を管理、処理、指示、及び／又は制御することができる、あらゆる型のソフトウェアを使用することができる。かかる管理ソフトウェアは、特定の機能を果たす特定のモジュールを有していてもよい。又は、ソフトウェアは、ケージシステムを管理することを支援する、タスクを実行し、及び／又は、データを提供する、他のソース又はソフトウェアを利用するか、又はこれらにアクセスしてもよい。管理ソフトウェアは、メインサーバ、ローカルサーバ、及び／又はリモートサーバ内に、格納、及び／又は収容、及び／又はアクセスされてもよい。また、管理ソフトウェアは、コントローラに配置されてもよい。更に、ソフトウェアには、スケジューリング、費用管理、予算管理、及び請求、追跡、リレーショナル型データベースの管理、通信、文書化もしくは報告、及び／又は、１以上の位置にある１以上のケージラック／システムを管理するのに使用することができる、投与システムもしくは使用者のアクセス等のタスクを実行する、他のソフトウェアも含まれ得る。例えば、ソフトウェアシステムは、動物情報（例えば、名前、生年月日、遺伝子型、系統、又は他の定義された領域）、ケージ情報（例えば、位置、設定日、使用履歴の書換え、清掃スケジュール等）、試験、測定等から、動物コロニー情報及び関連する研究データをすべて追跡することができる。スケジューリングには、電子メール選択による都合のよいリマインダを送信することが含まれ、該リマインダは、動物／ケージの管理、及びより効果的な試験を支援することができる。また、スケジューリングには、個体のサポートの管理、及び／又は資源（再発注リマインダ、１以上のケージ要素の在庫レベル等）の管理も含まれ得る。ソフトウェアシステムの使用によって、例えば、使用時における余分なケージ、又は動物を除去することによって、コストを低減することができる。
【０２４４】
他のソースからの識別子データ及び情報は、単独で、又は、ケージに収容された動物又はケージ内に収容された被検物、又は環境条件、又はケージ／ラック情報を含み得る、識別子データと組み合わせて、使用されてもよい。例えば、収容環境が適切であるか否かについて判断し、保守担当者に通知するために、ケージに収容された動物の現在の環境条件に関するコントローラからの情報を、特定の動物に適切な酸素濃度、アンモニウム濃度、及び二酸化炭素濃度に関する情報について、インターネットを介して、相互参照してもよい。かかる現在の環境条件は、コントローラによってセンサから受信することができる。ケージ内の動物の数、及びケージ内の動物の種類に関する情報は、ケージ内容物識別子からコントローラに送信することができる。例えば、シミュレートされたデータ又はデータベース情報等の他のデータソースは、別のコンピュータ又はプロセッサから、又は、公知の方法（例えば、インターネットによるもの、無線アクセスによるもの、フラッシュドライブ等のハードウェアによるもの、手動入力、音声認識、レーザー走査、バーコード走査等）によって、受信されるか、又はダウンロードされてもよい。かかる外部情報は、コントローラ及び／又はローカルサーバの内部情報と共に、例えば、人によって手動で、又は、マシン、プログラミング、及び／又はアルゴリズムによって自動的に、又は、警告もしくはセンサ等の特定の閾値指示器に応じて、あるいは必要に応じて、アクセスし、相互参照し、統合し、操作し、比較し、ダウンロードすることができる。予測アルゴリズムは、有意性を決定し、又は、相互に無関係に、又は相互に依存して重み付けられ得る、可変的な条件下で収集されたデータに意味を提供するために、用いることができる。
【０２４５】
ケージ内容物、ケージ使用者、ケージ要素、及び／又はケージ状態識別子等の、種々の識別子から収集されたデータ又は情報は、あらゆる形態（すなわち、デジタルデータ）で報告され、文書化され及び／又は示され、そのデータの表示（例えば、グラフ、２次元グラフ、３次元グラフ、及び４次元グラフ、画像、絵文字、図表、棒グラフ、円グラフ、ダイヤグラム、フローチャート、散布図、地図、ヒストグラム、密度図表、関数グラフ、回路図、ブロック図、バブルマップ、配置図（ｃｏｎｓｔｅｌｌａｔｉｏｎ  ｄｉａｇｒａｍ）、輪郭図、統計地図、スパイダーチャート、ベン図、ノモグラム、及びこれらの組合せ等）に、変換され、又は形成されてもよい。
【０２４６】
本発明の多くの適用を明確にすることができることが認識されてもよい。管理ソフトウェアは、インターネット、イントラネット、エクストラネット、ＷＡＮ、ＬＡＮ、衛星通信、及び／又はその他のこれらと同様のもの等の、データを交換もしくは処理するための、あるいはビジネス取引のための他のシステム、ハードウェア又はソフトウェアにアクセスし、又はこれらを含み得る。使用者は、キーボード、マウス、キオスク、携帯情報端末（例えば、Ｐａｌｍ  Ｐｉｌｏｔ）、携帯型コンピュータ、携帯電話、スマートフォン、タブレット、及び／又はその他のこれらと同様のもの等の入力デバイスによって、システムと相互作用してもよい。同様に、Ｗｉｎｄｏｗｓ（登録商標）、Ｗｉｎｄｏｗｓ（登録商標）ＮＴ、Ｗｉｎｄｏｗｓ（登録商標）２０００、Ｗｉｎｄｏｗｓ（登録商標）９８、Ｗｉｎｄｏｗｓ（登録商標）９５、Ｍａｃ（登録商標）ＯＳ、ＯＳ／２、ＢｅＯＳ、Ｌｉｎｕｘ（登録商標）、ＵＮＩＸ（登録商標）、Ｓｏｌａｒｉｓ（登録商標）のバージョン等の操作システムを実行して、あらゆる型のパソコン、ネットワークコンピュータ、ワークステーション、ミニコンピュータ、メインフレーム等と共に、本発明を使用することができる。ソフトウェアシステムは、完全な安全制御をしつつ、グループメンバーと共有することができる。ソフトウェアシステムが、インターネット接続でいかなる場所にも携帯可能で、及び／又は利用可能であるので、保存／アクセスされた情報／データは、同期を必要とせずに正確である。
【０２４７】
処理データ／統計分析。管理ソフトウェアシステムは、システムに含まれ、種々の統計分析ソフトウェア及び／又はモジュールを使用して、ケージシステムを適切に管理するのを支援することができる。統計的手法、アルゴリズム、及び／又はソフトウェアモジュールを適用して、本明細書に説明する識別子、センサ、及び他のソースによって収集されたデータを処理することができる。コントローラ、メインサーバ及び／又はローカルサーバは、収集されたデータに、かかる統計的手法、アルゴリズム、及び／又はソフトウェアモジュールを適用することを支援することができる。これは、理解可能であり、又は一致させることができ、このため、他のデータと比較することができる、フォーマットに、収集されたデータを処理するために、収集されたデータを前処理し、標準化し又は正規化するためである。例えば、統計、確率論、データマイニング、パターン認識、人工知能、適応制御、理論的コンピュータ科学、又はあらゆるアルゴリズムのうちの１以上を利用して、複合パターンを認識し、データ内の知的決定又は連絡をすることができる。
【０２４８】
ケージ内容物識別子、ケージ使用者識別子、ケージ要素識別子、及び／又はケージ状態識別子等の、種々の識別子から収集されたデータ又は情報を、前処理、標準化、又は正規化して、特定の基準に一致させることができる。例えば、前処理工程は、種々の量の酸素を必要とする２つの異なる動物種を比較して、特定の期間にわたる環境条件を追跡する場合に、データの標準化を支援することがある。前処理は、例えば、関連性のないデータ、孤立値、又は偽陽性を除去することを含んでいてもよい。正規化は、種々の方法で行うことができる。例えば、酸素必要条件のデータを、平均を減じることによって、又は、標準偏差で酸素値を割ることによって、すべての試料を正規化して、標準化した分散の中心データを得ることができる。データを正規化する別の例は、例えば、ログ中央強度プロトコル（ｌｏｇ  ｍｅｄｉａｎ  ｉｎｔｅｎｓｉｔｙ  ｐｒｏｔｏｃｏｌ）を用いること、各試料におけるすべてのスポットの純粋な強度が、純粋な強度の中央値によって正規化される、中央強度正規化プロトコル（ｍｅｄｉａｎ  ｉｎｔｅｎｓｉｔｙ  ｎｏｒｍａｌｉｚａｔｉｏｎ  ｐｒｏｔｏｃｏｌ）を適用すること、又は、ログ強度プロトコル（ｌｏｇ  ｉｎｔｅｎｓｉｔｙ  ｐｒｏｔｏｃｏｌ）のＺスコア平均絶対偏差を用いることによるものである。いくつかの実施態様において、強度バックグラウンド補正を用いて、測定を正規化することができる。
【０２４９】
統計分析又は比較は、使用者又は人のエラーに警告することができる。例えば、動物が、維持管理のために、ケージがラックから外へ取り出された後、ラック内の特定のケージ位置で、過去／現在の体重変化に基づいて、間違ったケージに入れられた場合、統計分析ソフトウェア、アルゴリズム、及び／又はソフトウェアモジュールは、ラック内の動物の従来の場所から替えられた、２以上のケージを識別することができる。別の実施態様において、体重、又は、新しい要素と対比した（ｖｅｒｓｅｓ）汚染された要素の臭気に基づいて、維持管理が行われた後、統計分析によって、汚染された要素が、いつ、ケージ内で再利用されたか、又は交換されていないかを検出することができる。かかる分析は、異常又は試験誤差を識別することを支援することができる。例えば、ある実験動物が、期待どおりに機能していない場合、遺伝子系列、ケージの使用履歴、獣医の使用履歴等は、試験からその動物を除外することを支援することができる。
【０２５０】
電子モジュール。電子モジュール、コンピュータモジュール、又はデジタルモジュールは、他の電子モジュールと交換可能であり、又は、場合により、プログラム製品に格納されるソフトウェアで具体化することができる、別個の要素であり得る。電子モジュールは、特定のタスク及び／又は別個の機能を果たすプログラムの一部を実行するように設計された、内蔵部分であり得る。また、モジュールは、プラグインハードウェアユニット、及び／又はダウンロード可能で、携帯可能で、インストールされたソフトウェアプログラムであり、及び／又は、インターネット／無線接続を介してアクセスすることもできる。モジュールは、管理ソフトウェアシステム、コントローラ、ローカルサーバ及び／又はメインサーバの一部内に存在するか、又は該一部であってもよい。
【０２５１】
管理ソフトウェアシステム、コントローラ、ローカルサーバ及び／又はメインサーバは、ラックシステムのケージを維持、管理、探知／追跡、及び／又は監視する必要があるモジュールを有し得る。モジュールには、受信モジュール、関連付けモジュール、及びデータディスプレイモジュール等が含まれていてもよい。
【０２５２】
受信モジュールは、あらゆる方法によって、あらゆる型のデータ、信号、及び／又は情報を受信することができる。「受信する」又は「得る」とは、コンピュータ通信手段によって、ローカルサイトもしくはリモートサイト、人のデータ入力、又は信号情報を受信する他の方法から、信号情報を受け、これを提供し、及び／又はアクセスすることを意味する。情報は、受信され、提供され、アクセスされるのと同じ場所で生じ、又は異なる場所で生じ、受信され、提供され、アクセスされた場所に送信されてもよい。受信情報は、局所に、遠隔に、離れた場所に保存され、又は他の場所に送信されてもよい。情報は、デジタル情報又は電子情報であり得る。
【０２５３】
受信モジュールは、ケージラックシステム上のコントローラに接続する読み取り器、並びに、携帯型読み取り器又は遠隔に機能する読み取り器によって検出された情報をすべて受信することができる。読み取り器によって検出された情報は、動物ケージの収容に関するケージ内容物のデータ（例えば、ケージ内の動物の数及び種類、ケージの所有者、動物の年齢、動物の性別、動物の血統、動物のために計画された試験手順、ケージ使用者による観察／メモ等）等の識別子データであり得る。また、読み取り器は、ラックシステム又は１以上のケージの使用者又は人に関する情報を含み得るケージ使用者情報（例えば、ケージにアクセスした人、ケージにアクセスした時間、ケージにアクセスした日付、ケージにアクセスした目的等）を検出することもできる。更に、読み取り器は、ケージ要素情報を検出することもでき、該データは、識別子が位置する対象（例えば、ケージ蓋要素、ケージ底部部門、給気要素、排気要素、給水要素、センサ要素、フィルター要素、バッフル要素、又はフィーダ、又はケージの要素等）を分類又は識別することができる。更にまた、読み取り器は、ケージ自体の内部もしくは外部になされた条件的な変化、又はケージの維持管理に使用される物品に関する情報（例えば、餌の交換、水の交換、ケージ収容物に投与される薬剤、敷材の交換、フィルターの交換、１以上の動物に使用されるシリンジ、ケージを清掃する人によって使用されるグローブ、ケージを清掃するのに使用される清掃用品等）を含み得るケージ状態情報を検出することもできる。また、ケージ状態情報は、非ケージ物品が使用された時のタイムスタンプ／日付スタンプ、又はケージの手順の管理のタイムスタンプ／日付スタンプ、又はケージが維持管理された時のタイムスタンプ／日付スタンプも含み得る。
【０２５４】
受信モジュールは、ケージラックシステムの他のすべてのソース（例えば、センサ、使用者による手動入力、該システムへの電子メッセージ（すなわち、電子メール、音声メッセージ、ファクス、文書アップロード等）、インターネットアクセス等）から情報をすべて受信することができる。したがって、受信モジュールは、種々のハードウェア及びソフトウェア要素からの受信情報にアクセスするか、又は該受信情報と通信することができる。
【０２５５】
関連付けモジュールは、データ間の関係を選別、追跡、管理、維持、証明するために、データ又は受信モジュールによる受信情報にアクセスすることができる。「関連付ける」又は「関連付け」させる、及びこれらと同様のものは、対象とデータ等の関係を結合し、結び付け、リンクさせ、付属させ、共有させ、又は生成することを意味する。関連付けモジュールは、リレーショナル型データベースと類似するか、又はこれと共同して機能することができる。リレーショナル型データベースは、リンクが、個々のデータ間に一致する領域があることを証明することを可能にし、データに関する使用者によるクエリに応答する、関連情報のデータを含んだ電子データベースである。したがって、関連付けモジュールは、受信モジュールからデータを受信し、リレーショナル型データベースにデータを関連付け、対象及び／又はデータ、又は、すべてのデータベースのデータの関係を識別することができる。
【０２５６】
例えば、関連付けは、ケージカードデータ／識別子としても知られている、ケージ内容情報及び／又はケージ内容物識別子に基づいてもよい。ケージ内容情報は、動物ケージの収容物に関係があり、ケージ内容物識別子はすべて、ケージ内容情報に処理されるか、又は該データに追加される、行動、事象、使用履歴等を追跡する。ケージ内容情報は、各ケージの物理的なケージカードに関するすべての情報から発生し得るが、収容物に関するより多くの情報を更に含んでいてもよい。他のすべての識別子（ケージ要素、ケージ状態、及びケージ使用者）、並びに他のすべてのデータ（ケージ要素、ケージ状態、及びケージ使用者）は、これらの対応するケージ内容情報、及び／又はケージ内容物識別子と関連付けることができる。
【０２５７】
例えば、ケージ内容物識別子は、ケージ底部の正面、並びに、ケージ底部のフランジ、又は対応するケージ蓋のフランジ上に配置されてもよく、このため、蓋、底部及びケージ内容物の識別子は、一列に並び、ケージの棚部に取り付けられた読み取り器によって、容易に検出することができる。受信モジュールは、読み取り器から３つの識別子の情報を得、該読み取り器は、ケージが棚部に返還された時間／日付を記録することができ、その後、関連付けモジュールは、該情報にアクセスする。次いで、関連付けモジュールは、ケージ内容物識別子に基づくか、又はこれにリンクされる情報をすべて関連付ける。ケージ底部が交換され、新しいケージ底部識別子が、ケージ蓋識別子、及びケージ内容物識別子を備える読み取り器によって検出される場合、新しいケージ底部識別子は、そのケージ内容物識別子と関係付けられる。底部識別子の変化は、ケージ要素の変化、具体的には、ケージ底部の変化として、処理されるか、又は記録／追跡される。かかる記録／追跡は、ケージ及び非ケージ物品の正確な在庫を維持することを支援し得る。別の例は、ケージ使用者を関与させ、使用者又は研究所員がケージにアクセスする場合、使用者は、使用者自身を確認させて、パスワード、パスコード、音声認識、身元確認等による手段によって、アクセスをする必要がある。使用者が、成功裡にラックシステムにアクセスすると、ケージ使用者識別子は、受信モジュールに受信され、この情報にアクセスする関連付けモジュールは、使用者が該システムからログアウトするまで、内容物識別子が検出されるケージと使用者とを関連付ける。使用者が２つのケージにアクセスすれば、使用者のケージ使用者識別子は、使用者が、ラックシステムにログインした時間枠内の２つのケージ内容物識別子と関連付けられる。２つのケージ内容物識別子が、ケージ要素識別子等の他の識別子と関連付けられる。このため、２つのケージにアクセスする使用者も、対応するケージ要素識別子がケージ内容物識別子によって共にリンクされるので、該対応するケージ要素識別子と関連付けられる。
【０２５８】
関連付けモジュールは、使用者のエラーを決定することを支援することができ、例えば、２つのケージ蓋が偶然に切り替えられた場合において、対応するケージ蓋識別子及びこれらのケージ内容物識別子が、異なる位置で検出され、及び／又は、ケージが棚部に置かれ、読み取り器によって読み取られる場合、おそらく異なる時間で異なる読み取り器によって検出されるので、関連付けモジュールは、エラーを識別する。また、現在の関連付けと過去の関連付けの比較も行うことができる。可能性のある人のエラーの警告は、問題のあったケージの読み取り器のコントローラ及び／又は光指示器によるグラフによってもたらされ得る。
【０２５９】
関連付けは、使用者定義であるか、又は予めプログラムされてもよい。上で論じるように、ケージ内容物識別子、及びケージ要素識別子が、読み取り器によって、ラックシステム内で、同じ時間／同じ位置で検出される場合、これらは関連付けられるか、又はリンクされてもよい。これは、同じ位置及び同じ時間の検出に基づく、予めプログラムされた関連付けの例であり得る。関連付けは、同じ読み取り器によって検出される識別子に基づいていてもよく、識別子は、比較的同じ時間等で検出される。また、現在の関連付けと過去の関連付けの比較も、行われ、予めプログラムされてもよい。更に、関連付けは、使用者定義であるか、又は、承認された人によって再プログラムされてもよい。例えば、使用者が、ケージ要素を交換している場合、再プログラミング事例が許可されてもよい。したがって、関連付けモジュールは、データもしくは電子／デジタル情報を関連付け、ソフトウェアベースであり得るか、又はソフトウェアのみを使用する。
【０２６０】
データディスプレイモジュールは、データを示し、もしくはデータを組織するために、関連付けられたモジュールによってリンクされた、すべての関連付けられたデータ又は情報にアクセスすることができるか、又は、使用者への報告機能である。また、データディスプレイモジュールは、報告モジュール又は文書化モジュールという場合もあり、いくつかの実施態様において、別個の報告書モジュールから生じた報告書を示し得る。データディスプレイモジュールは、使用者に、データ及び／又はあらゆる形態の関連付けられたデータを提供するか、又は示すことができ、このため、提供されたデータは、リスト、在庫報告、安全報告、生産性報告、グラフ、写真、ラックモジュールの仮想ディスプレイ、スプレッドシート、表、グラフ、２次元グラフ、３次元グラフ、４次元グラフ、画像、絵文字、図表、棒グラフ、円グラフ、ダイヤグラム、フローチャート、散布図、地図、ヒストグラム、密度図表、関数グラフ、回路図、ブロック図、バブルマップ、配置図、輪郭図、統計地図、スパイダーチャート、ベン図、ノモグラム、及びこれらの組合せ等を発生させることによって関連付けられたデータの仮想的表示、複製可能な表示、口頭による表示、触覚による表示、嗅覚による表示、及び／又は印刷表示である。データディスプレイモジュールは、生データを示してもよく、該生データは関連付けられない。例えば、データディスプレイモジュールは、ケージ内容物識別子、ケージ要素識別子、ケージ使用者識別子、及びケージ状態識別子を示してもよい。また、データディスプレイモジュールは、ケージ内容情報、ケージ要素情報、ケージ使用者情報、及びケージ状態情報を示してもよい。データディスプレイモジュールは、容易に認識可能で、解析され、構築され、定義されたデータに、関連付けられた日付を組織化することができ、このため、使用者は、管理された方法で、データを分析することができる。例えば、データディスプレイモジュールは、日付、又は１ヶ月等の間隔によって記録されたケージ要素識別子データを示してもよい。データディスプレイモジュールは、使用者定義であり、及び／又は予めプログラムされ得る、報告機能又は文書化機能を実行する。データディスプレイモジュールが使用者に示す、報告書又は文書は、不変であるか、又は操作され、再構成することができる。データディスプレイモジュールは、使用者基準及び／又は使用者のクエリに基づいた具体的な報告書を示してもよい。関連付けモジュールに類似するデータディスプレイモジュールは、使用者による要求を受け入れて、情報を示すことができる。次いで、データディスプレイモジュールは、関係があるか、又は関連付けられたデータベースにアクセスし、使用者のクエリに基づいてデータと関連付けさせ、使用者にデータを示すことができる。日付ディスプレイモジュールは、データベース、プリンタ、スピーカ、噴霧器等のソフトウェア及びハードウェア要素を共に使用してもよい。
【０２６１】
報告書及び他の種々の形態の示された及び／又は組織化されたデータは、種々の方法で使用者に示されてもよい。いくつかの実施態様において、グラフィック使用者インターフェースは、所定のラックシステムに支持された各収容ケージのためのアイコン等を同時に示してもよい。いくつかの実施態様において、グラフィック使用者インターフェース上に示されたアイコンは、ラックシステムの実際のケージの形態に対応する形態において、画面に配置されてもよい。換言すると、実際のラックシステム側面の正面図の複製は、グラフィック使用者インターフェースの画面上に示されてもよく、このため、研究所員は、ラックシステムのケージのうちのいずれかの状態を迅速かつ直観的に評価することができる。早急な対応を必要とするケージの物理的な位置は、各ケージの棚部に、又は各ケージの周辺に位置する指示器／読み取り器によって、研究所員に識別され得る。いくつかの実施態様において、グラフィック使用者インターフェースの指示器及び／又はケージのアイコンは、色分けされたディスプレイを使用して、効果的にかつ迅速に、ケージ状況の情報を研究所員に伝えることができる。例えば、使い捨てケージを新しい未使用のケージに交換する、適切な時間の決定に関する、パラメータが監視され処理される場合、指示器によって示された種々の色、又はグラフィックケージアイコンを使用して、必要な交換の接近を示してもよい。指示器、及び／又はグラフィックケージアイコンの色が、緑色である場合、交換が必要でなく、色が黄色である場合、交換がすぐに必要であり、また、赤色は、即時のケージ交換の必要性を示すのに使用され得る。グラフィック使用者インターフェース上のディスプレイにおけるケージ、及び／又はケージのアイコン付近の指示器の色分けが、ケージ交換状況の情報に関するものである場合、研究所員は、これらのパラメータのうちのいずれか又は両方を選択し、指示器及び／又はアイコンを直ちに見て、赤色の指示器、及び／又はディスプレイ上のアイコンの存在に基づき、ケージ交換がすぐに必要か否かについて、決定することができる。同様のスキームは、アンモニア濃度等の他のパラメータに用いてもよい。試験技術者がアンモニア濃度状態を選択する場合、指示器／アイコンの色分けを切り替えて、種々の色に基づいて、アンモニア濃度が、低いか、高いか、又は中程度であるか否かについて示すことができる。いくつかの実施態様において、色分けを用いて、獣医学専門家による注意の必要性を示してもよい。
【０２６２】
また、獣医の注意を必要とするケージの総数、及び交換を必要とするケージの総数の数値表示は、コントローラ上に、及びラックシステムの各ケージの指示器／読み取り器上にデジタルにより、グラフィックディスプレイとして、共に、示されてもよい。別の実施態様において、数をコントローラの各ケージアイコン内に示して、各ケージ内に収容された動物の数を表してもよい。例えば、かかる表示は、使用者が、どのケージが空であるかについて決定するのを迅速に支援する。他の機能には、パスワード保護、メッセージ、日付／時間表示、メニュー、警告等が含まれ得る。
【０２６３】
また、コントローラ上のグラフィックディスプレイは、時間「ＡＣＨ」値当たりの空気の変化を示すこともでき、該変化は、画面上の矢印を上下にトグルすることによって、調整することができる。更に、「ＤＩＦＦ  ＰＲＥＳ」と示される、給気管路と排気管路の間の圧力差を示すこともでき、「ＤＩＦＦ  ＰＲＥＳ」は、ケージ組立体内部が、周囲大気に対して正味の正圧又は負圧を有するか否かを示す。更にまた、「ＤＩＦＦ  ＰＲＥＳ」表示には、ケージ組立体内の正内圧又は負内圧のいずれかを達成するために、相対応力の調節のための上下の矢印も含まれる。また、日付、時間、及び他の情報も、研究所員によって参照のために示されてもよい。一部のコントローラの実施態様において、コントローラパラメータ及び出力への種々のレベルのアクセスは、パスコードを必要とすることによって制御されてもよい。例えば、使用者パスコードの入力を促すポップアップメニューは、入力されると、使用者にコントローラシステムへのアクセスを許可し、パラメータの調節及びリセットを行わせる。他のポップアップメニューの選択肢には、「ラックを設定」、「ケージ交換スケジュールを設定」、及びその他の選択肢が含まれ得る。かかる設定へのアクセスは、獣医学専門家、又は他の適切なレベルのもしくはグループの人のみのパスコードアクセスによって、制限されてもよい。
【０２６４】
図１１は、コントローラにおけるグラフィック使用者インターフェースの実施態様の画面を示し、ラック内のケージに関する情報（すなわち、ケージカード情報、ケージカード記号、識別子番号、ラック内のケージの位置、交換間隔、ＡＣＨ及びＤＩＦ  ＰＲＥＳ（実績、及び差異／目標）百分率、設定／スケジュールの表示、並びにラック背景のカスタマイズ）を示す。図１１では、垂直に積み重ねられた形態の４つのラックモジュールを有するラックシステムの「側面Ａ」の立面図の複製を、背景画面に示す。側面のセレクタスイッチをトグルして、ラックシステムの「側面Ａ」におけるケージに関する表示情報から、ラックシステムの「側面Ｂ」に関する表示情報に切り替えることができる。図１１は、識別子（ケージ位置、ケージカード情報等）、センサ（気圧）、及び保守担当者（メモ）から収集され、処理されたデータを示すコントローラを示す。
【０２６５】
図１２から図１８は、収容ケージの状態、位置、在庫、及び報告書／文書に関する種々の情報を示す、グラフィック使用者インターフェースの実施態様のより多くの画面を示す。図１２は、ケージ探知器のクエリ機能を示す、コントローラの実施態様の概略的な画面である。「探知ケージ」選択肢のディスプレイ４１６上のポップを、３つの選択肢によって示す。選択０１は、現在の選択肢であり、「ケージを確認してください：」によって、使用者が入力を促され、使用者は、「Ｃｏｎｇｅｒ所有、今日交換済み、先週交換済み、及びフルオキセチン試験中」という選択肢によって、ドロップダウンメニューから選択する。使用者が選択をすれば、基準と一致するコントローラ画面上のケージが、水玉模様／テクスチャで示される。選択０２は、使用者による直前の選択肢であり、１週間前に交換されたケージを示し、該ケージを黒色で色分けする。また、選択０３も、使用者による直前の選択肢であり、Ｃｏｎｇｅｒが所有するケージを示し、該ケージを縞模様によって色分けする。選択の左は、実際ラックシステムの側面の正面図の複製であり、使用者の選択及びケージの位置に基づいて、ケージを色分けする。また、ラックシステムの棚部の上の指示器も、使用者のクエリに基づいたケージの位置を示すことができる。更に、図５ＡからＣに示す指示器は、図１２のコントローラの複製と同様に、色分けされてもよく、このため、ケージラック上のこれらの指示器は、これらのクエリに基づいて、ケージの場所を使用者に示すことができる。使用者が、コントローラの複製に示された特定のケージに関心を有する場合、これらは、図１１に示すケージカード情報を示す、そのケージを選択してもよく、Ｍ（モジュール；最大４つのモジュールがラック上にあり得る）、Ｒ（列；１つのモジュール当たり最大４列）、及びＣ（ケージ；１列当たり最大８つのケージ）の表現によって、ケージの位置の書き込まれた説明を含めて、より多くの情報を発見することができる。また、「ラック上の指示器によるケージの位置を示す」という選択肢のボタンもあり、選択されたケージの指示器が点灯するか、又は、ボタンが選択／起動されれば、使用者が、ケージラック上で視覚的に見ることができる。
【０２６６】
図１３は、ケージ交換スケジュールを示す、コントローラの実施態様の概略的な画面を示す。図１３は、「ケージ交換スケジュールを設定」という選択肢に対応するポップアップメニュー４１８を示す。交換スケジュールメニューには、「正常」、「繁殖」、及び「カスタム」等の、種々の交換スケジュール選択肢が含まれる。１つのケージごとのマウスの数と交換間隔とを示す、検索チャート（ｌｏｏｋ  ｕｐ  ｃｈａｒｔ）も示される。背景には、実際のラックシステムの側面の正面図の複製は、各ケージの数で示され、各ケージの現在のマウスの数を列挙する。
【０２６７】
図１４は、選択肢の選択を示す、コントローラの実施態様の概略的な画面を示す。図１４は、ラックに関する情報（すなわち、ラック番号２３６、ＡＣＨ、ＤＩＦＦ  ＰＲＥＳＳ百分率、警告ポップアップウィンドウ、並びに、設定によって、日付、時間、アラーム設定、ディスプレイ設定／スケジュール、探知ケージ、及び、在庫等を更新することができるメニューポップアップ）を示すコントローラにおけるグラフィック使用者インターフェースの実施態様の画面を示す。他の機能には、パスワード保護、メッセージ、メニュー等が含まれ得る。
【０２６８】
図１５は、棒グラフフォーマットでの餌の在庫を示す、コントローラの実施態様の概略的な画面を示す。図１４で理解されるように、メニューポップアップからの使用者の選択肢は、在庫である。図１５は、モジュール１の列１におけるケージの１ヶ月間の餌の在庫を示し、個々のケージ１から８が、棒グラフのＸ軸上にリストされ、餌のオンスが、Ｙ軸上にリストされる。例えば、１日、１週間等の他の時間間隔を選択してもよく、使用者は、他の時間間隔の選択を入力してもよい。また、モジュール１、モジュール２、モジュール３、及び／又はモジュール４等の、他のモジュールも、在庫グラフに選択されてもよい。折れ線グラフ、暦表示、又は図表等のグラフフォーマットボタンによって表示されるように、在庫の他の表示が示されてもよい。
【０２６９】
図１６は、ケージの要素の関連付けを示す、コントローラの実施態様の概略的な画面を示す。特定のケージカードを関連付けるケージ要素（すなわち、ケージ蓋及びケージ底部）の概要を示す。また、Ｍ１、Ｒ４及びＣ８のケージの位置も、識別子番号：ＸＭＢ  ７８４５、及びケージカード記号（スマイリーフェイス）と共に示される。他のケージ要素が、この特定のケージ又はケージカード又はケージ内容物と関連付けられた場合、これらは、この画面上にリストされる。
【０２７０】
図１７は、１ヶ月間の在庫の概要を示す、コントローラの実施態様の実施態様の概略的な画面を示す。図１７は、ラック、ラックの説明、１つのラックごとのケージの数、ケージ蓋の数、ケージ底部の数、ラックの状態、交換頻度、及び維持管理のためのアラーム設定の図表又はリストを示す。使用者は、この在庫の概要によって、特定の数のケージ蓋及び／又は底部を発注する計画を立てることができる。ケージ底部は、動物の活動、１つのケージごとの動物の数等の要因によって、ケージ蓋よりも頻繁に交換されてもよい。
【０２７１】
図１８は、リスト形式での気流データを示す、コントローラの実施態様の概略的な画面を示す。図１８は、各ラック（すなわち、ラック番号１）のスケジュール又は使用履歴を示し、これらには、種類（すなわち、ＡＣＨ又はＤＰ）、値、時間、及び、５分前、１時間前、６時間前、１２時間前、１日前、１週間前、１ヶ月前、すべて等の使用履歴の参照数の情報が含まれ得る。
【０２７２】
図１９は、データ及び／又は識別子の関連付けの実施態様を示す。ケージの要素の識別子、及び対応するケージ内容物識別子は、受信モジュールによって受信され、関連付けモジュールによって共に関連付けられる。また、ラックシステム内の位置に基づいて、これらの識別子が相互に対応するので、これらの識別子からのデータも関連付けられる。関連付けモジュールは、ケージ要素情報４３４及びケージ内容情報４３６が関連付けする（４３８）ように、図１９によって示されたタスクを果たす。関連付けは、使用者定義であるか、又は予めプログラムされてもよい。
【０２７３】
図２０は、使用者の基準に基づいて、特定のケージを探知するための操作手順を示す。ケージ蓋４２０、ケージ底部４２２、及びケージカード／内容物４２４は、共に、関連付けモジュールによって関連付けられる（４２６）。使用者は、１以上の特定のケージを探知するために、基準４２８を選択する。関連付けモジュールは、単独で、又は管理ソフトウェアと組み合わせて、使用者の基準に基づき、関連付けされた情報／データを解析して、ケージを識別する。信号４３０は、ケージ付近の指示器／読み取り器によって、ケージの物理学的な位置を識別する（４３２）ために、ケージラックシステムに中継される。また、信号４３０は、仮想グラフィックディスプレイのコントローラに中継して、ケージの位置を識別する（４３２）こともできる。
【０２７４】
各実施形態の例。本技術の所定の実施形態の非限定的な例を以下列挙する。
【０２７５】
Ａ１．第１の検出可能な識別子を備える第１のケージ要素と、第２の検出可能な識別子を備える第２のケージ要素であって、第１の検出可能な識別子をカバーする第２のケージ要素と、検出器であって、第１の検出可能な識別子及び第２の検出可能な識別子を検出するように構成された検出器とを備えるげっ歯動物の収容ケージシステム。
【０２７６】
Ａ２．第１のケージ要素、第２のケージ要素、又は第１のケージ要素及び第２のケージ要素は、２以上の識別子を含む実施形態Ａ１記載のシステム。
【０２７７】
Ａ３．識別子は、バーコード、シリアル番号、無線周波数識別子、変色ポリマー、反射識別子、無反射識別子、磁気識別子、記号コード、化学センサ識別子、又はその組合せから構成されるグループから選択される実施形態Ａ１記載のシステム。
【０２７８】
Ａ４．識別子は、刻時識別子、ケージ位置識別子、コンテンツ識別子、又はその組合せとして機能する実施形態Ａ３記載のシステム。
【０２７９】
Ａ５．検出器は、ラックと有効に接続される実施形態Ａ１記載のシステム。
【０２８０】
Ａ６．検出器は、ラック内の棚に取り付けられ、第１及び第２のケージ要素は、棚に係合される実施形態Ａ５記載のシステム。
【０２８１】
Ａ７．ラックは、ケージの一部を摺動することができる溝を含む棚を備え、検出器は、溝に近接する棚上に配置され、ケージが溝の中に摺動され、かつ第１及び第２の検出可能な識別子が検出器を通過するときに、第１及び第２の検出可能な識別子を検出するように構成される実施形態Ａ５記載のシステム。
【０２８２】
Ａ８．検出器は、ラック内の棚の側面に取り付けられ、第１及び第２のケージ要素は、各々フランジを含み、それによって、ケージ要素が係合され、かつ識別子が各ケージ要素のフランジ上に配置されるとき、第１及び第２のケージ要素の各フランジの面が互いに接触し、検出器は、検出のためにケージ要素上のフランジ及び識別子と一列になる実施形態Ａ７記載のシステム。
【０２８３】
Ａ９．検出器は、機械、磁気、光磁気、光学、自動、化学感知、蛍光感知の要素、又はその組合せから構成されたグループから選択された材料を用いる実施形態Ａ１記載のシステム。
【０２８４】
Ａ１０．検出器は、携帯型装置内に配置される実施形態Ａ１記載のシステム。
【０２８５】
Ａ１１．検出器は、ケージ要素上に配置される実施形態Ａ１記載のシステム。
【０２８６】
Ａ１２．  ケージ要素は、ケージ蓋要素、ケージ底部要素、給気又は排気要素、給水要素、センサ要素、フィルター要素、バッフル要素、又は給餌要素から構成されるグループから選択される実施形態Ａ１記載のシステム。
【０２８７】
Ａ１３．１以上のケージ要素は、概して透過的である実施形態Ａ１２記載のシステム。
【０２８８】
Ａ１４．１以上の識別子は、ケージ要素の後部上に、ケージ要素の片側又は両側上に、ケージ要素の最上部上に、ケージ要素の１以上のフランジ上に、非ケージ品目上に、ラック要素上に、別の識別子、重なる別の識別子、又はその組合せに並置されて、配置される実施形態Ａ８記載のシステム。
【０２８９】
Ａ１５．識別子は、加熱、インクジェット、エンボス加工、レーザー刻印、ステッカー、接着剤、変色ポリマー、磁石、又はファスナーから構成されるグループから選択される処理によって、１以上のケージ要素上に配置される実施形態Ａ１記載のシステム。
【０２９０】
Ａ１６．ディスプレイを更に備え、ディスプレイは、システムのラック上に配置され、ディスプレイは、ラックから遠隔の位置に配置される実施形態Ａ５記載のシステム。
【０２９１】
Ａ１７．収容ケージシステムのラック上に１以上の指示器を更に備える実施形態Ａ１記載のシステム。
【０２９２】
Ａ１８．第１の検出可能な識別子及び第２の検出可能な識別子を備える１以上のケージ要素と、検出器であって、それによって第１の検出可能な識別子又は第２の検出可能な識別子を検出するように構成された検出器とを備えるげっ歯動物の収容ケージシステム。
【０２９３】
Ａ１８．１．ケージ要素は、ケージ蓋である実施形態Ａ１８記載のげっ歯動物の収容ケージシステム。
【０２９４】
Ａ１８．２．ケージ要素は、ケージ底部である実施形態Ａ１８記載のげっ歯動物の収容ケージシステム。
【０２９５】
Ａ１８．３．ケージ要素は、ケージ蓋及びケージ底部である実施形態Ａ１８記載のげっ歯動物の収容ケージシステム。
【０２９６】
Ａ１９．検出器は、ケージ設置組立体に取り付けられる実施形態Ａ１８記載のげっ歯動物の収容ケージシステム。
【０２９７】
Ａ２０．検出器は、ケージ設置組立体のフロントモジュールの一部である実施形態Ａ１９記載のげっ歯動物の収容ケージシステム。
【０２９８】
Ａ２１．第１の検出可能な識別子及び第２の検出可能な識別子を備える１以上のケージ要素と、第１の検出器及び第２の検出器であって、第１の検出可能な識別子を検出するように構成された第１の検出器と、第２の検出可能な識別子を検出するように構成された第２の検出器とを備えるげっ歯動物の収容ケージシステム。
【０２９９】
Ａ２１．１．ケージ要素は、ケージ蓋である実施形態Ａ２１記載のげっ歯動物の収容ケージシステム。
【０３００】
Ａ２１．２．ケージ要素は、ケージ底部である実施形態Ａ２１記載のげっ歯動物の収容ケージシステム。
【０３０１】
Ａ２１．３．ケージ要素は、ケージ蓋及びケージ底部である実施形態Ａ２１記載のげっ歯動物の収容ケージシステム。
【０３０２】
Ａ２２．第１及び第２の検出可能な識別子は、ケージの長さに沿った両側上にある実施形態Ａ２１．１〜Ａ２１．３のうちのいずれかに記載のげっ歯動物の収容ケージシステム。
【０３０３】
Ａ２３．第１及び第２の検出器は、ケージラックに取り付けられた隣接するケージ設置組立体上にある実施形態Ａ２２記載のげっ歯動物の収容ケージシステム。
【０３０４】
Ａ２４．ケージがケージ設置組立体の中に摺動されるときに、第１の検出器は、第１の検出可能な識別子を検出するように構成され、第２の検出器は、第２の検出可能な識別子を検出するように構成される実施形態Ａ２３記載のげっ歯動物の収容ケージシステム。
【０３０５】
Ａ２５．検出可能な識別子を備えるケージ要素と、識別子を検出するように構成された第１の検出器とを備えるげっ歯動物の収容ケージシステム。
【０３０６】
Ａ２６．ケージ要素は、ケージ蓋である実施形態Ａ２５記載のげっ歯動物の収容ケージシステム。
【０３０７】
Ａ２７．ケージ要素は、ケージ底部である実施形態Ａ２５記載のげっ歯動物の収容ケージシステム。
【０３０８】
Ａ２８．検出器は、ケージ設置組立体に取り付けられる実施形態Ａ２５記載のげっ歯動物の収容ケージシステム。
【０３０９】
Ａ２９．検出器は、ケージ設置組立体のフロントモジュールの一部である実施形態Ａ２８記載のげっ歯動物の収容ケージシステム。
【０３１０】
Ａ３０．検出器は、識別子をもつケージ要素を備えるケージをケージ設置組立体の中に摺動するときに検出可能な識別子を検出するように構成される実施形態Ａ２８記載のげっ歯動物の収容ケージシステム。
【０３１１】
Ｂ１．第１の検出可能な識別子を備えるベースと、第２の検出可能な識別子を備え、ベースに固定され、第１の検出可能な識別子をカバーする蓋と、を備え、第２の検出可能な識別子は、第１の検出可能な識別子の近接に配置されるげっ歯動物の収容ケージ。
【０３１２】
Ｂ２．  検出器は、第１の検出可能な識別子及び第２の検出可能な識別子を検出するように構成される実施形態Ｂ１記載の収容ケージ。
【０３１３】
Ｂ３．ベース又は蓋は、２以上の識別子を含む実施形態Ｂ１記載の収容ケージ。
【０３１４】
Ｂ４．識別子は、バーコード、シリアル番号、無線周波数識別子、変色ポリマー、反射識別子、無反射識別子、電磁気識別子、磁気識別子、記号コード、化学センサ識別子、又はその組合せから構成されるグループから選択される実施形態Ｂ１記載の収容ケージ。
【０３１５】
Ｂ５．識別子は、刻時識別子、ケージ位置識別子、コンテンツ識別子、又はその組合せとして機能する実施形態Ｂ１記載の収容ケージ。
【０３１６】
Ｂ６．検出器は、ケージと有効に接続される実施形態Ｂ１記載の収容ケージ。
【０３１７】
Ｂ７．検出器は、ケージ要素上に配置される実施形態Ｂ１記載の収容ケージ。
【０３１８】
Ｂ８．ベース、蓋、又はその両方は、概して透過的である実施形態Ｂ１記載の収容ケージ。
【０３１９】
Ｂ９．１以上の識別子は、ベース又は蓋の後部上に、ベース又は蓋の片面又は両面上に、ベース又は蓋の最上部上に、ベース又は蓋の１以上のフランジ上に、別の識別子、重なる別の識別子、又はその組合せに並置されて、配置される実施形態Ｂ２記載の収容ケージ。
【０３２０】
Ｂ１０．識別子は、加熱、インクジェット、エンボス加工、レーザー刻印、ステッカー、接着剤、変色ポリマー、磁石、又はファスナーから構成されるグループから選択される処理によって、１以上のケージ要素上に配置されるＢ１記載の収容ケージ。
【０３２１】
Ｂ１１．検出器は、ラック内の棚に接続されるＢ１記載の収容ケージ。
【０３２２】
Ｂ１２．第１の検出可能な識別子及び第２の検出可能な識別子をもつ１以上のケージ要素を備えるげっ歯動物の収容ケージ。
【０３２３】
Ｂ１２．１．ケージ要素は、ケージ蓋である実施形態Ｂ１２記載のげっ歯動物の収容ケージ。
【０３２４】
Ｂ１２．２．ケージ要素は、ケージ底部である実施形態Ｂ１２記載のげっ歯動物の収容ケージ。
【０３２５】
Ｂ１２．３．ケージ要素は、ケージ蓋及びケージ底部である実施形態Ｂ１２記載のげっ歯動物の収容ケージ。
【０３２６】
Ｂ１３．第１及び第２の検出可能な識別子は、ケージの長さに沿った両側上にあるＢ１２．１〜１２．３のうちのいずれかに記載のげっ歯動物の収容ケージ。
【０３２７】
Ｂ１４．第１の識別子及び第２の識別子は、同一のものである実施形態Ｂ１２記載の収容ケージ。
【０３２８】
Ｂ１５．第１の識別子及び第２の識別子は、異なるものである実施形態Ｂ１２記載の収容ケージ。
【０３２９】
Ｂ１６．第１及び第２の検出可能な識別子は、バーコードを備える実施形態Ｂ１２記載の収容ケージ。
【０３３０】
Ｂ１６．１．第１及び第２の検出可能な識別子は、ともに検出されたとき、一意の識別子を生成する実施形態Ｂ１６記載の収容ケージ。
【０３３１】
Ｂ１７．第１の検出可能な識別子をもつ要素を備えるげっ歯動物の収容ケージ。
【０３３２】
Ｂ１８．ケージ要素は、ケージ蓋である実施形態Ｂ１７記載のげっ歯動物の収容ケージ。
【０３３３】
Ｂ１９．ケージ要素は、ケージ底部である実施形態Ｂ１７記載のげっ歯動物の収容ケージ。
【０３３４】
Ｃ１．ケージをラックの棚に係合させるステップであって、ケージは、第１の検出可能な識別子を含むベースと、第２の検出可能な識別子を含む蓋とを備え、棚は、検出器を備えるステップと、棚の中にケージを摺動させるステップであって、ケージが棚の中に摺動されるとき、第１及び第２の検出可能な識別子が検出器を通過するとともに、検出器によって第１の検出可能な識別子及び第２の検出可能な識別子が検出されるステップとを備えるげっ歯動物の収容ケージ上の識別子を検出する方法。
【０３３５】
Ｃ２．蓋は、第１の検出可能な識別子をカバーし、第１の検出可能な識別子は、蓋を通じて検出される実施形態Ｃ１記載の方法。
【０３３６】
Ｃ３．検出器は、光学式読み取り器であり、第１の検出可能な識別子及び第２の検出可能な識別子は、光検出用に設定され、蓋は、概して透過的である実施形態Ｃ２記載の方法。
【０３３７】
Ｃ３．１．蓋は、すべての電磁放射に対してではなく、いくつかの電磁放射に対して概して透過的である実施形態Ｃ３記載の方法。
【０３３８】
Ｃ４．第１の検出可能な識別子及び第２の検出可能な識別子は、一列に配置される実施形態Ｃ１記載の方法。
【０３３９】
Ｃ４．１．第１の検出可能な識別子及び第２の検出可能な識別子は、重なる部分を含む実施形態Ｃ４記載の方法。
【０３４０】
Ｃ５．蓋又はベースは、２以上の検出可能な識別子を含む実施形態Ｃ１記載の方法。
【０３４１】
Ｃ６．検出可能な識別子は、バーコード、シリアル番号、無線周波数識別子、変色ポリマー、反射識別子、無反射識別子、電磁気識別子、磁気識別子、記号コード、化学センサ識別子、又はその組合せから構成されるグループから選択される実施形態Ｃ５記載の方法。
【０３４２】
Ｃ７．検出可能な識別子は、刻時識別子、ケージ位置識別子、コンテンツ識別子、又はその組合せとして機能する実施形態Ｃ１記載の方法。
【０３４３】
Ｃ８．棚は、溝を更に備え、ケージは、溝の係合によって棚の中に摺動する実施形態Ｃ１記載の収容ケージ。
【０３４４】
Ｃ９．ラックの隣接する第１及び第２のケージ設置組立体上のレールガイドにケージを係合するステップであって、ケージは、第１の検出可能な識別子及び第２の検出可能な識別子を備え、第１及び第２のケージ設置組立体は、各々検出器を備えるステップと、ケージをケージ設置組立体の中に摺動させ、それによってケージ蓋を第１及び第２のケージ設置組立体のレールガイドに接触させるステップであって、ケージが第１及び第２のケージ設置組立体の中に摺動されるとき、各識別子が各検出器を通過するとともに、第１の検出可能な識別子は、第１のケージ設置組立体上の検出器によって検出され、第２の検出可能な識別子は、第２のケージ設置組立体上の検出器によって検出されるステップと、を備えるげっ歯動物の収容ケージ上の識別子を検出する方法。
【０３４５】
Ｃ１０．検出可能な識別子は、バーコードを備える実施形態Ｃ９記載の収容ケージ。
【０３４６】
Ｃ１１．ラックのケージ設置組立体上のレールガイドにケージを係合するステップであって、ケージは、検出可能な識別子を備え、ケージ設置組立体は検出器を備えるステップと、ケージをケージ設置組立体の中に摺動させ、それによってケージ蓋をケージ設置組立体のレールガイドに接触させるステップであって、ケージがケージ設置組立体の中に摺動されるとき、識別子が検出器を通過するとともに、検出可能な識別子は、第１のケージ設置組立体上の検出器によって検出されるステップとを備えるげっ歯動物の収容ケージ上の識別子を検出する方法。
【０３４７】
Ｄ１．ケージを含むラックであって、ケージは、第１の検出可能な識別子を備えるベースと、第２の検出可能な識別子を備える蓋と、ケージ内容情報を含む蓋及び／又はベースに関連付けられた第３の検出可能な識別子とを含む、ラックと、ラックに接続され、ケージに関連付けられた棚であって、第１の検出可能な識別子、第２の検出可能な識別子及び第３の検出可能な識別子を検出するように構成された検出器を含む棚と、
第１の検出可能な識別子及び第２の検出可能な識別子にケージ内容情報を関連付ける検出器と有効に通信するプロセッサとを備えるげっ歯動物の収容ケージシステム。
【０３４８】
Ｄ２．プロセッサと有効に通信し、プロセッサから関連付け情報を受信するように構成されたコントローラを更に備える実施形態Ｄ１記載のシステム。
【０３４９】
Ｄ３．コントローラと有効に通信する指示器であって、ケージ内容情報又はその一部に関連付けられた１以上のケージ要素を識別するように構成された指示器を更に備える実施形態Ｄ２記載のシステム。
【０３５０】
Ｄ４．指示器は、視覚、聴覚、触覚指示器、又はその組合せによって１以上のケージ要素を識別する実施形態Ｄ３記載のシステム。
【０３５１】
Ｄ５．指示器は、可視光域ディスプレイである実施形態Ｄ４記載のシステム。
【０３５２】
Ｄ６．指示器は、ＬＥＤディスプレイである実施形態Ｄ４記載のシステム。
【０３５３】
Ｄ７．指示器は、検出器に一体化される実施形態Ｄ４記載のシステム。
【０３５４】
Ｄ８．指示器は、ラックに一体化される実施形態Ｄ４記載のシステム。
【０３５５】
Ｄ９．ケージ及び／又は蓋は、ケージ内容情報を備えるカードと関連付けられる実施形態Ｄ１記載のシステム。
【０３５６】
Ｄ１０．蓋は、第１の検出可能な識別子をカバーし、第１の検出可能な識別子は、蓋を通じて検出される実施形態Ｄ１記載のシステム。
【０３５７】
Ｄ１１．第１の検出可能な識別子及び第２の検出可能な識別子は、一列に配置される実施形態Ｄ１記載のシステム。
【０３５８】
Ｄ１２．第２の検出可能な識別子及び第３の検出可能な識別子は、一列に配置される実施形態Ｄ１記載のシステム。
【０３５９】
Ｄ１３．第１の検出可能な識別子及び第３の検出可能な識別子は、一列に配置される実施形態Ｄ１記載のシステム。
【０３６０】
Ｄ１４．ケージ内容情報を備えるカードを更に備える実施形態Ｄ１記載のシステム。
【０３６１】
Ｄ１５．コントローラは、ラック上の位置及び／又はラックから離れた位置に配置される実施形態Ｄ２記載のシステム。
【０３６２】
Ｅ１．げっ歯動物収容システムにおいて、ケージ内容物情報と１以上のケージ要素とを関連付ける方法であって、該方法は、ラックに接続された棚を関連付ける検出器によって、ケージの底部を関連付ける第１の検出可能な識別子、ケージの蓋を関連付ける第２の検出可能な識別子、並びに、該蓋及び／又は該底部を関連付ける第３の検出可能な識別子であって、該第３の検出可能な識別子にケージ内容物情報が含まれる、第３の検出可能な識別子を検出することと、該第１の検出可能な識別子、該第２の検出可能な識別子、及び該第３の検出可能な識別子を、該第１の検出可能な識別子及び／又は該第２の検出可能な識別子と、該第３の検出可能な識別子のケージ内容物情報とを関連付けるように構成された、プロセッサに送信することと、を含む、方法。
【０３６３】
Ｅ２．実施形態Ｅ１記載の方法であって、該方法が、プロセッサを介して、第１の検出可能な識別子及び／又は第２の検出可能な識別子と、第３の検出可能な識別子のケージ内容物情報とを関連付け、これによって、関連付けを生成することを更に含む、方法。
【０３６４】
Ｅ３．プロセッサからコントローラに関連付けを送信することを更に含む、実施形態Ｅ１記載の方法。
【０３６５】
Ｅ４．実施形態Ｅ３記載の方法であって、該方法が、コントローラから指示器に関連付けを送信することと、ケージ内容物情報又はその部分集合を関連付けて、１以上のケージ要素を識別することと、を更に含む、方法。
【０３６６】
Ｆ１．げっ歯動物収容ケージシステムの要素を関連付ける方法であって、検出可能な識別子から得られたケージ要素情報を受信することと、ケージ内容情報を受信することと、該ケージ要素情報と対応するケージ内容情報とを関連付け、これによって、関連付けを生成することと、を含む、方法。
【０３６７】
Ｆ２．ケージ要素情報が、検出器によって検出された識別子からものである、実施形態Ｆ１記載の方法。
【０３６８】
Ｆ３．ケージ内容情報が、検出可能な識別子、及び／又は手動入力からのものである、実施形態Ｆ１記載の方法。
【０３６９】
Ｆ４．実施形態Ｆ１からＦ３のいずれかに記載の方法であって、ケージ状態情報を受信することと、該ケージ状態情報と、対応するケージ内容情報及び／又はケージ要素情報とを関連付け、これによって、関連付けを生成することと、を更に含む、方法。
【０３７０】
Ｆ５．ケージ状態情報が、検出可能な識別子、及び／又は手動入力からのものである、実施形態Ｆ４記載の方法。
【０３７１】
Ｆ６．実施形態Ｆ１からＦ５のいずれかに記載の方法であって、ケージ使用者情報を受信することと、該ケージ使用者情報と、対応するケージ内容情報、対応するケージ要素情報、及び／又は対応するケージ状態情報とを関連付け、これによって、関連付けを生成することと、を更に含む、方法。
【０３７２】
Ｆ７．ケージ使用者情報が、検出可能な識別子、及び／又は手動入力からのものである、実施形態Ｆ６記載の方法。
【０３７３】
Ｆ８．関連付けを報告することを更に含む、実施形態Ｆ１からＦ７のいずれかに記載の方法。
【０３７４】
Ｆ９．関連付けに、ケージ要素情報と対応するケージ内容情報との間の関連付けが含まれる、実施形態Ｆ８記載の方法。
【０３７５】
Ｆ１０．関連付けに、ケージ状態情報と、対応するケージ内容情報及び／又は対応するケージ要素情報との間の関連付けが含まれる、実施形態Ｆ８記載の方法。
【０３７６】
Ｆ１１．関連付けに、ケージ使用者情報と、対応するケージ内容情報、対応するケージ状態情報、及び／又は対応するケージ要素情報との間の関連付けが含まれる、実施形態Ｆ８記載の方法。
【０３７７】
Ｆ１２．報告が使用者定義である、実施形態Ｆ８からＦ１１のいずれかに記載の方法。
【０３７８】
Ｆ１３．報告が予めプログラムされる、実施形態Ｆ８からＦ１１のいずれかに記載の方法。
【０３７９】
Ｆ１４．報告が、ケージ指示器、グラフ、在庫報告、安全報告、及び生産性報告で構成されるグループから選択された、実施形態Ｆ８からＦ１３のいずれかに記載の方法。
【０３８０】
Ｆ１５．ケージ状態情報が、餌の交換、水の交換、投与される薬剤、敷材の交換、フィルターの交換、使用されるシリンジ、使用されるグローブ、及びこれらの組合せで構成されるグループから選択された、実施形態Ｆ４記載の方法。
【０３８１】
Ｆ１６．ケージ状態情報が受信される場合、該ケージ状態情報に、タイムスタンプ／日付スタンプが付される、Ｆ１４記載の方法。
【０３８２】
Ｆ１７．ケージ使用者情報が、ケージにアクセスした人、ケージにアクセスした時間、ケージにアクセスした日付、ケージにアクセスした目的、及びこれらの組合せで構成されるグループから選択された、実施形態Ｆ６記載の方法。
【０３８３】
Ｆ１８．ケージ要素が、ケージ蓋要素、ケージ底部要素、給気要素、排気要素、給水要素、センサ要素、フィルター要素、バッフル要素、フィーダ、及びこれらの組合せで構成されるグループから選択された、実施形態Ｆ１記載の方法。
【０３８４】
Ｆ１９．ケージ内容情報が、ケージ内の動物の数及びケージ内の動物の種類、動物識別子、ケージの所有者、動物の年齢、動物の性別、動物の血統、動物の実験手順、ケージ使用者による観察、並びにこれらの組合せで構成されるグループから選択された、実施形態Ｆ１記載の方法。
【０３８５】
Ｆ２０．検出器が、システムのラック中の棚に接続される、実施形態Ｆ２記載の方法。
【０３８６】
Ｇ１．コンピュータ可読プログラムコードを具体化する、コンピュータ使用可能媒体を備えた、コンピュータプログラムプロダクトであって、該コンピュータ可読プログラムコードが、げっ歯動物収容ケージシステムの要素を関連付けるための方法を実施するように適応し、該方法は、検出可能な識別子から得られたケージ要素情報を受信することと、ケージ内容情報を受信することと、該ケージ要素情報と対応するケージ内容情報とを関連付け、これによって、関連付けを生成することと、を含む、プログラム製品。
【０３８７】
Ｇ２．ケージ要素情報が、検出器によって検出された識別子からものである、実施形態Ｇ１記載のプログラム製品。
【０３８８】
Ｇ３．ケージ内容情報が、検出可能な識別子、及び／又は手動入力からのものである、実施形態Ｇ１記載のプログラム製品。
【０３８９】
Ｇ４．実施形態Ｇ１からＧ３のいずれかに記載のプログラム製品であって、ケージ状態情報を受信することと、該ケージ状態情報と、対応するケージ内容情報及び／又はケージ要素情報とを関連付け、これによって、関連付けを生成することと、を更に含む、プログラム製品。
【０３９０】
Ｇ５．ケージ状態情報が、検出可能な識別子、及び／又は手動入力からのものである、実施形態Ｇ４記載のプログラム製品。
【０３９１】
Ｇ６．実施形態Ｇ１からＧ３のいずれかに記載のプログラム製品であって、ケージ使用者情報を受信することと、該ケージ使用者情報と、対応するケージ内容情報、対応するケージ要素情報、及び／又は対応するケージ状態情報とを関連付け、これによって、関連付けを生成することと、を更に含む、プログラム製品。
【０３９２】
Ｇ７．ケージ使用者情報が、検出可能な識別子、及び／又は手動入力からのものである、実施形態Ｇ６記載のプログラム製品。
【０３９３】
Ｇ８．関連付けを報告することを更に含む、実施形態Ｇ１からＧ７のいずれかに記載のプログラム製品。
【０３９４】
Ｇ９．関連付けに、ケージ要素情報と対応するケージ内容情報との間の関連付けが含まれる、実施形態Ｇ８記載のプログラム製品。
【０３９５】
Ｇ１０．関連付けに、ケージ状態情報と、対応するケージ内容情報、及び／又は対応するケージ要素情報との間の関連付けが含まれる、実施形態Ｇ８記載のプログラム製品。
【０３９６】
Ｇ１１．関連付けに、ケージ使用者情報と、対応するケージ内容情報、対応するケージ状態情報、及び／又は対応するケージ要素情報との間の関連付けが含まれる、実施形態Ｇ８記載のプログラム製品。
【０３９７】
Ｇ１２．報告が使用者定義である、実施形態Ｇ８からＧ１１のいずれかに記載のプログラム製品。
【０３９８】
Ｇ１３．報告が予めプログラムされる、実施形態Ｇ８からＧ１１のいずれかに記載のプログラム製品。
【０３９９】
Ｇ１４．報告が、ケージ指示器、グラフ、在庫報告、安全報告、及び生産性報告で構成されるグループから選択された、実施形態Ｇ８からＧ１３のいずれかに記載のプログラム製品。
【０４００】
Ｇ１５．ケージ状態情報が、餌の交換、水の交換、投与される薬剤、敷材の交換、フィルターの交換、使用されるシリンジ、使用されるグローブ、及びこれらの組合せで構成されるグループから選択された、実施形態Ｇ４記載のプログラム製品。
【０４０１】
Ｇ１６．ケージ状態情報が受信される場合、該ケージ状態情報に、タイムスタンプ／日付スタンプが付される、実施形態Ｇ１５記載のプログラム製品。
【０４０２】
Ｇ１７．ケージ使用者情報が、ケージにアクセスした人、ケージにアクセスした時間、ケージにアクセスした日付、ケージにアクセスした目的、及びこれらの組合せで構成されるグループから選択された、実施形態Ｇ６記載のプログラム製品。
【０４０３】
Ｇ１８．ケージ要素が、ケージ蓋要素、ケージ底部要素、給気要素、排気要素、給水要素、センサ要素、フィルター要素、バッフル要素、給餌要素、及びこれらの組合せで構成されるグループから選択された、実施形態Ｇ１記載のプログラム製品。
【０４０４】
Ｇ１９．ケージ内容情報が、ケージ内の動物の数、ケージ内の動物の種類、動物識別子、ケージの所有者、動物の年齢、動物の性別、動物の血統、動物の実験手順、ケージ使用者による観察、及びこれらの組合せで構成されるグループから選択された、実施形態Ｇ１記載のプログラム製品。
【０４０５】
Ｇ２０．検出器が、システムのラック中の棚に接続される、実施形態Ｇ２記載の方法。
【０４０６】
Ｇ２１．コンピュータプログラムプロダクトが、フロッピー（登録商標）ディスク、ハードディスク、磁気テープ、ＣＤ−ＲＯＭディスク、ＤＶＤディスク、光磁気ディスク、又はＵＳＢドライブで構成されるグループから選択された、リムーバブルストレージデバイス上に格納される、実施形態Ｇ１記載のプログラム製品。
【０４０７】
Ｈ１．コンピュータ可読プログラムコードを具体化する、コンピュータ使用可能媒体を備えた、コンピュータプログラムプロダクトであって、該コンピュータ可読プログラムコードに、げっ歯動物収容ケージの要素を関連付けるための方法を実施するように適応した、独立したソフトウェアモジュールが含まれ、該方法は、ｉ．受信モジュールによって、検出可能な識別子から得られたケージ要素情報を受信することと、ｉｉ．該受信モジュールによって、ケージ内容情報を受信することと、ｉｉｉ．該ケージ要素情報と対応するケージ内容情報とを関連付け、これによって、関連付けモジュールにより関連付けを生成することと、を含む、プログラム製品。
【０４０８】
Ｈ２．ケージ要素情報が、検出器によって検出された識別子からものである、実施形態Ｈ１記載のプログラム製品。
【０４０９】
Ｈ３．  ケージ内容情報が、検出可能な識別子、及び／又は手動入力からのものである、実施形態Ｈ１記載のプログラム製品。
【０４１０】
Ｈ４．実施形態Ｈ１からＨ３のいずれかに記載のプログラム製品であって、ケージ状態情報を受信することと、該ケージ状態情報と、対応するケージ内容情報及び／又はケージ要素情報とを関連付け、これによって、関連付けを生成することと、を更に含む、プログラム製品。
【０４１１】
Ｈ５．ケージ状態情報が、検出可能な識別子、及び／又は手動入力からのものである、実施形態Ｈ４記載のプログラム製品。
【０４１２】
Ｈ６．実施形態Ｈ１からＨ５のいずれかに記載のプログラム製品であって、ケージ使用者情報を受信することと、該ケージ使用者情報と、対応するケージ内容情報、対応するケージ要素情報、及び／又は対応するケージ状態情報とを関連付け、これによって、関連付けを生成することと、を更に含む、プログラム製品。
【０４１３】
Ｈ７．ケージ使用者情報が、検出可能な識別子、及び／又は手動入力からのものである、実施形態Ｈ６記載のプログラム製品。
【０４１４】
Ｈ８．報告モジュールによって、１以上のケージ要素情報と対応するケージ内容情報との関連付けを報告することを更に含む、実施形態Ｈ１からＨ７のいずれかに記載のプログラム製品。
【０４１５】
Ｈ９．関連付けに、ケージ要素情報と対応するケージ内容情報との間の関連付けが含まれる、実施形態Ｈ８記載のプログラム製品。
【０４１６】
Ｈ１０．関連付けに、ケージ状態情報と、対応するケージ内容情報及び／又は対応するケージ要素情報との間の関連付けが含まれる、実施形態Ｈ８記載のプログラム製品。
【０４１７】
Ｈ１１．関連付けに、ケージ使用者情報と、対応するケージ内容情報、対応するケージ状態情報、及び／又は対応するケージ要素情報との間の関連付けが含まれる、実施形態Ｈ８記載のプログラム製品。
【０４１８】
Ｈ１２．報告が使用者定義である、実施形態Ｈ８からＨ１１のいずれかに記載のプログラム製品。
【０４１９】
Ｈ１３．報告が予めプログラムされる、実施形態Ｈ８からＨ１１のいずれかに記載のプログラム製品。
【０４２０】
Ｈ１４．報告モジュールによる報告が、ケージ指示器、グラフ、在庫報告、安全報告、及び生産性報告で構成されるグループから選択された、実施形態Ｈ８からＨ１３のいずれかに記載のプログラム製品。
【０４２１】
Ｈ１５．ケージ状態情報が、餌の交換、水の交換、投与される薬剤、敷材の交換、フィルターの交換、使用されるシリンジ、又は使用されるグローブで構成されるグループから選択された、実施形態Ｈ４記載のプログラム製品。
【０４２２】
Ｈ１６．ケージ状態情報が実行される場合、該ケージ状態情報に、タイムスタンプ／日付スタンプが付される、実施形態Ｈ１４記載のプログラム製品。
【０４２３】
Ｈ１７．ケージ使用者情報が、ケージにアクセスした人、ケージにアクセスした時間、ケージにアクセスした日付、又はケージにアクセスした目的で構成されるグループから選択された、実施形態Ｈ６記載のプログラム製品。
【０４２４】
１８．ケージ要素が、ケージ蓋要素、ケージ底部要素、給気要素、排気要素、給水要素、センサ要素、フィルター要素、バッフル要素、又はフィーダで構成されるグループから選択された、実施形態Ｈ１記載のプログラム製品。
【０４２５】
Ｈ１９．ケージ内容情報が、ケージ内の動物の数及び種類、ケージの所有者、動物の年齢、動物の性別、動物の血統、動物の実験手順、又はケージ使用者による観察で構成されるグループから選択された、実施形態Ｈ１記載のプログラム製品。
【０４２６】
Ｈ２０．検出器が、システムのラック中の棚に接続される、実施形態Ｈ２記載の方法。
【０４２７】
Ｈ２１．コンピュータプログラムプロダクトが、フロッピー（登録商標）ディスク、ハードディスク、磁気テープ、ＣＤ−ＲＯＭディスク、ＤＶＤディスク、光磁気ディスク、又はＵＳＢドライブで構成されるグループから選択された、リムーバブルストレージデバイス上に格納される、実施形態Ｈ１記載のプログラム製品。
【０４２８】
Ｉ１．プログラム可能なプロセッサを備えたげっ歯動物収容システムにおいて、ケージ内容情報とケージ要素情報とを関連付ける、システムであって、該システムが、実施形態Ｇ１からＧ２０、又は実施形態Ｈ１からＨ２０のいずれかに記載のコンピュータプログラムプロダクトを実装したプロセッサを備える、システム。
【０４２９】
Ｉ２．ケージ要素情報が、検出器によって検出された識別子からのものである、実施形態Ｉ１記載のシステム。
【０４３０】
Ｉ３．ケージ内容情報が、検出可能な識別子、及び／又は手動入力からのものである、実施形態Ｉ１記載のシステム。
【０４３１】
Ｉ４．実施形態Ｉ１からＩ３のいずれかに記載のシステムであって、ケージ状態情報を受信することと、該ケージ状態情報と、対応するケージ内容情報及び／又はケージ要素情報とを関連付け、これによって、関連付けを生成することと、を更に含む、システム。
【０４３２】
Ｉ５．ケージ状態情報が、検出可能な識別子、及び／又は手動入力からのものである、実施形態Ｉ４記載のシステム。
【０４３３】
Ｉ６．実施形態Ｉ１からＩ５のいずれかに記載のシステムであって、ケージ使用者情報を受信することと、該ケージ使用者情報と、対応するケージ内容情報、対応するケージ要素情報、及び／又は対応するケージ状態情報とを関連付け、これによって、関連付けを生成することと、を更に含む、システム。
【０４３４】
Ｉ７．ケージ使用者情報が、検出可能な識別子、及び／又は手動入力からのものである、実施形態Ｉ６記載のシステム。
【０４３５】
Ｉ８．関連付けを報告することを更に含む、実施形態Ｉ１からＩ７のいずれかに記載のシステム。
【０４３６】
Ｉ９．関連付けに、ケージ要素情報と対応するケージ内容情報との間の関連付けが含まれる、実施形態Ｉ８記載のシステム。
【０４３７】
Ｉ１０．関連付けに、ケージ状態情報と、対応するケージ内容情報及び／又は対応するケージ要素情報との間の関連付けが含まれる、実施形態Ｉ８記載のシステム。
【０４３８】
Ｉ１１．関連付けに、ケージ使用者情報と、対応するケージ内容情報、対応するケージ状態情報、及び／又は対応するケージ要素情報との間の関連付けが含まれる、実施形態Ｉ８記載のシステム。
【０４３９】
Ｉ１２．報告が使用者定義である、実施形態Ｉ８からＩ１１のいずれかに記載のシステム。
【０４４０】
Ｉ１３．報告が予めプログラムされる、実施形態Ｉ８からＩ１１のいずれかに記載のシステム。
【０４４１】
Ｉ１４．報告が、ケージ指示器、グラフ、在庫報告、安全報告、及び生産性報告で構成されるグループから選択された、実施形態Ｉ８からＩ１３のいずれかに記載のシステム。
【０４４２】
Ｉ１５．ケージ状態情報が、餌の交換、水の交換、投与される薬剤、敷材の交換、フィルターの交換、使用されるシリンジ、使用されるグローブ、及びこれらの組合せで構成されるグループから選択された、実施形態Ｉ４記載のシステム。
【０４４３】
Ｉ１６．ケージ状態情報が受信される場合、該ケージ状態情報に、タイムスタンプ／日付スタンプが付される、実施形態Ｉ１４記載のシステム。
【０４４４】
Ｉ１７．ケージ使用者情報が、ケージにアクセスした人、ケージにアクセスした時間、ケージにアクセスした日付、ケージにアクセスした目的、及びこれらの組合せで構成されるグループから選択された、実施形態Ｉ６記載のシステム。
【０４４５】
Ｉ１８．ケージ要素が、ケージ蓋要素、ケージ底部要素、給気要素、排気要素、給水要素、センサ要素、フィルター要素、バッフル要素、フィーダ、及びこれらの組合せで構成されるグループから選択された、実施形態Ｉ１記載のシステム。
【０４４６】
Ｉ１９．ケージ内容情報が、ケージ内の動物の数、ケージ内の動物の種類、動物識別子、ケージの所有者、動物の年齢、動物の性別、動物の血統、動物の実験手順、ケージ使用者による観察、及びこれらの組合せで構成されるグループから選択された、実施形態Ｉ１記載のシステム。
【０４４７】
Ｉ２０．実施形態Ｉ４又は６記載のシステムであって、該システムが、ラックを関連付ける検出器を更に備え、該検出器が、ケージ要素情報、ケージ内容情報、ケージ状態情報、及び／又はケージ使用者情報を関連付ける識別子を検出する、システム。
【０４４８】
Ｉ２１．実施形態Ｉ１記載のシステムであって、該システムが、コントローラを更に備え、該コントローラが、該システムのラックに配置され、かつ、該コントローラが、該ラックから離れた位置に位置する、システム。
【０４４９】
Ｉ２２．ラック上に１以上の指示器を更に備える、実施形態Ｉ１記載のシステム。
【０４５０】
Ｊ１．第１の側部部材と第２の側部部材との間に各々配置され接続された複数のケージマウント支持部材を備え、それぞれの支持部材は、支持部材の長さに略延在する第１の支持部材プレナム及び第２の支持部材プレナムを含む壁また壁群を備え、それぞれの支持部材は、支持部材の下部面の壁また壁群内の第１のケージ接続開口部のセット及び第２のケージ接続開口部のセットを備え、第１のケージ接続開口部のセットの各開口部は、第１の支持部材プレナムに接続し、第２のケージ接続開口部のセットの各開口部は、第２の支持部材プレナムと接続し、それぞれの支持部材は、第１の支持部材プレナムと接続する第１の支持部材端部開口部のセットと、第２の支持部材プレナムと接続する第２の支持部材端部開口部のセットとを備え、各々の端部開口部は、側部部材に接続するそれぞれの支持部材の端部にあり、各側部部材は、側部部材の長さに略延在する第１の側部部材プレナム及び第２の側部部材プレナムを含む壁また壁群を備え、各側部部材は、側部部材の壁また壁群内の第１の側部部材開口部のセット及び第２の側部部材開口部のセットを備え、第１の側部部材開口部のセットの１以上の開口部は、第１の側部部材プレナムと接続し、第１の支持部材端部開口部のセットの１以上の開口部と有効に接続し、第２の側部部材開口部のセットの１以上の開口部は、第２の側部部材プレナムと接続し、第２の支持部材端部開口部のセットの１以上の開口部と有効に接続するげっ歯動物の収容ケージラック。
【０４５１】
Ｊ２．各第１の支持部材プレナムは、各第１の側部部材プレナムと有効に接続し、各第２の支持部材プレナムは、各第２の側部部材プレナムと有効に接続する実施形態Ｊ１記載のげっ歯動物の収容ケージラック。
【０４５２】
Ｊ３．支持部材開口部は、支持部材の主軸にわたって規則的に配置される実施形態Ｊ１記載のげっ歯動物の収容ケージラック。
【０４５３】
Ｊ４．支持部材内の各開口部においてノズルを備える実施形態Ｊ１記載のげっ歯動物の収容ケージラック。
【０４５４】
Ｊ５．それぞれの支持部材の底面上に複数のケージマウントを更に備える実施形態Ｊ１記載のげっ歯動物の収容ケージラック。
【０４５５】
Ｊ５．１．各ケージマウントは、ケージ部材を摺動的に受け入れるように構成されたレールと、ケージ部材の摺動可能な動きを止めるように構成された突起部とを備える実施形態Ｊ１５記載のげっ歯動物の収容ケージラック。
【０４５６】
Ｊ５．２．ケージマウントは、ケージマウントに摺動的に係合されたケージ要素上の検出可能な識別子を検出するように構成された検出器を備える実施形態Ｊ５．１記載のげっ歯動物の収容ケージラック。
【０４５７】
Ｊ６．側部部材の第１の側部部材プレナムの上部端上の開口部と有効に接続する開口部を備える第１の空気結合板を備え、反対側の部材上の第２の側部部材プレナムの上部端上の開口部と有効に接続する開口部を備える二次空気結合板を備える実施形態Ｊ１記載のげっ歯動物の収容ケージラック。
【０４５８】
Ｊ７．それぞれの支持部材及び各側部部材は、通信媒体を受け入れるように構成された溝を備える実施形態Ｊ１記載のげっ歯動物の収容ケージラック。
【０４５９】
Ｊ８．溝は、通信媒体を備える実施形態Ｊ７記載のげっ歯動物の収容ケージラック。
【０４６０】
Ｊ９．ラックは、側部部材の第１の側部部材プレナムに正の気圧を供給するとき、側部部材の第１の側部部材プレナムから側部部材の第１の側部部材開口部のセットに、支持部材端部開口部のセットに、第１の支持部材プレナムに、及び第１のケージ接続開口部のセットを通じて、空気を方向づけるように構成される実施形態Ｊ１記載のげっ歯動物の収容ケージラック。
【０４６１】
Ｊ１０．ラックは、側部部材の第２の側部部材プレナムに負の気圧を供給するとき、第２のケージ接続開口部のセットを通じて、第２の支持部材プレナムに、第２の支持部材端部開口部のセットに、側部部材の第２の側部部材開口部のセットに、及び側部部材の第２の側部部材プレナムに空気を方向づけるように構成される実施形態Ｊ１記載のげっ歯動物の収容ケージラック。
【０４６２】
Ｋ１．第１の側部部材及び第２の側部部材との間に各々配置され接続され、通信媒体を収容する複数のケージマウント支持部材と、通信媒体を収容する第１の側部部材及び第２の側部部材とを備えるげっ歯動物の収容ケージラック。
【０４６３】
Ｋ２．支持部材内の通信媒体は、側部部材内の通信媒体と有効に通信する実施形態Ｋ１記載のげっ歯動物の収容ケージラック。
【０４６４】
Ｋ３．第１の側部部材と第２の側部部材との間に各々配置され接続された複数のケージマウント支持部材を備え、それぞれの支持部材は、通信媒体を収容するのに適した溝を備え、それぞれの支持部材は、支持部材が側部部材に接続する各端部において端部開口部を備え、各側部部材は、通信媒体を収容するのに適合した溝を備えるげっ歯動物の収容ケージラック。
【０４６５】
Ｋ３．１．溝は、通信媒体を含む実施形態Ｋ３記載のげっ歯動物の収容ケージラック。
【０４６６】
Ｋ３．２．第１の側部部材と第２の側部部材との間に各々配置され接続された複数のケージマウント支持部材を備え、それぞれの支持部材は、支持部材の長さに略延在する第１の支持部材プレナム及び第２の支持部材プレナムを含む壁また壁群を備え、それぞれの支持部材は、支持部材の下部面の壁また壁群内の第１のケージ接続開口部のセット及び第２のケージ接続開口部のセットを備え、第１のケージ接続開口部のセットの各開口部は、第１の支持部材プレナムに接続し、第２のケージ接続開口部のセットの各開口部は、第２の支持部材プレナムと接続し、それぞれの支持部材は、第１の支持部材プレナムと接続する第１の支持部材端部開口部のセットと、第２の支持部材プレナムと接続する第２の支持部材端部開口部のセットとを備え、各々の端部開口部は、側部部材に接続するそれぞれの支持部材の端部にあり、各側部部材は、側部部材の長さに略延在する第１の側部部材プレナム及び第２の側部部材プレナムを含む壁また壁群を備え、各側部部材は、側部部材の壁また壁群内の第１の側部部材開口部のセット及び第２の側部部材開口部のセットを備え、第１の側部部材開口部のセットの１以上の開口部は、第１の側部部材プレナムと接続し、第１の支持部材端部開口部のセットの１以上の開口部と有効に接続し、第２の側部部材開口部のセットの１以上の開口部は、第２の側部部材プレナムと接続し、第２の支持部材端部開口部のセットの１以上の開口部と有効に接続し、それぞれの支持部材及び各側部部材は、通信媒体を受け入れるように構成された溝を備えるげっ歯動物の収容ケージラック。
【０４６７】
Ｋ３．３．溝は、通信媒体を備える実施形態Ｋ３．２記載のげっ歯動物の収容ケージラック。
【０４６８】
Ｋ３．４．第１の側部部材と第２の側部部材との間に各々配置され接続された複数のケージマウント支持部材を備え、それぞれの支持部材は、支持部材の長さに略延在する第１の支持部材プレナム及び第２の支持部材プレナムを含む壁また壁群を備え、それぞれの支持部材は、支持部材の下部面の壁また壁群内の第１のケージ接続開口部のセット及び第２のケージ接続開口部のセットを備え、第１のケージ接続開口部のセットの各開口部は、第１の支持部材プレナムに接続し、第２のケージ接続開口部のセットの各開口部は、第２の支持部材プレナムと接続し、それぞれの支持部材は、第１の支持部材プレナムと接続する第１の支持部材端部開口部のセットと、第２の支持部材プレナムと接続する第２の支持部材端部開口部のセットとを備え、各々の端部開口部は、側部部材に接続するそれぞれの支持部材の端部にあり、各側部部材は、側部部材の長さに略延在する第１の側部部材プレナム及び第２の側部部材プレナムを含む壁また壁群を備え、各側部部材は、側部部材の壁また壁群内の第１の側部部材開口部のセット及び第２の側部部材開口部のセットを備え、第１の側部部材開口部のセットの１以上の開口部は、第１の側部部材プレナムと接続し、第１の支持部材端部開口部のセットの１以上の開口部と有効に接続し、第２の側部部材開口部のセットの１以上の開口部は、第２の側部部材プレナムと接続し、第２の支持部材端部開口部のセットの１以上の開口部と有効に接続し、それぞれの支持部材及び各側部部材は、通信媒体を備えるげっ歯動物の収容ケージラック。
【０４６９】
Ｋ３．５．通信媒体は、それぞれの支持部材及び各側部部材内の溝内に含まれる実施形態Ｋ３．４記載のげっ歯動物の収容ケージラック。
【０４７０】
Ｋ３．６．それぞれの支持部材内の溝は、第１の支持部材プレナムと第２の支持部材プレナムとの間に配置される実施形態Ｋ３．２、Ｋ３．３及びＫ３．４のうちのいずれかに記載のげっ歯動物の収容ケージラック。
【０４７１】
Ｋ３．７．各側部部材内の溝は、第１の側部部材プレナムと第２の側部部材プレナムとの間に配置される実施形態Ｋ３．２、Ｋ３．３及びＫ３．４のうちのいずれかに記載のげっ歯動物の収容ケージラック。
【０４７２】
Ｋ４．側部部材内の通信媒体は、支持部材内の通信媒体と有効に接続する実施形態Ｋ２〜Ｋ３．６のうちのいずれかに記載のげっ歯動物の収容ケージラック
【０４７３】
Ｋ５．それぞれの支持部材の底面上に複数のケージマウントを更に備える実施形態Ｋ２〜Ｋ３．７のうちのいずれかに記載のげっ歯動物の収容ケージラック。
【０４７４】
Ｋ５．１．各ケージマウントは、ケージ部材を摺動的に受け入れるように構成されたレールと、ケージ部材の摺動可能な動きを止めるように構成された突起部とを備える実施形態Ｋ５記載のげっ歯動物の収容ケージラック。
【０４７５】
Ｋ５．２．ケージマウントは、ケージマウントに摺動的に係合されたケージ要素上の検出可能な識別子を検出するように構成された検出器を備える実施形態Ｋ５．１記載のげっ歯動物の収容ケージラック。
【０４７６】
Ｋ６．各ケージマウントは、通信媒体を収容するのに適した溝を有する実施形態Ｋ５〜Ｋ５．２のうちのいずれかに記載のげっ歯動物の収容ケージラック。
【０４７７】
Ｋ７．支持部材内の通信媒体は、ケージマウント内の通信媒体と通信する実施形態Ｋ６記載のげっ歯動物の収容ケージラック。
【０４７８】
Ｌ１．第１の側部部材と第２の側部部材との間に各々配置され接続された複数のケージマウント支持部材を備え、それぞれの支持部材は、支持部材の長さに略延在する第１の支持部材プレナム及び第２の支持部材プレナムを含む壁また壁群を備え、それぞれの支持部材は、支持部材の下部面の壁また壁群内の第１のケージ接続開口部のセット及び第２のケージ接続開口部のセットを備え、第１のケージ接続開口部のセットの各開口部は、第１の支持部材プレナムに接続し、第２のケージ接続開口部のセットの各開口部は、第２の支持部材プレナムと接続し、それぞれの支持部材は、第１の支持部材プレナムと接続する第１の支持部材端部開口部のセットと、第２の支持部材プレナムと接続する第２の支持部材端部開口部のセットとを備え、各々の端部開口部は、側部部材に接続するそれぞれの支持部材の端部にあり、各側部部材は、側部部材の長さに略延在する第１の側部部材プレナム及び第２の側部部材プレナムを含む壁また壁群を備え、各側部部材は、側部部材の壁また壁群内の第１の側部部材開口部のセット及び第２の側部部材開口部のセットを備え、第１の側部部材開口部のセットの１以上の開口部は、第１の側部部材プレナムと接続し、第１の支持部材端部開口部のセットの１以上の開口部と有効に接続し、第２の側部部材開口部のセットの１以上の開口部は、第２の側部部材プレナムと接続し、第２の支持部材端部開口部のセットの１以上の開口部と有効に接続する。
【０４７９】
Ｌ２．第１の側部部材と第２の側部部材との間に各々配置され接続された複数のケージマウント支持部材を備え、それぞれの支持部材は、支持部材の長さに略延在する第１の支持部材プレナム及び第２の支持部材プレナムを含む壁また壁群を備え、それぞれの支持部材は、支持部材の下部面の壁また壁群内の第１のケージ接続開口部のセット及び第２のケージ接続開口部のセットを備え、第１のケージ接続開口部のセットの各開口部は、第１の支持部材プレナムに接続し、第２のケージ接続開口部のセットの各開口部は、第２の支持部材プレナムと接続し、それぞれの支持部材は、第１の支持部材プレナムと接続する第１の支持部材端部開口部のセットと、第２の支持部材プレナムと接続する第２の支持部材端部開口部のセットとを備え、各々の端部開口部は、側部部材に接続するそれぞれの支持部材の端部にあり、各側部部材は、側部部材の長さに略延在する第１の側部部材プレナム及び第２の側部部材プレナムを含む壁また壁群を備え、各側部部材は、側部部材の壁また壁群内の第１の側部部材開口部のセット及び第２の側部部材開口部のセットを備え、第１の側部部材開口部のセットの１以上の開口部は、第１の側部部材プレナムと接続し、第１の支持部材端部開口部のセットの１以上の開口部と有効に接続し、第２の側部部材開口部のセットの１以上の開口部は、第２の側部部材プレナムと接続し、第２の支持部材端部開口部のセットの１以上の開口部と有効に接続する。
【０４８０】
Ｌ３．第１の側部部材と第２の側部部材との間に各々配置され接続された複数のケージマウント支持部材を備え、それぞれの支持部材は、支持部材の長さに略延在する第１の支持部材プレナム及び第２の支持部材プレナムを含む壁また壁群を備え、それぞれの支持部材は、支持部材の下部面の壁また壁群内の第１のケージ接続開口部のセット及び第２のケージ接続開口部のセットを備え、第１のケージ接続開口部のセットの各開口部は、第１の支持部材プレナムに接続し、第２のケージ接続開口部のセットの各開口部は、第２の支持部材プレナムと接続し、それぞれの支持部材は、第１の支持部材プレナムと接続する第１の支持部材端部開口部のセットと、第２の支持部材プレナムと接続する第２の支持部材端部開口部のセットとを備え、各々の端部開口部は、側部部材に接続するそれぞれの支持部材の端部にあり、各側部部材は、側部部材の長さに略延在する第１の側部部材プレナム及び第２の側部部材プレナムを含む壁また壁群を備え、各側部部材は、側部部材の壁また壁群内の第１の側部部材開口部のセット及び第２の側部部材開口部のセットを備え、第１の側部部材開口部のセットの１以上の開口部は、第１の側部部材プレナムと接続し、第１の支持部材端部開口部のセットの１以上の開口部と有効に接続し、第２の側部部材開口部のセットの１以上の開口部は、第２の側部部材プレナムと接続し、第２の支持部材端部開口部のセットの１以上の開口部と有効に接続し、ラックは、側部部材の第１の側部部材プレナムに正の気圧を供給するとき、側部部材の第１の側部部材プレナムから側部部材の第１の側部部材開口部のセットに、第１の支持部材端部開口部のセットに、第１の支持部材プレナムに、及び第１のケージ接続開口部のセットを通じて、空気を方向づけるように構成され、ラックは、側部部材の第２の側部部材プレナムに負の気圧を供給するとき、第２のケージ接続開口部のセットを通じて、第２の支持部材プレナムに、第２の支持部材端部開口部のセットに、側部部材の第２の側部部材開口部のセットに、及び側部部材の第２の側部部材プレナムに空気を方向づけるように構成されるげっ歯動物の収容ケージラック。
【０４８１】
Ｌ４．ラックと有効に接続する、正の気圧を提供する送風器を備える実施形態Ｌ１又は３記載のラック。
【０４８２】
Ｌ５．ラックと有効に接続する、負の気圧を提供する送風器を備える実施形態Ｌ２又は３に記載のラック。
【０４８３】
Ｌ６．送風器は、側部部材、第２の側部部材又は第１の側部部材、及び第２の側部部材の最上部の開口部と有効に接続する実施形態Ｌ４又は５記載のラック。
【０４８４】
Ｌ７．第１の支持部材プレナムにわたる圧は、５％未満で変化する実施形態Ｌ１、Ｌ３、Ｌ４及びＬ６のうちのいずれかに記載のラック。
【０４８５】
Ｌ８．ラックは、ケージ接続開口部と有効に接続するノズルを各々備えるケージ突起部接続組立体を備え、圧は、組立体において測定される実施形態Ｌ７記載のラック。
【０４８６】
Ｌ９．１以上のケージを備える実施形態Ｌ１〜Ｌ８のうちのいずれかに記載のラック。
【０４８７】
Ｌ１０．空気は、第１のケージ接続開口部のセットの開口部を通じて各ケージに効率よく入り、第２のケージ接続開口部のセットの開口部を通じてケージを効率よく出る実施形態Ｌ９記載のラック。
【０４８８】
Ｌ１１．１以上のケージは、第１のケージ接続開口部のセット及び第２のケージ接続開口部のセットと有効に接続するケージ突起部接続組立体に係合する実施形態Ｌ１０記載のラック。
【０４８９】
Ｌ１２．第１の支持部材プレナム及び第２の支持部材プレナム内の空気の流れは、１以上のケージの最下部を横切る空気の流れに対して交わる実施形態Ｌ１０又はＬ１１記載のラック。
【０４９０】
Ｍ１．独立したモジュールを備えるモジュール送風器システムであって、モジュールは、吸気又は排気ユニットと、ファンユニットと、フィルターユニットと、を備え、
モジュールは直列に積層されるモジュール送風器システム。
【０４９１】
Ｍ１．１．モジュールは、垂直に積層される実施形態Ｍ１記載のモジュール送風器。
【０４９２】
Ｍ１．２．モジュールは、水平に積層される実施形態Ｍ１記載のモジュール送風器。
【０４９３】
Ｍ１．３．吸気ユニットを備える実施形態Ｍ１記載のモジュール送風器。
【０４９４】
Ｍ１．４．吸気部は、プレフィルターとバッフルとを備える実施形態Ｍ１．３記載のモジュール送風器。
【０４９５】
Ｍ２．積層されたユニットの縁部は、連続している実施形態Ｍ１記載のモジュール送風器。
【０４９６】
Ｍ２．１ユニットの側壁は、連続している実施形態Ｍ１又はＭ２記載のモジュール送風器。
【０４９７】
Ｍ３．排気ユニットを備える実施形態Ｍ１記載のモジュール送風器。
【０４９８】
Ｍ４．排気ユニットは、側壁に取り付けられた排気口構造を備える実施形態Ｍ３記載のモジュール送風器。
【０４９９】
Ｍ４．１．排気口構造は、排気ユニットの側壁に対して垂直である実施形態Ｍ３記載のモジュール送風器。
【０５００】
Ｍ５．吸気部は、ファンユニットに接続され、ファンユニットは、フィルターユニットに接続される実施形態Ｍ１．３記載のモジュール送風器。
【０５０１】
Ｍ６．フィルターユニットは、ＨＥＰＡフィルターを備える実施形態Ｍ５記載のモジュール送風器。
【０５０２】
Ｍ７．排気ユニットは、ファンユニットに接続され、ファンユニットは、フィルターユニットに接続される実施形態Ｍ３記載のモジュール送風器。
【０５０３】
Ｍ８．フィルターユニットは、ＨＥＰＡフィルターを備える実施形態Ｍ７記載のモジュール送風器。
【０５０４】
Ｍ９．フィルターユニットは、ＨＥＰＡフィルターの上流にプレフィルターを備える実施形態Ｍ８記載のモジュール送風器。
【０５０５】
Ｍ１０．ベースを更に備える実施形態Ｍ１記載のモジュール送風器。
【０５０６】
Ｍ１１．げっ歯動物の収容ケージラックに取り付けられた実施形態Ｍ１記載のモジュール送風器。
【０５０７】
Ｍ１２．独立したモジュールを備えるモジュール送風器システムであって、モジュールは、ファンユニットと、フィルターユニットとを備え、モジュールは直列に積層される。
【０５０８】
Ｍ１２．１．モジュールは、垂直に積層される実施形態Ｍ１２記載のモジュール送風器。
【０５０９】
Ｍ１２．２．モジュールは、水平に積層される実施形態Ｍ１２記載のモジュール送風器。
【０５１０】
Ｎ１．げっ歯動物の収容ラックに取り付けられる、回路基板ハブであって、電力用及び通信媒体用のコネクター又はレシーバーと、ラックに取り付けられたケージの識別子と、を備えた、回路基板ハブ。
【０５１１】
Ｎ２．実施形態Ｎ１記載の回路基板ハブであって、ラックにあるケージの形態の識別子と、通信媒体用のレシーバーと、制御装置用のコネクターと、電力用のレシーバーと、を備える、回路基板ハブ。
【０５１２】
Ｏ１．第１のケージ接続開口部のセットの各々及び第２のケージ接続開口部のセットの各々は、ケージ突起部接続組立体と有効に接続する実施形態Ｊ１又はＪ２記載のげっ歯動物の収容ケージラック。
【０５１３】
Ｏ２．ケージ突起部接続組立体は、本体と本体内の開口部とを備える突起部コネクターを備える実施形態Ｏ１記載のげっ歯動物の収容ケージラック。
【０５１４】
Ｏ２．１．ケージ突起部接続組立体は、本体の第１の側上の１以上のファスナーを備える実施形態Ｏ１又はＯ２記載のげっ歯動物の収容ケージラック。
【０５１５】
Ｏ２．２．ケージ突起部接続組立体は、本体の第２の側上の開口部の一部の周囲に配置された突起面を備える実施形態Ｏ１〜Ｏ２．１のうちのいずれかに記載のげっ歯動物の収容ケージラック。
【０５１６】
Ｏ３．１以上のファスナーは、開口部の周囲に配置された２以上のファスナーである実施形態Ｏ１〜Ｏ２．２のうちのいずれかに記載のげっ歯動物の収容ケージラック。
【０５１７】
Ｏ４．突起面は、ケージ突起部の一部に接するように構成される実施形態Ｏ２．１又はＯ３記載のげっ歯動物の収容ケージラック。
【０５１８】
Ｏ４．１．突起面は、レールガイド内にケージを配置するように構成される実施形態Ｏ４記載のげっ歯動物の収容ケージ。
【０５１９】
Ｏ５．本体の第１の側面から延在するピンを備える実施形態Ｏ２〜Ｏ４のうちのいずれかに記載のげっ歯動物の収容ケージラック。
【０５２０】
Ｏ６．ケージ突起部接続組立体は、突起部コネクターの本体との封止接続において、突起部コネクターガスケットを備える実施形態Ｏ２〜Ｏ５のうちのいずれかに記載のげっ歯動物の収容ケージラック。
【０５２１】
Ｏ７．突起部コネクターガスケットは、突起部コネクター内の開口部に同心の突起部コネクターガスケット開口部と、突起部コネクターガスケットの第１の面上の突起部コネクターガスケット開口部の周囲の環状フランジと、突起部コネクターガスケットの第２の面上の１以上の溝と、突起部コネクターの１以上のファスナーを受け入れるように構成された１以上の溝と、を備える実施形態Ｏ６記載のげっ歯動物の収容ケージラック。
【０５２２】
Ｏ８．突起部コネクターガスケットは、実施形態Ｏ５記載のピンを受け入れるように構成された孔を備える実施形態Ｏ６又はＯ７記載のげっ歯動物の収容ケージラック。
【０５２３】
Ｏ９．環状フランジは、ケージ突起部の面に封止的に係合するように構成された面を備える実施形態Ｏ７又はＯ８記載のげっ歯動物の収容ケージラック。
【０５２４】
Ｏ１０．ケージ突起部は、ケージ蓋から延在する実施形態Ｏ５又はＯ９記載のげっ歯動物の収容ケージラック。
【０５２５】
Ｏ１１．ケージ突起部接続組立体は、突起部コネクターガスケットとの封止接続においてノズルを備える実施形態Ｏ６〜Ｏ１０のうちのいずれかに記載のげっ歯動物の収容ケージラック。
【０５２６】
Ｏ１２．ノズルは、突起部コネクターガスケット内の開口部に同心のノズル開口部と、突起部コネクターガスケットの１以上の溝内に静止するように構成された１以上のタブとを備える実施形態Ｏ１１記載のげっ歯動物の収容ケージラック。
【０５２７】
Ｏ１２．１．ノズルは、２以上のノズル開口部を備える実施形態Ｏ１１記載のげっ歯動物の収容ケージラック。
【０５２８】
Ｏ１２．２．ノズルは、開口部外周の一部又は全部を実質的に規定する円筒状突起を備える実施形態Ｏ１２又はＯ１２．１記載のげっ歯動物の収容ケージラック
【０５２９】
Ｏ１２．３．ノズルは、開口部に近接するノズル表面又は円筒状突起から突き出るリブを備える実施形態Ｏ１２〜Ｏ１２．２のうちのいずれかに記載のげっ歯動物の収容ケージラック。
【０５３０】
Ｏ１２．４．リブは、半円形の輪郭を有する実施形態Ｏ１２．３記載のげっ歯動物の収容ケージラック。
【０５３１】
Ｏ１２．５．リブの縁部は、開口部外周の一部と同一空間に広がる実施形態Ｏ１２．４記載のげっ歯動物の収容ケージラック。
【０５３２】
Ｏ１２．６．リブは、開口部外周の一部を囲む実施形態Ｏ１２．５記載のげっ歯動物の収容ケージラック。
【０５３３】
Ｏ１３．ノズルは、突起部コネクター本体の第１の側面の反対のノズルの第１の側上のノズル開口部の周囲に配置された環状フランジを備える実施形態Ｏ１２記載のげっ歯動物の収容ケージラック。
【０５３４】
Ｏ１４．ノズルは、ノズル開口部内に配置されたブッシングを備える実施形態Ｏ１２〜Ｏ１３のうちのいずれかに記載のげっ歯動物の収容ケージラック。
【０５３５】
Ｏ１５．ケージ突起部接続組立体は、ノズルとの封止接続においてノズルガスケットを備える実施形態Ｏ１１〜Ｏ１４のうちのいずれかに記載のげっ歯動物の収容ケージラック。
【０５３６】
Ｏ１６．ノズルガスケットは、実施形態Ｏ５記載のピンを受け入れるように構成された孔を備える実施形態Ｏ１５記載のげっ歯動物の収容ケージラック。
【０５３７】
Ｏ１７．ケージ突起部接続組立体は、ケージ接続開口部の各々と有効に接続する支持部材の壁の面に接続される実施形態Ｏ１〜Ｏ１６のうちのいずれかに記載のげっ歯動物の収容ケージラック。
【０５３８】
Ｏ１８．ケージ突起部コネクター本体の第１の側上の１以上のファスナーは、支持部材の壁上又は壁内のファスナーに固定されるＯ１７記載のげっ歯動物の収容ケージラック。
【０５３９】
図面の要素。以降、図面に示すいくつかの要素のリストを提供する。
【０５４０】
【表１−１】
0005952287.tif 000002
【０５４１】
【表１−２】
0005952287.tif 000003
【０５４２】
【表１−３】
0005952287.tif 000004
【０５４３】
【表１−４】
0005952287.tif 000005
【０５４４】
【表１−５】
0005952287.tif 000006
【０５４５】
【表１−６】
0005952287.tif 000007
【０５４６】
本明細書に参照された各特許、特許出願、刊行物、及び文献の全体は、引用により組み込まれる。上述の特許、特許出願、刊行物、及び文献の引用は、前述のもののうちのいずれかが、適切な先行技術であることを容認するものではなく、これらの刊行物又は文献の内容又は日付に関して何らの容認を構成するものでもない。
【０５４７】
上述の内容に対しては、本発明の基本態様から逸脱することなく、改良されてもよい。本発明は、１以上の具体的な実施態様に関して、相当詳細に説明されているが、当業者は、本出願において具体的に開示された実施態様を変更し得ると共に、これらの改良及び改善は、本発明の範囲内及び趣旨内にあることを認識する。
【０５４８】
本明細書において例示的に記載された発明は、本明細書において具体的に開示されていない要素がない状態で適切に実施され得る。したがって、例えば、本明細書における各例において、「備える」、「本質的に〜からなる」、及び、「〜からなる」という用語のうちのいずれかは、他の２つの用語のいずれかと置き換えられてもよい。使用された用語及び表現は、説明のための用語として使用され、限定されず、かつ、かかる用語及び表現の使用は、示され説明された特徴又はその一部の均等物を除外するものではなく、特許請求の範囲に記載された発明の範囲内において種々の改良が可能である。複数の要素のうちの１つの要素又は該複数の要素のうちの１以上の要素のいずれが記載されているかについて文脈で明確でなければ、「ａ」又は「ａｎ」という用語は、これが修飾する要素のうちの１つ又は複数の要素を指す場合がある（例えば、「ａ  ｒｅａｇｅｎｔ」は１以上の試薬を意味し得る）。本明細書に使用する「約」という用語は、基礎となるパラメータの１０％以内（すなわち、±１０％）の値を指し、また、一連の値の初めの「約」という用語の使用は、それぞれの値（すなわち、「約１、２及び３」とは、約１、約２及び約３をいう）を修飾する。例えば、「約１００グラム」の重量には、９０グラムから１１０グラムの重量が含まれ得る。更に、値の一覧が本明細書に記載される場合（例えば、約５０％、６０％、７０％、８０％、８５％又は８６％）、この一覧には、その中間値及び小数値（例えば、５４％、８５．４％）がすべて含まれる。したがって、本発明は、代表的実施態様及び選択的特徴によって、具体的に開示されているが、当業者であれば、本明細書中に開示された概念の改良及び変更を採用することができ、かかる改良及び変更は、本発明の範囲内であると考えられることを理解すべきである。
【０５４９】
本発明の特定の実施態様を、次の特許請求の範囲に示す。
【図１】
0005952287.tif 000008
【図２】
0005952287.tif 000009
【図３】
0005952287.tif 000010
【図４Ａ】
0005952287.tif 000011
【図４Ｂ】
0005952287.tif 000012
【図４Ｃ】
0005952287.tif 000013
【図４Ｄ】
0005952287.tif 000014
【図５Ａ】
0005952287.tif 000015
【図５Ｂ】
0005952287.tif 000016
【図５Ｃ】
0005952287.tif 000017
【図６Ａ】
0005952287.tif 000018
【図６Ｂ】
0005952287.tif 000019
【図６Ｃ】
0005952287.tif 000020
【図７】
0005952287.tif 000021
【図８】
0005952287.tif 000022
【図９】
0005952287.tif 000023
【図１０】
0005952287.tif 000024
【図１１】
0005952287.tif 000025
【図１２】
0005952287.tif 000026
【図１３】
0005952287.tif 000027
【図１４】
0005952287.tif 000028
【図１５】
0005952287.tif 000029
【図１６】
0005952287.tif 000030
【図１７】
0005952287.tif 000031
【図１８】
0005952287.tif 000032
【図１９】
0005952287.tif 000033
【図２０】
0005952287.tif 000034
【図２１】
0005952287.tif 000035
【図２２Ａ】
0005952287.tif 000036
【図２２Ｂ】
0005952287.tif 000037
【図２２Ｃ】
0005952287.tif 000038
【図２２Ｄ】
0005952287.tif 000039
【図２３Ａ】
0005952287.tif 000040
【図２３Ｂ】
0005952287.tif 000041
【図２３Ｃ】
0005952287.tif 000042
【図２４】
0005952287.tif 000043
【図２５】
0005952287.tif 000044
【図２６】
0005952287.tif 000045
【図２７】
0005952287.tif 000046
【図２８】
0005952287.tif 000047
【図２９】
0005952287.tif 000048
【図３０】
0005952287.tif 000049
【図３１】
0005952287.tif 000050
【図３２】
0005952287.tif 000051
【図３３】
0005952287.tif 000052
【図３４】
0005952287.tif 000053
【図３５】
0005952287.tif 000054
【図３６】
0005952287.tif 000055
【図３７】
0005952287.tif 000056
【図３８】
0005952287.tif 000057
【図３９】
0005952287.tif 000058
【図４０】
0005952287.tif 000059
【図４１Ａ】
0005952287.tif 000060
【図４１Ｂ】
0005952287.tif 000061
【図４２】
0005952287.tif 000062
【図４３】
0005952287.tif 000063
【図４４】
0005952287.tif 000064
【図４５Ａ】
0005952287.tif 000065
【図４５Ｂ】
0005952287.tif 000066
【図４６】
0005952287.tif 000067
【図４７Ａ】
0005952287.tif 000068
【図４７Ｂ】
0005952287.tif 000069
【図４８】
0005952287.tif 000070
【図４９】
0005952287.tif 000071
【図５０Ａ】
0005952287.tif 000072
【図５０Ｂ】
0005952287.tif 000073
【図５１】
0005952287.tif 000074
【図５２Ａ】
0005952287.tif 000075
【図５２Ｂ】
0005952287.tif 000076
【図５３Ａ】
0005952287.tif 000077
【図５３Ｂ】
0005952287.tif 000078
【図５４Ａ】
0005952287.tif 000079
【図５４Ｂ】
0005952287.tif 000080
【図５５Ａ】
0005952287.tif 000081
【図５５Ｂ】
0005952287.tif 000082
【図５５Ｃ】
0005952287.tif 000083
【図５５Ｄ】
0005952287.tif 000084
【図５５Ｅ】
0005952287.tif 000085
【図５５Ｆ】
0005952287.tif 000086
【図５５Ｇ】
0005952287.tif 000087
【図５５Ｈ】
0005952287.tif 000088
【図５６】
0005952287.tif 000089
【図５７】
0005952287.tif 000090
【図５８】
0005952287.tif 000091
【図５９】
0005952287.tif 000092
【図６０Ａ】
0005952287.tif 000093
【図６０Ｂ】
0005952287.tif 000094
【図６０Ｃ】
0005952287.tif 000095
【図６１Ａ】
0005952287.tif 000096
【図６１Ｂ】
0005952287.tif 000097
【図６２】
0005952287.tif 000098
【図６３】
0005952287.tif 000099
【図６４Ａ】
0005952287.tif 000100
【図６４Ｂ】
0005952287.tif 000101
【図６５】
0005952287.tif 000102
【図６６】
0005952287.tif 000103
【図６７】
0005952287.tif 000104
【図６８Ａ】
0005952287.tif 000105
【図６８Ｂ】
0005952287.tif 000106
【図６８Ｃ】
0005952287.tif 000107
【図６８Ｄ】
0005952287.tif 000108
【図６９Ａ】
0005952287.tif 000109
【図６９Ｂ】
0005952287.tif 000110
【図６９Ｃ】
0005952287.tif 000111
【図７０】
0005952287.tif 000112
【図７１】
0005952287.tif 000113
【図７２】
0005952287.tif 000114
【図７３】
0005952287.tif 000115
【図７４】
0005952287.tif 000116
【図７５Ａ】
0005952287.tif 000117
【図７５Ｂ】
0005952287.tif 000118
【図７６】
0005952287.tif 000119
【図７７】
0005952287.tif 000120
【図７８】
0005952287.tif 000121
【図７９】
0005952287.tif 000122
【図８０Ａ】
0005952287.tif 000123
【図８０Ｂ】
0005952287.tif 000124
【図８１】
0005952287.tif 000125
【図８２Ａ】
0005952287.tif 000126
【図８２Ｂ】
0005952287.tif 000127
【図８２Ｃ】
0005952287.tif 000128
【図８２Ｄ】
0005952287.tif 000129
【図８２Ｅ】
0005952287.tif 000130
【図８２Ｆ】
0005952287.tif 000131
【図８２Ｇ】
0005952287.tif 000132
【図８２Ｈ】
0005952287.tif 000133
【図８３】
0005952287.tif 000134
【図８４】
0005952287.tif 000135
【図８５】
0005952287.tif 000136
【図８６Ａ】
0005952287.tif 000137
【図８６Ｂ】
0005952287.tif 000138
【図８６Ｃ】
0005952287.tif 000139
【図８７Ａ】
0005952287.tif 000140
【図８７Ｂ】
0005952287.tif 000141
【図８８】
0005952287.tif 000142